(57)【要約】  本出願はハンドオーバ方法および装置を提供する。方法は、第1の制御プレーン機能ネットワーク要素により、第1のネットワーク内の端末のプロトコルデータユニットPDUセッションが第2のネットワーク内のパケットデータネットワークPDN接続に切り替えられるべきときに確立される必要がある少なくとも1つのベアラを決定するステップと、第1の制御プレーン機能ネットワーク要素により、PDN接続のトンネル情報を取得するステップであって、PDN接続のトンネル情報が少なくとも1つのベアラの各々に対応するユーザプレーントンネル情報を含む、ステップとを含む。本出願において提供されるハンドオーバ方法および装置によれば、ネットワークハンドオーバプロセスにおけるデータ損失を防止することができ、それにより、正常なデータ伝送が保証される。
2021513814.tif 000002
【特許請求の範囲】
【請求項１】
第1の制御プレーン機能ネットワーク要素により、第1のネットワーク内の端末のプロトコルデータユニットPDUセッションが第2のネットワーク内のパケットデータネットワークPDN接続に切り替えられるべきときに確立される必要がある少なくとも1つのベアラを決定するステップと、
前記第1の制御プレーン機能ネットワーク要素により、前記PDN接続のトンネル情報を取得するステップであって、前記PDN接続の前記トンネル情報が前記少なくとも1つのベアラの各々に対応するユーザプレーントンネル情報を備える、ステップと
を備える、ハンドオーバ方法。
【請求項２】
前記第1の制御プレーン機能ネットワーク要素により、前記PDN接続のトンネル情報を取得する前記ステップであって、前記PDN接続の前記トンネル情報が前記少なくとも1つのベアラの各々に対応するユーザプレーントンネル情報を備える、前記ステップが、
前記第1の制御プレーン機能ネットワーク要素により、前記対応するユーザプレーントンネル情報を前記少なくとも1つのベアラの各々に割り当てるステップ、または
前記第1の制御プレーン機能ネットワーク要素により、前記各ベアラに対応するユーザプレーントンネル情報を割り当てるように、前記PDUセッションに対応するユーザプレーン機能ネットワーク要素に要求し、前記PDUセッションに対応する前記ユーザプレーン機能ネットワーク要素から前記各ベアラに対応する前記ユーザプレーントンネル情報を取得するステップ
を備える、請求項1に記載の方法。
【請求項３】
前記PDN接続の前記トンネル情報が前記PDNに対応する制御プレーントンネル情報をさらに備え、前記第1の制御プレーン機能ネットワーク要素により、前記PDN接続のトンネル情報を取得する前記ステップが、前記第1の制御プレーン機能ネットワーク要素により、前記PDN接続に対応する前記制御プレーントンネル情報を取得するステップ
をさらに備える、請求項1または2に記載の方法。
【請求項４】
前記方法が、
前記第1の制御プレーン機能ネットワーク要素により、前記PDUセッションに対応する前記ユーザプレーン機能ネットワーク要素に第1のセッション管理要求を送信するステップであって、前記第1のセッション管理要求が、前記少なくとも1つのベアラの各々に対応するユーザプレーントンネルを確立または修正するように要求するために使用され、前記第1のセッション管理要求がアップリンクデータ送信規則を搬送し、前記アップリンクデータ送信規則が、前記PDN接続に対応する前記ユーザプレーントンネルを介して受信されたアップリンクデータを転送する方法を、前記PDUセッションに対応する前記ユーザプレーン機能ネットワーク要素に示すために使用される、ステップ
をさらに備える、請求項1から3のいずれか一項に記載の方法。
【請求項５】
前記方法が、前記第1の制御プレーン機能ネットワーク要素により、前記少なくとも1つのベアラの各々に対応するベアラ識別子を取得するステップをさらに備える、請求項1から4のいずれか一項に記載の方法。
【請求項６】
前記少なくとも1つのベアラの各々に対応するベアラ識別子を取得する前記ステップが、
前記第1の制御プレーン機能ネットワーク要素により、第2の制御プレーン機能ネットワーク要素を使用してモビリティ管理ネットワーク要素にベアラ識別子要求を送信するステップであって、前記ベアラ識別子要求が、前記少なくとも1つのベアラの各々にベアラ識別子を割り当てるように要求するために使用され、
前記第2の制御プレーン機能ネットワーク要素が、前記PDUセッションに対応する訪問先制御プレーンネットワーク要素であり、前記第1の制御プレーン機能ネットワーク要素が、前記PDUセッションに対応するホーム制御プレーンネットワーク要素である、ステップと、
前記第1の制御プレーン機能ネットワーク要素により、前記第2の制御プレーン機能ネットワーク要素を使用して前記モビリティ管理ネットワーク要素から、前記少なくとも1つのベアラの各々に対応する前記ベアラ識別子を受信するステップと
を備える、請求項5に記載の方法。
【請求項７】
前記方法が、
前記第1の制御プレーン機能ネットワーク要素により、前記PDN接続の前記トンネル情報および前記少なくとも1つのベアラの各々に対応する前記ベアラ識別子を、前記第2の制御プレーン機能ネットワーク要素に送信するステップ
をさらに備える、請求項1から6のいずれか一項に記載の方法。
【請求項８】
前記方法が、
前記第1の制御プレーン機能ネットワーク要素により、第2の制御プレーン機能ネットワーク要素に前記PDN接続の前記トンネル情報を送信するステップであって、
前記第2の制御プレーン機能ネットワーク要素が、前記PDUセッションに対応する訪問先制御プレーンネットワーク要素であり、前記第1の制御プレーン機能ネットワーク要素が、前記PDUセッションに対応するホーム制御プレーンネットワーク要素である、ステップと、
前記第1の制御プレーン機能ネットワーク要素により、前記第2の制御プレーン機能ネットワーク要素から前記少なくとも1つのベアラの各々に対応する前記ベアラ識別子を受信するステップと
をさらに備える、請求項5に記載の方法。
【請求項９】
前記第1の制御プレーン機能ネットワーク要素により、前記PDN接続のトンネル情報を取得する前記ステップが、
前記第1の制御プレーン機能ネットワーク要素により、前記端末の前記PDUセッションが前記第1のネットワーク内で確立される必要があるか、または前記第1のネットワーク内の前記PDUセッションが修正される必要があると判断すると、前記PDN接続の前記トンネル情報を取得するステップ
を備える、請求項1から8のいずれか一項に記載の方法。
【請求項１０】
前記方法が、
前記第1の制御プレーン機能ネットワーク要素により、前記PDUセッションに対応する前記ユーザプレーン機能ネットワーク要素に、前記PDN接続に対応するダウンリンクデータ送信規則を送信するステップであって、前記ダウンリンクデータ送信規則が、対応するユーザプレーントンネルを介して受信されたダウンリンクデータを転送するように、前記PDUセッションに対応する前記ユーザプレーン機能ネットワーク要素に示すために使用される、ステップ
をさらに備える、請求項1から9のいずれか一項に記載の方法。
【請求項１１】
第2の制御プレーン機能ネットワーク要素により、第1の制御プレーン機能ネットワーク要素からパケットデータネットワークPDN接続のトンネル情報を受信するステップであって、前記PDN接続の前記トンネル情報が、少なくとも1つのベアラの各々に対応するユーザプレーントンネル情報を備え、前記第2の制御プレーン機能ネットワーク要素が、前記PDN接続に対応する訪問先制御プレーンネットワーク要素であり、前記第1の制御プレーン機能ネットワーク要素が、前記PDN接続に対応するホーム制御プレーンネットワーク要素である、ステップと、
前記第2の制御プレーン機能ネットワーク要素により、モビリティ管理ネットワーク要素に前記PDN接続の前記トンネル情報を送信するステップと
を備える、ハンドオーバ方法。
【請求項１２】
前記PDN接続の前記トンネル情報が、前記PDN接続に対応する制御プレーントンネル情報をさらに備える、請求項11に記載の方法。
【請求項１３】
前記方法が、
前記第2の制御プレーン機能ネットワーク要素により、前記モビリティ管理ネットワーク要素に、前記第1の制御プレーン機能によって前記モビリティ管理ネットワーク要素に送信されたベアラ識別子要求を転送するステップであって、前記ベアラ識別子要求が、前記少なくとも1つのベアラの各々にベアラ識別子を割り当てるように要求するために使用される、ステップと、
前記第2の制御プレーン機能ネットワーク要素により、前記第1の制御プレーン機能ネットワーク要素に、前記少なくとも1つのベアラの各々に対応し、前記モビリティ管理ネットワーク要素によって前記第1の制御プレーン機能に送信された前記ベアラ識別子を転送するステップと
をさらに備える、請求項11または12に記載の方法。
【請求項１４】
前記方法が、
前記第2の制御プレーン機能ネットワーク要素により、前記第1の制御プレーン機能ネットワーク要素から前記少なくとも1つのベアラの各々に対応する前記ベアラ識別子を受信するステップ
をさらに備える、請求項13に記載の方法。
【請求項１５】
前記方法が、
前記第2の制御プレーン機能ネットワーク要素により、前記PDN接続の前記トンネル情報に基づいて前記モビリティ管理ネットワーク要素にベアラ識別子要求を送信するステップであって、前記ベアラ識別子要求が、前記少なくとも1つのベアラの各々にベアラ識別子を割り当てるように要求するために使用される、ステップと、
前記第2の制御プレーン機能ネットワーク要素により、前記モビリティ管理ネットワーク要素から前記少なくとも1つのベアラの各々に対応する前記ベアラ識別子を受信するステップと
をさらに備える、請求項11または12に記載の方法。
【請求項１６】
前記方法が、
前記第2の制御プレーン機能ネットワーク要素により、前記少なくとも1つのベアラの各々に対応する前記ベアラ識別子を格納し、前記第1の制御プレーン機能ネットワーク要素に前記少なくとも1つのベアラの各々に対応する前記ベアラ識別子を送信するステップ
をさらに備える、請求項15に記載の方法。
【請求項１７】
第1の制御プレーン機能ネットワーク要素により、第2のネットワーク内の端末のパケットデータネットワークPDN接続が、第1のネットワーク内のプロトコルデータユニットPDUセッションに切り替えられる必要があると判断するステップと、
前記第1の制御プレーン機能ネットワーク要素により、前記PDUセッションに対応するユーザプレーントンネル情報を取得するステップと
を備える、ハンドオーバ方法。
【請求項１８】
前記第1の制御プレーン機能ネットワーク要素により、前記PDUセッションに対応するユーザプレーントンネル情報を取得する前記ステップが、
前記第1の制御プレーン機能ネットワーク要素により、前記PDUセッションに対応する前記ユーザプレーントンネル情報を前記PDUセッションに割り当てるステップ、または
前記第1の制御プレーン機能ネットワーク要素により、前記PDUセッションに対応するユーザプレーントンネル情報を割り当てるように、前記PDN接続に対応するユーザプレーン機能ネットワーク要素に要求し、前記PDN接続に対応する前記ユーザプレーン機能ネットワーク要素から前記PDUセッションに対応する前記ユーザプレーントンネル情報を取得するステップ
を備える、請求項17に記載の方法。
【請求項１９】
前記方法が、
前記第1の制御プレーン機能ネットワーク要素により、前記PDN接続に対応する前記ユーザプレーン機能ネットワーク要素に第1のセッション管理要求を送信するステップであって、前記第1のセッション管理要求が、前記PDUセッションに対応するユーザプレーントンネルを確立または修正するように要求するために使用され、前記第1のセッション管理要求がアップリンクデータ送信規則を搬送し、前記アップリンクデータ送信規則が、前記PDUセッションに対応する前記ユーザプレーントンネルを介して受信されたアップリンクデータを転送する方法を、前記PDN接続に対応する前記ユーザプレーン機能ネットワーク要素に示すために使用される、ステップ
をさらに備える、請求項17または18に記載の方法。
【請求項２０】
前記方法が、
前記アップリンクデータ送信規則が変わったと判断すると、前記第1の制御プレーン機能ネットワーク要素により、前記PDN接続に対応する前記ユーザプレーン機能ネットワーク要素に更新されたアップリンクデータ送信規則を送信するステップ
をさらに備える、請求項19に記載の方法。
【請求項２１】
前記第1の制御プレーン機能ネットワーク要素により、前記PDN接続に対応する前記ユーザプレーン機能ネットワーク要素に第1のセッション管理要求を送信する前記ステップの前に、前記方法が、
前記第1の制御プレーン機能ネットワーク要素により、第2のセッション管理要求を受信するステップであって、前記第2のセッション管理要求が第1の指示情報を搬送し、前記第1の指示情報が、前記第2のネットワークから前記第1のネットワークに前記端末をハンドオーバするための準備をするように示すために使用される、ステップ
をさらに備える、請求項17から20のいずれか一項に記載の方法。
【請求項２２】
前記方法が、
前記第1の制御プレーン機能ネットワーク要素により、前記PDN接続に対応する前記ユーザプレーン機能ネットワーク要素に、前記PDUセッションに対応するダウンリンクデータ送信規則を送信するステップであって、前記ダウンリンクデータ送信規則が、前記PDUセッションに対応する前記ユーザプレーントンネルを介して、前記PDN接続に対応する前記ユーザプレーン機能ネットワーク要素によって受信されたダウンリンクデータパケットを送信するように示すために使用される、ステップ
をさらに備える、請求項17から21のいずれか一項に記載の方法。
【請求項２３】
第1のネットワーク内の端末のプロトコルデータユニットPDUセッションが第2のネットワーク内のパケットデータネットワークPDN接続に切り替えられるべきときに確立される必要がある少なくとも1つのベアラを決定するように構成された決定ユニットと、
前記PDN接続のトンネル情報を取得するように構成された取得ユニットであって、前記PDN接続の前記トンネル情報が前記少なくとも1つのベアラの各々に対応するユーザプレーントンネル情報を備える、取得ユニットと
を備える、ハンドオーバ装置。
【請求項２４】
前記取得ユニットが、具体的に、
前記対応するユーザプレーントンネル情報を前記少なくとも1つのベアラの各々に割り当てるか、または
前記各ベアラに対応するユーザプレーントンネル情報を割り当てるように、前記PDUセッションに対応するユーザプレーン機能ネットワーク要素に要求し、前記PDUセッションに対応する前記ユーザプレーン機能ネットワーク要素から前記各ベアラに対応する前記ユーザプレーントンネル情報を取得する
ように構成される、請求項23に記載の装置。
【請求項２５】
前記PDN接続の前記トンネル情報が前記PDNに対応する制御プレーントンネル情報をさらに備え、前記取得ユニットが、
前記PDN接続に対応する前記制御プレーントンネル情報を取得する
ようにさらに構成される、請求項23または24に記載の装置。
【請求項２６】
前記装置が、
前記PDUセッションに対応する前記ユーザプレーン機能ネットワーク要素に第1のセッション管理要求を送信するように構成された第1の送信ユニットであって、前記第1のセッション管理要求が、前記少なくとも1つのベアラの各々に対応するユーザプレーントンネルを確立または修正するように要求するために使用され、前記第1のセッション管理要求がアップリンクデータ送信規則を搬送し、前記アップリンクデータ送信規則が、前記PDN接続に対応する前記ユーザプレーントンネルを介して受信されたアップリンクデータを転送する方法を、前記PDUセッションに対応する前記ユーザプレーン機能ネットワーク要素に示すために使用される、第1の送信ユニット
をさらに備える、請求項23から25のいずれか一項に記載の装置。
【請求項２７】
前記取得ユニットが、前記少なくとも1つのベアラの各々に対応するベアラ識別子を取得するようにさらに構成される、請求項23から26のいずれか一項に記載の装置。
【請求項２８】
前記取得ユニットが、具体的に、
第2の制御プレーン機能ネットワーク要素を使用してモビリティ管理ネットワーク要素にベアラ識別子要求を送信し、前記ベアラ識別子要求が、前記少なくとも1つのベアラの各々にベアラ識別子を割り当てるように要求するために使用され、
前記第2の制御プレーン機能ネットワーク要素が、前記PDUセッションに対応する訪問先制御プレーンネットワーク要素であり、前記装置が前記PDUセッションに対応するホーム制御プレーンネットワーク要素であり、
前記第2の制御プレーン機能ネットワーク要素を使用して前記モビリティ管理ネットワーク要素から、前記少なくとも1つのベアラの各々に対応する前記ベアラ識別子を受信する
ように構成される、請求項27に記載の装置。
【請求項２９】
前記装置が、
前記PDN接続の前記トンネル情報および前記少なくとも1つのベアラの各々に対応する前記ベアラ識別子を、前記第2の制御プレーン機能ネットワーク要素に送信するように構成された第2の送信ユニット
をさらに備える、請求項23から28のいずれか一項に記載の装置。
【請求項３０】
前記装置が、
第2の制御プレーン機能ネットワーク要素に前記PDN接続の前記トンネル情報を送信するように構成された第3の送信ユニット
をさらに備え、
前記第2の制御プレーン機能ネットワーク要素が、前記PDUセッションに対応する訪問先制御プレーンネットワーク要素であり、前記装置が前記PDUセッションに対応するホーム制御プレーンネットワーク要素であり、
前記取得ユニットが、前記第2の制御プレーン機能ネットワーク要素から前記少なくとも1つのベアラの各々に対応する前記ベアラ識別子を受信するようにさらに構成される、
請求項27に記載の装置。
【請求項３１】
前記取得ユニットが、具体的に、
前記端末の前記PDUセッションが前記第1のネットワーク内で確立される必要があるか、または前記第1のネットワーク内の前記PDUセッションが修正される必要があると判断すると、前記PDN接続の前記トンネル情報を取得する
ように構成される、請求項23から30のいずれか一項に記載の装置。
【請求項３２】
前記装置が、
前記PDUセッションに対応する前記ユーザプレーン機能ネットワーク要素に、前記PDN接続に対応するダウンリンクデータ送信規則を送信するように構成された第4の送信ユニットであって、前記ダウンリンクデータ送信規則が、対応するユーザプレーントンネルを介して受信されたダウンリンクデータを転送するように、前記PDUセッションに対応する前記ユーザプレーン機能ネットワーク要素に示すために使用される、第4の送信ユニット
をさらに備える、請求項23から31のいずれか一項に記載の装置。
【請求項３３】
ハンドオーバ装置であって、
第1の制御プレーン機能ネットワーク要素からパケットデータネットワークPDN接続のトンネル情報を受信するように構成された取得ユニットであって、前記PDN接続の前記トンネル情報が、少なくとも1つのベアラの各々に対応するユーザプレーントンネル情報を備え、前記装置が前記PDN接続に対応する訪問先制御プレーンネットワーク要素であり、前記第1の制御プレーン機能ネットワーク要素が、前記PDN接続に対応するホーム制御プレーンネットワーク要素である、取得ユニットと、
モビリティ管理ネットワーク要素に前記PDN接続の前記トンネル情報を送信するように構成された送信ユニットと
を備える、装置。
【請求項３４】
前記PDN接続の前記トンネル情報が、前記PDN接続に対応する制御プレーントンネル情報をさらに備える、請求項33に記載の装置。
【請求項３５】
前記送信ユニットが、
前記モビリティ管理ネットワーク要素に、前記第1の制御プレーン機能によって前記モビリティ管理ネットワーク要素に送信されたベアラ識別子要求を転送し、前記ベアラ識別子要求が、前記少なくとも1つのベアラの各々にベアラ識別子を割り当てるように要求するために使用され、
前記第1の制御プレーン機能ネットワーク要素に、前記少なくとも1つのベアラの各々に対応し、前記モビリティ管理ネットワーク要素によって前記第1の制御プレーン機能に送信された前記ベアラ識別子を転送する
ようにさらに構成される、請求項33または34に記載の装置。
【請求項３６】
前記取得ユニットが、
前記第1の制御プレーン機能ネットワーク要素から、前記少なくとも1つのベアラの各々に対応する前記ベアラ識別子を受信する
ようにさらに構成される、請求項35に記載の装置。
【請求項３７】
前記送信ユニットが、
前記PDN接続の前記トンネル情報に基づいて前記モビリティ管理ネットワーク要素にベアラ識別子要求を送信し、前記ベアラ識別子要求が、前記少なくとも1つのベアラの各々にベアラ識別子を割り当てるように要求するために使用される、
ようにさらに構成され、
前記取得ユニットが、前記モビリティ管理ネットワーク要素から前記少なくとも1つのベアラの各々に対応する前記ベアラ識別子を受信するようにさらに構成される、
請求項33または34に記載の装置。
【請求項３８】
前記装置が、
格納ユニットであって、前記格納ユニットが前記少なくとも1つのベアラの各々に対応する前記ベアラ識別子を格納するように構成された、格納ユニット
をさらに備え、
前記送信ユニットが、前記第1の制御プレーン機能ネットワーク要素に前記少なくとも1つのベアラの各々に対応する前記ベアラ識別子を送信するようにさらに構成される、
請求項37に記載の装置。
【請求項３９】
第2のネットワーク内の端末のパケットデータネットワークPDN接続が、第1のネットワーク内のプロトコルデータユニットPDUセッションに切り替えられる必要があると判断するように構成された決定ユニットと、
前記PDUセッションに対応するユーザプレーントンネル情報を取得するように構成された取得ユニットと
を備える、ハンドオーバ装置。
【請求項４０】
前記取得ユニットが、具体的に、
前記PDUセッションに対応する前記ユーザプレーントンネル情報を前記PDUセッションに割り当てるか、または
前記PDUセッションに対応するユーザプレーントンネル情報を割り当てるように、前記PDN接続に対応するユーザプレーン機能ネットワーク要素に要求し、前記PDN接続に対応する前記ユーザプレーン機能ネットワーク要素から前記PDUセッションに対応する前記ユーザプレーントンネル情報を取得する
ように構成される、請求項39に記載の装置。
【請求項４１】
前記装置が、
前記PDN接続に対応する前記ユーザプレーン機能ネットワーク要素に第1のセッション管理要求を送信するように構成された第1の送信ユニットであって、前記第1のセッション管理要求が、前記PDUセッションに対応するユーザプレーントンネルを確立または修正するように要求するために使用され、前記第1のセッション管理要求がアップリンクデータ送信規則を搬送し、前記アップリンクデータ送信規則が、前記PDUセッションに対応する前記ユーザプレーントンネルを介して受信されたアップリンクデータを転送する方法を、前記PDN接続に対応する前記ユーザプレーン機能ネットワーク要素に示すために使用される、第1の送信ユニット
をさらに備える、請求項39または40に記載の装置。
【請求項４２】
前記第1の送信ユニットが、
前記アップリンクデータ送信規則が変わったと判断すると、前記PDN接続に対応する前記ユーザプレーン機能ネットワーク要素に更新されたアップリンクデータ送信規則を送信する
ようにさらに構成される、請求項41に記載の装置。
【請求項４３】
前記取得ユニットが、第2のセッション管理要求を受信し、前記第2のセッション管理要求が第1の指示情報を搬送し、前記第1の指示情報が、前記第2のネットワークから前記第1のネットワークに前記端末をハンドオーバするための準備をするように示すために使用される、
ようにさらに構成される、請求項39から42のいずれか一項に記載の装置。
【請求項４４】
前記装置が、
前記PDN接続に対応する前記ユーザプレーン機能ネットワーク要素に、前記PDUセッションに対応するダウンリンクデータ送信規則を送信するように構成された第2の送信ユニットであって、前記ダウンリンクデータ送信規則が、前記PDUセッションに対応する前記ユーザプレーントンネルを介して、前記PDN接続に対応する前記ユーザプレーン機能ネットワーク要素によって受信されたダウンリンクデータパケットを送信するように示すために使用される、第2の送信ユニット
をさらに備える、請求項39から43のいずれか一項に記載の装置。
【請求項４５】
メモリおよび前記メモリに結合されたプロセッサを備える制御プレーン機能ネットワーク要素であって、
前記メモリがプログラム命令を記憶し、前記プロセッサが前記プログラム命令を実行すると、前記制御プレーン機能ネットワーク要素が、請求項1から10のいずれか一項に記載の前記方法を実行することが可能になる、
制御プレーン機能ネットワーク要素。
【請求項４６】
メモリおよび前記メモリに結合されたプロセッサを備える制御プレーン機能ネットワーク要素であって、
前記メモリがプログラム命令を記憶し、前記プロセッサが前記プログラム命令を実行すると、前記制御プレーン機能ネットワーク要素が、請求項11から16のいずれか一項に記載の前記方法を実行することが可能になる、
制御プレーン機能ネットワーク要素。
【請求項４７】
メモリおよび前記メモリに結合されたプロセッサを備える制御プレーン機能ネットワーク要素であって、
前記メモリがプログラム命令を記憶し、前記プロセッサが前記プログラム命令を実行すると、前記制御プレーン機能ネットワーク要素が、請求項17から22のいずれか一項に記載の前記方法を実行することが可能になる、
制御プレーン機能ネットワーク要素。
【請求項４８】
命令を備えるコンピュータ記憶媒体であって、前記命令がコンピュータ上で実行されると、前記コンピュータが請求項1から10のいずれか一項に記載の前記方法を実行することが可能になる、コンピュータ記憶媒体。
【請求項４９】
命令を備えるコンピュータ記憶媒体であって、前記命令がコンピュータ上で実行されると、前記コンピュータが請求項11から16のいずれか一項に記載の前記方法を実行することが可能になる、コンピュータ記憶媒体。
【請求項５０】
命令を備えるコンピュータ記憶媒体であって、前記命令がコンピュータ上で実行されると、前記コンピュータが請求項17から22のいずれか一項に記載の前記方法を実行することが可能になる、コンピュータ記憶媒体。
【請求項５１】
通信システムであって、前記通信システムが第1の制御プレーン機能ネットワーク要素およびユーザプレーン機能ネットワーク要素を備え、
前記第1の制御プレーン機能ネットワーク要素が、第1のネットワーク内の端末のプロトコルデータユニットPDUセッションが、第2のネットワーク内のパケットデータネットワークPDN接続に切り替えられるべきときに確立される必要がある少なくとも1つのベアラを決定し、
前記少なくとも1つのベアラの各々に対応するユーザプレーントンネル情報を決定し、前記各ベアラに対応する前記決定されたユーザプレーントンネル情報を前記ユーザプレーン機能ネットワーク要素に送信するか、または対応するユーザプレーントンネル情報を前記少なくとも1つのベアラの各々に割り当てるように前記ユーザプレーン機能ネットワーク要素に要求し、前記ユーザプレーン機能ネットワーク要素から前記少なくとも1つのベアラの各々に対応する前記ユーザプレーントンネル情報を受信するように構成され、
前記ユーザプレーン機能ネットワーク要素が、前記第1の制御プレーン機能ネットワーク要素から前記少なくとも1つのベアラの各々に対応する前記ユーザプレーントンネル情報を受信するか、または前記第1の制御プレーン機能ネットワーク要素によって送信され、対応するユーザプレーントンネル情報を前記少なくとも1つのベアラの各々に割り当てるように要求するために使用される要求メッセージを受信し、前記対応するユーザプレーントンネル情報を前記少なくとも1つのベアラの各々に割り当て、前記少なくとも1つのベアラの各々に対応する前記割り当てられたユーザプレーントンネル情報を前記第1の制御プレーン機能ネットワーク要素に送信するように構成される、
通信システム。
【請求項５２】
前記第1の制御プレーン機能ネットワーク要素が、前記PDN接続に対応する制御プレーントンネル情報を取得するようにさらに構成される、請求項51に記載の通信システム。
【請求項５３】
前記通信システムがモビリティ管理ネットワーク要素をさらに備え、
前記第1の制御プレーン機能ネットワーク要素が、前記モビリティ管理ネットワーク要素にベアラ識別子要求を送信し、前記ベアラ識別子要求が、前記少なくとも1つのベアラの各々にベアラ識別子を割り当てるために使用され、前記モビリティ管理ネットワーク要素によって送信された前記少なくとも1つのベアラの各々の前記ベアラ識別子を受信するようにさらに構成され、
前記モビリティ管理ネットワーク要素が、前記第1の制御プレーン機能ネットワーク要素から前記ベアラ識別子を受信し、前記少なくとも1つのベアラの各々にベアラ識別子を割り当て、前記少なくとも1つのベアラの各々に対応する前記ベアラ識別子を前記第1の制御プレーン機能ネットワーク要素に送信するように構成される、
請求項51または52に記載の通信システム。
【請求項５４】
前記第1の制御プレーン機能ネットワーク要素が、前記端末の前記PDUセッションが前記第1のネットワーク内で確立される必要があるか、または前記第1のネットワーク内の前記PDUセッションが修正される必要があると判断するようにさらに構成される、請求項51〜53のいずれか一項に記載の通信システム。
【発明の詳細な説明】
【技術分野】
【０００１】
関連出願の相互参照
本出願は、参照によりその全体が本明細書に組み込まれる、2018年2月14日に中国国家知識産権局に出願され、「HANDOVER METHOD AND APPARATUS」と題する、中国特許出願第201810152399．3号の優先権を主張する。
【０００２】
本出願は、通信分野に関し、より詳細には、通信分野におけるハンドオーバ方法および装置に関する。
【背景技術】
【０００３】
ワイヤレス通信技術の急速な発展に伴い、第5世代（fifth generation、5G）のモバイル通信技術が登場した。ネットワーク展開の初期段階では、5Gネットワークの不十分なカバレージに起因して、ユーザ機器（user equipment、UE）の位置が変わると、UEは5Gネットワークと第4世代（fourth generation、4G）ネットワークとの間をハンドオーバする必要がある。
【０００４】
4Gネットワークでは、1つのパケットデータネットワーク（packet data network、PDN）接続が1つまたは複数のベアラ（bearer）に対応している。各ベアラは1つまたは複数のデータフローを含む。システムは、PDN接続に対応するベアラごとに対応するトンネルを確立する。ハンドオーバ準備プロセスでは、ソースモビリティ管理エンティティ（mobility management entity、MME）がPDN接続に対応する各ベアラのトンネル情報をターゲットMMEに送信し、ベアラごとに、ターゲットアクセスネットワークからパケットデータネットワーク（packet data network、PDN）ゲートウェイユーザプレーン機能（PDN gateway user plane function、PGW−U）へのアップリンクトンネルを確立する。
【０００５】
5Gネットワーク内の1つのプロトコルデータユニット（protocol data unit、PDU）セッションは、4Gネットワーク内の1つのPDN接続に相当する。1つのPDUセッションは1つまたは複数のデータフローを含み、PDUセッション内のすべてのデータフローは1つのトンネルを共有する。
【０００６】
5Gネットワークでは、1つのPDUセッションに1つのトンネルが使用されるが、4Gネットワークでは、1つのPDN接続のベアラごとに1つのトンネルが必要とされる。したがって、UEが5Gネットワークから4Gネットワークにハンドオーバされるとき、1つのトンネルを複数のトンネルにどのようにマッピングするかという問題が存在し、同様に、UEが4Gネットワークから5Gネットワークにハンドオーバされるとき、複数のトンネルを1つのトンネルにどのようにマッピングするかという問題が存在する。
【発明の概要】
【０００７】
したがって、4Gネットワークと5Gネットワークとの間でUEがハンドオーバされるとき、データが正常に受信および処理されない可能性があり、その結果、データが失われる。
【課題を解決するための手段】
【０００８】
本出願はハンドオーバ方法および装置を提供し、その結果、ネットワークハンドオーバプロセスにおけるデータ損失を防止することができ、それにより、正常なデータ伝送が保証される。
【０００９】
第1の態様によれば、本出願はハンドオーバ方法を提供する。方法は、第1の制御プレーン機能ネットワーク要素により、第1のネットワーク内の端末のプロトコルデータユニットPDUセッションが第2のネットワーク内のパケットデータネットワークPDN接続に切り替えられるべきときに確立される必要がある少なくとも1つのベアラを決定するステップと、第1の制御プレーン機能ネットワーク要素により、PDN接続のトンネル情報を取得するステップであって、PDN接続のトンネル情報が少なくとも1つのベアラの各々に対応するユーザプレーントンネル情報を含む、ステップとを含む。
【００１０】
本出願のこの実施形態において提供されるハンドオーバ方法によれば、第1の制御プレーン機能ネットワーク要素は、第1のネットワーク内の端末のPDUセッションが第2のネットワーク内のPDN接続に切り替えられるべきときに確立される必要がある少なくとも1つのベアラを決定し、少なくとも1つのベアラの各々に対応するユーザプレーントンネル情報を取得し、その結果、第1の制御プレーン機能ネットワーク要素は、PDUセッションがPDN接続に切り替えられるべきときにPDN接続内のベアラに対応するユーザプレーントンネルを確立する。これは、ネットワークハンドオーバプロセスにおいてPDN接続に含まれるベアラ内のデータパケットの損失を防止するのに役立ち、それにより、データパケットの正常な送信が保証される。
【００１１】
第1のネットワークは5Gネットワークを含んでよく、第2のネットワークは4Gネットワークを含んでよいことを理解されたい。第1のネットワーク内のPDUセッションは第2のネットワーク内のPDN接続に相当することをさらに理解されたい。
【００１２】
第1の制御プレーン機能ネットワーク要素は、たとえば、SMF−PGW−Cであってよいことを理解されたい。
【００１３】
場合によっては、各ベアラに対応するユーザプレーントンネル情報は、ベアラに対応するユーザプレーントンネルのトンネル識別子、およびトンネルに対応するインターネットプロトコル（Internet Protocol、IP）アドレスなどのユーザプレーントンネルに関する他の情報を含んでよい。このことは、本出願のこの実施形態では限定されない。
【００１４】
場合によっては、第1の制御プレーン機能ネットワーク要素は、複数の場合において、第1のネットワーク内のPDUセッションが確立または修正される必要があると判断することができる。このことは、本出願のこの実施形態では限定されない。
【００１５】
可能な実装形態では、第1の制御プレーン機能ネットワーク要素は、AMFから第1の要求メッセージを受信する場合があり、第1の要求メッセージは、第1のネットワーク内のPDUセッションを確立するように要求するために使用され、PDUセッションは少なくとも1つのデータフローを含み、第1の制御プレーン機能ネットワーク要素は、第1の要求メッセージに基づいて、第1のネットワーク内のPDUセッションが確立される必要があると判断する。
【００１６】
別の可能な実装形態では、第1の制御プレーン機能ネットワーク要素は、別のネットワーク要素から第2の要求メッセージを受信する場合があり、第2の要求メッセージは、第1のネットワーク内のPDUセッションを修正するように第1の制御プレーン機能ネットワーク要素をトリガするために使用され、たとえば、第2の要求メッセージは、少なくとも1つのデータフローをPDUセッションに追加するように第1の制御プレーン機能ネットワーク要素をトリガするために使用される。
【００１７】
さらに別の可能な実装形態では、第1の制御プレーン機能ネットワーク要素は、第1の制御プレーン機能ネットワーク要素のプロセスにより、第1のネットワーク内のPDUセッションを修正するようにトリガされる場合がある。
【００１８】
場合によっては、第1の制御プレーン機能ネットワーク要素は、少なくとも1つのデータフローおよび割当てポリシーに基づいて少なくとも1つのベアラを決定することができる。
【００１９】
場合によっては、少なくとも1つのデータフローは、たとえば、サービス品質（quality of service、QoS）フロー（flow）であってよい。QoSフローは、保証されたビットレート（guaranteed bit rate、GBR）のQoSフローまたは非GBRのQoSフローであってよい。
【００２０】
場合によっては、割当てポリシーは事前に構成されてもよく、指示情報を使用して別のネットワーク要素によって示されてもよい。このことは、本出願のこの実施形態では限定されない。
【００２１】
第1の態様を参照して、いくつかの可能な実装形態では、第1の制御プレーン機能ネットワーク要素により、PDN接続のトンネル情報を取得するステップであって、PDN接続のトンネル情報が少なくとも1つのベアラの各々に対応するユーザプレーントンネル情報を含む、ステップは、第1の制御プレーン機能ネットワーク要素により、対応するユーザプレーントンネル情報を少なくとも1つのベアラの各々に割り当てるステップ、または、第1の制御プレーン機能ネットワーク要素により、各ベアラに対応するユーザプレーントンネル情報を割り当てるように、PDUセッションに対応するユーザプレーン機能ネットワーク要素に要求し、PDUセッションに対応するユーザプレーン機能ネットワーク要素から各ベアラに対応するユーザプレーントンネル情報を取得するステップを含む。
【００２２】
場合によっては、第1の制御プレーン機能ネットワーク要素は、複数の方式で、少なくとも1つのベアラの各々に対応するユーザプレーントンネル情報を取得することができる。このことは、本出願のこの実施形態では限定されない。
【００２３】
可能な実装形態では、第1の制御プレーン機能ネットワーク要素自体が、少なくとも1つのベアラの各々にユーザプレーントンネル情報を割り当てることができる。
【００２４】
別の可能な実装形態では、第1の制御プレーン機能ネットワーク要素は、少なくとも1つのベアラの各々にユーザプレーントンネル情報を割り当てるように、PDUセッションに対応するユーザプレーン機能ネットワーク要素に要求し、PDUセッションに対応するユーザプレーン機能ネットワーク要素から、各ベアラに対応するユーザプレーントンネル情報を取得することができる。
【００２５】
第1の態様を参照して、いくつかの可能な実装形態では、PDN接続のトンネル情報はPDNに対応する制御プレーントンネル情報をさらに含み、第1の制御プレーン機能ネットワーク要素により、PDN接続のトンネル情報を取得するステップは、第1の制御プレーン機能ネットワーク要素により、PDN接続に対応する制御プレーントンネル情報を取得するステップをさらに含む。
【００２６】
場合によっては、PDN接続に対応する制御プレーントンネル情報は、PDN接続に対応する制御プレーントンネルのトンネル識別子、および制御プレーントンネルに対応するインターネットプロトコル（Internet Protocol、IP）アドレスなどの制御プレーントンネルに関する他の情報を含んでよい。このことは、本出願のこの実施形態では限定されない。
【００２７】
本出願のこの実施形態において提供されるハンドオーバ方法によれば、PDN接続に対応するトンネル情報は、PDN接続に対応する制御プレーントンネル情報をさらに含み、その結果、第1の制御プレーン機能ネットワーク要素は、PDUセッションに対応するPDN接続に対応する制御プレーントンネルを確立する。これは、ネットワークハンドオーバプロセスにおいてPDN接続の制御シグナリングの損失を防止するのに役立ち、それにより、制御シグナリングの正常な送信が保証される。
【００２８】
第1の態様を参照して、いくつかの可能な実装形態では、方法は、第1の制御プレーン機能ネットワーク要素により、PDUセッションに対応するユーザプレーン機能ネットワーク要素に第1のセッション管理要求を送信するステップをさらに含み、第1のセッション管理要求は、少なくとも1つのベアラの各々に対応するユーザプレーントンネルを確立または修正するように要求するために使用され、第1のセッション管理要求はアップリンクデータ送信規則を搬送し、アップリンクデータ送信規則は、PDN接続に対応するユーザプレーントンネルを介して受信されたアップリンクデータを転送する方法を、PDUセッションに対応するユーザプレーン機能ネットワーク要素に示すために使用される。
【００２９】
場合によっては、第1の制御プレーンネットワーク要素自体が、少なくとも1つのベアラの各々にユーザプレーントンネル情報を割り当てるとき、第1の制御プレーン機能ネットワーク要素は、少なくとも1つのベアラの各々に対応するユーザプレーントンネル情報を第1のセッション管理要求に追加することができ、第1の制御プレーン機能ネットワーク要素が、少なくとも1つのベアラの各々にユーザプレーントンネル情報を割り当てるように、PDUセッションに対応するユーザプレーン機能ネットワーク要素に要求するとき、PDUセッションに対応するユーザプレーン機能ネットワーク要素は、少なくとも1つのベアラの各々に対応するユーザプレーントンネル情報を第1のセッション管理応答に追加することができる。
【００３０】
少なくとも1つのベアラの各々に対応するユーザプレーントンネル情報およびベアラに対応するアップリンクデータ送信規則を知った後、PDUセッションに対応するユーザプレーン機能ネットワーク要素は、PDUセッションに対応するユーザプレーン機能ネットワーク要素上にベアラのアップリンクユーザプレーントンネルを確立することができる。
【００３１】
第1の態様を参照して、いくつかの可能な実装形態では、方法は、第1の制御プレーン機能ネットワーク要素により、少なくとも1つのベアラの各々に対応するベアラ識別子を取得するステップをさらに含む。
【００３２】
第1の態様を参照して、いくつかの可能な実装形態では、少なくとも1つのベアラの各々に対応するベアラ識別子を取得するステップは、第1の制御プレーン機能ネットワーク要素により、第2の制御プレーン機能ネットワーク要素を使用してモビリティ管理ネットワーク要素にベアラ識別子要求を送信するステップであって、ベアラ識別子要求が、少なくとも1つのベアラの各々にベアラ識別子を割り当てるように要求するために使用され、第2の制御プレーン機能ネットワーク要素が、PDUセッションに対応する訪問先制御プレーンネットワーク要素であり、第1の制御プレーン機能ネットワーク要素が、PDUセッションに対応するホーム制御プレーンネットワーク要素である、ステップと、第1の制御プレーン機能ネットワーク要素により、第2の制御プレーン機能ネットワーク要素を使用してモビリティ管理ネットワーク要素から、少なくとも1つのベアラの各々に対応するベアラ識別子を受信するステップとを含む。
【００３３】
可能な実装形態では、第1の制御プレーン機能ネットワーク要素は、モビリティ管理ネットワーク要素にベアラ識別子要求を送信する場合があり、ベアラ識別子要求は、少なくとも1つのベアラの各々にベアラ識別子を割り当てるために使用される。それに対応して、モビリティ管理ネットワーク要素は、第1の制御プレーン機能ネットワーク要素からベアラ識別子要求を受信し、ベアラ識別子要求に基づいて各ベアラにベアラ識別子を割り当て、少なくとも1つのベアラの各々に対応するベアラ識別子を第1の制御プレーン機能ネットワーク要素に送信する。
【００３４】
第1の制御プレーン機能ネットワーク要素は、PDN接続に対応するベアラコンテキストに、取得された少なくとも1つのベアラの各々に対応するユーザプレーントンネル情報、各ベアラに対応するベアラ識別子、およびPDN接続に対応する制御プレーントンネル情報を格納し、ハンドオーバ準備中にモビリティ管理ネットワーク要素にベアラコンテキストを送信することができることに留意されたい。
【００３５】
それに対応して、モビリティ管理ネットワーク要素は、PDN接続に対応するベアラコンテキストに基づいて、第2のネットワーク内のサービングゲートウェイSGWからPDUセッションに対応するユーザプレーン機能ネットワーク要素へのアップリンクトンネルを確立することができる。
【００３６】
可能な実装形態では、第1の制御プレーン機能ネットワーク要素は、第2の制御プレーン機能ネットワーク要素を使用してモビリティ管理ネットワーク要素にベアラ識別子要求を送信し、ベアラ識別子要求は、少なくとも1つのベアラの各々にベアラ識別子を割り当てるように要求するために使用され、第1の制御プレーン機能ネットワーク要素は、第2の制御プレーン機能ネットワーク要素を使用してモビリティ管理ネットワーク要素から、少なくとも1つのベアラの各々に対応するベアラ識別子を受信する。
【００３７】
少なくとも1つのベアラの各々に対応するユーザプレーントンネル情報、各ベアラに対応するベアラ識別子、およびPDN接続に対応する制御プレーントンネル情報を取得した後、第1の制御プレーン機能ネットワーク要素は、PDUセッションの確立／修正中に、少なくとも1つのベアラの各々に対応するユーザプレーントンネル情報、各ベアラに対応するベアラ識別子、およびPDN接続に対応する制御プレーントンネル情報を第2の制御プレーン機能ネットワーク要素に送信することができることに留意されたい。
【００３８】
それに対応して、第2の制御プレーン機能ネットワーク要素は、PDN接続のベアラコンテキストに、第1の制御プレーン機能ネットワーク要素から取得された少なくとも1つのベアラの各々に対応するユーザプレーントンネル情報、各ベアラに対応するベアラ識別子、およびPDN接続に対応する制御プレーントンネル情報を格納することができる。
【００３９】
別の可能な実装形態では、第1の制御プレーン機能ネットワーク要素は、第2の制御プレーン機能ネットワーク要素にPDN接続のトンネル情報を送信し、第2の制御プレーン機能ネットワーク要素から少なくとも1つのベアラの各々に対応するベアラ識別子を取得することができる。それに対応して、第2の制御プレーン機能ネットワーク要素は、少なくとも1つのベアラの各々に対応するベアラ識別子を格納することができる。
【００４０】
言い換えれば、第1の制御プレーン機能ネットワーク要素は、第2の制御プレーン機能ネットワーク要素にPDN接続のトンネル情報を送信し、第2の制御プレーン機能ネットワーク要素は、PDN接続のトンネル情報に基づいて、モビリティ管理ネットワーク要素が少なくとも1つのベアラにベアラ識別子を割り当てるように要求される必要があるかどうかを判定し、モビリティ管理ネットワーク要素が少なくとも1つのベアラにベアラ識別子を割り当てるように要求される必要があるとき、モビリティ管理ネットワーク要素にベアラ識別子要求を送信する。
【００４１】
具体的には、第1の制御プレーン機能ネットワーク要素は、最初に、各ベアラに対応するユーザプレーントンネル情報に関連付けられたベアラ識別子がPDN接続の取得されたトンネル情報に存在するかどうかを確認し、少なくとも1つのベアラのいくつかにベアラ識別子が割り当てられていない場合、第1の制御プレーン機能ネットワーク要素は、ベアラにベアラ識別子を割り当てるようにモビリティ管理ネットワーク要素に要求する。
【００４２】
第2の制御プレーン機能ネットワーク要素は、PDN接続のベアラコンテキストに、少なくとも1つのベアラの各々に対応するユーザプレーントンネル情報、各ベアラに対応するベアラ識別子、およびPDN接続に対応する制御プレーントンネル情報を格納することができることに留意されたい。
【００４３】
第2の制御プレーン機能ネットワーク要素によって格納されたPDN接続に対応するベアラコンテキストは、少なくとも1つのベアラの各々に対応するユーザプレーントンネル情報、各ベアラに対応するベアラ識別子、およびPDN接続に対応する制御プレーントンネル情報を含むので、モビリティ管理ネットワーク要素は、ハンドオーバ準備中に第2の制御プレーン機能ネットワーク要素からPDN接続に対応するベアラコンテキストを取得し、PDN接続に対応するベアラコンテキストに基づいて、第2のネットワーク内のサービングゲートウェイSGWからPDUに対応するユーザプレーン機能ネットワーク要素へのアップリンクトンネルを確立することができる。
【００４４】
本出願のこの実施形態において提供されるハンドオーバ方法によれば、第2の制御プレーン機能ネットワーク要素は、PDUのホームロケーションの制御プレーンネットワーク要素なので、第1の制御プレーン機能ネットワーク要素からPDN接続に対応するベアラコンテキストを取得することと比較して、モビリティ管理ネットワーク要素により、第2の制御プレーン機能ネットワーク要素からPDN接続に対応するベアラコンテキストを取得することは、ハンドオーバプロセス内で発生する遅延を削減することができる。
【００４５】
第1の態様を参照して、いくつかの可能な実装形態では、方法は、第1の制御プレーン機能ネットワーク要素により、PDN接続のトンネル情報および少なくとも1つのベアラの各々に対応するベアラ識別子を第2の制御プレーン機能ネットワーク要素に送信するステップをさらに含む。
【００４６】
第1の態様を参照して、いくつかの可能な実装形態では、方法は、第1の制御プレーン機能ネットワーク要素により、第2の制御プレーン機能ネットワーク要素にPDN接続のトンネル情報を送信するステップであって、第2の制御プレーン機能ネットワーク要素が、PDUセッションに対応する訪問先制御プレーンネットワーク要素であり、第1の制御プレーン機能ネットワーク要素が、PDUセッションに対応するホーム制御プレーンネットワーク要素である、ステップと、第1の制御プレーン機能ネットワーク要素により、第2の制御プレーン機能ネットワーク要素から少なくとも1つのベアラの各々に対応するベアラ識別子を受信するステップとをさらに含む。
【００４７】
本出願のこの実施形態において提供されるハンドオーバ方法によれば、第2の制御プレーン機能ネットワーク要素によって格納されたPDN接続に対応するベアラコンテキストは、PDN接続のトンネル情報および少なくとも1つのベアラの各々に対応するベアラ識別子を含み、その結果、モビリティ管理ネットワーク要素は、ハンドオーバ準備中に第2の制御プレーン機能ネットワーク要素からPDN接続に対応するベアラコンテキストを直接取得し、PDN接続に対応するベアラコンテキストに基づいて、第2のネットワーク内のサービングゲートウェイSGWからPDUに対応するユーザプレーン機能ネットワーク要素へのアップリンクトンネルを確立することができる。
【００４８】
第1の態様を参照して、いくつかの可能な実装形態では、第1の制御プレーン機能ネットワーク要素により、PDN接続のトンネル情報を取得するステップは、第1の制御プレーン機能ネットワーク要素により、端末のPDUセッションが第1のネットワーク内で確立される必要があるか、または第1のネットワーク内のPDUセッションが修正される必要があると判断すると、PDN接続のトンネル情報を取得するステップを含む。
【００４９】
場合によっては、第1の制御プレーン機能ネットワーク要素は、セッションの確立／修正中にPDN接続のトンネル情報を取得することができるか、または第1の制御プレーン機能ネットワーク要素は、ハンドオーバ準備中にPDN接続のトンネル情報を取得することができる。
【００５０】
本出願のこの実施形態において提供されるハンドオーバ方法によれば、第1の制御プレーン機能ネットワーク要素は、PDUセッションの確立もしくは修正中またはハンドオーバ準備中に、PDN接続のトンネル情報を取得し、その結果、第1の制御プレーン機能ネットワーク要素は、ハンドオーバ実行前に、PDN接続内のベアラに対応するユーザプレーントンネルおよびPDN接続に対応する制御プレーントンネルを確立し、それにより、ハンドオーバプロセス内の遅延が削減される。
【００５１】
第1の態様を参照して、いくつかの可能な実装形態では、方法は、第1の制御プレーン機能ネットワーク要素により、PDUセッションに対応するユーザプレーン機能ネットワーク要素に、PDN接続に対応するダウンリンクデータ送信規則を送信するステップであって、ダウンリンクデータ送信規則が、対応するユーザプレーントンネルを介して受信されたダウンリンクデータを転送するように、PDUセッションに対応するユーザプレーン機能ネットワーク要素に示すために使用される、ステップをさらに含む。
【００５２】
場合によっては、第1の制御プレーン機能ネットワーク要素は、PDUセッションに対応するユーザプレーン機能ネットワーク要素に、PDN接続に対応するダウンリンクデータ送信規則を送信する場合があり、ダウンリンクデータ送信規則は、対応するユーザプレーントンネルを介して受信されたダウンリンクデータを転送するように、PDUセッションに対応するユーザプレーン機能ネットワーク要素に示すために使用される。
【００５３】
可能な実装形態では、第1の制御プレーン機能ネットワーク要素は、ハンドオーバ実行中にPDUセッションに対応するユーザプレーン機能ネットワーク要素に第3のセッション管理要求を送信する場合があり、第3のセッション管理要求は、少なくとも1つのベアラの各々に対応するダウンリンクユーザプレーントンネルを確立または修正するように要求するために使用され、第3のセッション管理要求はダウンリンクデータ送信規則を搬送する。
【００５４】
別の可能な実装形態では、第1の制御プレーン機能ネットワーク要素は、PDUセッションの要求／修正中に、ダウンリンクデータ送信規則および第1の規則指示情報を第1のセッション管理要求に追加することができ、第1の規則指示情報は、ダウンリンクデータ送信規則を有効にしないように示すために使用される。それに対応して、第1の制御プレーン機能ネットワーク要素は、ハンドオーバ実行中にPDUセッションに対応するユーザプレーン機能ネットワーク要素に第3のセッション管理要求を送信し、第3のセッション管理要求は第2の規則指示情報を搬送し、第2の規則指示情報は、ダウンリンクデータ送信規則を有効にするように示すために使用される。
【００５５】
本出願のこの実施形態において提供されるハンドオーバ方法によれば、第1の制御プレーン機能ネットワーク要素は、ハンドオーバ実行フェーズ内でPDUセッションに対応するユーザプレーン機能ネットワーク要素にダウンリンクデータ送信規則を示し、その結果、PDUセッションに対応するユーザプレーン機能ネットワーク要素は、ダウンリンクデータ送信規則に従って、受信されたダウンリンクデータを対応するダウンリンクトンネルと照合し、ダウンリンクトンネルを介して第2のネットワーク内のサービングゲートウェイに受信されたダウンリンクデータを送信する。
【００５６】
第2の態様によれば、本出願はハンドオーバ方法を提供する。方法は、第1の制御プレーン機能ネットワーク要素から第2の制御プレーン機能ネットワーク要素により、第1の制御プレーン機能ネットワーク要素からパケットデータネットワークPDN接続のトンネル情報を受信するステップであって、PDN接続のトンネル情報が、少なくとも1つのベアラの各々に対応するユーザプレーントンネル情報を含み、第2の制御プレーン機能ネットワーク要素が、PDN接続に対応する訪問先制御プレーンネットワーク要素であり、第1の制御プレーン機能ネットワーク要素が、PDN接続に対応するホーム制御プレーンネットワーク要素である、ステップと、第2の制御プレーン機能ネットワーク要素により、モビリティ管理ネットワーク要素にPDN接続のトンネル情報を送信するステップとを含む。
【００５７】
本出願のこの実施形態において提供されるハンドオーバ方法によれば、第2の制御プレーン機能ネットワーク要素によって格納されたPDN接続に対応するベアラコンテキストは、PDN接続のトンネル情報および少なくとも1つのベアラの各々に対応するベアラ識別子を含み、その結果、モビリティ管理ネットワーク要素は、ハンドオーバ準備中に第2の制御プレーン機能ネットワーク要素からPDN接続に対応するベアラコンテキストを直接取得し、PDN接続に対応するベアラコンテキストに基づいて、第2のネットワーク内のサービングゲートウェイSGWからPDUに対応するユーザプレーン機能ネットワーク要素へのアップリンクトンネルを確立することができる。
【００５８】
加えて、第2の制御プレーン機能ネットワーク要素は、PDUのホームロケーションの制御プレーンネットワーク要素なので、第1の制御プレーン機能ネットワーク要素からPDN接続に対応するベアラコンテキストを取得することと比較して、モビリティ管理ネットワーク要素により、第2の制御プレーン機能ネットワーク要素からPDN接続に対応するベアラコンテキストを取得することは、ハンドオーバプロセス内で発生する遅延を削減することができる。
【００５９】
第1の制御プレーン機能ネットワーク要素は、たとえば、SMF−PGW−Cであってよく、第2の制御プレーン機能ネットワーク要素は、たとえば、v−SMFであってよいことを理解されたい。
【００６０】
第2の態様を参照して、いくつかの可能な実装形態では、PDN接続のトンネル情報は、PDN接続に対応する制御プレーントンネル情報をさらに含む。
【００６１】
本願のこの実施形態において提供されるハンドオーバ方法によれば、PDN接続に対応するトンネル情報は、PDN接続に対応する制御プレーントンネル情報をさらに含み、その結果、第1の制御プレーン機能ネットワーク要素は、PDUセッションに対応するPDN接続に対応する制御プレーントンネルを確立する。これは、ネットワークハンドオーバプロセスにおいてPDN接続の制御シグナリングの損失を防止するのに役立ち、それにより、制御シグナリングの正常な送信が保証される。
【００６２】
第2の態様を参照して、いくつかの可能な実装形態では、方法は、第2の制御プレーン機能ネットワーク要素により、モビリティ管理ネットワーク要素に、第1の制御プレーン機能によってモビリティ管理ネットワーク要素に送信されたベアラ識別子要求を転送するステップであって、ベアラ識別子要求が、少なくとも1つのベアラの各々にベアラ識別子を割り当てるように要求するために使用される、ステップと、第2の制御プレーン機能ネットワーク要素により、第1の制御プレーン機能ネットワーク要素に、少なくとも1つのベアラの各々に対応し、モビリティ管理ネットワーク要素によって第1の制御プレーン機能に送信されたベアラ識別子を転送するステップとをさらに含む。
【００６３】
言い換えれば、第2の制御プレーン機能ネットワーク要素は、第1の制御プレーン機能ネットワーク要素とPDUセッションに対応するユーザプレーン機能ネットワーク要素との間で送信されるメッセージを透過的に送信する機能を有する。
【００６４】
第2の態様を参照して、いくつかの可能な実装形態では、方法は、第2の制御プレーン機能ネットワーク要素により、第1の制御プレーン機能ネットワーク要素から少なくとも1つのベアラの各々に対応するベアラ識別子を受信するステップをさらに含む。
【００６５】
第2の態様を参照して、いくつかの可能な実装形態では、方法は、第2の制御プレーン機能ネットワーク要素により、PDN接続のトンネル情報に基づいてモビリティ管理ネットワーク要素にベアラ識別子要求を送信するステップであって、ベアラ識別子要求が、少なくとも1つのベアラの各々にベアラ識別子を割り当てるように要求するために使用される、ステップと、第2の制御プレーン機能ネットワーク要素により、モビリティ管理ネットワーク要素から少なくとも1つのベアラの各々に対応するベアラ識別子を受信するステップとをさらに含む。
【００６６】
具体的には、第2の制御プレーンネットワーク要素は、各ベアラに対応するユーザプレーントンネル情報に関連付けられたベアラ識別子がPDN接続内のトンネル情報に存在するかどうかを確認し、少なくとも1つのベアラにベアラ識別子が割り当てられていない場合、第2の制御プレーン機能ネットワーク要素は、ベアラ識別子が割り当てられていない少なくとも1つのベアラの各々にベアラ識別子を割り当てるようにモビリティ管理ネットワーク要素に要求する。
【００６７】
言い換えれば、第2の制御プレーン機能ネットワーク要素は、処理機能を有することができる。
【００６８】
第2の態様を参照して、いくつかの可能な実装形態では、方法は、第2の制御プレーン機能ネットワーク要素により、少なくとも1つのベアラの各々に対応するベアラ識別子を格納し、第1の制御プレーン機能ネットワーク要素に少なくとも1つのベアラの各々に対応するベアラ識別子を送信するステップをさらに含む。
【００６９】
第3の態様によれば、本出願はハンドオーバ方法を提供する。方法は、第1の制御プレーン機能ネットワーク要素により、第2のネットワーク内の端末のパケットデータネットワークPDN接続が、第1のネットワーク内のプロトコルデータユニットPDUセッションに切り替えられる必要があると判断するステップと、第1の制御プレーン機能ネットワーク要素により、PDUセッションに対応するユーザプレーントンネル情報を取得するステップとを含む。
【００７０】
本出願のこの実施形態において提供されるハンドオーバ方法によれば、第1の制御プレーン機能ネットワーク要素は、第2のネットワーク内の端末のPDN接続が第1のネットワーク内のPDUセッションに切り替えられる必要があると判断し、PDUセッションに対応するユーザプレーントンネル情報を取得し、その結果、第1の制御プレーン機能ネットワーク要素は、PDN接続がPDUセッションに切り替えられるべきときにPDUセッションに対応するユーザプレーントンネルを確立する。これは、ネットワークハンドオーバプロセスにおいてPDUセッション内のデータパケットの損失を防止するのに役立ち、それにより、データパケットの正常な送信が保証される。
【００７１】
第1の制御プレーン機能ネットワーク要素は、たとえば、SMF−PGW−Cであってよいことを理解されたい。
【００７２】
第1のネットワーク内のPDUセッションは第2のネットワーク内のPDN接続に相当することをさらに理解されたい。
【００７３】
可能な実装形態では、第1の制御プレーン機能ネットワーク要素は第3の要求メッセージを受信する場合があり、第3の要求メッセージは、第2のネットワーク内のPDN接続を確立するように要求するために使用され、第1の制御プレーン機能ネットワーク要素は、第3の要求メッセージに基づいて、第2のネットワーク内の端末のPDN接続が第1のネットワーク内のPDUセッションに切り替えられる必要があると判断する。
【００７４】
可能な実装形態では、第1の制御プレーン機能ネットワーク要素は第2のセッション管理要求を受信する場合があり、第2のセッション管理要求は第1の指示情報を搬送し、第1の指示情報は、第2のネットワークから第1のネットワークに端末をハンドオーバするための準備をするように示すために使用され、第1の制御プレーン機能ネットワーク要素は、第1の指示情報に基づいて、第2のネットワーク内のPDN接続が第1のネットワーク内のPDUセッションに切り替えられる必要があると判断することができる。
【００７５】
第3の態様を参照して、いくつかの可能な実装形態では、第1の制御プレーン機能ネットワーク要素により、PDUセッションに対応するユーザプレーントンネル情報を取得するステップは、第1の制御プレーン機能ネットワーク要素により、PDUセッションに対応するユーザプレーントンネル情報をPDUセッションに割り当てるステップ、または第1の制御プレーン機能ネットワーク要素により、PDUセッションに対応するユーザプレーントンネル情報を割り当てるように、PDN接続に対応するユーザプレーン機能ネットワーク要素に要求し、PDN接続に対応するユーザプレーン機能ネットワーク要素からPDUセッションに対応するユーザプレーントンネル情報を取得するステップを含む。
【００７６】
場合によっては、第1の制御プレーン機能ネットワーク要素は、複数の方式で、PDUセッションに対応するユーザプレーントンネル情報を取得することができる。このことは、本出願のこの実施形態では限定されない。
【００７７】
可能な実装形態では、第1の制御プレーン機能ネットワーク要素自体が、PDUセッションに対応するユーザプレーントンネル情報をPDUセッションに割り当てることができる。
【００７８】
別の可能な実装形態では、第1の制御プレーン機能ネットワーク要素は、PDUセッションに対応するユーザプレーントンネル情報を割り当てるように、PDN接続に対応するユーザプレーン機能ネットワーク要素に要求し、PDN接続に対応するユーザプレーン機能ネットワーク要素から、PDUセッションに対応するユーザプレーントンネル情報を取得する。
【００７９】
第3の態様を参照して、いくつかの可能な実装形態では、方法は、第1の制御プレーン機能ネットワーク要素により、PDN接続に対応するユーザプレーン機能ネットワーク要素に第1のセッション管理要求を送信するステップをさらに含み、第1のセッション管理要求は、PDUセッションに対応するユーザプレーントンネルを確立または修正するように要求するために使用され、第1のセッション管理要求はアップリンクデータ送信規則を搬送し、アップリンクデータ送信規則は、PDUセッションに対応するユーザプレーントンネルを介して受信されたアップリンクデータを転送する方法を、PDN接続に対応するユーザプレーン機能ネットワーク要素に示すために使用される。
【００８０】
場合によっては、第1の制御プレーンネットワーク要素自体がPDUセッションにユーザプレーントンネル情報を割り当てるとき、第1の制御プレーン機能ネットワーク要素は、PDUセッションに対応するユーザプレーントンネル情報を第1のセッション管理要求に追加することができ、第1の制御プレーン機能ネットワーク要素が、PDUセッションにユーザプレーントンネル情報を割り当てるように、PDN接続に対応するユーザプレーン機能ネットワーク要素に要求するとき、PDN接続に対応するユーザプレーン機能ネットワーク要素は、PDUセッションに対応するユーザプレーントンネル情報を第1のセッション管理応答に追加することができる。
【００８１】
場合によっては、セッションの修正中に、第2のネットワーク内のPDN接続が更新される場合があり、たとえば、いくつかのベアラが新しく確立される。したがって、これらのベアラに対応するデータフローをPDUセッションに対応するユーザプレーントンネルと関連付けるために、PDN接続に対応するユーザプレーン機能ネットワーク要素は、更新されたアップリンクデータ送信規則を知る必要がある。
【００８２】
第3の態様を参照して、いくつかの可能な実装形態では、方法は、アップリンクデータ送信規則が変わったと判断すると、第1の制御プレーン機能ネットワーク要素により、PDN接続に対応するユーザプレーン機能ネットワーク要素に更新されたアップリンクデータ送信規則を送信するステップをさらに含む。
【００８３】
場合によっては、第1の制御プレーン機能ネットワーク要素自体が、PDUセッションにユーザプレーントンネル情報を割り当てるとき、第1の制御プレーン機能ネットワーク要素は、PDUセッションに対応するユーザプレーントンネル情報を取得し、PDN接続に対応するユーザプレーン機能ネットワーク要素に、同じフェーズのPDUセッションに対応するユーザプレーントンネル情報を送信するか、またはPDUセッションに対応するユーザプレーントンネル情報を取得し、PDN接続に対応するユーザプレーン機能ネットワーク要素に、異なるフェーズのPDUセッションに対応するユーザプレーントンネル情報を送信することができる。このことは、本出願のこの実施形態では限定されない。
【００８４】
可能な実装形態では、第1の制御プレーン機能ネットワーク要素は、セッションの確立／修正中に、PDUセッションに対応するユーザプレーントンネル情報およびアップリンクデータ送信規則を取得し、セッションの確立／修正中に、PDN接続に対応するユーザプレーン機能ネットワーク要素に、PDUセッションに対応するユーザプレーントンネル情報およびアップリンクデータ送信規則を送信することができる。
【００８５】
別の可能な実装形態では、第1の制御プレーン機能ネットワーク要素は、ネットワークハンドオーバ準備中に、PDUセッションに対応するユーザプレーントンネル情報およびアップリンクデータ送信規則を取得し、ネットワークハンドオーバ準備中に、PDN接続に対応するユーザプレーン機能ネットワーク要素に、PDUセッションに対応するユーザプレーントンネル情報およびアップリンクデータ送信規則を送信することができる。
【００８６】
さらに別の可能な実装形態では、第1の制御プレーン機能ネットワーク要素は、セッションの確立／修正中に、PDUセッションに対応するユーザプレーントンネル情報およびアップリンクデータ送信規則を取得し、ネットワークハンドオーバ準備中に、PDN接続に対応するユーザプレーン機能ネットワーク要素に、PDUセッションに対応するユーザプレーントンネル情報およびアップリンクデータ送信規則を送信することができる。
【００８７】
本出願のこの実施形態において提供されるハンドオーバ方法によれば、ハンドオーバ準備フェーズ内で、第1の制御プレーン機能ネットワーク要素は、PDUセッションに対応するユーザプレーントンネル情報を決定し、PDN接続に対応するユーザプレーン機能ネットワーク要素に、PDUセッションに対応するユーザプレーントンネル情報を送信し、その結果、セッションの確立／修正中に新しく追加されたベアラに起因するアップリンクデータ送信規則の更新を防止することができる。
【００８８】
第3の態様を参照して、いくつかの可能な実装形態では、第1の制御プレーン機能ネットワーク要素により、PDN接続に対応するユーザプレーン機能ネットワーク要素に第1のセッション管理要求を送信するステップの前に、方法は、第1の制御プレーン機能ネットワーク要素により、第2のセッション管理要求を受信するステップであって、第2のセッション管理要求が第1の指示情報を搬送し、第1の指示情報が、第2のネットワークから第1のネットワークに端末をハンドオーバするための準備をするように示すために使用される、ステップをさらに含む。
【００８９】
第3の態様を参照して、いくつかの可能な実装形態では、方法は、第1の制御プレーン機能ネットワーク要素により、PDN接続に対応するユーザプレーン機能ネットワーク要素に、PDUセッションに対応するダウンリンクデータ送信規則を送信するステップであって、ダウンリンクデータ送信規則が、PDUセッションに対応するユーザプレーントンネルを介して、PDN接続に対応するユーザプレーン機能ネットワーク要素によって受信されたダウンリンクデータパケットを送信するように示すために使用される、ステップをさらに含む。
【００９０】
可能な実装形態では、第1の制御プレーン機能ネットワーク要素は、ハンドオーバ実行中にPDN接続に対応するユーザプレーン機能ネットワーク要素に第3のセッション管理要求を送信する場合があり、第3のセッション管理要求は、PDUセッションに対応するダウンリンクユーザプレーントンネルを修正するように要求するために使用され、第3のセッション管理要求はダウンリンクデータ送信規則を搬送する。
【００９１】
別の可能な実装形態では、第1の制御プレーン機能ネットワーク要素は、セッションの確立／修正中に、ダウンリンクデータ送信規則および第1の規則指示情報を第1のセッション管理要求に追加することができ、第1の規則指示情報は、ダウンリンクデータ送信規則を有効にしないように示すために使用される。それに対応して、第1の制御プレーン機能ネットワーク要素は、ハンドオーバ実行中にPDN接続に対応するユーザプレーン機能ネットワーク要素に第3のセッション管理要求を送信し、第3のセッション管理要求は第2の規則指示情報を搬送し、第2の規則指示情報は、ダウンリンクデータ送信規則を有効にするように示すために使用される。
【００９２】
本出願のこの実施形態において提供されるハンドオーバ方法によれば、第1の制御プレーン機能ネットワーク要素は、ハンドオーバ実行フェーズ内でPDN接続に対応するユーザプレーン機能ネットワーク要素にダウンリンクデータ送信規則を示し、その結果、PDN接続に対応するユーザプレーン機能ネットワーク要素は、ダウンリンクデータ送信規則に従って、受信されたダウンリンクデータを対応するダウンリンクトンネルと照合し、ダウンリンクトンネルを介して第1のネットワーク内の（図1または図2のV−UPFまたはアクセスネットワークなどの）V−UPFまたはアクセスネットワークに受信されたダウンリンクデータを送信する。
【００９３】
第4の態様によれば、本出願は通信システムを提供する。システムは、第1の制御プレーン機能ネットワーク要素およびユーザプレーン機能ネットワーク要素を含む。第1の制御プレーン機能ネットワーク要素は、第1のネットワーク内の端末のプロトコルデータユニットPDUセッションが第2のネットワーク内のパケットデータネットワークPDN接続に切り替えられるべきときに確立される必要がある少なくとも1つのベアラを決定し、PDN接続のトンネル情報を取得し、PDN接続のトンネル情報は少なくとも1つのベアラの各々に対応するユーザプレーントンネル情報を含み、ユーザプレーン機能ネットワーク要素に第1のセッション管理要求を送信するように構成され、第1のセッション管理要求は、少なくとも1つのベアラの各々に対応するユーザプレーントンネルを確立または修正するように要求するために使用され、第1のセッション管理要求はアップリンクデータ送信規則およびPDN接続のトンネル情報を搬送し、アップリンクデータ送信規則は、PDN接続に対応するユーザプレーントンネルを介して受信されたアップリンクデータを転送する方法を、PDUセッションに対応するユーザプレーン機能ネットワーク要素に示すために使用される。ユーザプレーン機能ネットワーク要素は、第1の制御プレーン機能ネットワーク要素から第1のセッション管理要求を受信し、第1のセッション管理要求に基づいて、第1の制御プレーン管理ネットワーク要素に第1のセッション管理応答を送信するように構成される。第1の制御プレーン機能ネットワーク要素は、ユーザプレーン機能ネットワーク要素から第1のセッション管理応答を受信するようにさらに構成される。
【００９４】
第4の態様を参照して、いくつかの可能な実装形態では、第1のセッション管理要求は、ダウンリンク送信規則および第1の規則指示情報をさらに搬送し、ダウンリンクデータ送信規則は、対応するユーザプレーントンネルを介して受信されたダウンリンクデータを転送するように、PDUセッションに対応するユーザプレーン機能ネットワーク要素に示すために使用され、第1の規則指示情報は、ダウンリンクデータ送信規則を有効にしないように示すために使用される。
【００９５】
場合によっては、第1の制御プレーン機能ネットワーク要素は、ユーザプレーン機能ネットワーク要素に第2の規則指示情報を送信するようにさらに構成され、第2の規則指示情報は、ダウンリンクデータ送信規則を有効にするように示すために使用される。
【００９６】
第4の態様を参照して、いくつかの可能な実装形態では、第1の制御プレーン機能ネットワーク要素は、ユーザプレーン機能ネットワーク要素にダウンリンクデータ送信規則を送信するようにさらに構成される。
【００９７】
第5の態様によれば、本出願の一実施形態は通信システムを提供する。システムは、第1の制御プレーン機能ネットワーク要素およびユーザプレーン機能ネットワーク要素を含む。第1の制御プレーン機能ネットワーク要素は、第1のネットワーク内の端末のプロトコルデータユニットPDUセッションが第2のネットワーク内のパケットデータネットワークPDN接続に切り替えられるべきときに確立される必要がある少なくとも1つのベアラを決定し、ユーザプレーン機能ネットワーク要素に第1のセッション管理要求を送信するように構成され、第1のセッション管理要求は、少なくとも1つのベアラの各々に対応するユーザプレーントンネルを確立または修正するように要求するために使用され、第1のセッション管理要求はアップリンクデータ送信規則を搬送し、アップリンクデータ送信規則は、PDN接続に対応するユーザプレーントンネルを介して受信されたアップリンクデータを転送する方法を、PDUセッションに対応するユーザプレーン機能ネットワーク要素に示すために使用される。ユーザプレーン機能ネットワーク要素は、第1の制御プレーン機能ネットワーク要素から第1のセッション管理要求を受信し、第1のセッション管理要求に基づいてPDN接続のトンネル情報を決定し、PDN接続のトンネル情報は少なくとも1つのベアラの各々に対応するユーザプレーントンネル情報を含み、第1の制御プレーン機能ネットワーク要素に第1のセッション管理応答を送信し、第1のセッション管理応答はPDN接続のトンネル情報を搬送する、ように構成される。第1の制御プレーン機能ネットワーク要素は、ユーザプレーン機能ネットワーク要素から第1のセッション管理応答を受信するようにさらに構成される。
【００９８】
第5の態様を参照して、いくつかの可能な実装形態では、第1のセッション管理要求は、ダウンリンク送信規則および第1の規則指示情報をさらに搬送し、ダウンリンクデータ送信規則は、対応するユーザプレーントンネルを介して受信されたダウンリンクデータを転送するように、PDUセッションに対応するユーザプレーン機能ネットワーク要素に示すために使用され、第1の規則指示情報は、ダウンリンクデータ送信規則を有効にしないように示すために使用される。
【００９９】
場合によっては、第1の制御プレーン機能ネットワーク要素は、ユーザプレーン機能ネットワーク要素に第2の規則指示情報を送信するようにさらに構成され、第2の規則指示情報は、ダウンリンクデータ送信規則を有効にするように示すために使用される。
【０１００】
第5の態様を参照して、いくつかの可能な実装形態では、第1の制御プレーン機能ネットワーク要素は、ユーザプレーン機能ネットワーク要素にダウンリンクデータ送信規則をさらに送信する。
【０１０１】
第6の態様によれば、本出願の一実施形態は、第1の態様または第1の態様の実装形態のいずれか1つにおけるハンドオーバ方法のステップを実行するように構成されたユニットを含む、ハンドオーバ装置を提供する。
【０１０２】
第7の態様によれば、本出願の一実施形態は、第2の態様または第2の態様の実装形態のいずれか1つにおけるハンドオーバ方法のステップを実行するように構成されたユニットを含む、ハンドオーバ装置を提供する。
【０１０３】
第8の態様によれば、本出願の一実施形態は、第3の態様または第3の態様の実装形態のいずれか1つにおけるハンドオーバ方法のステップを実行するように構成されたユニットを含む、ハンドオーバ装置を提供する。
【０１０４】
第9の態様によれば、本出願の一実施形態はハンドオーバデバイスを提供する。デバイスは、前述の方法設計におけるハンドオーバ装置、またはハンドオーバ装置内に構成されたチップであってよい。デバイスは、プロセッサ、メモリ、および通信インターフェースを含む。プロセッサ、メモリ、および通信インターフェースは、バスを使用して通信を実装することができるか、またはワイヤレス送信などの別の方式で通信を実装することができる。メモリは命令を記憶するように構成され、プロセッサはメモリに記憶された命令を実行するように構成される。メモリはプログラムコードを記憶し、プロセッサはメモリに記憶されたプログラムコードを呼び出して、第1の態様または第1の態様の可能な実装形態のいずれか1つにおけるハンドオーバ方法を実行することができる。
【０１０５】
第10の態様によれば、本出願の一実施形態はハンドオーバデバイスを提供する。デバイスは、前述の方法設計におけるハンドオーバ装置、またはハンドオーバ装置内に構成されたチップであってよい。デバイスは、プロセッサ、メモリ、通信インターフェース、およびバスを含む。プロセッサ、メモリ、および通信インターフェースは、バスを使用して通信を実装することができるか、またはワイヤレス送信などの別の方式で通信を実装することができる。メモリは命令を記憶するように構成され、プロセッサはメモリに記憶された命令を実行するように構成される。メモリはプログラムコードを記憶し、プロセッサはメモリに記憶されたプログラムコードを呼び出して、第2の態様または第2の態様の可能な実装形態のいずれか1つにおけるハンドオーバ方法を実行することができる。
【０１０６】
第11の態様によれば、本出願の一実施形態はハンドオーバデバイスを提供する。デバイスは、前述の方法設計におけるハンドオーバ装置、またはハンドオーバ装置内に構成されたチップであってよい。デバイスは、プロセッサ、メモリ、および通信インターフェースを含む。プロセッサ、メモリ、および通信インターフェースは、バスを使用して通信を実装することができるか、またはワイヤレス送信などの別の方式で通信を実装することができる。メモリは命令を記憶するように構成され、プロセッサはメモリに記憶された命令を実行するように構成される。メモリはプログラムコードを記憶し、プロセッサはメモリに記憶されたプログラムコードを呼び出して、第3の態様または第3の態様の可能な実装形態のいずれか1つにおけるハンドオーバ方法を実行することができる。
【０１０７】
第12の態様によれば、チップシステムが提供される。チップシステムは、前述の態様に含まれる機能、たとえば、前述の方法に含まれるデータおよび／または情報の生成、受信、送信、または処理を実装するように構成されたプロセッサを含む。可能な設計では、チップシステムはメモリをさらに含む。メモリは、ハンドオーバ装置に必要なプログラム命令およびデータを記憶するように構成される。具体的には、メモリに記憶されたプログラム命令は、第1から第3の態様または第1から第3の態様の可能な実装形態のいずれか1つにおけるハンドオーバ方法を実行するために使用される命令を含む。
【０１０８】
場合によっては、チップシステムはチップを含んでもよく、チップおよび別の個別デバイスを含んでもよい。
【０１０９】
第13の態様によれば、コンピュータプログラム製品が提供される。コンピュータプログラム製品はコンピュータプログラムコードを含む。コンピュータプログラムコードがコンピュータ上で実行されると、コンピュータは、第1から第3の態様または第1から第3の態様の可能な実装形態のいずれか1つにおけるハンドオーバ方法を実行することが可能になる。
【０１１０】
第14の態様によれば、コンピュータ可読媒体が提供される。コンピュータ可読媒体は、ハンドオーバ装置によって実行されるプログラムコードを記憶し、プログラムコードは、第1から第3の態様または第1から第3の態様の可能な実装形態のいずれか1つにおけるハンドオーバ方法を実行するために使用される命令を含む。
【０１１１】
本出願では、前述の態様において提供される実装形態は、より多くの実装形態を提供するためにさらに組み合わせることができる。
【図面の簡単な説明】
【０１１２】
【図１】本出願の一実施形態による、システムアーキテクチャの概略図である。
【図２】本出願の一実施形態による、別のシステムアーキテクチャの概略図である。
【図３】本出願の一実施形態による、ハンドオーバ方法の概略フローチャートである。
【図４】本出願の一実施形態による、別のハンドオーバ方法の概略フローチャートである。
【図５】本出願の一実施形態による、さらに別のハンドオーバ方法の概略フローチャートである。
【図６Ａ】本出願の一実施形態による、さらに別のハンドオーバ方法の概略フローチャートである。
【図６Ｂ】本出願の一実施形態による、さらに別のハンドオーバ方法の概略フローチャートである。
【図６Ｃ】本出願の一実施形態による、さらに別のハンドオーバ方法の概略フローチャートである。
【図７Ａ】本出願の一実施形態による、さらに別のハンドオーバ方法の概略フローチャートである。
【図７Ｂ】本出願の一実施形態による、さらに別のハンドオーバ方法の概略フローチャートである。
【図７Ｃ】本出願の一実施形態による、さらに別のハンドオーバ方法の概略フローチャートである。
【図８Ａ】本出願の一実施形態による、さらに別のハンドオーバ方法の概略フローチャートである。
【図８Ｂ】本出願の一実施形態による、さらに別のハンドオーバ方法の概略フローチャートである。
【図９Ａ】本出願の一実施形態による、さらに別のハンドオーバ方法の概略フローチャートである。
【図９Ｂ】本出願の一実施形態による、さらに別のハンドオーバ方法の概略フローチャートである。
【図９Ｃ】本出願の一実施形態による、さらに別のハンドオーバ方法の概略フローチャートである。
【図１０Ａ】本出願の一実施形態による、さらに別のハンドオーバ方法の概略フローチャートである。
【図１０Ｂ】本出願の一実施形態による、さらに別のハンドオーバ方法の概略フローチャートである。
【図１０Ｃ】本出願の一実施形態による、さらに別のハンドオーバ方法の概略フローチャートである。
【図１１Ａ】本出願の一実施形態による、さらに別のハンドオーバ方法の概略フローチャートである。
【図１１Ｂ】本出願の一実施形態による、さらに別のハンドオーバ方法の概略フローチャートである。
【図１２Ａ】本出願の一実施形態による、さらに別のハンドオーバ方法の概略フローチャートである。
【図１２Ｂ】本出願の一実施形態による、さらに別のハンドオーバ方法の概略フローチャートである。
【図１２Ｃ】本出願の一実施形態による、さらに別のハンドオーバ方法の概略フローチャートである。
【図１３】本出願の一実施形態による、ハンドオーバ装置の概略ブロック図である。
【図１４】本出願の一実施形態による、別のハンドオーバ装置の概略ブロック図である。
【図１５】本出願の一実施形態による、さらに別のハンドオーバ装置の概略ブロック図である。
【図１６】本出願の一実施形態による、さらに別のハンドオーバ装置の概略ブロック図である。
【図１７】本出願の一実施形態による、さらに別のハンドオーバ装置の概略ブロック図である。
【図１８】本出願の一実施形態による、さらに別のハンドオーバ装置の概略ブロック図である。
【発明を実施するための形態】
【０１１３】
以下で、添付図面を参照して本出願の技術的解決策を記載する。
【０１１４】
図1および図2を参照して本出願の実施形態のアプリケーションシナリオが最初に記載される。図1および図2は、それぞれ、本出願の実施形態によるシステムアーキテクチャ100の概略図およびシステムアーキテクチャ200の概略図である。図1は、非ローミングシナリオにおける4Gネットワークおよび5Gネットワークのインターワーキングシステムアーキテクチャ100を示し、図2は、ホームルーテッドローミングシナリオにおける4Gネットワークおよび5Gネットワークのインターワーキングシステムアーキテクチャ200を示す。
【０１１５】
具体的には、システムアーキテクチャ100およびシステムアーキテクチャ200は、4Gネットワーク内のネットワーク要素および5Gネットワーク内のネットワーク要素を含んでよい。システムアーキテクチャ100およびシステムアーキテクチャ200の中のいくつかのモジュールは、4Gネットワーク内のネットワーク要素および5Gネットワーク内のネットワーク要素の機能、たとえば、ユーザプレーン機能（user plane function、UPF）＋PGW−Uモジュール、セッション管理機能（session management function、SMF）＋PDNゲートウェイ制御プレーン機能（PDN gateway control plane function、PGW−C）モジュール、ポリシー制御機能（policy control function、PCF）＋ポリシーおよび課金規則機能（policy and charging rules function、PCRF）モジュール、ならびにホームサブスクライバサーバ（home subscriber server、HSS）＋統合データ管理（unified data management、UDM）モジュールを有する。
【０１１６】
UPF＋PGW−Uモジュールは、ユーザデータ送信管理に使用される。インターワーキングシステムアーキテクチャでは、モジュールは4Gデータ送信に使用できるだけでなく、5Gデータ送信機能も提供することができる。
【０１１７】
SMF＋PGW−Cモジュールは、セッションの確立、削除、および修正管理に使用される。インターワーキングシステムアーキテクチャでは、モジュールは4Gセッション管理機能と5Gセッション管理機能の両方を提供することができる。
【０１１８】
PCF＋PCRFモジュールは、ポリシーおよび課金制御に使用される。インターワーキングシステムアーキテクチャでは、モジュールは4Gポリシーおよび課金制御と5Gポリシーおよび課金制御の両方を端末に提供することができる。
【０１１９】
HSS＋UDMモジュールは、ユーザのサブスクリプションデータを格納するように構成される。インターワーキングシステムアーキテクチャでは、モジュールは端末の4Gサブスクリプション情報と5Gサブスクリプション情報の両方を格納する。
【０１２０】
「＋」は統合構成を示すことを理解されたい。UPFは5Gネットワークのユーザプレーン機能であり、PGW−UはUPFに対応する4Gネットワークのゲートウェイユーザプレーン機能であり、SMFは5Gネットワークのセッション管理機能であり、PGW−CはSMFに対応する4Gネットワーク内にあるゲートウェイ制御プレーン機能であり、PCFは5Gネットワークのポリシー制御機能であり、PCRFはPCFに対応する4Gネットワークのポリシーおよび課金規則機能である。本明細書での「統合構成」は、1つのモジュールが2つのネットワーク機能エンティティの機能を有することができることを意味する。
【０１２１】
本出願の実施形態では、説明を簡単にするために、HSS＋UDMエンティティはユーザデータ管理ネットワーク要素と呼ばれ、SMFHPGW−Cは制御プレーン機能ネットワーク要素と呼ばれ、UPF＋PGW−Uはユーザプレーン機能ネットワーク要素と呼ばれる。これは本明細書で今回に限り記載され、詳細は以下では再び記載されない。確かに、統合構成の前述のネットワークデバイスは、代替として他の名前を有してよい。このことは、本出願の実施形態では特に限定されない。
【０１２２】
加えて、システムアーキテクチャ100およびシステムアーキテクチャ200は、5Gネットワークのアクセスおよびモビリティ管理機能（access and mobility management function、AMF）モジュール、MMEモジュール、ならびにサービングゲートウェイ（serving gateway、SGW）モジュールをさらに含んでよい。
【０１２３】
MMEモジュールは、ユーザのモビリティ管理に使用される。たとえば、ユーザのモビリティ管理には、主に、ユーザのアタッチメント管理、アクセシビリティ管理、モビリティ管理、ページング管理、アクセス認証および認可、ならびに非アクセス層シグナリング暗号化および完全性保護が含まれる。
【０１２４】
SGWモジュールはユーザプレーンゲートウェイであり、発展型ユニバーサル地上無線アクセスネットワーク（evolved universal terrestrial radio access network、E−UTRAN）のユーザプレーン終端点である。SGWモジュールは、データパケットのルーティングおよび送信を管理し、トランスポート層のパケットタグを追加し、などを行う。
【０１２５】
AMFモジュールは、ユーザのアクセスおよびモビリティ管理に使用され、それには、主に、ユーザの登録管理、アクセシビリティ管理、モビリティ管理、ページング管理、アクセス認証および認可、ならびに非アクセス層シグナリング暗号化および完全性保護などが含まれる。
【０１２６】
端末はE−UTRANを使用して4Gネットワークにアクセスし、端末は次世代無線アクセスネットワーク（next generation radio access network、NG−RAN）を使用して5Gネットワークにアクセスする。
【０１２７】
NG−RANは、対応するサービスを取得するために、コアネットワークにアクセスする無線エアインターフェースを端末に提供するために使用される。
【０１２８】
E−UTRANは、無線リソースの管理、端末用のエアインターフェースリソースの確立、修正、または削除、端末へのデータおよびシグナリング送信の提供などに使用される。
【０１２９】
以下は、システムアーキテクチャ100およびシステムアーキテクチャ200の中の前述のモジュール間の通信インターフェースを記載する。
【０１３０】
S1−MMEインターフェースは、MMEとE−UTRANとの間の制御プレーンインターフェースである。
【０１３１】
S1−Uインターフェースは、S−GWとE−UTRANとの間のユーザプレーンインターフェースである。
【０１３２】
S5−Uインターフェースは、SGWとPGW−Uとの間のユーザプレーンインターフェースであり、UEのユーザプレーンデータを送信するように構成される。
【０１３３】
S5−Cインターフェースは、SGWとPGW−Uとの間の制御プレーン管理インターフェースであり、UE向けのSGWおよびPGW−Uのユーザプレーン接続を確立するように構成される。
【０１３４】
S6aインターフェースは、MMEとHSSとの間のインターフェースであり、ユーザのサブスクリプションデータを取得し、UE用の認証および認可機能を実行するように構成される。
【０１３５】
S11インターフェースは、SGWとMMEとの間のインターフェースであり、ユーザプレーンベアラを確立するように構成される。
【０１３６】
N1インターフェースは、UEとAMFとの間のインターフェースであり、非アクセス層シグナリングの管理および送信に使用される。
【０１３７】
N2インターフェースは、NG−RANとAMFとのの間のインターフェースであり、シグナリング送信に使用される。
【０１３８】
N3インターフェースは、UPFとNG−RANとの間のインターフェースであり、ユーザデータを送信するように構成される。
【０１３９】
N4インターフェースは、SMFとUPFとの間のインターフェースであり、ユーザプレーン送信チャネルを確立するように構成される。
【０１４０】
N7インターフェースは、SMFとPCFとの間のインターフェースであり、ポリシー制御および課金情報を考案し配信するように構成される。
【０１４１】
N8インターフェースは、AMFとUDMとの間のインターフェースであり、ユーザのモビリティ関連のサブスクリプション情報などを取得するように構成される。
【０１４２】
N10インターフェースは、SMFとUDMとの間のインターフェースであり、ユーザのセッション管理関連のサブスクリプション情報などを取得するように構成される。
【０１４３】
N11インターフェースは、SMFとAMFとの間のインターフェースであり、セッション管理情報などを送信するように構成される。
【０１４４】
N15インターフェースは、AMFとPCFとの間のインターフェースであり、アクセスおよびモビリティ関連のポリシー情報を取得するように構成される。
【０１４５】
加えて、システムアーキテクチャ200では、HPLMNはローカルネットワークを示し、VPLMNは訪問先ネットワークまたはローミングネットワークを示す。たとえば、HPLMNは（home）パブリックランドモバイルネットワーク（public land mobile network、HPLMN）を示し、VPLMNは訪問先（visit）またはローミングPLMNを示す。具体的には、v−SMFはローミングネットワーク内のSMFを示し、v−UPFはローミングネットワーク内のUPFを示す。
【０１４６】
4Gネットワークおよび5Gネットワークのインターワーキングをサポートするために、システムアーキテクチャ100およびシステムアーキテクチャ200に第1のインターフェースが導入されることを理解されたい。第1のインターフェースは、5Gネットワーク内のAMFと4Gネットワーク内のMMEとの間の通信インターフェースであり、第1のインターフェースはN26インターフェースを使用することによって示されてよい。システムアーキテクチャは、オプションでN26インターフェースをサポートする。ハンドオーバプロセスは、サービスの継続性を保証するために、N26インターフェースをサポートするインターワーキングシステムアーキテクチャにおいてのみ使用することができる。
【０１４７】
本出願の実施形態は、4Gネットワークと5Gネットワークとの間で端末をハンドオーバするプロセスを含むので、システムアーキテクチャ100およびシステムアーキテクチャ200は、N26インターフェースをサポートすることをさらに理解されたい。
【０１４８】
システムアーキテクチャ100およびシステムアーキテクチャ200では、モジュール間のインターフェースの名前は単なる例であり、インターフェースは特定の実装形態では他の名前を有してよいことに留意されたい。このことは、本出願の実施形態では特に限定されない。
【０１４９】
システムアーキテクチャ100およびシステムアーキテクチャ200では、5Gネットワーク内のNG−RANはアクセスデバイスと呼ばれる場合もあることにさらに留意されたい。アクセスデバイスは、コアネットワークにアクセスするためのデバイスであり、たとえば、基地局、ブロードバンドネットワークゲートウェイ（broadband network gateway、BNG）、アグリゲーションスイッチ、または非3GPPアクセスデバイスであってよい。基地局は、様々な形態、たとえば、マクロ基地局、（スモールセルとも呼ばれる）マイクロ基地局、中継局、またはアクセスポイントであってよい。このことは、本出願の実施形態では限定されない。
【０１５０】
確かに、システムアーキテクチャ100およびシステムアーキテクチャ200では、4Gネットワークおよび5Gネットワークは、他のモジュールをさらに含んでよい。たとえば、4Gネットワークは、汎用パケット無線システム（general packet radio system、GPRS）サービングGPRSサポートノード（serving GPRS support node、SGSN）モジュールをさらに含んでよく、5Gネットワークは、認証サーバ機能（authentication server function、AUSF）モジュールおよびネットワークスライス選択機能（network slice selection function、NSSF）モジュールをさらに含んでよい。このことは、本出願の実施形態では限定されない。
【０１５１】
本出願の実施形態における端末（terminal）には、ワイヤレス通信機能を有するハンドヘルドデバイス、車載デバイス、ウェアラブルデバイス、およびコンピューティングデバイス、またはワイヤレスモデムに接続された別の処理デバイスを含んでよく、さらに、加入者ユニット（subscriber unit）、携帯電話（cellular phone）、スマートフォン（smart phone）、ワイヤレスデータカード、携帯情報端末（personal digital assistant、PDA）コンピュータ、タブレットコンピュータ、ワイヤレスモデム（modem）、ハンドヘルドデバイス（handheld）、ラップトップコンピュータ（laptop computer）、コードレス電話（cordless phone）またはワイヤレスローカルループ（wireless local loop、WLL）ステーション、マシンタイプ通信（machine type communication、MTC）端末、ユーザ機器（user equipment、UE）、移動局（mobile station、MS）、端末デバイス（terminal device）などが含まれてよい。説明を簡単にするために、前述のすべてのデバイスは端末と総称される。
【０１５２】
端末は常に移動するので、端末の位置の変化は、異なるネットワーク間の端末のハンドオーバをもたらす可能性があることを理解されたい。たとえば、端末が4Gネットワークから5Gネットワークに移動するとき、4Gネットワーク内のPDN接続は5Gネットワーク内のPDUセッションに切り替えられる必要があり、または端末が5Gネットワークから4Gネットワークにハンドオーバされるとき、5Gネットワーク内のPDUセッションは4Gネットワーク内のPDN接続に切り替えられる必要がある。
【０１５３】
4Gネットワークでは、PDN接続に対応する制御プレーントンネルがPDN接続に割り当てられる。制御プレーントンネルは、PDN接続に対応する制御シグナリングを送信するために使用される。PDN接続は少なくとも1つのベアラを含み、少なくとも1つのベアラの各々に対応するユーザプレーントンネルがベアラに割り当てられる。各ベアラに対応するユーザプレーントンネルは、ベアラに含まれる少なくとも1つのデータフローを送信するために使用される。
【０１５４】
言い換えれば、1つのPDN接続は1つの制御プレーントンネルに対応し、1つのPDN接続内の1つのベアラは1つのユーザプレーントンネルに対応する。
【０１５５】
5Gネットワークでは、PDUセッションは少なくとも1つのデータフローを含む。PDUセッションに対応するユーザプレーントンネルがPDUセッションに割り当てられる。5G内のPDUセッションに対応する制御プレーントンネルは存在しない。
【０１５６】
言い換えれば、制御プレーントンネルはPDUセッションに割り当てられず、1つのPDUセッションは1つのユーザプレーントンネルに対応する。
【０１５７】
したがって、端末が2つのネットワーク間でハンドオーバされるときに以下の問題が存在する。
【０１５８】
（1）端末が4Gネットワークから5Gネットワークにハンドオーバされるとき、PDN接続に対応する少なくとも1つのユーザプレーントンネル（たとえば、複数のユーザプレーントンネル）をPDUセッションに対応する1つのユーザプレーントンネルにどのようにマッピングするかという問題が存在する。
【０１５９】
（2）端末が5Gネットワークから4Gネットワークにハンドオーバされるとき、PDUセッションに対応する1つのユーザプレーントンネルをPDN接続に対応する少なくとも1つのユーザプレーントンネル（たとえば、複数のユーザプレーントンネル）にどのようにマッピングするかという問題が存在する。
【０１６０】
（3）端末が5Gネットワークから4Gネットワークにハンドオーバされるとき、4Gネットワーク内のPDN接続に対応する制御プレーントンネルのをどのように確立するかという問題が存在する。
【０１６１】
前述の問題は、ネットワークハンドオーバプロセスにおけるデータパケットの損失をもたらす可能性があり、その結果、データパケットの正常送信が影響を受ける。
【０１６２】
本出願の実施形態において提供されるハンドオーバ方法および装置は、ネットワークハンドオーバプロセスにおけるデータパケットの損失を防止するのに役立ち、それにより、データパケットの正常送信が保証される。
【０１６３】
図3は、本出願の一実施形態による、ハンドオーバ方法300の概略フローチャートである。方法300は、図1または図2に示されたシステムアーキテクチャに適用されてよく、または方法300は、別の同様のアーキテクチャに適用されてよい。このことは、本出願のこの実施形態では限定されない。
【０１６４】
方法300は、第1の制御プレーン機能ネットワーク要素によって実行されてよいことを理解されたい。第1の制御プレーン機能ネットワーク要素は、たとえば、図1または図2に示されたSMF−PGW−Cであってもよい。
【０１６５】
S310．第1の制御プレーン機能ネットワーク要素が、第1のネットワーク内の端末のPDUセッションが第2のネットワーク内のPDN接続に切り替えられるべきときに確立される必要がある少なくとも1つのベアラを決定する。
【０１６６】
S320．第1の制御プレーン機能ネットワーク要素が、PDN接続のトンネル情報を取得し、PDN接続のトンネル情報は、少なくとも1つのベアラの各々に対応するユーザプレーントンネル情報を含む。
【０１６７】
第1のネットワークは5Gネットワークを含んでよく、第2のネットワークは4Gネットワークを含んでよいことを理解されたい。第1のネットワーク内のPDUセッションは第2のネットワーク内のPDN接続に相当することをさらに理解されたい。
【０１６８】
場合によっては、S310において、第1のネットワーク内のPDUセッションが確立または修正される必要があると判断すると、第1の制御プレーン機能ネットワーク要素は、第1のネットワーク内の端末のPDUセッションが第2のネットワーク内のPDN接続に切り替えられるべきときに確立される必要がある少なくとも1つのベアラを決定することができる。
【０１６９】
場合によっては、S310において、第1の制御プレーン機能ネットワーク要素は、複数の場合において、第1のネットワーク内のPDUセッションが確立または修正される必要があると判断することができる。このことは、本出願のこの実施形態では限定されない。
【０１７０】
可能な実装形態では、第1の制御プレーン機能ネットワーク要素は、AMFから第1の要求メッセージを受信する場合があり、第1の要求メッセージは、第1のネットワーク内のPDUセッションを確立するように要求するために使用され、PDUセッションは少なくとも1つのデータフローを含み、第1の制御プレーン機能ネットワーク要素は、第1の要求メッセージに基づいて、第1のネットワーク内のPDUセッションが確立される必要があると判断する。
【０１７１】
別の可能な実装形態では、第1の制御プレーン機能ネットワーク要素は、別のネットワーク要素から第2の要求メッセージを受信する場合があり、第2の要求メッセージは、第1のネットワーク内のPDUセッションを修正するように第1の制御プレーン機能ネットワーク要素をトリガするために使用され、たとえば、第2の要求メッセージは、少なくとも1つのデータフローをPDUセッションに追加するように第1の制御プレーン機能ネットワーク要素をトリガするために使用される。
【０１７２】
さらに別の可能な実装形態では、第1の制御プレーン機能ネットワーク要素は、第1の制御プレーン機能ネットワーク要素のプロセスにより、第1のネットワーク内のPDUセッションを修正するようにトリガされる場合がある。
【０１７３】
場合によっては、第1の制御プレーン機能ネットワーク要素は、少なくとも1つのデータフローおよび割当てポリシーに基づいて少なくとも1つのベアラを決定することができる。
【０１７４】
場合によっては、少なくとも1つのデータフローは、たとえば、サービス品質（quality of service、QoS）フロー（flow）であってよい。QoSフローは、保証されたビットレート（guaranteed bit rate、GBR）のQoSフローまたは非GBRのQoSフローであってよい。
【０１７５】
場合によっては、割当てポリシーは事前に構成されてもよく、指示情報を使用して別のネットワーク要素によって示されてもよい。このことは、本出願のこの実施形態では限定されない。
【０１７６】
場合によっては、割当てポリシーの具体的な内容は、本出願のこの実施形態では限定されない。たとえば、割当てポリシーは、
（1）1つのPDUセッション内のすべての非GBR QoSフローはデフォルトベアラを共有する、
（2）1つのPDUセッション内の異なるGBR QoSフローは異なる専用ベアラを使用する、または
（3）1つのPDUセッション内のいくつかの異なるGBR QoSフローは専用ベアラを共有する
であってよい。
【０１７７】
たとえば、セッションの確立中に、少なくとも1つのデータフローが5つのGBR QoSフローおよび6つの非GBR QoSフローを含むとき、第1の制御プレーン機能ネットワーク要素は、5つのGBR QoSフローの各々に1つの専用ベアラを確立し、6つの非GBR QoSフローに1つの公共デフォルトベアラを確立する。
【０１７８】
別の例として、セッションの修正中、専用ベアラ1および専用ベアラ2がPDUセッションの確立中にPDUセッション用に確立され、少なくとも1つのデータフローが1つのGBR QoSフローおよび1つの非GBR QoSフローを含む場合、第1の制御プレーン機能ネットワーク要素は、GBR QoSフロー用に専用ベアラ3を確立し、非GBR QoSフロー用に公共デフォルトベアラを確立する。
【０１７９】
別の例として、セッションの修正中に、PDUセッションの確立中に、専用ベアラ1、専用ベアラ2、およびデフォルトベアラがPDUセッション用に確立され、少なくとも1つのデータフローが1つのGBR QoSフローおよび1つの非GBR QoSフローを含む場合、第1の制御プレーン機能ネットワーク要素は、GBR QoSフロー用に専用ベアラ3を確立し、非GBR QoSフローはデフォルトベアラ内の他の非GBR QoSフローとデフォルトベアラを共有する。
【０１８０】
場合によっては、S320において、各ベアラに対応するユーザプレーントンネル情報は、ベアラに対応するユーザプレーントンネルのトンネル識別子、およびトンネルに対応するインターネットプロトコル（Internet Protocol、IP）アドレスなどのユーザプレーントンネルに関する他の情報を含んでよい。このことは、本出願のこの実施形態では限定されない。
【０１８１】
場合によっては、S320において、第1の制御プレーン機能ネットワーク要素は、複数の方式で、少なくとも1つのベアラの各々に対応するユーザプレーントンネル情報を取得することができる。このことは、本出願のこの実施形態では限定されない。
【０１８２】
可能な実装形態では、第1の制御プレーン機能ネットワーク要素自体が、少なくとも1つのベアラの各々にユーザプレーントンネル情報を割り当てることができる。
【０１８３】
別の可能な実装形態では、第1の制御プレーン機能ネットワーク要素は、少なくとも1つのベアラの各々にユーザプレーントンネル情報を割り当てるように、PDUセッションに対応するユーザプレーン機能ネットワーク要素に要求し、PDUセッションに対応するユーザプレーン機能ネットワーク要素から、各ベアラに対応するユーザプレーントンネル情報を取得することができる。
【０１８４】
本出願のこの実施形態において提供されるハンドオーバ方法によれば、第1の制御プレーン機能ネットワーク要素は、第1のネットワーク内の端末のPDUセッションが第2のネットワーク内のPDN接続に切り替えられるべきときに確立される必要がある少なくとも1つのベアラを決定し、少なくとも1つのベアラの各々に対応するユーザプレーントンネル情報を取得し、その結果、第1の制御プレーン機能ネットワーク要素は、PDUセッションがPDN接続に切り替えられるべきときにPDN接続内のベアラに対応するユーザプレーントンネルを確立する。これは、ネットワークハンドオーバプロセスにおいてPDN接続に含まれるベアラ内のデータパケットの損失を防止するのに役立ち、それにより、データパケットの正常な送信が保証される。
【０１８５】
この実施形態における第1の制御プレーン機能ネットワーク要素およびPDUセッションに対応するユーザプレーン機能ネットワーク要素は、それぞれ、図1または図2に示されたシステムアーキテクチャにおけるSMF＋PGW−CおよびUPF＋PGW−Uであってよいことを理解されたい。
【０１８６】
場合によっては、方法300は、第1の制御プレーン機能ネットワーク要素により、PDUセッションに対応するユーザプレーン機能ネットワーク要素にアップリンクデータ送信規則を送信するステップをさらに含み、アップリンクデータ送信規則は、PDN接続に対応するユーザプレーントンネルを介して受信されたアップリンクデータを転送する方法を、PDUセッションに対応するユーザプレーン機能ネットワーク要素に示すために使用され、たとえば、アップリンクデータ送信規則は、指定された転送経路を介して外部データネットワークにアップリンクデータパケットを送信するように、PDUセッションに対応するユーザプレーン機能ネットワーク要素に示すために使用される。
【０１８７】
可能な実装形態では、第1の制御プレーン機能ネットワーク要素は、PDUセッションに対応するユーザプレーン機能ネットワーク要素に第1のセッション管理要求を送信する場合があり、第1のセッション管理要求は、少なくとも1つのベアラの各々に対応するダウンリンクユーザプレーントンネルを確立または修正するように要求するために使用され、第1のセッション管理要求はアップリンクデータ送信規則を搬送する。
【０１８８】
それに対応して、PDUセッションに対応するユーザプレーン機能ネットワーク要素は、第1の制御プレーン機能ネットワーク要素から第1のセッション管理要求を受信し、第1のセッション管理要求に基づいて、第1の制御プレーン機能ネットワーク要素に第1のセッション管理応答を送信することができる。
【０１８９】
場合によっては、第1のセッション管理要求はN4セッション管理要求であってよく、第2のセッション管理応答はN4セッション管理応答であってよい。
【０１９０】
本出願のこの実施形態では、N4セッション管理要求は、第1の制御プレーン機能ネットワーク要素とPDUセッションに対応するユーザプレーン機能ネットワーク要素との間で、N4インターフェースを介して送信されるN4セッション確立要求またはN4セッション修正要求であってよいことを理解されたい。それに対応して、N4セッション管理応答は、第1の制御プレーン機能ネットワーク要素とPDUセッションに対応するユーザプレーン機能ネットワーク要素との間で、N4インターフェースを介して送信されるN4セッション確立応答またはN4セッション修正応答であってよい。
【０１９１】
場合によっては、第1の制御プレーンネットワーク要素自体が、少なくとも1つのベアラの各々にユーザプレーントンネル情報を割り当てるとき、第1の制御プレーン機能ネットワーク要素は、少なくとも1つのベアラの各々に対応するユーザプレーントンネル情報を第1のセッション管理要求に追加することができ、第1の制御プレーン機能ネットワーク要素が、少なくとも1つのベアラの各々にユーザプレーントンネル情報を割り当てるように、PDUセッションに対応するユーザプレーン機能ネットワーク要素に要求するとき、PDUセッションに対応するユーザプレーン機能ネットワーク要素は、少なくとも1つのベアラの各々に対応するユーザプレーントンネル情報を第1のセッション管理応答に追加することができる。
【０１９２】
少なくとも1つのベアラの各々に対応するユーザプレーントンネル情報およびベアラに対応するアップリンクデータ送信規則を知った後、PDUセッションに対応するユーザプレーン機能ネットワーク要素は、PDUセッションに対応するユーザプレーン機能ネットワーク要素上にベアラのアップリンクユーザプレーントンネルを確立することができる。
【０１９３】
場合によっては、S320において、PDN接続のトンネル情報は、PDN接続に対応する制御プレーントンネル情報をさらに含んでよい。
【０１９４】
それに対応して、第1の制御プレーン機能ネットワーク要素はさらに、PDN接続に対応する制御プレーントンネル情報を取得する必要がある。
【０１９５】
PDN接続に対応する制御プレーントンネルは、PDN接続の制御シグナリングを送信するために使用されることを理解されたい。言い換えれば、PDN接続に対応する制御プレーントンネルの粒度は、PDN接続単位である。
【０１９６】
場合によっては、第1の制御プレーン機能ネットワーク要素は、複数の方式で、PDN接続に対応する制御プレーントンネル情報を取得することができる。このことは、本出願のこの実施形態では限定されない。
【０１９７】
可能な実装形態では、第1の制御プレーン機能ネットワーク要素は、PDUセッションの確立中に、PDN接続に制御プレーントンネル情報を割り当てることができる。
【０１９８】
場合によっては、PDN接続に対応する制御プレーントンネル情報は、PDN接続に対応する制御プレーントンネルのトンネル識別子、および制御プレーントンネルに対応するインターネットプロトコル（Internet Protocol、IP）アドレスなどの制御プレーントンネルに関する他の情報を含んでよい。このことは、本出願のこの実施形態では限定されない。
【０１９９】
本出願のこの実施形態において提供されるハンドオーバ方法によれば、PDN接続に対応するトンネル情報は、PDN接続に対応する制御プレーントンネル情報をさらに含み、その結果、第1の制御プレーン機能ネットワーク要素は、PDUセッションに対応するPDN接続に対応する制御プレーントンネルを確立する。これは、ネットワークハンドオーバプロセスにおいてPDN接続の制御シグナリングの損失を防止するのに役立ち、それにより、制御シグナリングの正常な送信が保証される。
【０２００】
場合によっては、S320において、第1の制御プレーン機能ネットワーク要素は、セッションの確立／修正中にPDN接続のトンネル情報を取得することができるか、または第1の制御プレーン機能ネットワーク要素は、ハンドオーバ準備中にPDN接続のトンネル情報を取得することができる。
【０２０１】
本出願のこの実施形態において提供されるハンドオーバ方法によれば、第1の制御プレーン機能ネットワーク要素は、PDUセッションの確立もしくは修正中またはハンドオーバ準備中に、PDN接続のトンネル情報を取得し、その結果、第1の制御プレーン機能ネットワーク要素は、ハンドオーバ実行前に、PDN接続内のベアラに対応するユーザプレーントンネルおよびPDN接続に対応する制御プレーントンネルを確立し、それにより、ハンドオーバプロセス内の遅延が削減される。
【０２０２】
場合によっては、方法300は、第1の制御プレーン機能ネットワーク要素により、少なくとも1つのベアラの各々に対応するベアラ識別子を取得するステップであって、その結果、第1の制御プレーン機能ネットワーク要素が、各ベアラに対応するベアラ識別子を各ベアラに対応するユーザプレーントンネルと関連付ける、ステップをさらに含む。
【０２０３】
少なくとも1つのベアラの各々に対応するベアラ識別子は、モビリティ管理ネットワーク要素によって割り当てられ、その結果、各ベアラに対応するベアラ識別子は、PDUセッション内で一意であり得ることを理解されたい。言い換えれば、各ベアラに対応するベアラ識別子は、ベアラに対応するユーザプレーントンネルを一意に識別することができる。
【０２０４】
加えて、PDN接続に対応する制御プレーントンネル情報は、PDN接続を一意に識別することができる。
【０２０５】
以下で、図1および図2に示されたアプリケーションシナリオを参照して、第1の制御プレーン機能ネットワーク要素が各ベアラに対応するベアラ識別子を取得するプロセスを記載する。
【０２０６】
（1）図1に示されたアプリケーションシナリオにおいて：
【０２０７】
可能な実装形態では、第1の制御プレーン機能ネットワーク要素は、モビリティ管理ネットワーク要素にベアラ識別子要求を送信する場合があり、ベアラ識別子要求は、少なくとも1つのベアラの各々にベアラ識別子を割り当てるために使用される。それに対応して、モビリティ管理ネットワーク要素は、第1の制御プレーン機能ネットワーク要素からベアラ識別子要求を受信し、ベアラ識別子要求に基づいて各ベアラにベアラ識別子を割り当て、少なくとも1つのベアラの各々に対応するベアラ識別子を第1の制御プレーン機能ネットワーク要素に送信する。
【０２０８】
第1の制御プレーン機能ネットワーク要素は、PDN接続に対応するベアラコンテキストに、取得された少なくとも1つのベアラの各々に対応するユーザプレーントンネル情報、各ベアラに対応するベアラ識別子、およびPDN接続に対応する制御プレーントンネル情報を格納し、ハンドオーバ準備中にモビリティ管理ネットワーク要素にベアラコンテキストを送信することができることに留意されたい。
【０２０９】
それに対応して、モビリティ管理ネットワーク要素は、PDN接続に対応するベアラコンテキストに基づいて、第2のネットワーク内の（図1に示されたSGWなどの）サービングゲートウェイからPDUセッションに対応するユーザプレーン機能ネットワーク要素へのアップリンクトンネルを確立することができる。
【０２１０】
（2）図2に示されたアプリケーションシナリオにおいて：
【０２１１】
図2では、第2の制御プレーン機能ネットワーク要素は、PDUセッションに対応する訪問先制御プレーンネットワーク要素であり、第1の制御プレーン機能ネットワーク要素は、PDUセッションに対応するホーム制御プレーンネットワーク要素であることを理解されたい。したがって、第1の制御プレーン機能ネットワーク要素は、第2の制御プレーン機能ネットワーク要素を使用して各ベアラに対応するベアラ識別子を取得する必要があり、第2の制御プレーン機能ネットワーク要素は、端末のネットワークハンドオーバに関与する。
【０２１２】
可能な実装形態では、第1の制御プレーン機能ネットワーク要素は、第2の制御プレーン機能ネットワーク要素を使用してモビリティ管理ネットワーク要素にベアラ識別子要求を送信し、ベアラ識別子要求は、少なくとも1つのベアラの各々にベアラ識別子を割り当てるように要求するために使用され、第1の制御プレーン機能ネットワーク要素は、第2の制御プレーン機能ネットワーク要素を使用してモビリティ管理ネットワーク要素から、少なくとも1つのベアラの各々に対応するベアラ識別子を受信する。
【０２１３】
少なくとも1つのベアラの各々に対応するユーザプレーントンネル情報、各ベアラに対応するベアラ識別子、およびPDN接続に対応する制御プレーントンネル情報を取得した後、第1の制御プレーン機能ネットワーク要素は、PDUセッションの確立／修正中に、少なくとも1つのベアラの各々に対応するユーザプレーントンネル情報、各ベアラに対応するベアラ識別子、およびPDN接続に対応する制御プレーントンネル情報を第2の制御プレーン機能ネットワーク要素に送信することができることに留意されたい。
【０２１４】
それに対応して、第2の制御プレーン機能ネットワーク要素は、PDN接続のベアラコンテキストに、第1の制御プレーン機能ネットワーク要素から取得された少なくとも1つのベアラの各々に対応するユーザプレーントンネル情報、各ベアラに対応するベアラ識別子、およびPDN接続に対応する制御プレーントンネル情報を格納することができる。
【０２１５】
別の可能な実装形態では、第1の制御プレーン機能ネットワーク要素は、第2の制御プレーン機能ネットワーク要素にPDN接続のトンネル情報を送信し、第2の制御プレーン機能ネットワーク要素から少なくとも1つのベアラの各々に対応するベアラ識別子を取得することができる。それに対応して、第2の制御プレーン機能ネットワーク要素は、少なくとも1つのベアラの各々に対応するベアラ識別子を格納することができる。
【０２１６】
言い換えれば、第1の制御プレーン機能ネットワーク要素は、第2の制御プレーン機能ネットワーク要素にPDN接続のトンネル情報を送信し、第2の制御プレーン機能ネットワーク要素は、PDN接続のトンネル情報に基づいて、モビリティ管理ネットワーク要素が少なくとも1つのベアラにベアラ識別子を割り当てるように要求される必要があるかどうかを判定し、モビリティ管理ネットワーク要素が少なくとも1つのベアラにベアラ識別子を割り当てるように要求される必要があるとき、モビリティ管理ネットワーク要素にベアラ識別子要求を送信する。
【０２１７】
具体的には、第1の制御プレーン機能ネットワーク要素は、最初に、各ベアラに対応するユーザプレーントンネル情報に関連付けられたベアラ識別子がPDN接続の取得されたトンネル情報に存在するかどうかを確認し、少なくとも1つのベアラのいくつかにベアラ識別子が割り当てられていない場合、第1の制御プレーン機能ネットワーク要素は、ベアラにベアラ識別子を割り当てるようにモビリティ管理ネットワーク要素に要求する。
【０２１８】
第2の制御プレーン機能ネットワーク要素は、PDN接続のベアラコンテキストに、少なくとも1つのベアラの各々に対応するユーザプレーントンネル情報、各ベアラに対応するベアラ識別子、およびPDN接続に対応する制御プレーントンネル情報を格納することができることに留意されたい。
【０２１９】
図2に示されたアプリケーションシナリオにおける2つの実装形態では、第2の制御プレーン機能ネットワーク要素によって格納されたPDN接続に対応するベアラコンテキストは、少なくとも1つのベアラの各々に対応するユーザプレーントンネル情報、各ベアラに対応するベアラ識別子、およびPDN接続に対応する制御プレーントンネル情報を含むので、モビリティ管理ネットワーク要素は、ハンドオーバ準備中に第2の制御プレーン機能ネットワーク要素からPDN接続に対応するベアラコンテキストを取得し、PDN接続に対応するベアラコンテキストに基づいて、第2のネットワーク内の（図1または図2に示されたSGWなどの）サービングゲートウェイからPDUに対応するユーザプレーン機能ネットワーク要素へのアップリンクトンネルを確立することができる。
【０２２０】
本出願のこの実施形態において提供されるハンドオーバ方法によれば、第2の制御プレーン機能ネットワーク要素は、PDUのホームロケーションの制御プレーンネットワーク要素なので、第1の制御プレーン機能ネットワーク要素からPDN接続に対応するベアラコンテキストを取得することと比較して、モビリティ管理ネットワーク要素により、第2の制御プレーン機能ネットワーク要素からPDN接続に対応するベアラコンテキストを取得することは、ハンドオーバプロセス内で発生する遅延を削減することができる。
【０２２１】
場合によっては、方法300は、第1の制御プレーン機能ネットワーク要素により、PDUセッションに対応するユーザプレーン機能ネットワーク要素に、PDN接続に対応するダウンリンクデータ送信規則を送信するステップであって、ダウンリンクデータ送信規則が、対応するユーザプレーントンネルを介して受信されたダウンリンクデータを転送するように、PDUセッションに対応するユーザプレーン機能ネットワーク要素に示すために使用される、ステップをさらに含む。
【０２２２】
可能な実装形態では、第1の制御プレーン機能ネットワーク要素は、ハンドオーバ実行中にPDUセッションに対応するユーザプレーン機能ネットワーク要素に第3のセッション管理要求を送信する場合があり、第3のセッション管理要求は、少なくとも1つのベアラの各々に対応するダウンリンクユーザプレーントンネルを確立または修正するように要求するために使用され、第3のセッション管理要求はダウンリンクデータ送信規則を搬送する。
【０２２３】
別の可能な実装形態では、第1の制御プレーン機能ネットワーク要素は、PDUセッションの要求／修正中に、ダウンリンクデータ送信規則および第1の規則指示情報を第1のセッション管理要求に追加することができ、第1の規則指示情報は、ダウンリンクデータ送信規則を有効にしないように示すために使用される。それに対応して、第1の制御プレーン機能ネットワーク要素は、ハンドオーバ実行中にPDUセッションに対応するユーザプレーン機能ネットワーク要素に第3のセッション管理要求を送信し、第3のセッション管理要求は第2の規則指示情報を搬送し、第2の規則指示情報は、ダウンリンクデータ送信規則を有効にするように示すために使用される。
【０２２４】
場合によっては、第3のセッション管理要求はN4セッション管理要求であってよく、第3のセッション管理応答はN4セッション管理応答であってよい。
【０２２５】
本出願のこの実施形態において提供されるハンドオーバ方法によれば、第1の制御プレーン機能ネットワーク要素は、ハンドオーバ実行フェーズ内でPDUセッションに対応するユーザプレーン機能ネットワーク要素にダウンリンクデータ送信規則を示し、その結果、PDUセッションに対応するユーザプレーン機能ネットワーク要素は、ダウンリンクデータ送信規則に従って、受信されたダウンリンクデータを対応するダウンリンクトンネルと照合し、ダウンリンクトンネルを介して第2のネットワーク内の（図1または図2に示されたSGWなどの）サービングゲートウェイに受信されたダウンリンクデータを送信する。
【０２２６】
以下で、図4を参照して詳細に、前述の方法300の実施形態における第2の制御プレーン機能ネットワーク要素の機能を記載する。
【０２２７】
図4は、本出願の一実施形態による、ハンドオーバ方法400の概略フローチャートである。方法400は、図2に示されたシステムアーキテクチャに適用されてよく、または方法400は、別の同様のアーキテクチャに適用されてよい。このことは、本出願のこの実施形態では限定されない。
【０２２８】
方法400は、第2の制御プレーン機能ネットワーク要素によって実行されてよく、第2の制御プレーン機能ネットワーク要素は、たとえば、図2に示されたv−SMFであってよいことを理解されたい。
【０２２９】
S410．第2の制御プレーン機能ネットワーク要素が、第1の制御プレーン機能ネットワーク要素からPDN接続のトンネル情報を受信し、PDN接続のトンネル情報は、少なくとも1つのベアラの各々に対応するユーザプレーントンネル情報を含み、第2の制御プレーン機能ネットワーク要素は、PDUセッションに対応する訪問先制御プレーンネットワーク要素であり、第1の制御プレーン機能ネットワーク要素は、PDUセッションに対応するホーム制御プレーンネットワーク要素である。それに対応して、第1の制御プレーン機能ネットワーク要素は、第2の制御プレーン機能ネットワーク要素にPDN接続のトンネル情報を送信する。
【０２３０】
S420．第2の制御プレーン機能ネットワーク要素が、モビリティ管理ネットワーク要素にPDNのトンネル情報を送信する。
【０２３１】
場合によっては、PDN接続のトンネル情報は、PDN接続に対応する制御プレーントンネル情報を含んでよい。
【０２３２】
可能な実装形態では、方法400は、第2の制御プレーン機能ネットワーク要素により、モビリティ管理ネットワーク要素に、第1の制御プレーン機能によってモビリティ管理ネットワーク要素に送信されたベアラ識別子要求を転送するステップであって、ベアラ識別子要求が、少なくとも1つのベアラの各々にベアラ識別子を割り当てるように要求するために使用される、ステップと、第1の制御プレーン機能ネットワーク要素に、少なくとも1つのベアラの各々に対応し、モビリティ管理ネットワーク要素によって第1の制御プレーン機能に送信されたベアラ識別子を転送するステップとをさらに含む。
【０２３３】
言い換えれば、第2の制御プレーン機能ネットワーク要素は、第1の制御プレーン機能ネットワーク要素とPDUセッションに対応するユーザプレーン機能ネットワーク要素との間で送信されるメッセージを透過的に送信する機能を有する。
【０２３４】
場合によっては、第2の制御プレーン機能ネットワーク要素は、第1の制御プレーン機能ネットワーク要素から少なくとも1つのベアラの各々に対応するベアラ識別子をさらに受信することができる。
【０２３５】
このようにして、第2の制御プレーン機能ネットワーク要素によって格納されたPDN接続に対応するコンテキストは、PDN接続のトンネル情報、および少なくとも1つのベアラの各々に対応するベアラ識別子を含んでよい。
【０２３６】
別の可能な実装形態では、方法400は、第2の制御プレーン機能ネットワーク要素により、PDN接続のトンネル情報に基づいてモビリティ管理ネットワーク要素にベアラ識別子要求を送信するステップであって、ベアラ識別子要求が、PDN接続に含まれる少なくとも1つのベアラの各々にベアラ識別子を割り当てるように要求するために使用される、ステップと、第2の制御プレーン機能ネットワーク要素により、モビリティ管理ネットワーク要素から少なくとも1つのベアラの各々に対応するベアラ識別子を受信するステップとをさらに含む。
【０２３７】
具体的には、第2の制御プレーンネットワーク要素は、各ベアラに対応するユーザプレーントンネル情報に関連付けられたベアラ識別子がPDN接続内のトンネル情報に存在するかどうかを確認し、少なくとも1つのベアラにベアラ識別子が割り当てられていない場合、第2の制御プレーン機能ネットワーク要素は、ベアラ識別子が割り当てられていない少なくとも1つのベアラの各々にベアラ識別子を割り当てるようにモビリティ管理ネットワーク要素に要求する。
【０２３８】
言い換えれば、第2の制御プレーン機能ネットワーク要素は、処理機能を有することができる。
【０２３９】
場合によっては、第2の制御プレーン機能ネットワーク要素は、少なくとも1つのベアラの各々に対応するベアラ識別子を格納し、少なくとも1つのベアラの各々に対応するベアラ識別子を第1の制御プレーン機能ネットワーク要素に送信することができる。
【０２４０】
このようにして、第2の制御プレーン機能ネットワーク要素によって格納されたPDN接続に対応するコンテキストは、PDN接続のトンネル情報、および少なくとも1つのベアラの各々に対応するベアラ識別子を含んでよい。
【０２４１】
本出願のこの実施形態において提供されるハンドオーバ方法によれば、第2の制御プレーン機能ネットワーク要素によって格納されたPDN接続に対応するベアラコンテキストは、PDN接続のトンネル情報および少なくとも1つのベアラの各々に対応するベアラ識別子を含み、その結果、モビリティ管理ネットワーク要素は、ハンドオーバ準備中に第2の制御プレーン機能ネットワーク要素からPDN接続に対応するベアラコンテキストを直接取得し、PDN接続に対応するベアラコンテキストに基づいて、第2のネットワーク内の（図1または図2に示されたSGWなどの）サービングゲートウェイからPDUに対応するユーザプレーン機能ネットワーク要素へのアップリンクトンネルを確立することができる。
【０２４２】
加えて、第2の制御プレーン機能ネットワーク要素は、PDUのホームロケーションの制御プレーンネットワーク要素なので、第1の制御プレーン機能ネットワーク要素からPDN接続に対応するベアラコンテキストを取得することと比較して、モビリティ管理ネットワーク要素により、第2の制御プレーン機能ネットワーク要素からPDN接続に対応するベアラコンテキストを取得することは、ハンドオーバプロセス内で発生する遅延を削減することができる。
【０２４３】
図5は、本出願の一実施形態による、ハンドオーバ方法500の概略フローチャートである。方法500は、図1または図2に示されたシステムアーキテクチャに適用されてよく、または方法500は、別の同様のアーキテクチャに適用されてよい。このことは、本出願のこの実施形態では限定されない。
【０２４４】
方法500は、第1の制御プレーン機能ネットワーク要素によって実行されてよいことを理解されたい。第1の制御プレーン機能ネットワーク要素は、たとえば、図1または図2に示されたSMF−PGW−Cであってもよい。
【０２４５】
S510．第1の制御プレーン機能ネットワーク要素が、第2のネットワーク内の端末のPDN接続が第1のネットワーク内のPDUセッションに切り替えられる必要があると判断する。
【０２４６】
S520．第1の制御プレーン機能ネットワーク要素が、PDUセッションに対応するユーザプレーントンネル情報を取得する。
【０２４７】
第1のネットワークは5Gネットワークを含んでよく、第2のネットワークは4Gネットワークを含んでよいことを理解されたい。第1のネットワーク内のPDUセッションは第2のネットワーク内のPDN接続に相当することをさらに理解されたい。
【０２４８】
第1のネットワーク内のPDUセッションは第2のネットワーク内のPDN接続に相当することをさらに理解されたい。
【０２４９】
場合によっては、S510において、第1の制御プレーン機能ネットワーク要素は、複数の方式で、第2のネットワーク内の端末のPDN接続が第1のネットワーク内のPDUセッションに切り替えられる必要があると判断することができる。このことは、本出願のこの実施形態では限定されない。
【０２５０】
（1）セッションの確立／修正中
【０２５１】
可能な実装形態では、第1の制御プレーン機能ネットワーク要素は第3の要求メッセージを受信する場合があり、第3の要求メッセージは、第2のネットワーク内のPDN接続を確立するように要求するために使用され、第1の制御プレーン機能ネットワーク要素は、第3の要求メッセージに基づいて、第2のネットワーク内の端末のPDN接続が第1のネットワーク内のPDUセッションに切り替えられる必要があると判断する。
【０２５２】
（2）ハンドオーバ準備中
【０２５３】
可能な実装形態では、第1の制御プレーン機能ネットワーク要素は第2のセッション管理要求を受信する場合があり、第2のセッション管理要求は第1の指示情報を搬送し、第1の指示情報は、第2のネットワークから第1のネットワークに端末をハンドオーバするための準備をするように示すために使用され、第1の制御プレーン機能ネットワーク要素は、第1の指示情報に基づいて、第2のネットワーク内のPDN接続が第1のネットワーク内のPDUセッションに切り替えられる必要があると判断することができる。
【０２５４】
場合によっては、第1の制御プレーン機能ネットワーク要素は、AMFから第2のセッション管理要求を受信するか、またはv−SMFから第2のセッション管理要求を受信することができる。
【０２５５】
場合によっては、S520において、第1の制御プレーン機能ネットワーク要素は、複数の方式で、PDUセッションに対応するユーザプレーントンネル情報を取得することができる。このことは、本出願のこの実施形態では限定されない。
【０２５６】
可能な実装形態では、第1の制御プレーン機能ネットワーク要素自体が、PDUセッションに対応するユーザプレーントンネル情報をPDUセッションに割り当てることができる。
【０２５７】
別の可能な実装形態では、第1の制御プレーン機能ネットワーク要素は、PDUセッションに対応するユーザプレーントンネル情報を割り当てるように、PDN接続に対応するユーザプレーン機能ネットワーク要素に要求し、PDN接続に対応するユーザプレーン機能ネットワーク要素から、PDUセッションに対応するユーザプレーントンネル情報を取得する。
【０２５８】
本出願のこの実施形態において提供されるハンドオーバ方法によれば、第1の制御プレーン機能ネットワーク要素は、第2のネットワーク内の端末のPDN接続が第1のネットワーク内のPDUセッションに切り替えられる必要があると判断し、PDUセッションに対応するユーザプレーントンネル情報を取得し、その結果、第1の制御プレーン機能ネットワーク要素は、PDN接続がPDUセッションに切り替えられるべきときにPDUセッションに対応するユーザプレーントンネルを確立する。これは、ネットワークハンドオーバプロセスにおいてPDUセッション内のデータパケットの損失を防止するのに役立ち、それにより、データパケットの正常な送信が保証される。
【０２５９】
PDN接続に対応するユーザプレーン機能ネットワーク要素は、図1または図2に示されたシステムアーキテクチャにおけるUPF＋PGW−Uであってよいことを理解されたい。
【０２６０】
場合によっては、方法500は、第1の制御プレーン機能ネットワーク要素により、PDN接続に対応するユーザプレーン機能ネットワーク要素にアップリンクデータ送信規則を送信するステップをさらに含み、アップリンクデータ送信規則は、PDUセッションに対応するユーザプレーントンネルを介して受信されたアップリンクデータを転送する方法を、PDN接続に対応するユーザプレーン機能ネットワーク要素に示すために使用され、たとえば、指定された転送経路を介して外部データネットワークにアップリンクデータパケットを送信するように、アップリンクデータ送信規則は、PDN接続に対応するユーザプレーン機能ネットワーク要素に示すために使用される。
【０２６１】
可能な実装形態では、第1の制御プレーン機能ネットワーク要素は、PDN接続に対応するユーザプレーン機能ネットワーク要素に第1のセッション管理要求を送信し、第1のセッション管理要求は、PDUセッションに対応するダウンリンクユーザプレーントンネルを確立または修正するように要求するために使用され、第1のセッション管理要求はアップリンクデータ送信規則を搬送する。
【０２６２】
それに対応して、PDN接続に対応するユーザプレーン機能ネットワーク要素は、第1の制御プレーン機能ネットワーク要素から第1のセッション管理要求を受信し、第1のセッション管理要求に基づいて、第1の制御プレーン機能ネットワーク要素に第1のセッション管理応答を送信することができる。
【０２６３】
場合によっては、第1のセッション管理要求はN4セッション管理要求であってよく、第2のセッション管理応答はN4セッション管理応答であってよい。
【０２６４】
本出願のこの実施形態では、N4セッション管理要求は、第1の制御プレーン機能ネットワーク要素とPDUセッションに対応するユーザプレーン機能ネットワーク要素との間で、N4インターフェースを介して送信されるN4セッション確立要求またはN4セッション修正要求であってよいことを理解されたい。それに対応して、N4セッション管理応答は、第1の制御プレーン機能ネットワーク要素とPDUセッションに対応するユーザプレーン機能ネットワーク要素との間で、N4インターフェースを介して送信されるN4セッション確立応答またはN4セッション修正応答であってよい。
【０２６５】
場合によっては、第1の制御プレーンネットワーク要素自体がPDUセッションにユーザプレーントンネル情報を割り当てるとき、第1の制御プレーン機能ネットワーク要素は、PDUセッションに対応するユーザプレーントンネル情報を第1のセッション管理要求に追加することができ、第1の制御プレーン機能ネットワーク要素が、PDUセッションにユーザプレーントンネル情報を割り当てるように、PDN接続に対応するユーザプレーン機能ネットワーク要素に要求するとき、PDN接続に対応するユーザプレーン機能ネットワーク要素は、PDUセッションに対応するユーザプレーントンネル情報を第1のセッション管理応答に追加することができる。
【０２６６】
場合によっては、セッションの修正中に、第2のネットワーク内のPDN接続が更新される場合があり、たとえば、いくつかのベアラが新しく確立される。したがって、これらのベアラに対応するデータフローをPDUセッションに対応するユーザプレーントンネルと関連付けるために、PDN接続に対応するユーザプレーン機能ネットワーク要素は、更新されたアップリンクデータ送信規則を知る必要がある。
【０２６７】
具体的には、可能な実装形態では、第1の制御プレーン機能ネットワーク要素は別のネットワーク要素から第4の要求メッセージを受信する場合があり、第4の要求メッセージは第2のネットワーク内のPDN接続の修正をトリガする、たとえば、第4の要求メッセージはPDN接続への少なくとも1つのベアラの追加をトリガする。
【０２６８】
さらに別の可能な実装形態では、第1の制御プレーン機能ネットワーク要素は、第1の制御プレーン機能ネットワーク要素のプロセスにより、第2のネットワーク内のPDN接続を修正するようにトリガされる場合がある。
【０２６９】
場合によっては、方法500は、アップリンクデータ送信規則が変わったと判断すると、第1の制御プレーン機能ネットワーク要素により、PDN接続に対応するユーザプレーン機能ネットワーク要素に更新されたアップリンクデータ送信規則を送信するステップをさらに含む。
【０２７０】
場合によっては、第1の制御プレーン機能ネットワーク要素自体が、PDUセッションにユーザプレーントンネル情報を割り当てるとき、第1の制御プレーン機能ネットワーク要素は、PDUセッションに対応するユーザプレーントンネル情報を取得し、PDN接続に対応するユーザプレーン機能ネットワーク要素に、同じフェーズのPDUセッションに対応するユーザプレーントンネル情報を送信するか、またはPDUセッションに対応するユーザプレーントンネル情報を取得し、PDN接続に対応するユーザプレーン機能ネットワーク要素に、異なるフェーズのPDUセッションに対応するユーザプレーントンネル情報を送信することができる。このことは、本出願のこの実施形態では限定されない。
【０２７１】
可能な実装形態では、第1の制御プレーン機能ネットワーク要素は、セッションの確立／修正中に、PDUセッションに対応するユーザプレーントンネル情報およびアップリンクデータ送信規則を取得し、セッションの確立／修正中に、PDN接続に対応するユーザプレーン機能ネットワーク要素に、PDUセッションに対応するユーザプレーントンネル情報およびアップリンクデータ送信規則を送信することができる。
【０２７２】
別の可能な実装形態では、第1の制御プレーン機能ネットワーク要素は、ネットワークハンドオーバ準備中に、PDUセッションに対応するユーザプレーントンネル情報およびアップリンクデータ送信規則を取得し、ネットワークハンドオーバ準備中に、PDN接続に対応するユーザプレーン機能ネットワーク要素に、PDUセッションに対応するユーザプレーントンネル情報およびアップリンクデータ送信規則を送信することができる。
【０２７３】
さらに別の可能な実装形態では、第1の制御プレーン機能ネットワーク要素は、セッションの確立／修正中に、PDUセッションに対応するユーザプレーントンネル情報およびアップリンクデータ送信規則を取得し、ネットワークハンドオーバ準備中に、PDN接続に対応するユーザプレーン機能ネットワーク要素に、PDUセッションに対応するユーザプレーントンネル情報およびアップリンクデータ送信規則を送信することができる。
【０２７４】
本出願のこの実施形態において提供されるハンドオーバ方法によれば、ハンドオーバ準備フェーズ内で、第1の制御プレーン機能ネットワーク要素は、PDUセッションに対応するユーザプレーントンネル情報を決定し、PDN接続に対応するユーザプレーン機能ネットワーク要素に、PDUセッションに対応するユーザプレーントンネル情報を送信し、その結果、セッションの確立／修正中に新しく追加されたベアラに起因するアップリンクデータ送信規則の更新を防止することができる。
【０２７５】
場合によっては、方法500は、第1の制御プレーン機能ネットワーク要素により、PDN接続に対応するユーザプレーン機能ネットワーク要素に、PDUセッションに対応するダウンリンクデータ送信規則を送信するステップであって、ダウンリンクデータ送信規則が、PDUセッションに対応するユーザプレーントンネルを介して、PDN接続に対応するユーザプレーン機能ネットワーク要素によって受信されたダウンリンクデータパケットを送信するように示すために使用される、ステップをさらに含む。
【０２７６】
可能な実装形態では、第1の制御プレーン機能ネットワーク要素は、ハンドオーバ実行中にPDN接続に対応するユーザプレーン機能ネットワーク要素に第3のセッション管理要求を送信する場合があり、第3のセッション管理要求は、PDUセッションに対応するダウンリンクユーザプレーントンネルを修正するように要求するために使用され、第3のセッション管理要求はダウンリンクデータ送信規則を搬送する。
【０２７７】
別の可能な実装形態では、第1の制御プレーン機能ネットワーク要素は、セッションの確立／修正中に、ダウンリンクデータ送信規則および第1の規則指示情報を第1のセッション管理要求に追加することができ、第1の規則指示情報は、ダウンリンクデータ送信規則を有効にしないように示すために使用される。それに対応して、第1の制御プレーン機能ネットワーク要素は、ハンドオーバ実行中にPDN接続に対応するユーザプレーン機能ネットワーク要素に第3のセッション管理要求を送信し、第3のセッション管理要求は第2の規則指示情報を搬送し、第2の規則指示情報は、ダウンリンクデータ送信規則を有効にするように示すために使用される。
【０２７８】
場合によっては、第3のセッション管理要求はN4セッション管理要求であってよく、第3のセッション管理応答はN4セッション管理応答であってよい。
【０２７９】
本出願のこの実施形態において提供されるハンドオーバ方法によれば、第1の制御プレーン機能ネットワーク要素は、ハンドオーバ実行フェーズ内でPDN接続に対応するユーザプレーン機能ネットワーク要素にダウンリンクデータ送信規則を示し、その結果、PDN接続に対応するユーザプレーン機能ネットワーク要素は、ダウンリンクデータ送信規則に従って、受信されたダウンリンクデータを対応するダウンリンクトンネルと照合し、ダウンリンクトンネルを介して第1のネットワーク内の（図1または図2のV−UPFまたはアクセスネットワークなどの）V−UPFまたはアクセスネットワークに受信されたダウンリンクデータを送信する。
【０２８０】
図6A、図6B、および図6Cは、本出願の一実施形態による、ハンドオーバ方法600の概略フローチャートである。方法600は、図1に示された非ローミングシナリオ内のシステムアーキテクチャに適用されてよく、または方法600は、別の同様のアーキテクチャに適用されてよい。
【０２８１】
方法600は、セッション確立／修正フェーズ、ハンドオーバ準備フェーズ、およびハンドオーバ実行フェーズの合計3つのフェーズを含むことを理解されたい。以下で、図6A、図6B、および図6Cを参照して、3つのフェーズを詳細に記載する。
【０２８２】
1．セッション確立／修正フェーズ：
【０２８３】
S601およびS602は、SMF＋PGW−Cが第1のネットワーク内の端末のPDUセッションが第2のネットワーク内のPDN接続に切り替えられるべきときに確立される必要がある少なくとも1つのベアラを決定するプロセスであることに留意されたい。
【０２８４】
S601．SMF＋PGW−CがAMFからセッション確立／修正要求を受信し、セッション確立／修正要求は、第1のネットワーク内の端末のPDUセッションを確立するか、または第1のネットワーク内のPDUセッションの修正をトリガするために使用される。それに対応して、AMFはセッション確立／修正要求をSMF＋PGW−Cに送信する。
【０２８５】
S602．SMF＋PGW−Cが、S601におけるセッション確立／修正要求に基づいて、第1のネットワーク内の端末のPDUセッションが第2のネットワーク内のパケットデータネットワークPDN接続に切り替えられるべきときに確立される必要がある少なくとも1つのベアラを決定する。
【０２８６】
S603a〜S605aまたはS603b〜S605bは、SMF＋PGW−CおよびUPF＋PGW−Uが少なくとも1つのベアラの各々に対応するユーザプレーントンネルを確立するプロセスであることに留意されたい。
【０２８７】
SMF＋PGW−CおよびUPF＋PGW−Uが少なくとも1つのベアラの各々に対応するユーザプレーントンネルを確立することは、SMF＋PGW−CおよびUPF＋PGW−Uにより、各ベアラに対応するユーザプレーントンネル情報およびアップリンクデータパケット送信規則を取得することを含んでよいことを理解されたい。
【０２８８】
場合によっては、少なくとも1つのベアラの各々に対応するユーザプレーントンネル情報は、SMF＋PGW−CまたはUPF＋PGW−Uによって割り当てられてよい。このことは、本出願のこの実施形態では限定されない。
【０２８９】
SMF＋PGW−Cがユーザプレーントンネル情報を割り当てる場合、S603a〜S605aが実行される。UPF＋PGW−Uがユーザプレーントンネル情報を割り当てる場合、S603b〜S605bが実行される。
【０２９０】
（1）SMF＋PGW−Cがユーザプレーントンネル情報を各ベアラに割り当てる。
【０２９１】
S603a．SMF＋PGW−Cがユーザプレーントンネル情報を各ベアラに割り当てる。
【０２９２】
S604a．SMF＋PGW−CがN4セッション確立／修正要求をUPF＋PGW−Uに送信し、N4セッション確立／修正要求は、少なくとも1つのベアラの各々に対応するユーザプレーントンネルを確立するように要求するために使用され、N4セッション確立／修正要求は、各ベアラに対応するユーザプレーントンネル情報およびアップリンクデータパケット送信規則を搬送し、アップリンクデータ送信規則は、PDN接続に対応するユーザプレーントンネルを介して受信されたアップリンクデータを転送する方法を、PDUセッションに対応する（図6A、図6B、および図6CのUPF＋PGW−Uなどの）ユーザプレーン機能ネットワーク要素に示すために使用される。それに対応して、UPF＋PGW−Uは、SMF＋PGW−CからN4セッション確立／修正要求を受信する。
【０２９３】
S605a．UPF＋PGW−Uが、S604aにおいて受信されたN4セッション確立／修正要求に基づいて、SMF＋PGW−CにN4セッション確立／修正応答を送信する。それに対応して、SMF＋PGW−Cは、UPF＋PGW−UからN4セッション確立／修正応答を受信する。
【０２９４】
（2）UPF＋PGW−Uがユーザプレーントンネル情報を各ベアラに割り当てる。
【０２９５】
S603b．SMF＋PGW−CがN4セッション確立／修正要求をUPF＋PGW−Uに送信し、N4セッション確立／修正要求は、少なくとも1つのベアラの各々に対応するユーザプレーントンネルを確立するように要求するために使用され、N4セッション確立／修正要求はアップリンクデータパケット送信規則を搬送し、アップリンクデータ送信規則は、PDN接続に対応するユーザプレーントンネルを介して受信されたアップリンクデータを転送する方法を、PDUセッションに対応する（図6A、図6B、および図6CのUPF＋PGW−Uなどの）ユーザプレーン機能ネットワーク要素に示すために使用される。それに対応して、UPF＋PGW−Uは、SMF−PGW−CからN4セッション確立／修正要求を受信する。
【０２９６】
S604b．UPF＋PGW−Uが、S603bにおいて受信されたN4セッション確立／修正要求に基づいて、各ベアラにユーザプレーントンネル情報を割り当てる。
【０２９７】
S605b．UPF＋PGW−UがSMF＋PGW−CにN4セッション確立／修正応答を送信し、N4セッション確立／修正応答は各ベアラに対応するユーザプレーントンネル情報を搬送する。それに対応して、SMF＋PGW−Cは、UPF＋PGW−UからN4セッション確立／修正応答を受信する。
【０２９８】
S603aまたはS605bの後、SMF−PGW−Cは、少なくとも1つのベアラの各々に対応するユーザプレーントンネル情報およびアップリンクデータ送信規則を、PDN接続に対応するベアラコンテキストに格納する。
【０２９９】
各ベアラに対応するユーザプレーントンネル情報は、各ベアラに対応するユーザプレーントンネルの識別子を含んでよいことをさらに理解されたい。
【０３００】
場合によっては、各ベアラに対応するユーザプレーントンネル情報は、各ベアラに対応するユーザプレーントンネルのインターネットプロトコル（Internet Protocol、IP）アドレス、または各ベアラに対応するユーザプレーントンネルに関する他の情報をさらに含んでよい。このことは、本出願のこの実施形態では限定されない。
【０３０１】
S606は、SMF＋PGW−CがPDN接続用のPDN接続に対応する制御プレーントンネルを確立するプロセスであることに留意されたい。
【０３０２】
SMF＋PGW−CがPDN接続用のPDN接続に対応する制御プレーントンネルを確立することは、SMF＋PGW−CがPDN接続に対応する制御プレーントンネル情報をPDN接続に割り当てることであると理解されてよいことを理解されたい。
【０３０３】
S606．SMF＋PGW−CがPDN接続に対応する制御プレーントンネル情報を取得する。
【０３０４】
S606の後、SMF−PGW−Cは、PDN接続に対応する制御プレーントンネル情報を、PDN接続に対応するベアラコンテキストに格納する。
【０３０５】
PDN接続に対応する制御プレーントンネルは、UPF＋PGW−UにPDN接続の制御シグナリングを送信するために使用されることを理解されたい。言い換えれば、PDN接続に対応する制御プレーントンネルの粒度は、PDN接続単位である。したがって、S606はセッション確立フェーズ内でのみ実行される、すなわち、S606はセッション修正フェーズでは実行されない。
【０３０６】
PDN接続に対応する制御プレーントンネル情報は、PDN接続に対応する制御プレーントンネルの識別子を含んでよいことをさらに理解されたい。
【０３０７】
場合によっては、PDN接続に対応する制御プレーントンネル情報は、PDN接続に対応する制御プレーントンネルのインターネットプロトコル（Internet Protocol、IP）アドレス、またはPDN接続に対応する制御プレーントンネルに関する他の情報をさらに含んでよい。このことは、本出願のこの実施形態では限定されない。
【０３０８】
S607〜S609は、SMF＋PGW−Cが少なくとも1つのベアラの各々に対応するベアラ識別子を取得するプロセスであることに留意されたい。
【０３０９】
S607．SMF＋PGW−CがAMFにベアラ更新要求を送信し、ベアラ更新要求は、少なくとも1つのベアラの各々に対応するベアラ識別子を要求するために使用される。それに対応して、AMFはSMF＋PGW−Cからベアラ更新要求を受信する。
【０３１０】
S608．AMFが、ベアラ更新要求に基づいて、少なくとも1つのベアラの各々にベアラ識別子を割り当てる。
【０３１１】
S609．AMFがSMF＋PGW−Cにベアラ更新応答を送信し、ベアラ更新応答は、少なくとも1つのベアラの各々に対応するベアラ識別子を搬送する。それに対応して、SMF＋PGW−CはAMFからベアラ更新応答を受信する。
【０３１２】
S609の後、SMF−PGW−Cは、少なくとも1つのベアラの各々のベアラ識別子を、PDN接続に対応するベアラコンテキストに格納する。
【０３１３】
各ベアラのベアラ識別子は、ベアラに対応するユーザプレーントンネルを識別することができることを理解されたい。
【０３１４】
場合によっては、S603a〜S605a（またはS603b〜S605b）のプロセス、S606のプロセス、およびS607〜S609のプロセスの間に順番は存在しない。このことは、本出願のこの実施形態では限定されない。
【０３１５】
前述の説明に基づいて、S601a（またはS601b）〜S609の後、SMF＋PGW−Cによって格納されたPDN接続に対応するベアラコンテキストは、PDN接続に対応する制御プレーントンネル情報、少なくとも1つのベアラの各々に対応するユーザプレーントンネル情報、および少なくとも1つのベアラの各々に対応するベアラ識別子を含んでよい。
【０３１６】
場合によっては、PDN接続に対応するベアラコンテキストは、後続のハンドオーバ準備フェーズおよびハンドオーバ実行フェーズにおいて必要な他の情報、たとえば、各ベアラのQoSパラメータをさらに含んでよく、各ベアラのQoSパラメータは、QoSクラス識別子（QoS class identifier、QCI）、割当て保持優先度（allocation retention priority、ARP）、パケットフィルタ、またはパケットフィルタ優先度のうちの少なくとも1つを含む。このことは、本出願のこの実施形態では限定されない。
【０３１７】
2．ハンドオーバ準備フェーズ：
【０３１８】
S610．AMFが、第1のネットワークの（図6A、図6B、および図6CのgNBなどの）ソースアクセスネットワークからハンドオーバ要求を受信し、ハンドオーバ要求は、（図6A、図6B、および図6CのeNBなどの）ターゲットアクセスネットワークに関する情報を搬送する。それに対応して、ソースアクセスネットワークはAMFにハンドオーバ要求を送信する。
【０３１９】
S611．AMFが、ターゲットアクセスネットワークに関する情報に基づいて、端末が第1のネットワークから第2のネットワークにハンドオーバされるべきと判断する。
【０３２０】
S612．AMFがSMF＋PGW−Cにベアラコンテキスト要求を送信し、ベアラコンテキスト要求は、PDN接続に対応するベアラコンテキストを要求するために使用される。それに対応して、SMF＋PGW−CはAMFからベアラコンテキスト要求を受信する。
【０３２１】
S613．SMF＋PGW−Cが、ベアラコンテキスト要求に基づいて、PDN接続に対応するベアラコンテキストをAMFに送信する。それに対応して、AMFは、SMF＋PGW−CからPDN接続に対応するベアラコンテキストを受信する。
【０３２２】
S614．AMFが第2のネットワーク内のMMEにPDN接続に対応するベアラコンテキストを送信する。それに対応して、MMEはAMFからPDN接続に対応するベアラコンテキストを受信する。
【０３２３】
S615．MMEがPDN接続に対応するベアラコンテキストからPDN接続のトンネル情報を取得する。
【０３２４】
S616．MMEが第2のネットワーク内のSGWにPDN接続のトンネル情報を送信する。それに対応して、SGWはMMEからPDN接続のトンネル情報を受信する。
【０３２５】
セッション確立／修正フェーズおよびハンドオーバ準備フェーズにおけるユーザプレーントンネルおよび制御プレーントンネルは、PGW−U＋UPF上のアップリンクユーザプレーントンネルおよびPGW−C＋SMF上のアップリンク制御プレーントンネルであることを理解されたい。
【０３２６】
S610〜S616の後、SGWからUPF＋PGW−Uへのアップリンクトンネルが確立され、端末が第1のネットワーク内のソースアクセスネットワークから第2のネットワーク内のターゲットアクセスネットワークにハンドオーバされると、アップリンクデータは、SGWからUPF＋PGW−Uへのアップリンクトンネルにシームレスに切り替えられ、データネットワークに送信することができることに留意されたい。
【０３２７】
方法600のハンドオーバ準備フェーズは、前述のプロセスのみに限定されず、別のプロセスをさらに含んでよい（たとえば、従来技術のハンドオーバ準備フェーズ内のプロセスが参照されてよい）ことを理解されたい。本出願のこの実施形態はそれに限定されない。
【０３２８】
3．ハンドオーバ実行フェーズ：
【０３２９】
S617．端末がターゲットアクセスネットワークを使用して第2のネットワークにアクセスすると、ターゲットアクセスネットワークがMMEにハンドオーバ通知を送信し、ハンドオーバ通知は、端末が第1のネットワークから第2のネットワークにハンドオーバされたことを通知するために使用される。それに対応して、MMEはハンドオーバ通知を受信する。
【０３３０】
S618．MMEがSGWにベアラ修正要求を送信し、ベアラ修正要求はアクセスネットワークのダウンリンクトンネル情報を搬送し、アクセスネットワークのダウンリンクトンネル情報は、アクセスネットワーク上の少なくとも1つのベアラの各々に対応するダウンリンクユーザプレーントンネル情報を含む。それに対応して、SGWはMMEからベアラ修正要求を受信する。
【０３３１】
S619．SGWが、S618におけるベアラ修正要求に基づいて、PDN接続に対応する制御プレーントンネルを介してSMF＋PGW−Cにベアラ修正要求を送信し、ベアラ修正要求はSGWのダウンリンクトンネル情報を搬送し、SGWのダウンリンクトンネル情報は、SGW上の少なくとも1つのベアラの各々に対応するダウンリンクユーザプレーントンネル情報を含む。それに対応して、SMF＋PGW−Cは、PDN接続に対応する制御プレーントンネルを介してSGWからベアラ修正要求を受信する。
【０３３２】
S620．SMF＋PGW−Cが、SGWによって送信されたメッセージに基づいて、端末が第2のネットワークにハンドオーバされたと判断する。
【０３３３】
S621．SMF＋PGW−CがUPF＋PGW−UにN4セッション確立／修正要求を送信し、N4セッション確立／修正要求は、SGW上のダウンリンクトンネル情報およびダウンリンクデータ送信規則を搬送し、ダウンリンクデータ送信規則は、対応するユーザプレーントンネルを介してSGWに受信されたダウンリンクデータを転送するように、PDUセッションに対応するユーザプレーン機能ネットワーク要素に示すために使用される。それに対応して、UPF＋PGW−Uは、SMF＋PGW−CからN4セッション確立／修正要求を受信する。
【０３３４】
S622．UPF＋PGW−Uが、S621において受信されたN4セッション確立／修正要求に基づいて、SMF＋PGW−CにN4セッション確立／修正応答を送信する。それに対応して、SMF＋PGW−Cは、UPF＋PGW−UからN4セッション確立／修正応答を送信する。
【０３３５】
場合によっては、第3のセッション管理要求は、N4インターフェースを介してSMF＋PGW−CによってUPF＋PGW−Uに送信される第2のN4セッション修正要求内で搬送されてよく、第3のセッション管理応答は、N4インターフェースを介してUPF＋PGW−UによってSMF＋PGW−Cに送信される第2のN4セッション修正応答内で搬送されてよい。このことは、本出願のこの実施形態では限定されない。
【０３３６】
可能な実装形態では、S621におけるN4セッション確立／修正要求はダウンリンクデータ送信規則を搬送しない場合があり、ダウンリンクデータ送信規則はS604aまたはS603bにおけるN4セッション確立／修正要求内で搬送されてよく、S604aまたはS603bにおけるN4セッション確立／修正要求は第1の規則指示情報をさらに搬送することができ、第1の規則指示情報はダウンリンクデータ送信規則を有効にしないように示すために使用される。
【０３３７】
それに対応して、S621におけるN4セッション確立／修正要求は第2の規則指示情報を搬送することができ、第2の規則指示情報は、ダウンリンクデータパケット送信規則を有効にするように示すために使用され、UPF＋PGW−Uは、第2の規則指示情報に従ってダウンリンクデータパケット送信規則を有効にする。
【０３３８】
前述の説明に基づいて、S622の後、UPF＋PGW−UからSGWへのダウンリンクトンネルが確立され、端末が第2のネットワークにハンドオーバされた後、データネットワーク内のダウンリンクデータがUPF＋PGW−UからSGWへのユーザプレーントンネルに切り替えられ、ターゲットアクセスネットワークに送信されてよい。
【０３３９】
図7A、図7B、および図7Cは、本出願の一実施形態による、ハンドオーバ方法700の概略フローチャートである。方法700は、図2に示されたローミングシナリオ内のシステムアーキテクチャに適用されてよく、または方法700は、別の同様のアーキテクチャに適用されてよい。
【０３４０】
方法700は、セッション確立／修正フェーズ、ハンドオーバ準備フェーズ、およびハンドオーバ実行フェーズの合計3つのフェーズを含むことを理解されたい。以下で、図7A、図7B、および図7Cを参照して、3つのフェーズを詳細に記載する。
【０３４１】
1．セッション確立／修正フェーズ：
【０３４２】
S701およびS702は、SMF＋PGW−Cが第1のネットワーク内の端末のPDUセッションが第2のネットワーク内のPDN接続に切り替えられるべきときに確立される必要がある少なくとも1つのベアラを決定するプロセスであることに留意されたい。
【０３４３】
S701およびS702はS601およびS602と同様である。
【０３４４】
S703a〜S705aまたはS703b〜S705bは、SMF＋PGW−CおよびUPF＋PGW−Uが、少なくとも1つのベアラの各々に対応するユーザプレーントンネルを確立するプロセスであることに留意されたい。
【０３４５】
S703a〜S705aはS603a〜S605aと同様である。
【０３４６】
S703b〜S705bはS603b〜S605bと同様である。
【０３４７】
S703aまたはS705bの後、SMF−PGW−Cは、少なくとも1つのベアラの各々に対応するユーザプレーントンネル情報を、PDN接続に対応するベアラコンテキストに格納する。
【０３４８】
S706は、SMF−PGW−CがPDN接続用のPDN接続に対応する制御プレーントンネルを確立するプロセスであることに留意されたい。
【０３４９】
S706はS606と同様である。
【０３５０】
S706の後、SMF−PGW−Cは、PDN接続に対応する制御プレーントンネル情報を、PDN接続に対応するベアラコンテキストに格納する。
【０３５１】
PDN接続に対応する制御プレーントンネルは、UPF＋PGW−UにPDN接続の制御シグナリングを送信するために使用されることを理解されたい。言い換えれば、PDN接続に対応する制御プレーントンネルの粒度は、PDN接続単位である。したがって、S706はセッション確立フェーズ内でのみ実行される、すなわち、S706はセッション修正フェーズでは実行されない。
【０３５２】
S707〜S709は、SMF＋PGW−Cが少なくとも1つのベアラの各々に対応するベアラ識別子を取得するプロセスであることに留意されたい。
【０３５３】
S707．SMF＋PGW−Cがv−SMFを使用してAMFにベアラ更新要求を送信し、ベアラ更新要求は、少なくとも1つのベアラの各々に対応するベアラ識別子を要求するために使用される。それに対応して、AMFはv−SMFを使用してSMF＋PGW−Cからベアラ更新要求を受信する。
【０３５４】
S707において、v−SMFは、メッセージ転送機能のみを提供する、すなわち、SMF＋PGW−CによってAMFに送信されたメッセージをAMFに転送することを理解されたい。
【０３５５】
具体的には、v−SMFは、端末の識別子に基づいて対応するAMFに、SMF＋PGW−CによってAMFに送信されたメッセージを送信し、PDUセッションの識別子および端末の識別子に基づいて対応するSMF＋PGW−Cに、AMFによってSMF＋PGW−Cに送信されたメッセージ送信することができる。
【０３５６】
S708はS608と同様である。
【０３５７】
S709．AMFがv−SMFを使用してSMF＋PGW−Cにベアラ更新応答を送信し、ベアラ更新応答は、少なくとも1つのベアラの各々に対応するベアラ識別子を搬送する。それに対応して、SMF＋PGW−Cは、v−SMFを使用してAMFからベアラ更新応答を受信する。
【０３５８】
S709において、v−SMFは、メッセージ転送機能のみを提供する、すなわち、AMFによってSMF＋PGW−Cに送信されたメッセージをSMF＋PGW−Cに転送することを理解されたい。
【０３５９】
S709の後、SMF＋PGW−Cは、少なくとも1つのベアラの各々のベアラ識別子を、PDN接続に対応するベアラコンテキストに格納する。
【０３６０】
S710．SMF＋PGW−CがPDN接続に対応するベアラコンテキストをv−SMFに送信し、PDN接続に対応するベアラコンテキストは、PDN接続に対応する制御プレーントンネル情報、少なくとも1つのベアラの各々に対応するユーザプレーントンネル情報、および少なくとも1つのベアラの各々に対応するベアラ識別子を含む。
【０３６１】
S710の後、v−SMFはPDN接続に対応するベアラコンテキストを格納する。
【０３６２】
場合によっては、PDN接続に対応する制御プレーントンネルは、UPF＋PGW−UにPDN接続の制御シグナリングを送信するために使用される。言い換えれば、PDN接続に対応する制御プレーントンネルの粒度は、PDN接続単位である。したがって、PDN接続に対応する制御プレーントンネルは、セッション確立フェーズ内のS710におけるPDN接続に対応するベアラコンテキストのみに含まれる。言い換えれば、PDN接続に対応する制御プレーントンネルは、セッション修正フェーズ内のS710においてSMF＋PGW−Cによってv−SMFに送信されるPDN接続に対応するベアラコンテキストに含まれない。実際には、セッション修正フェーズ内のS710は、PDN接続に対応するベアラコンテキストの更新であり、具体的には、PDN接続に対応するベアラコンテキストは、新しく追加されたベアラのベアラ識別子および対応するユーザプレーントンネル情報を含む。
【０３６３】
場合によっては、703a〜705a（または703b〜705b）のプロセス、S706のプロセス、およびS707〜S709のプロセスの間に順番は存在しない。このことは、本出願のこの実施形態では限定されない。
【０３６４】
S707〜S709のプロセスより前に703a〜705a（または703b〜705b）のプロセスが実行された場合、SMF＋PGW−CがS709においてベアラ識別子応答を受信した後、特定のベアラによって要求されたベアラ識別子の割当てが失敗した場合、SMF＋PGW−CはPGW−U＋UPFにメッセージを送信して、ベアラに対応するユーザプレーントンネルを削除することに留意されたい。
【０３６５】
前述の説明に基づいて、S701〜S710の後、v−SMFおよびSMF−PGW−Cによって格納されたPDN接続に対応するベアラコンテキストは、PDN接続に対応する制御プレーントンネル情報、少なくとも1つのベアラの各々に対応するユーザプレーントンネル情報、および少なくとも1つのベアラの各々に対応するベアラ識別子を含んでよい。
【０３６６】
場合によっては、SMF＋PGW−Cは、後続のハンドオーバ準備フェーズおよびハンドオーバ実行フェーズにおいて必要な他の情報、たとえば、各ベアラのQoSパラメータをv−SMFにさらに送信する場合があり、各ベアラのQoSパラメータは、QoSクラス識別子（QoS class identifier、QCI）、割当て保持優先度（allocation retention priority、ARP）、パケットフィルタ、またはパケットフィルタ優先度のうちの少なくとも1つを含む。それに対応して、v−SMFはSMF＋PGW−Cから情報を受信し、PDN接続に対応するベアラコンテキストに情報を格納する。このことは、本出願のこの実施形態では限定されない。
【０３６７】
2．ハンドオーバ準備フェーズ：
【０３６８】
S711およびS712はS610およびS611と同様である。
【０３６９】
S713．AMFがv−SMFにベアラコンテキスト要求を送信し、ベアラコンテキスト要求は、PDN接続に対応するベアラコンテキストを要求するために使用される。それに対応して、v−SMFはAMFからベアラコンテキスト要求を受信する。
【０３７０】
S714．v−SMFが、ベアラコンテキスト要求に基づいて、PDN接続に対応するベアラコンテキストをAMFに送信する。それに対応して、AMFは、v−SMFからPDN接続に対応するベアラコンテキストを受信する。
【０３７１】
S715〜S717はS614〜S616と同様である。
【０３７２】
方法700のハンドオーバ準備フェーズは、前述のプロセスのみに限定されず、別のプロセスをさらに含んでよい（たとえば、従来技術のハンドオーバ準備フェーズ内のプロセスが参照されてよい）ことを理解されたい。本出願のこの実施形態はそれに限定されない。
【０３７３】
3．ハンドオーバ実行フェーズ：このフェーズは方法600のハンドオーバ実行フェーズと同じである。
【０３７４】
方法700におけるv−SMFは、SMF＋PGW−CとAMFとの間でメッセージを透過的に送信する機能を有することに留意されたい。
【０３７５】
図8Aおよび図8Bは、本出願の一実施形態による、ハンドオーバ方法800の概略フローチャートである。方法800は、図2に示されたローミングシナリオ内のシステムアーキテクチャに適用されてよく、または方法800は、別の同様のアーキテクチャに適用されてよい。
【０３７６】
第1のネットワークは5Gネットワークを含んでよく、第2のネットワークは4Gネットワークを含んでよいことを理解されたい。このことは、本出願のこの実施形態では限定されない。
【０３７７】
方法800は、セッション確立／修正フェーズ、ハンドオーバ準備フェーズ、およびハンドオーバ実行フェーズの合計3つのフェーズを含むことをさらに理解されたい。以下で、図8Aおよび図8Bを参照して、3つのフェーズを詳細に記載する。
【０３７８】
1．セッション確立／修正フェーズ：
【０３７９】
S801およびS802は、SMF＋PGW−Cが第1のネットワーク内の端末のPDUセッションが第2のネットワーク内のPDN接続に切り替えられるべきときに確立される必要がある少なくとも1つのベアラを決定するプロセスであることに留意されたい。
【０３８０】
S801およびS802はS601およびS602と同様である。
【０３８１】
S803a〜S805aまたはS803b〜S805bは、SMF＋PGW−CおよびUPF＋PGW−Uが、少なくとも1つのベアラの各々に対応するユーザプレーントンネルを確立するプロセスであることに留意されたい。
【０３８２】
S803a〜S805aはS603a〜S605aと同様である。
【０３８３】
S803b〜8805bはS603b〜S605bと同様である。
【０３８４】
S803aまたはS805bの後、SMF−PGW−Cは、少なくとも1つのベアラの各々に対応するユーザプレーントンネル情報およびアップリンクデータ送信規則を、PDN接続に対応するベアラコンテキストに格納する。
【０３８５】
S806は、SMF−PGW−CがPDN接続用のPDN接続に対応する制御プレーントンネルを確立するプロセスであることに留意されたい。
【０３８６】
S806はS606と同様である。
【０３８７】
S806の後、SMF−PGW−Cは、PDN接続に対応する制御プレーントンネル情報を、PDN接続に対応するベアラコンテキストに格納する。
【０３８８】
PDN接続に対応する制御プレーントンネルは、UPF＋PGW−UにPDN接続の制御シグナリングを送信するために使用されることを理解されたい。言い換えれば、PDN接続に対応する制御プレーントンネルの粒度は、PDN接続単位である。したがって、S806はセッション確立フェーズ内でのみ実行される、すなわち、S806はセッション修正フェーズでは実行されない。
【０３８９】
S807〜S811は、SMF＋PGW−Cが少なくとも1つのベアラの各々に対応するベアラ識別子を取得するプロセスであることに留意されたい。
【０３９０】
S807．SMF＋PGW−Cがv−SMFにPDN接続のトンネル情報を送信し、PDN接続のトンネル情報は、PDN接続に対応する制御プレーントンネル情報および少なくとも1つのベアラの各々に対応するユーザプレーントンネル情報を含む。それに対応して、v−SMFはSMF＋PGW−CからPDN接続のトンネル情報を受信する。
【０３９１】
場合によっては、PDN接続に対応する制御プレーントンネルは、UPF＋PGW−UにPDN接続の制御シグナリングを送信するために使用される。言い換えれば、PDN接続に対応する制御プレーントンネルの粒度は、PDN接続単位である。したがって、PDN接続に対応する制御プレーントンネルは、セッション確立フェーズ内のS807におけるPDN接続に対応するベアラコンテキストに含まれる。言い換えれば、PDN接続に対応する制御プレーントンネルは、セッション修正フェーズ内のS807においてSMF＋PGW−Cによってv−SMFに送信されるPDN接続のトンネル情報に含まれない。実際には、セッション修正フェーズ内のS807は、PDN接続に対応するベアラコンテキストの更新であり、具体的には、PDN接続に対応するトンネル情報は、新しく追加されたベアラのベアラ識別子および対応するユーザプレーントンネル情報を含む。
【０３９２】
S807の後、v−SMFは、各ベアラに対応するユーザプレーントンネル情報およびPDN接続に対応する制御プレーントンネル情報を、PDN接続に対応するベアラコンテキストに格納する。
【０３９３】
S808．v−SMFが、S807において受信されたPDN接続のトンネル情報に基づいて、AMFにベアラ識別子要求を送信し、ベアラ識別子要求は、S807において受信された少なくとも1つのベアラの各々にベアラ識別子を割り当てるように要求するために使用される。それに対応して、AMFはv−SMFからベアラ識別子要求を受信する。
【０３９４】
S809．AMFが、ベアラ識別子要求に基づいて、少なくとも1つのベアラの各々にユーザプレーントンネル情報を割り当てる。
【０３９５】
S810．AMFがv−SMFにベアラ識別子情報を送信し、ベアラ識別子情報は、少なくとも1つのベアラの各々に対応するベアラ識別子を含む。それに対応して、v−SMFはAMFからベアラ識別子情報を受信する。
【０３９６】
S810の後、v−SMFは、PDN接続に対応するベアラコンテキストに各ベアラのベアラ識別子を格納する。
【０３９７】
S811は、SMF＋PGW−Cが各ベアラのベアラ識別子を取得するプロセスであることに留意されたい。
【０３９８】
S811．v−SMFがSMF−PGW−Cにベアラ識別子情報を送信する。それに対応して、SMF＋PGW−Cはv−SMFからベアラ識別子情報を受信する。
【０３９９】
具体的には、v−SMFは、各ベアラに対応するベアラ識別子と各ベアラに対応するユーザプレーントンネル情報の両方をSMF＋PGW−Cに送信し、その結果、SMF＋PGW−Cは、各ベアラに対応するベアラ識別子をユーザプレーントンネル情報と関連付ける。
【０４００】
S811の後、SMF−PGW−Cは、少なくとも1つのベアラの各々に対応するベアラ識別子を、PDN接続に対応するベアラコンテキストに格納する。
【０４０１】
場合によっては、S803a〜S805a（またはS803b〜S805b）のプロセスとS806のプロセスとの間に順番は存在しない。このことは、本出願のこの実施形態では限定されない。
【０４０２】
前述の説明に基づいて、S801〜S811の後、v−SMFおよびSMF−PGW−Cによって格納されたPDN接続に対応するベアラコンテキストは、PDN接続に対応する制御プレーントンネル情報、各ベアラに対応するユーザプレーントンネル情報、および各ベアラに対応するベアラ識別子を含んでよい。PDN接続に対応するベアラコンテキストは、第1のネットワークから第2のネットワークに端末をハンドオーバするために使用される。
【０４０３】
場合によっては、SMF＋PGW−Cは、後続のハンドオーバ準備フェーズおよびハンドオーバ実行フェーズにおいて必要な他の情報、たとえば、各ベアラのQoSパラメータをv−SMFにさらに送信する場合があり、各ベアラのQoSパラメータは、QoSクラス識別子（QoS class identifier、QCI）、割当て保持優先度（allocation retention priority、ARP）、パケットフィルタ、またはパケットフィルタ優先度のうちの少なくとも1つを含む。それに対応して、v−SMFはSMF＋PGW−Cから情報を受信し、PDN接続に対応するベアラコンテキストに情報を格納する。このことは、本出願のこの実施形態では限定されない。
【０４０４】
2．ハンドオーバ準備フェーズ：このフェーズは方法700のハンドオーバ準備フェーズと同じである。
【０４０５】
3．ハンドオーバ実行フェーズ：このフェーズは、図6A、図6B、および図6Cのハンドオーバ実行フェーズと同じである。
【０４０６】
方法800におけるv−SMFは処理機能を有することに留意されたい。
【０４０７】
具体的には、v−SMFは、各ベアラに対応するユーザプレーントンネル情報と関連付けられたベアラ識別子が、PDN接続のトンネル情報に存在するかどうかを確認し、少なくとも1つのベアラにベアラ識別子が割り当てられていない場合、v−SMFは、少なくとも1つのベアラの各々にベアラ識別子を割り当てるようにAMFに要求する。
【０４０８】
上記は、図6A〜図8Bを参照して、本出願の実施形態において提供されるハンドオーバ方法を記載し、SMF−PGW−Cまたはv−SMFはセッション確立／修正フェーズにおいてPDN接続のトンネル情報を取得する。以下で、図9A〜図11Bを参照して、SMF−PGW−Cまたはv−SMFがハンドオーバ準備フェーズにおいてPDN接続のトンネル情報を取得する場合を記載する。
【０４０９】
図9A、図9B、および図9Cは、本出願の一実施形態による、ハンドオーバ方法900の概略フローチャートである。方法900は、図1に示された非ローミングシナリオ内のシステムアーキテクチャに適用されてよく、または方法900は、別の同様のアーキテクチャに適用されてよい。
【０４１０】
第1のネットワークは5Gネットワークを含んでよく、第2のネットワークは4Gネットワークを含んでよいことを理解されたい。このことは、本出願のこの実施形態では限定されない。
【０４１１】
方法900は、セッション確立／修正フェーズ、ハンドオーバ準備フェーズ、およびハンドオーバ実行フェーズの合計3つのフェーズを含むことをさらに理解されたい。以下で、3つのフェーズを詳しく記載する。
【０４１２】
1．セッション修正フェーズ：
【０４１３】
S901およびS902は、SMF＋PGW−Cが第1のネットワーク内の端末のPDUセッションが第2のネットワーク内のPDN接続に切り替えられるべきときに確立される必要がある少なくとも1つのベアラを決定するプロセスであることに留意されたい。
【０４１４】
S901およびS902はS601およびS602と同様である。
【０４１５】
S903〜S905は、SMF＋PGW−Cが少なくとも1つのベアラの各々に対応するベアラ識別子を取得するプロセスであることに留意されたい。
【０４１６】
S903〜S905はS607〜S609と同様である。
【０４１７】
S905の後、SMF−PGW−Cは、各ベアラに対応するベアラ識別子をPDN接続に対応するベアラコンテキストに格納する。
【０４１８】
前述の説明に基づいて、S905の後、SMF＋PGW−Cによって格納されたPDN接続に対応するベアラコンテキストは、各ベアラに対応するベアラ識別子を含んでよい。
【０４１９】
2．ハンドオーバ準備フェーズ：
【０４２０】
S906〜S908はS610〜S612と同様であることを理解されたい。詳細は本明細書では再び記載されない。
【０４２１】
S909a〜S911aまたはS909b〜S911bは、SMF＋PGW−CおよびUPF＋PGW−Uが各ベアラに対応するユーザプレーントンネルを確立するプロセスであることに留意されたい。
【０４２２】
S909a〜S911aはS603a〜S605aと同様であり、S909b〜S911bはS603b〜S605bと同様であることを理解されたい。詳細は本明細書では再び記載されない。
【０４２３】
S909aまたはS911bの後、SMF−PGW−Cは、各ベアラに対応するユーザプレーントンネル情報をPDN接続に対応するベアラコンテキストに格納する。
【０４２４】
S912は、SMF−PGW−CがPDN接続用のPDN接続に対応する制御プレーントンネルを確立するプロセスであることに留意されたい。
【０４２５】
S912はS606と同じであることを理解されたい。
【０４２６】
S912の後、SMF−PGW−Cは、PDN接続に対応する制御プレーントンネル情報を、PDN接続に対応するベアラコンテキストに格納する。
【０４２７】
後続のS913〜S916はS613〜S616と同様であることを理解されたい。詳細は本明細書では再び記載されない。
【０４２８】
前述の説明に基づいて、S916の後、SGWからUPF＋PGW−Uへのアップリンクトンネルが確立され、端末が第1のネットワーク内のソースアクセスネットワークから第2のネットワーク内のターゲットアクセスネットワークにハンドオーバされると、アップリンクデータは、SGWからUPF＋PGW−Uへのアップリンクトンネルにシームレスに切り替えられ、データネットワークに送信することができる。
【０４２９】
3．ハンドオーバ実行フェーズ：このフェーズは、図6A、図6B、および図6Cのハンドオーバ実行フェーズと同じである。
【０４３０】
図10A、図10B、および図10Cは、本出願の一実施形態による、ハンドオーバ方法1000の概略フローチャートである。方法1000は、図2に示されたローミングシナリオ内のシステムアーキテクチャに適用されてよく、または方法1000は、別の同様のアーキテクチャに適用されてよい。
【０４３１】
第1のネットワークは5Gネットワークを含んでよく、第2のネットワークは4Gネットワークを含んでよいことを理解されたい。このことは、本出願のこの実施形態では限定されない。
【０４３２】
方法1000は、セッション確立／修正フェーズ、ハンドオーバ準備フェーズ、およびハンドオーバ実行フェーズの合計3つのフェーズを含むことをさらに理解されたい。以下で、3つのフェーズを詳しく記載する。
【０４３３】
1．セッション確立／修正フェーズ：
【０４３４】
S1001およびS1002は、SMF＋PGW−Cが第1のネットワーク内の端末のPDUセッションが第2のネットワーク内のPDN接続に切り替えられるべきときに確立される必要がある少なくとも1つのベアラを決定するプロセスであることに留意されたい。
【０４３５】
S1001およびS1001はS601およびS602と同様である。
【０４３６】
S1003〜S1005は、PGW−C＋SMFが各ベアラに対応するベアラ識別子を取得するプロセスであることに留意されたい。
【０４３７】
S1003〜S1005はS707〜S709と同様である。
【０４３８】
S1005の後、SMF−PGW−Cは、各ベアラに対応するベアラ識別子をPDN接続に対応するベアラコンテキストに格納する。
【０４３９】
2．ハンドオーバ準備フェーズ：
【０４４０】
S1006およびS1007はS610およびS611と同様であることを理解されたい。詳細は本明細書では再び記載されない。
【０４４１】
S1008．AMFが、v−SMFを使用してSMF＋PGW−Cにベアラコンテキスト要求を送信し、ベアラコンテキスト要求は、PDN接続に対応するベアラコンテキストを要求するために使用される。それに対応して、SMF＋PGW−Cは、v−SMFを使用してAMFからベアラコンテキスト要求を受信する。
【０４４２】
S1008において、v−SMFは、メッセージ転送機能のみを提供する、すなわち、AMFによってSMF＋PGW−Cに送信されたメッセージをSMF＋PGW−Cに転送することを理解されたい。
【０４４３】
S1009a〜S1011aまたはS1009b〜S1011bは、SMF＋PGW−CおよびUPF＋PGW−Uが各ベアラに対応するユーザプレーントンネルを確立するプロセスであることに留意されたい。
【０４４４】
S1009a〜S1011aはS603a〜S605aと同様であり、S1009b〜S1011bはS603b〜S605bと同様であることを理解されたい。詳細は本明細書では再び記載されない。
【０４４５】
S1009aまたはS10010bの後、SMF−PGW−Cは、各ベアラに対応するユーザプレーントンネル情報をPDN接続に対応するベアラコンテキストに格納する。
【０４４６】
S1012は、SMF−PGW−CがPDN接続用のPDN接続に対応する制御プレーントンネルを確立するプロセスであることに留意されたい。
【０４４７】
S1012の後、SMF−PGW−Cは、PDN接続に対応する制御プレーントンネル情報をPDN接続に対応するベアラコンテキストに格納する。
【０４４８】
S1013．SMF＋PGW−Cが、v−SMFを使用してAMFにPDN接続に対応するベアラコンテキストを送信する。それに対応して、AMFは、SMF＋PGW−CからPDN接続に対応するベアラコンテキストを受信する。S1013において、v−SMFは、メッセージ転送機能のみを提供する、すなわち、SMF＋PGW−CによってAMFに送信されたメッセージをAMFに転送することを理解されたい。
【０４４９】
後続のS1014〜S1016はS614〜S616と同様であることを理解されたい。詳細は本明細書では再び記載されない。
【０４５０】
前述の説明に基づいて、S1016の後、SGWからUPF＋PGW−Uへのアップリンクトンネルが確立され、端末が第1のネットワーク内のソースアクセスネットワークから第2のネットワーク内のターゲットアクセスネットワークにハンドオーバされると、アップリンクデータは、SGWからUPF＋PGW−Uへのアップリンクトンネルにシームレスに切り替えられ、データネットワークに送信することができる。
【０４５１】
3．ハンドオーバ実行フェーズ：このフェーズは、図6A、図6B、および図6Cのハンドオーバ実行フェーズと同じである。
【０４５２】
上記は、図6A〜図10Cを参照して、端末が5Gネットワークから4Gネットワークにハンドオーバされるプロセスを記載し、以下で、図11A、図11B、図12A、図12B、および図12Cを参照して、端末が4Gネットワークから5Gネットワークにハンドオーバされるプロセスを記載する。
【０４５３】
図11Aおよび図11Bは、本出願の一実施形態による、ハンドオーバ方法1100の概略フローチャートである。方法1100は、図1に示された非ローミングシナリオ内のシステムアーキテクチャに適用されてよく、または方法1100は、別の同様のアーキテクチャに適用されてよい。
【０４５４】
第1のネットワークは5Gネットワークを含んでよく、第2のネットワークは4Gネットワークを含んでよいことを理解されたい。このことは、本出願のこの実施形態では限定されない。
【０４５５】
第1のネットワークにはPDUセッションに対応する制御プレーントンネルが存在しないことをさらに理解されたい。したがって、本出願のこの実施形態では、PDUセッションに対応するトンネルは、PDUセッションに対応するユーザプレーントンネルであり、PDUセッションに対応するトンネル情報は、PDUセッションに対応するユーザプレーントンネル情報である。
【０４５６】
S1101．SMF＋PGW−CがAMFからセッション確立／修正要求を受信し、セッション確立／修正要求は、第2のネットワーク内のPDN接続を確立するか、または第2のネットワーク内のPDN接続の修正をトリガするために使用される。それに対応して、AMFはセッション確立／修正要求をSMF＋PGW−Cに送信する。
【０４５７】
S1102．SMF＋PGW−Cが、第1の要求メッセージに基づいて、第2のネットワーク内の端末のPDN接続が第1のネットワーク内のPDUセッションに切り替えられるべきときにPDUセッションのトンネル情報を取得する。
【０４５８】
S1103a〜S1105aまたはS1103b〜S1105bは、SMF＋PGW−CおよびUPF＋PGW−UがPDUセッション用のトンネルを確立するプロセスであることに留意されたい。
【０４５９】
場合によっては、PDUセッションに対応するトンネル情報は、SMF＋PGW−CまたはUPF＋PGW−Uによって割り当てられてよい。このことは、本出願のこの実施形態では限定されない。
【０４６０】
SMF＋PGW−Cがトンネル情報を割り当てる場合、S1103a〜S1105aが実行される。UPF＋PGW−Uがトンネル情報を割り当てる場合、S1103b〜S1105bが実行される。
【０４６１】
（1）SMF＋PGW−Cがトンネル情報をPDUセッションに割り当てる。
【０４６２】
S1103a．SMF＋PGW−Cがユーザプレーントンネル情報をPDUセッションに割り当てる。
【０４６３】
S1104a．SMF＋PGW−CがN4セッション確立／修正要求をUPF＋PGW−Uに送信し、N4セッション確立／修正要求は、PDUセッションに対応するトンネルを確立するように要求するために使用され、N4セッション確立／修正要求は、PDUセッションのトンネル情報およびアップリンクデータ送信規則を搬送し、アップリンクデータ送信規則は、PDUセッションに対応するユーザプレーントンネルを介して受信されたアップリンクデータを転送する方法を、PDN接続に対応するユーザプレーン機能ネットワーク要素に示すために使用される。それに対応して、UPF＋PGW−Uは、SMF＋PGW−CからN4セッション確立／修正要求を受信する。
【０４６４】
S1105a．UPF＋PGW−Uが、S1104aにおいて受信されたN4セッション確立／修正要求に基づいて、SMF＋PGW−CにN4セッション確立／修正応答を送信する。それに対応して、SMF＋PGW−Cは、UPF＋PGW−UからN4セッション確立／修正応答を受信する。
【０４６５】
（2）UPF＋PGW−Uがトンネル情報をPDUセッションに割り当てる。
【０４６６】
S1103b．SMF＋PGW−CがN4セッション確立／修正要求をUPF＋PGW−Uに送信し、N4セッション確立／修正要求は、PDUセッションに対応するトンネルを確立するように要求するために使用され、N4セッション確立／修正要求は、PDUセッションのトンネル情報およびアップリンクデータ送信規則を搬送し、アップリンクデータ送信規則は、PDUセッションに対応するユーザプレーントンネルを介して受信されたアップリンクデータを転送する方法を、PDN接続に対応するユーザプレーン機能ネットワーク要素に示すために使用される。それに対応して、UPF＋PGW−Uは、SMF−PGW−CからN4セッション確立／修正要求を受信する。
【０４６７】
S1104b．UPF＋PGW−Uが、S1103bにおいて受信されたN4セッション確立／修正要求に基づいて、PDUセッションにトンネル情報を割り当てる。
【０４６８】
S1105b．UPF＋PGW−UがSMF＋PGW−CにN4セッション確立／修正応答を送信し、N4セッション確立／修正応答はPDUセッションに対応するトンネル情報を搬送する。それに対応して、SMF＋PGW−CはUPF＋PGW−UからN4セッション確立／修正要求を受信する。
【０４６９】
S1105bの後、SMF＋PGW−CはPDUセッションに対応するトンネル情報を格納する。
【０４７０】
場合によっては、SMF＋PGW−CまたはUPF＋PGW−Uは、第1のネットワーク内のPDUセッションに対応するトンネルとして、第2のネットワーク内の1つのベアラに対応するトンネルを使用する、たとえば、PDUセッションに対応するトンネルとしてデフォルトベアラのトンネルを使用することができる。この場合、SMF＋PGW−CによってPDUセッションに割り当てられたアップリンクトンネル情報は、PGW−U＋UPF上のデフォルトベアラに対応するユーザプレーントンネルのトンネル情報である。あるいは、SMF＋PGW−Cは、第1のネットワーク内のPDUセッションに新しいアップリンクトンネル情報を割り当てることができる。
【０４７１】
本出願のこの実施形態は、以下の可能な実装形態を提供する。
【０４７２】
オプションの方式1では、S1103aのみが実行され、S1104aおよびS1105aは実行されない。
【０４７３】
オプションの方式2では、S1103a〜S1105aが実行される。
【０４７４】
オプションの方式3では、S1103bか〜S1105bが実行される。
【０４７５】
オプションの方式4では、S1103a〜1105aもS1103b〜1105bも実行されない。
【０４７６】
具体的には、SMF＋PGW−Cは、PDN接続の各ベアラのTFT（Traffic Filter Template、トラフィックフィルタテンプレート）情報に基づいてアップリンクデータ送信規則を決定し、TFTはベアラによってサポートされるデータフローのパケットフィルタを含む。
【０４７７】
S1106．第2のネットワーク内の（図11Aおよび図11BのeNBなどの）ソースアクセスネットワークは、第2のネットワーク内のMMEにハンドオーバ要求を送信し、ハンドオーバ要求は、（第1のネットワーク内のgNBなどの）ターゲットアクセスネットワークに関する情報を搬送する。それに対応して、MMEはソースアクセスネットワークからハンドオーバ要求を受信する。
【０４７８】
本出願のこの実施形態におけるアクセスネットワークは、たとえば、基地局であってよいことを理解されたい。
【０４７９】
S1107．MMEが、ターゲットアクセスネットワークに関する情報に基づいてAMFを選択し、AMFにハンドオーバ要求を送信し、ハンドオーバ要求はEPSベアラコンテキストを搬送する。それに対応して、AMFはMMEからハンドオーバ要求を受信する。
【０４８０】
S1108．AMFが、EPSベアラコンテキスト内の各PDN接続に対応するSMF＋PGW−Cにセッション確立要求を送信し、セッション確立要求はPDN接続に対応するデフォルトのベアラ識別子を搬送する。それに対応して、SMF＋PGW−CはAMFからセッション確立要求を受信する。
【０４８１】
可能な実装形態では、S1108におけるセッション確立要求内で搬送されるデフォルトのベアラ識別子は、第2のネットワークから第1のネットワークに端末をハンドオーバするための準備をするように、SMF＋PGW−Cを示すために使用されてよい。
【０４８２】
別の可能な実装形態では、S1108におけるセッション確立要求は、第1の指示情報をさらに搬送することができ、第1の指示情報は、第2のネットワークから第1のネットワークに端末をハンドオーバするための準備をするように、SMF＋PGW−Cを示すために使用され、第1の指示情報は、たとえば、少なくとも1ビットであってよい。
【０４８３】
方式1が使用された場合、S1108の後にS1104aおよびS1105aが実行される。
【０４８４】
方式4が使用された場合、S1108の後に方式2または方式3が実行される。
【０４８５】
S1109．SMF＋PGW−Cが、デフォルトのベアラ識別子に基づいてセッションコンテキストを照会し、セッションコンテキスト内の情報に基づいてN2セッション要求を生成し、N2セッション要求は、PDUセッションの識別子、PDUセッションに対応するS−NSSAI、セッションAMBR、およびPDUセッション内の各QoSフローに関する情報を含む。
【０４８６】
場合によっては、N2セッション要求メッセージは、UPF＋PGW−U上のPDUセッションのアップリンクトンネル情報をさらに含む。
【０４８７】
S1110．SMF＋PGW−CがAMFにN2セッション要求を送信する。それに対応して、AMFはSMF＋PGW−CからN2セッション要求を受信する。
【０４８８】
場合によっては、S1110の後、AMFは、第2のネットワークから第1のネットワークに端末をハンドオーバするための準備をするようにターゲットアクセスネットワークに示し、たとえば、無線リソースを割り当てるようにターゲットアクセスネットワークに示し、（アクセスネットワークのダウンリンクトンネルなどの）アクセスネットワークのトンネル情報を切り替えられるべきセッションに割り当てることができる。
【０４８９】
S1111．端末がターゲットアクセスネットワークにアクセスした後、AMFはSMF＋PGW−Cにセッション更新要求を送信し、セッション更新要求は、アクセスネットワークに対応する受信されたダウンリンクトンネル情報を搬送する。それに対応して、SMF＋PGW−CはAMFからセッション更新要求を受信する。
【０４９０】
場合によっては、セッション更新要求は第3の指示情報を搬送し、第3の指示情報は、第1のネットワークに経路を切り替えるようにSMF＋PGW−Cに示すために使用され、たとえば、PGW−U＋UPFは、第1のネットワーク内のアクセスネットワークを使用してダウンリンクデータを送信するように切り替えられる。
【０４９１】
S1112．SMF＋PGW−CがUPF＋PGW−UにN4セッション更新要求を送信し、N4セッション更新要求は、ダウンリンク転送規則およびターゲットアクセスネットワークのダウンリンクトンネル情報を搬送し、ダウンリンクデータ送信規則は、PDUセッションに対応するユーザプレーントンネルを介して、PDN接続に対応するユーザプレーン機能ネットワーク要素によって受信されたダウンリンクデータパケットを送信するように示すために使用される。それに対応して、UPF＋PGW−UはSMF＋PGW−CからN4セッション更新要求を受信する。
【０４９２】
S1113．SMF＋PGW−CがAMFにN4セッション更新応答を送信する。
【０４９３】
可能な実装形態では、S1112におけるN4セッション更新要求はダウンリンクデータ送信規則を搬送しなくてよく、ダウンリンクデータ送信規則はS1104aまたはS1103bにおけるN4セッション確立／修正要求内で搬送されてよく、S1104aまたはS1103bにおけるN4セッション確立／修正要求は第1の規則指示情報をさらに搬送し、第1の規則指示情報は、ダウンリンクデータ送信規則を有効にしないように示すために使用される。
【０４９４】
それに対応して、S1112におけるN4セッション更新要求は第2の規則指示情報を搬送することができ、第2の規則指示情報は、ダウンリンクデータパケット送信規則を有効にするように示すために使用され、UPF＋PGW−Uは、第2の規則指示情報に従ってダウンリンクデータパケット送信規則を有効にする。
【０４９５】
図12A、図12B、および図12Cは、本出願の一実施形態による、ハンドオーバ方法1200の概略フローチャートである。方法1200は、図2に示されたローミングシナリオ内のシステムアーキテクチャに適用されてよく、または方法1200は、別の同様のアーキテクチャに適用されてよい。
【０４９６】
第1のネットワークは5Gネットワークを含んでよく、第2のネットワークは4Gネットワークを含んでよいことを理解されたい。このことは、本出願のこの実施形態では限定されない。
【０４９７】
第1のネットワークにはPDUセッションに対応する制御プレーントンネルが存在しないことをさらに理解されたい。したがって、本出願のこの実施形態では、PDUセッションに対応するトンネルは、PDUセッションに対応するユーザプレーントンネルであり、PDUセッションに対応するトンネル情報は、PDUセッションに対応するユーザプレーントンネル情報である。
【０４９８】
S1201およびS1202はS1101およびS1102と同様である。
【０４９９】
S1203a〜S1205aはS1103a〜S1105aと同様である。
【０５００】
S1203b〜S1205bはS1103b〜S1105bと同様である。
【０５０１】
本出願のこの実施形態は、以下の可能な実装形態を提供する。
【０５０２】
オプションの方式1では、S1203aのみが実行され、S1204aおよびS1205aは実行されない。
【０５０３】
オプションの方式2では、S1203a〜S1205aが実行される。
【０５０４】
オプションの方式3では、S1203b〜S1205bが実行される。
【０５０５】
オプションの方式4では、S1203a〜1205aもS1203b〜1205bも実行されない。
【０５０６】
S1206．第2のネットワーク内の（図12A、図12B、および図12CのeNBなどの）ソースアクセスネットワークは、第2のネットワーク内のMMEにハンドオーバ要求を送信し、ハンドオーバ要求は、（第1のネットワーク内のgNBなどの）ターゲットアクセスネットワークに関する情報を搬送する。それに対応して、MMEはソースアクセスネットワークからハンドオーバ要求を受信する。
【０５０７】
本出願のこの実施形態におけるアクセスネットワークは、たとえば、基地局であってよいことを理解されたい。
【０５０８】
S1207はS1107と同様である。
【０５０９】
S1208．AMFがv−SMFを選択し、v−SMFにセッション確立要求を送信し、セッション確立要求は、PDN接続に対応するデフォルトのベアラ識別子、およびEPSベアラコンテキスト内のPDN接続に対応するSMF＋PGW−Cの識別子を搬送する。それに対応して、v−SMFはAMFからセッション確立要求を受信する。
【０５１０】
場合によっては、セッション確立要求は第4の指示情報を搬送し、第4の指示情報は、第2のネットワークから第1のネットワークに端末をハンドオーバするための準備をするように示すために使用される。
【０５１１】
場合によっては、第4の指示情報はデフォルトのベアラ識別子であってよい。
【０５１２】
場合によっては、第4のセッション管理要求は、デフォルトのベアラ識別子および第4の指示情報を搬送し、第4の指示情報は、第2のネットワークから第1のネットワークに端末をハンドオーバするための準備をするように示すために使用され、第4の指示情報は少なくとも1ビットであってよい。
【０５１３】
S1209．v−SMFが、SMF＋PGW−Cの識別子に基づいて、SMF＋PGW−Cにセッション修正要求を送信し、セッション修正要求は、PDN接続に対応するデフォルトのベアラ識別子を搬送する。それに対応して、SMF＋PGW−Cはv−SMFからセッション修正要求を受信する。
【０５１４】
可能な実装形態では、S1209におけるセッション修正要求内で搬送されるデフォルトのベアラ識別子は、第2のネットワークから第1のネットワークに端末をハンドオーバするための準備をするように、SMF＋PGW−Cを示すために使用されてよい。
【０５１５】
別の可能な実装形態では、S1209におけるセッション修正要求は、第1の指示情報をさらに搬送することができ、第1の指示情報は、第2のネットワークから第1のネットワークに端末をハンドオーバするための準備をするように、SMF＋PGW−Cを示すために使用され、第1の指示情報は、たとえば、少なくとも1ビットであってよい。
【０５１６】
方式1が使用された場合、S1209の後にS1204aおよびS1205aが実行される。
【０５１７】
方式4を使用された場合、S1209の後に方式2または方式3が実行される。
【０５１８】
S1210．SMF＋PGW−Cが、デフォルトのベアラ識別子に基づいてセッションコンテキストを照会し、セッションコンテキスト内の情報に基づいてN2セッション要求を生成し、N2セッション要求は、PDUセッションの識別子、PDUセッションに対応するS−NSSAI、セッションAMBR、およびPDUセッション内の各QoSフローに関する情報を含む。
【０５１９】
S1211．SMF＋PGW−Cが、S1210において受信されたN2セッション要求およびUPF＋PGW−U上のPDUセッションのアップリンクトンネル情報をv−SMFに送信する。それに対応して、v−SMFは、SMF＋PGW−Cから、S1210において受信されたN2セッション要求、およびUPF＋PGW−U上のPDUセッションのアップリンクトンネル情報を受信する。
【０５２０】
S1212．v−SMFがv−UPFを割り当て、v−UPFにN4セッション要求を送信し、N4セッション要求は、UPF＋PGW−U上のPDUセッションのアップリンクトンネル情報を搬送する。それに対応して、v−UPFはv−SMFからN4セッション要求を受信する。
【０５２１】
場合によっては、S1212の後、v−UPFからUPF＋PGW−Uへの対応するアップリンクトンネルがPDUセッション用のv−UPF上に確立され、v−UPF上のN3アップリンクトンネル情報が割り当てられる。
【０５２２】
S1213．v−SMFが、S1211において受信されたN2セッション要求にv−UPF上のN3アップリンクトンネル情報を追加する。
【０５２３】
S1214．v−SMFがAMFにセッション確立応答を送信し、AMFにN2セッション要求を送信する。それに対応して、AMFはv−SMFからセッション確立応答およびN2セッション要求を受信する。
【０５２４】
場合によっては、S1214の後、AMFは、第2のネットワークから第1のネットワークに端末をハンドオーバするための準備をするようにターゲット基地局に示し、たとえば、無線リソースを割り当てるようにターゲット基地局に示し、（基地局のダウンリンクトンネルなどの）基地局のトンネル情報を切り替えられるべきセッションに割り当てることができる。
【０５２５】
S1215．UEが（図12A、図12B、および図12CのgNBなどの）ターゲットアクセスネットワークにアクセスした後、ターゲットアクセスネットワークはAMFにハンドオーバ通知メッセージを送信する。それに対応して、AMFはターゲットアクセスネットワークからハンドオーバ通知メッセージを受信する。
【０５２６】
S1216．AMFがv−SMFにセッション更新要求を送信し、セッション更新要求は、アクセスネットワークの受信されたダウンリンクトンネル情報を搬送する。それに対応して、v−SMFはAMFからセッション更新要求を受信する。
【０５２７】
場合によっては、メッセージはハンドオーバ完了指示情報を搬送し、v−SMFは、指示に基づいてハンドオーバが完了したと判断することができる。
【０５２８】
S1217．v−SMFがv−UPFにN4セッション更新要求を送信し、N4セッション更新要求は、ターゲットアクセスネットワークのダウンリンクトンネル情報を搬送する。それに対応して、v−UPFはv−SMFからN4セッション更新要求を受信する。
【０５２９】
S1218．v−SMFがSMF＋PGW−Cにセッション更新要求を送信し、セッション更新要求はv−UPFのダウンリンクトンネル情報を搬送する。それに対応して、CMF＋PGW−Cはv−SMFからセッション更新要求を受信する。
【０５３０】
場合によっては、セッション更新要求はハンドオーバ完了指示情報をさらに搬送し、ハンドオーバ完了指示情報は、ハンドオーバが完了したことを示すために使用される。
【０５３１】
S1219．SMF＋PGW−CがUFP＋PGW−UにN4セッション更新要求を送信し、第3のセッション管理要求は、ダウンリンクデータ送信規則およびv−UPFのダウンリンクトンネル情報を搬送し、ダウンリンクデータ送信規則は、PDUセッションに対応するユーザプレーントンネルを介して、PDN接続に対応するユーザプレーン機能ネットワーク要素によって受信されたダウンリンクデータパケットを送信するように示すために使用される。
【０５３２】
S1220．SMF＋PGW−Cがv−SMFにセッション更新応答を送信する。それに対応して、v−SMFはSMF＋PGW−Cからセッション更新応答を受信する。
【０５３３】
S1221．v−SMFがAMFにセッション更新応答を送信する。それに対応して、AMFはv−SMFからセッション更新応答を受信する。
【０５３４】
可能な実装形態では、S1219における第3のセッション管理要求はダウンリンクデータ送信規則を搬送しなくてよく、ダウンリンクデータ送信規則はS1204aまたはS1203bにおける第1のセッション管理要求内で搬送されてよく、第1のセッション管理要求は第1の指示情報をさらに搬送し、第1の指示情報は、ダウンリンクデータ送信規則を有効にしないように示すために使用される。
【０５３５】
それに対応して、S1219における第3のセッション管理要求は第2の指示情報を搬送することができ、第2の指示情報は、ダウンリンクデータパケット送信規則を有効にするように示すために使用され、UPF＋PGW−Uは、第2の指示情報に従ってダウンリンクデータパケット送信規則を有効にする。
【０５３６】
場合によっては、SMF＋PGW−Cは、S1218におけるハンドオーバ完了指示情報に基づいて、ハンドオーバが完了したと判断して、ダウンリンク転送を有効にするようにPGW−U＋UPFに指示するか、またはダウンリンク転送を有効にするためにPGW−U＋UPFにダウンリンクデータ送信規則を送信することができる。
【０５３７】
上記は、図3〜図12Cを参照して、本出願の実施形態において提供されるハンドオーバ方法を記載し、以下で、図13〜図18を参照して、本出願の実施形態において提供されるハンドオーバ装置を記載する。
【０５３８】
図13は、本出願の一実施形態による、ハンドオーバ装置1300の概略ブロック図である。ハンドオーバ装置1300は、決定ユニット1310および取得ユニット1320を含む。
【０５３９】
決定ユニット1310は、第1のネットワーク内の端末のプロトコルデータユニットPDUセッションが第2のネットワーク内のパケットデータネットワークPDN接続に切り替えられるべきときに確立される必要がある少なくとも1つのベアラを決定するように構成される。
【０５４０】
取得ユニット1320は、PDN接続のトンネル情報を取得するように構成され、PDN接続のトンネル情報は、少なくとも1つのベアラの各々に対応するユーザプレーントンネル情報を含む。
【０５４１】
場合によっては、取得ユニット1320は、具体的に、対応するユーザプレーントンネル情報を少なくとも1つのベアラの各々に割り当てるか、または各ベアラに対応するユーザプレーントンネル情報を割り当てるように、PDUセッションに対応するユーザプレーン機能ネットワーク要素に要求し、PDUセッションに対応するユーザプレーン機能ネットワーク要素から、各ベアラに対応するユーザプレーントンネル情報を取得するように構成される。
【０５４２】
場合によっては、PDN接続のトンネル情報は、PDNに対応する制御プレーントンネル情報をさらに含み、取得ユニット1320は、PDN接続に対応する制御プレーントンネル情報を取得するようにさらに構成される。
【０５４３】
場合によっては、装置1300は、PDUセッションに対応するユーザプレーン機能ネットワーク要素に第1のセッション管理要求を送信するように構成された第1の送信ユニットをさらに含み、第1のセッション管理要求は、少なくとも1つのベアラの各々に対応するユーザプレーントンネルを確立または修正するように要求するために使用され、第1のセッション管理要求はアップリンクデータ送信規則を搬送し、アップリンクデータ送信規則は、PDN接続に対応するユーザプレーントンネルを介して受信されたアップリンクデータを転送する方法を、PDUセッションに対応するユーザプレーン機能ネットワーク要素に示すために使用される。
【０５４４】
場合によっては、取得ユニット1320は、少なくとも1つのベアラの各々に対応するベアラ識別子を取得するようにさらに構成される。
【０５４５】
場合によっては、取得ユニット1320は、具体的に、第2の制御プレーン機能ネットワーク要素を使用してモビリティ管理ネットワーク要素にベアラ識別子要求を送信し、ベアラ識別子要求は、少なくとも1つのベアラの各々にベアラ識別子を割り当てるように要求するために使用され、第2の制御プレーン機能ネットワーク要素はPDUセッションに対応する訪問先制御プレーンネットワーク要素であり、装置はPDUセッションに対応するホーム制御プレーンネットワーク要素であり、第2の制御プレーン機能ネットワーク要素を使用してモビリティ管理ネットワーク要素から、少なくとも1つのベアラの各々に対応するベアラ識別子を受信するように構成される。
【０５４６】
場合によっては、装置1300は、PDN接続のトンネル情報および少なくとも1つのベアラの各々に対応するベアラ識別子を第2の制御プレーン機能ネットワーク要素に送信するように構成された第2の送信ユニットをさらに含む。
【０５４７】
場合によっては、装置1300は、第2の制御プレーン機能ネットワーク要素にPDN接続のトンネル情報を送信するように構成された第3の送信ユニットをさらに含み、第2の制御プレーン機能ネットワーク要素はPDUセッションに対応する訪問先制御プレーンネットワーク要素であり、装置はPDUセッションに対応するホーム制御プレーンネットワーク要素であり、取得ユニット1320は、第2の制御プレーン機能ネットワーク要素から少なくとも1つのベアラの各々に対応するベアラ識別子を受信するようにさらに構成される。
【０５４８】
場合によっては、取得ユニット1320は、具体的に、端末のPDUセッションが第1のネットワーク内で確立される必要があるか、または第1のネットワーク内のPDUセッションが修正される必要があると判断すると、PDN接続のトンネル情報を取得するように構成される。
【０５４９】
場合によっては、装置1300は、PDUセッションに対応するユーザプレーン機能ネットワーク要素に、PDN接続に対応するダウンリンクデータ送信規則を送信するように構成された第4の送信ユニットをさらに含み、ダウンリンクデータ送信規則は、対応するユーザプレーントンネルを介して受信されたダウンリンクデータを転送するように、PDUセッションに対応するユーザプレーン機能ネットワーク要素に示すために使用される。
【０５５０】
本発明のこの実施形態では、決定ユニット1310はプロセッサを使用して実装されてよく、取得ユニット1320はトランシーバを使用して実装されてよいことに留意されたい。図14に示されたように、ハンドオーバ装置1400は、プロセッサ1410、メモリ1420、およびトランシーバ1430を含んでよい。メモリ1420は、プロセッサ1410などによって実行されるコードを記憶するように構成されてよく、プロセッサ1410は、データまたはプログラムを処理するように構成されてよい。
【０５５１】
一実装プロセスでは、前述の方法のステップは、プロセッサ1410内のハードウェアの集積論理回路を使用することにより、またはソフトウェアの形態の命令を使用することによって実装することができる。本発明の実施形態を参照して開示された方法のステップは、ハードウェアプロセッサによって直接実行されてもよく、プロセッサ内のハードウェアとソフトウェアモジュールの組合せを使用して実行されてもよい。ソフトウェアモジュールは、ランダムアクセスメモリ、フラッシュメモリ、読取り専用メモリ、プログラマブル読取り専用メモリ、電気的消去可能プログラマブルメモリ、またはレジスタなどの、当技術分野の成熟記憶媒体内に配置されてよい。記憶媒体はメモリ1420内に配置され、プロセッサ1410はメモリ1420内の情報を読み取り、プロセッサのハードウェアと組み合わせて前述の方法のステップを完了する。繰返しを避けるために、詳細は本明細書では再び記載されない。
【０５５２】
図13に示されたハンドオーバ装置1300または図14に示されたハンドオーバ装置1400は、前述の方法実施形態における第1の制御プレーン機能ネットワーク要素に対応するプロセスを実装することができる。具体的には、ハンドオーバ装置1300またはハンドオーバ装置1400については、前述の説明が参照されてよい。繰返しを避けるために、詳細は本明細書では再び記載されない。
【０５５３】
図15は、本出願の一実施形態による、別のハンドオーバ装置1500の概略ブロック図である。ハンドオーバ装置は、取得ユニット1510および送信ユニット1520を含む。
【０５５４】
取得ユニット1510は、第1の制御プレーン機能ネットワーク要素からパケットデータネットワークPDN接続のトンネル情報を受信するように構成され、PDN接続のトンネル情報は、少なくとも1つのベアラの各々に対応するユーザプレーントンネル情報を含み、装置はPDN接続に対応する訪問先制御プレーンネットワーク要素であり、第1の制御プレーン機能ネットワーク要素はPDN接続に対応するホーム制御プレーンネットワーク要素である。
【０５５５】
送信ユニット1520は、モビリティ管理ネットワーク要素にPDN接続のトンネル情報を送信するように構成される。
【０５５６】
場合によっては、PDN接続のトンネル情報は、PDN接続に対応する制御プレーントンネル情報をさらに含む。
【０５５７】
場合によっては、送信ユニット1520は、モビリティ管理ネットワーク要素に、第1の制御プレーン機能によってモビリティ管理ネットワーク要素に送信されたベアラ識別子要求を転送し、ベアラ識別子要求は、少なくとも1つのベアラの各々にベアラ識別子を割り当てるように要求するために使用され、第1の制御プレーン機能ネットワーク要素に、少なくとも1つのベアラの各々に対応し、モビリティ管理ネットワーク要素によって第1の制御プレーン機能に送信されたベアラ識別子を転送するようにさらに構成される。
【０５５８】
場合によっては、取得ユニット1510は、第1の制御プレーン機能ネットワーク要素から少なくとも1つのベアラの各々に対応するベアラ識別子を受信するようにさらに構成される。
【０５５９】
場合によっては、送信ユニット1520は、PDN接続のトンネル情報に基づいてモビリティ管理ネットワーク要素にベアラ識別子要求を送信するようにさらに構成され、ベアラ識別子要求は、少なくとも1つのベアラの各々にベアラ識別子を割り当てるように要求するために使用され、取得ユニット1510は、モビリティ管理ネットワーク要素から少なくとも1つのベアラの各々に対応するベアラ識別子を受信するようにさらに構成される。
【０５６０】
場合によっては、装置は格納ユニットをさらに含み、格納ユニットは、少なくとも1つのベアラの各々に対応するベアラ識別子を格納するように構成され、送信ユニット1520は、少なくとも1つのベアラの各々に対応するベアラ識別子を第1の制御プレーン機能ネットワーク要素に送信するようにさらに構成される。
【０５６１】
本発明のこの実施形態では、取得ユニット1510および送信ユニット1520は、トランシーバを使用して実装されてよいことに留意されたい。図16に示されたように、ハンドオーバ装置1600は、プロセッサ1610、メモリ1620、およびトランシーバ1630を含んでよい。メモリ1620は、プロセッサ1610などによって実行されるコードを記憶するように構成されてよく、プロセッサ1610は、データまたはプログラムを処理するように構成されてよい。
【０５６２】
一実装プロセスでは、前述の方法のステップは、プロセッサ1610内のハードウェアの集積論理回路を使用することにより、またはソフトウェアの形態の命令を使用することによって実装することができる。本発明の実施形態を参照して開示された方法のステップは、ハードウェアプロセッサによって直接実行されてもよく、プロセッサ内のハードウェアとソフトウェアモジュールの組合せを使用して実行されてもよい。ソフトウェアモジュールは、ランダムアクセスメモリ、フラッシュメモリ、読取り専用メモリ、プログラマブル読取り専用メモリ、電気的消去可能プログラマブルメモリ、またはレジスタなどの、当技術分野の成熟記憶媒体内に配置されてよい。記憶媒体はメモリ1620内に配置され、プロセッサ1610はメモリ1620内の情報を読み取り、プロセッサのハードウェアと組み合わせて前述の方法のステップを完了する。繰返しを避けるために、詳細は本明細書では再び記載されない。
【０５６３】
図15に示されたハンドオーバ装置1500または図16に示されたハンドオーバ装置1600は、前述の方法実施形態における第2の制御プレーンネットワークに対応するプロセスを実装することができる。具体的には、ハンドオーバ装置1500またはハンドオーバ装置1600については、前述の説明が参照されてよい。繰返しを避けるために、詳細は本明細書では再び記載されない。
【０５６４】
図17は、本出願の一実施形態による、ハンドオーバ装置1700の概略ブロック図である。ハンドオーバ装置1700は、決定ユニット1710および取得ユニット1720を含む。
【０５６５】
決定ユニット1710は、第2のネットワーク内の端末のパケットデータネットワークPDN接続が、第1のネットワーク内のプロトコルデータユニットPDUセッションに切り替えられる必要があると判断するように構成される。
【０５６６】
取得ユニット1720は、PDUセッションに対応するユーザプレーントンネル情報を取得するように構成される。
【０５６７】
場合によっては、取得ユニット1720は、具体的に、PDUセッションに対応するユーザプレーントンネル情報をPDUセッションに割り当てるか、またはPDUセッションに対応するユーザプレーントンネル情報を割り当てるように、PDN接続に対応するユーザプレーン機能ネットワーク要素に要求し、PDN接続に対応するユーザプレーン機能ネットワーク要素からPDUセッションに対応するユーザプレーントンネル情報を取得するように構成される。
【０５６８】
場合によっては、装置1700は、PDN接続に対応するユーザプレーン機能ネットワーク要素に第1のセッション管理要求を送信するように構成された第1の送信ユニットをさらに含み、第1のセッション管理要求は、PDUセッションに対応するユーザプレーントンネルを確立または修正するように要求するために使用され、第1のセッション管理要求はアップリンクデータ送信規則を搬送し、アップリンクデータ送信規則は、PDUセッションに対応するユーザプレーントンネルを介して受信されたアップリンクデータを転送する方法を、PDN接続に対応するユーザプレーン機能ネットワーク要素に示すために使用される。
【０５６９】
場合によっては、第1の送信ユニットは、アップリンクデータ送信規則が変わったと判断すると、PDN接続に対応するユーザプレーン機能ネットワーク要素に更新されたアップリンクデータ送信規則を送信するようにさらに構成される。
【０５７０】
場合によっては、取得ユニット1720は、第2のセッション管理要求を受信するようにさらに構成され、第2のセッション管理要求は第1の指示情報を搬送し、第1の指示情報は、第2のネットワークから第1のネットワークに端末をハンドオーバするための準備をするように示すために使用される。
【０５７１】
場合によっては、装置1700は、PDN接続に対応するユーザプレーン機能ネットワーク要素に、PDUセッションに対応するダウンリンクデータ送信規則を送信するように構成された第2の送信ユニットをさらに含み、ダウンリンクデータ送信規則は、PDUセッションに対応するユーザプレーントンネルを介して、PDN接続に対応するユーザプレーン機能ネットワーク要素によって受信されたダウンリンクデータパケットを送信するように示すために使用される。
【０５７２】
本発明のこの実施形態では、決定ユニット1710はプロセッサを使用して実装されてよく、取得ユニット1720はトランシーバを使用して実装されてよいことに留意されたい。図18に示されたように、通信装置1800は、プロセッサ1810、メモリ1820、およびトランシーバ1830を含んでよい。メモリ1820は、プロセッサ1810などによって実行されるコードを記憶するように構成されてよく、プロセッサ1810は、データまたはプログラムを処理するように構成されてよい。
【０５７３】
一実装プロセスでは、前述の方法のステップは、プロセッサ1810内のハードウェアの集積論理回路を使用することにより、またはソフトウェアの形態の命令を使用することによって実装することができる。本発明の実施形態を参照して開示された方法のステップは、ハードウェアプロセッサによって直接実行されてもよく、プロセッサ内のハードウェアとソフトウェアモジュールの組合せを使用して実行されてもよい。ソフトウェアモジュールは、ランダムアクセスメモリ、フラッシュメモリ、読取り専用メモリ、プログラマブル読取り専用メモリ、電気的消去可能プログラマブルメモリ、またはレジスタなどの、当技術分野の成熟記憶媒体内に配置されてよい。記憶媒体はメモリ1820内に配置され、プロセッサ1810はメモリ1820内の情報を読み取り、プロセッサのハードウェアと組み合わせて前述の方法のステップを完了する。繰返しを避けるために、詳細は本明細書では再び記載されない。
【０５７４】
図17に示されたハンドオーバ装置1700または図18に示されたハンドオーバ装置1800は、前述の方法実施形態における第1の制御プレーン機能ネットワーク要素に対応するプロセスを実装することができる。具体的には、ハンドオーバ装置1700またはハンドオーバ装置1800については、前述の説明が参照されてよい。繰返しを避けるために、詳細は本明細書では再び記載されない。
【０５７５】
本出願の一実施形態は、コンピュータプログラムを記憶するように構成されたコンピュータ可読媒体をさらに提供する。コンピュータプログラムは、前述の方法実施形態における第1の制御プレーン機能ネットワーク要素または第2の制御プレーン機能ネットワーク要素に対応する方法を実行するために使用される命令を含む。
【０５７６】
本出願の一実施形態は、コンピュータプログラム製品をさらに提供する。コンピュータプログラム製品はコンピュータプログラムコードを含む。コンピュータプログラムコードが通信ユニットおよび処理ユニットまたは（端末デバイスもしくはネットワークデバイスなどの）通信デバイスのトランシーバおよびのプロセッサによって実行されると、通信デバイスは、前述の方法実施形態のいずれか1つにおける第1の制御プレーン機能ネットワーク要素または第2の制御プレーン機能ネットワーク要素に対応する方法を実行することが可能になる。
【０５７７】
本出願の一実施形態は通信チップをさらに提供し、通信チップは命令を記憶する。命令が通信装置上で実行されると、通信チップは、前述の方法実施形態における第1の制御プレーン機能ネットワーク要素または第2の制御プレーン機能ネットワーク要素に対応する方法を実行することが可能になる。
【０５７８】
本出願の実施形態は、別々にまたは一緒に使用されてよい。このことは本明細書では限定されない。
【０５７９】
本出願の実施形態における「第1」および「第2」などの説明は、例としてのみ使用され、対象を区別するために使用されるが、本出願の実施形態における順番を示したり、デバイスの数量に関する具体的な制限を示したりせず、本出願の実施形態に対するいかなる制限も構成することができないことを理解されたい。
【０５８０】
前述のプロセスのシーケンス番号は、本出願の様々な実施形態における実行順序を意味しないことを理解されたい。プロセスの実行順序は、プロセスの機能および内部ロジックに基づいて決定されるべきであり、本出願の実施形態の実装プロセスに対するいかなる制限とも解釈されるべきではない。
【０５８１】
本明細書に開示された実施形態を参照して記載された例におけるユニットおよびアルゴルズムステップは、電子ハードウェアまたはコンピュータソフトウェアと電子ハードウェアの組合せによって実装され得ることを、当業者なら認識されよい。機能がハードウェアによって実行されるか、またはソフトウェアによって実行されるかは、技術的解決策の特定の用途および設計制約に依存する。当業者は、様々な方法を使用して、特定の用途ごとに記載された機能を実装することができるが、その実装形態が本出願の範囲を超えると考えられるべきではない。
【０５８２】
容易かつ簡潔な説明の目的で、上記のシステム、装置、およびユニットの詳細な動作プロセスについては、上記の方法実施形態における対応するプロセスが参照されてよく、詳細は本明細書では再び記載されないことは当業者なら明確に理解されよう
【０５８３】
本出願において提供されたいくつかの実施形態では、開示されたシステム、装置、および方法は他の方式で実装されてよいことを理解されたい。たとえば、記載された装置実施形態は一例にすぎない。たとえば、ユニット分割は論理的な機能分割にすぎず、実際の実装形態では他の分割であってよい。たとえば、複数のユニットまたは構成要素は組み合わされてよく、別のシステムに統合されてよく、または、いくつかの特徴は無視されるか、もしくは実行されなくてよい加えて、表示または説明された相互結合または直接結合または通信接続は、いくつかのインターフェースを使用して実装されてよい。装置間またはユニット間の間接結合または通信接続は、電気、機械、または他の形態で実装されてよい。
【０５８４】
別個の部分として記載されたユニットは、物理的に分かれていてもいなくてもよく、ユニットとして表示された部分は、物理ユニットであってもそうでなくてもよく、1つの場所に配置されてもよく、複数のネットワークユニット上に分散されてもよい。ユニットの一部またはすべては、実施形態の解決策の目的を達成するために、実際の要件に応じて選択されてよい。
【０５８５】
加えて、本出願の実施形態における機能ユニットは1つの処理ユニットに統合されてよく、またはユニットの各々は物理的に単独で存在してよく、または2つ以上のユニットが1つのユニットに統合されてよい。
【０５８６】
機能がソフトウェア機能ユニットの形態で実装され、独立した製品として販売または使用されるとき、機能はコンピュータ可読記憶媒体に記憶されてよい。そのような理解に基づいて、本出願の技術的解決策は本質的に、または従来技術に寄与する部分は、または技術的解決策の一部は、ソフトウェア製品の形態で実装されてよい。コンピュータソフトウェア製品は、記憶媒体に記憶され、本出願の実施形態に記載された方法のステップのうちのすべてまたはいくつかを実行するように、（パーソナルコンピュータ、サーバ、ネットワークデバイスなどであり得る）コンピュータデバイスに命令するためのいくつかの命令を含む。前述の記憶媒体には、USBフラッシュドライブ、リムーバブルハードディスク、読取り専用メモリ（read−only memory、ROM）、ランダムアクセスメモリ（random access memory、RAM）、磁気ディスク、または光ディスクなどの、プログラムコードを記憶することができる任意の媒体が含まれる。
【０５８７】
前述の説明は、本出願の具体的な実装形態にすぎず、本出願の保護範囲を限定するものではない。本出願に開示された技術的範囲内で当業者が容易に考え付くいかなる変形または置換も、本出願の保護範囲内に入るべきである。したがって、本出願の保護範囲は、特許請求の範囲の保護範囲に従うべきである。
【符号の説明】
【０５８８】
100  システムアーキテクチャ
200  システムアーキテクチャ
300  ハンドオーバ方法
400  ハンドオーバ方法
500  ハンドオーバ方法
600  ハンドオーバ方法
700  ハンドオーバ方法
800  ハンドオーバ方法
900  ハンドオーバ方法
1000  ハンドオーバ方法
1100  ハンドオーバ方法
1200  ハンドオーバ方法
1300  ハンドオーバ装置
1310  決定ユニット
1320  取得ユニット
1400  ハンドオーバ装置
1410  プロセッサ
1420  メモリ
1430  トランシーバ
1500  ハンドオーバ装置
1510  取得ユニット
1520  送信ユニット
1600  ハンドオーバ装置
1610  プロセッサ
1620  メモリ
1630  トランシーバ
1700  ハンドオーバ装置
1710  決定ユニット
1720  取得ユニット
1800  ハンドオーバ装置
1810  プロセッサ
1820  メモリ
1830  トランシーバ
【図１】
2021513814.tif 000003
【図２】
2021513814.tif 000004
【図３】
2021513814.tif 000005
【図４】
2021513814.tif 000006
【図５】
2021513814.tif 000007
【図６Ａ】
2021513814.tif 000008
【図６Ｂ】
2021513814.tif 000009
【図６Ｃ】
2021513814.tif 000010
【図７Ａ】
2021513814.tif 000011
【図７Ｂ】
2021513814.tif 000012
【図７Ｃ】
2021513814.tif 000013
【図８Ａ】
2021513814.tif 000014
【図８Ｂ】
2021513814.tif 000015
【図９Ａ】
2021513814.tif 000016
【図９Ｂ】
2021513814.tif 000017
【図９Ｃ】
2021513814.tif 000018
【図１０Ａ】
2021513814.tif 000019
【図１０Ｂ】
2021513814.tif 000020
【図１０Ｃ】
2021513814.tif 000021
【図１１Ａ】
2021513814.tif 000022
【図１１Ｂ】
2021513814.tif 000023
【図１２Ａ】
2021513814.tif 000024
【図１２Ｂ】
2021513814.tif 000025
【図１２Ｃ】
2021513814.tif 000026
【図１３】
2021513814.tif 000027
【図１４】
2021513814.tif 000028
【図１５】
2021513814.tif 000029
【図１６】
2021513814.tif 000030
【図１７】
2021513814.tif 000031
【図１８】
2021513814.tif 000032
【手続補正書】
【提出日】令和2年10月1日(2020.10.1)
【手続補正１】
【補正対象書類名】明細書
【補正対象項目名】全文
【補正方法】変更
【補正の内容】
【発明の詳細な説明】
【技術分野】
【０００１】
関連出願の相互参照
本出願は、参照によりその全体が本明細書に組み込まれる、2018年2月14日に中国国家知識産権局に出願され、「HANDOVER METHOD AND APPARATUS」と題する、中国特許出願第201810152399．3号の優先権を主張する。
【０００２】
本出願は、通信分野に関し、より詳細には、通信分野におけるハンドオーバ方法および装置に関する。
【背景技術】
【０００３】
ワイヤレス通信技術の急速な発展に伴い、第5世代（fifth generation、5G）のモバイル通信技術が登場した。ネットワーク展開の初期段階では、5Gネットワークの不十分なカバレージに起因して、ユーザ機器（user equipment、UE）の位置が変わると、UEは5Gネットワークと第4世代（fourth generation、4G）ネットワークとの間をハンドオーバする必要がある。
【０００４】
4Gネットワークでは、1つのパケットデータネットワーク（packet data network、PDN）接続が1つまたは複数のベアラ（bearer）に対応している。各ベアラは1つまたは複数のデータフローを含む。システムは、PDN接続に対応するベアラごとに対応するトンネルを確立する。ハンドオーバ準備プロセスでは、ソースモビリティ管理エンティティ（mobility management entity、MME）がPDN接続に対応する各ベアラのトンネル情報をターゲットMMEに送信し、ベアラごとに、ターゲットアクセスネットワークからパケットデータネットワーク（packet data network、PDN）ゲートウェイユーザプレーン機能（PDN gateway user plane function、PGW−U）へのアップリンクトンネルを確立する。
【０００５】
5Gネットワーク内の1つのプロトコルデータユニット（protocol data unit、PDU）セッションは、4Gネットワーク内の1つのPDN接続に相当する。1つのPDUセッションは1つまたは複数のデータフローを含み、PDUセッション内のすべてのデータフローは1つのトンネルを共有する。
【０００６】
5Gネットワークでは、1つのPDUセッションに1つのトンネルが使用されるが、4Gネットワークでは、1つのPDN接続のベアラごとに1つのトンネルが必要とされる。したがって、UEが5Gネットワークから4Gネットワークにハンドオーバされるとき、1つのトンネルを複数のトンネルにどのようにマッピングするかという問題が存在し、同様に、UEが4Gネットワークから5Gネットワークにハンドオーバされるとき、複数のトンネルを1つのトンネルにどのようにマッピングするかという問題が存在する。
【発明の概要】
【０００７】
したがって、4Gネットワークと5Gネットワークとの間でUEがハンドオーバされるとき、データが正常に受信および処理されない可能性があり、その結果、データが失われる。
【課題を解決するための手段】
【０００８】
本出願はハンドオーバ方法および装置を提供し、その結果、ネットワークハンドオーバプロセスにおけるデータ損失を防止することができ、それにより、正常なデータ伝送が保証される。
【０００９】
第1の態様によれば、本出願はハンドオーバ方法を提供する。方法は、第1の制御プレーン機能ネットワーク要素により、第1のネットワーク内の端末のプロトコルデータユニットPDUセッションが第2のネットワーク内のパケットデータネットワークPDN接続に切り替えられるべきときに確立される必要がある少なくとも1つのベアラを決定するステップと、第1の制御プレーン機能ネットワーク要素により、PDN接続のトンネル情報を取得するステップであって、PDN接続のトンネル情報が少なくとも1つのベアラの各々に対応するユーザプレーントンネル情報を含む、ステップとを含む。
【００１０】
本出願のこの実施形態において提供されるハンドオーバ方法によれば、第1の制御プレーン機能ネットワーク要素は、第1のネットワーク内の端末のPDUセッションが第2のネットワーク内のPDN接続に切り替えられるべきときに確立される必要がある少なくとも1つのベアラを決定し、少なくとも1つのベアラの各々に対応するユーザプレーントンネル情報を取得し、その結果、第1の制御プレーン機能ネットワーク要素は、PDUセッションがPDN接続に切り替えられるべきときにPDN接続内のベアラに対応するユーザプレーントンネルを確立する。これは、ネットワークハンドオーバプロセスにおいてPDN接続に含まれるベアラ内のデータパケットの損失を防止するのに役立ち、それにより、データパケットの正常な送信が保証される。
【００１１】
第1のネットワークは5Gネットワークを含んでよく、第2のネットワークは4Gネットワークを含んでよいことを理解されたい。第1のネットワーク内のPDUセッションは第2のネットワーク内のPDN接続に相当することをさらに理解されたい。
【００１２】
第1の制御プレーン機能ネットワーク要素は、たとえば、SMF−PGW−Cであってよいことを理解されたい。
【００１３】
場合によっては、各ベアラに対応するユーザプレーントンネル情報は、ベアラに対応するユーザプレーントンネルのトンネル識別子、およびトンネルに対応するインターネットプロトコル（Internet Protocol、IP）アドレスなどのユーザプレーントンネルに関する他の情報を含んでよい。このことは、本出願のこの実施形態では限定されない。
【００１４】
場合によっては、第1の制御プレーン機能ネットワーク要素は、複数の場合において、第1のネットワーク内のPDUセッションが確立または修正される必要があると判断することができる。このことは、本出願のこの実施形態では限定されない。
【００１５】
可能な実装形態では、第1の制御プレーン機能ネットワーク要素は、AMFから第1の要求メッセージを受信する場合があり、第1の要求メッセージは、第1のネットワーク内のPDUセッションを確立するように要求するために使用され、PDUセッションは少なくとも1つのデータフローを含み、第1の制御プレーン機能ネットワーク要素は、第1の要求メッセージに基づいて、第1のネットワーク内のPDUセッションが確立される必要があると判断する。
【００１６】
別の可能な実装形態では、第1の制御プレーン機能ネットワーク要素は、別のネットワーク要素から第2の要求メッセージを受信する場合があり、第2の要求メッセージは、第1のネットワーク内のPDUセッションを修正するように第1の制御プレーン機能ネットワーク要素をトリガするために使用され、たとえば、第2の要求メッセージは、少なくとも1つのデータフローをPDUセッションに追加するように第1の制御プレーン機能ネットワーク要素をトリガするために使用される。
【００１７】
さらに別の可能な実装形態では、第1の制御プレーン機能ネットワーク要素は、第1の制御プレーン機能ネットワーク要素のプロセスにより、第1のネットワーク内のPDUセッションを修正するようにトリガされる場合がある。
【００１８】
場合によっては、第1の制御プレーン機能ネットワーク要素は、少なくとも1つのデータフローおよび割当てポリシーに基づいて少なくとも1つのベアラを決定することができる。
【００１９】
場合によっては、少なくとも1つのデータフローは、たとえば、サービス品質（quality of service、QoS）フロー（flow）であってよい。QoSフローは、保証されたビットレート（guaranteed bit rate、GBR）のQoSフローまたは非GBRのQoSフローであってよい。
【００２０】
場合によっては、割当てポリシーは事前に構成されてもよく、指示情報を使用して別のネットワーク要素によって示されてもよい。このことは、本出願のこの実施形態では限定されない。
【００２１】
第1の態様を参照して、いくつかの可能な実装形態では、第1の制御プレーン機能ネットワーク要素により、PDN接続のトンネル情報を取得するステップであって、PDN接続のトンネル情報が少なくとも1つのベアラの各々に対応するユーザプレーントンネル情報を含む、ステップは、第1の制御プレーン機能ネットワーク要素により、対応するユーザプレーントンネル情報を少なくとも1つのベアラの各々に割り当てるステップ、または、第1の制御プレーン機能ネットワーク要素により、各ベアラに対応するユーザプレーントンネル情報を割り当てるように、PDUセッションに対応するユーザプレーン機能ネットワーク要素に要求し、PDUセッションに対応するユーザプレーン機能ネットワーク要素から各ベアラに対応するユーザプレーントンネル情報を取得するステップを含む。
【００２２】
場合によっては、第1の制御プレーン機能ネットワーク要素は、複数の方式で、少なくとも1つのベアラの各々に対応するユーザプレーントンネル情報を取得することができる。このことは、本出願のこの実施形態では限定されない。
【００２３】
可能な実装形態では、第1の制御プレーン機能ネットワーク要素自体が、少なくとも1つのベアラの各々にユーザプレーントンネル情報を割り当てることができる。
【００２４】
別の可能な実装形態では、第1の制御プレーン機能ネットワーク要素は、少なくとも1つのベアラの各々にユーザプレーントンネル情報を割り当てるように、PDUセッションに対応するユーザプレーン機能ネットワーク要素に要求し、PDUセッションに対応するユーザプレーン機能ネットワーク要素から、各ベアラに対応するユーザプレーントンネル情報を取得することができる。
【００２５】
第1の態様を参照して、いくつかの可能な実装形態では、PDN接続のトンネル情報はPDN接続に対応する制御プレーントンネル情報をさらに含み、第1の制御プレーン機能ネットワーク要素により、PDN接続のトンネル情報を取得するステップは、第1の制御プレーン機能ネットワーク要素により、PDN接続に対応する制御プレーントンネル情報を取得するステップをさらに含む。
【００２６】
場合によっては、PDN接続に対応する制御プレーントンネル情報は、PDN接続に対応する制御プレーントンネルのトンネル識別子、および制御プレーントンネルに対応するインターネットプロトコル（Internet Protocol、IP）アドレスなどの制御プレーントンネルに関する他の情報を含んでよい。このことは、本出願のこの実施形態では限定されない。
【００２７】
本出願のこの実施形態において提供されるハンドオーバ方法によれば、PDN接続に対応するトンネル情報は、PDN接続に対応する制御プレーントンネル情報をさらに含み、その結果、第1の制御プレーン機能ネットワーク要素は、PDUセッションに対応するPDN接続に対応する制御プレーントンネルを確立する。これは、ネットワークハンドオーバプロセスにおいてPDN接続の制御シグナリングの損失を防止するのに役立ち、それにより、制御シグナリングの正常な送信が保証される。
【００２８】
第1の態様を参照して、いくつかの可能な実装形態では、方法は、第1の制御プレーン機能ネットワーク要素により、PDUセッションに対応するユーザプレーン機能ネットワーク要素に第1のセッション管理要求を送信するステップをさらに含み、第1のセッション管理要求は、少なくとも1つのベアラの各々に対応するユーザプレーントンネルを確立または修正するように要求するために使用され、第1のセッション管理要求はアップリンクデータ送信規則を搬送し、アップリンクデータ送信規則は、PDN接続に対応するユーザプレーントンネルを介して受信されたアップリンクデータを転送する方法を、PDUセッションに対応するユーザプレーン機能ネットワーク要素に示すために使用される。
【００２９】
場合によっては、第1の制御プレーンネットワーク要素自体が、少なくとも1つのベアラの各々にユーザプレーントンネル情報を割り当てるとき、第1の制御プレーン機能ネットワーク要素は、少なくとも1つのベアラの各々に対応するユーザプレーントンネル情報を第1のセッション管理要求に追加することができ、第1の制御プレーン機能ネットワーク要素が、少なくとも1つのベアラの各々にユーザプレーントンネル情報を割り当てるように、PDUセッションに対応するユーザプレーン機能ネットワーク要素に要求するとき、PDUセッションに対応するユーザプレーン機能ネットワーク要素は、少なくとも1つのベアラの各々に対応するユーザプレーントンネル情報を第1のセッション管理応答に追加することができる。
【００３０】
少なくとも1つのベアラの各々に対応するユーザプレーントンネル情報およびベアラに対応するアップリンクデータ送信規則を知った後、PDUセッションに対応するユーザプレーン機能ネットワーク要素は、PDUセッションに対応するユーザプレーン機能ネットワーク要素上にベアラのアップリンクユーザプレーントンネルを確立することができる。
【００３１】
第1の態様を参照して、いくつかの可能な実装形態では、方法は、第1の制御プレーン機能ネットワーク要素により、少なくとも1つのベアラの各々に対応するベアラ識別子を取得するステップをさらに含む。
【００３２】
第1の態様を参照して、いくつかの可能な実装形態では、少なくとも1つのベアラの各々に対応するベアラ識別子を取得するステップは、第1の制御プレーン機能ネットワーク要素により、第2の制御プレーン機能ネットワーク要素を使用してモビリティ管理ネットワーク要素にベアラ識別子要求を送信するステップであって、ベアラ識別子要求が、少なくとも1つのベアラの各々にベアラ識別子を割り当てるように要求するために使用され、第2の制御プレーン機能ネットワーク要素が、PDUセッションに対応する訪問先制御プレーンネットワーク要素であり、第1の制御プレーン機能ネットワーク要素が、PDUセッションに対応するホーム制御プレーンネットワーク要素である、ステップと、第1の制御プレーン機能ネットワーク要素により、第2の制御プレーン機能ネットワーク要素を使用してモビリティ管理ネットワーク要素から、少なくとも1つのベアラの各々に対応するベアラ識別子を受信するステップとを含む。
【００３３】
可能な実装形態では、第1の制御プレーン機能ネットワーク要素は、モビリティ管理ネットワーク要素にベアラ識別子要求を送信する場合があり、ベアラ識別子要求は、少なくとも1つのベアラの各々にベアラ識別子を割り当てるために使用される。それに対応して、モビリティ管理ネットワーク要素は、第1の制御プレーン機能ネットワーク要素からベアラ識別子要求を受信し、ベアラ識別子要求に基づいて各ベアラにベアラ識別子を割り当て、少なくとも1つのベアラの各々に対応するベアラ識別子を第1の制御プレーン機能ネットワーク要素に送信する。
【００３４】
第1の制御プレーン機能ネットワーク要素は、PDN接続に対応するベアラコンテキストに、取得された少なくとも1つのベアラの各々に対応するユーザプレーントンネル情報、各ベアラに対応するベアラ識別子、およびPDN接続に対応する制御プレーントンネル情報を格納し、ハンドオーバ準備中にモビリティ管理ネットワーク要素にベアラコンテキストを送信することができることに留意されたい。
【００３５】
それに対応して、モビリティ管理ネットワーク要素は、PDN接続に対応するベアラコンテキストに基づいて、第2のネットワーク内のサービングゲートウェイSGWからPDUセッションに対応するユーザプレーン機能ネットワーク要素へのアップリンクトンネルを確立することができる。
【００３６】
可能な実装形態では、第1の制御プレーン機能ネットワーク要素は、第2の制御プレーン機能ネットワーク要素を使用してモビリティ管理ネットワーク要素にベアラ識別子要求を送信し、ベアラ識別子要求は、少なくとも1つのベアラの各々にベアラ識別子を割り当てるように要求するために使用され、第1の制御プレーン機能ネットワーク要素は、第2の制御プレーン機能ネットワーク要素を使用してモビリティ管理ネットワーク要素から、少なくとも1つのベアラの各々に対応するベアラ識別子を受信する。
【００３７】
少なくとも1つのベアラの各々に対応するユーザプレーントンネル情報、各ベアラに対応するベアラ識別子、およびPDN接続に対応する制御プレーントンネル情報を取得した後、第1の制御プレーン機能ネットワーク要素は、PDUセッションの確立／修正中に、少なくとも1つのベアラの各々に対応するユーザプレーントンネル情報、各ベアラに対応するベアラ識別子、およびPDN接続に対応する制御プレーントンネル情報を第2の制御プレーン機能ネットワーク要素に送信することができることに留意されたい。
【００３８】
それに対応して、第2の制御プレーン機能ネットワーク要素は、PDN接続のベアラコンテキストに、第1の制御プレーン機能ネットワーク要素から取得された少なくとも1つのベアラの各々に対応するユーザプレーントンネル情報、各ベアラに対応するベアラ識別子、およびPDN接続に対応する制御プレーントンネル情報を格納することができる。
【００３９】
別の可能な実装形態では、第1の制御プレーン機能ネットワーク要素は、第2の制御プレーン機能ネットワーク要素にPDN接続のトンネル情報を送信し、第2の制御プレーン機能ネットワーク要素から少なくとも1つのベアラの各々に対応するベアラ識別子を取得することができる。それに対応して、第2の制御プレーン機能ネットワーク要素は、少なくとも1つのベアラの各々に対応するベアラ識別子を格納することができる。
【００４０】
言い換えれば、第1の制御プレーン機能ネットワーク要素は、第2の制御プレーン機能ネットワーク要素にPDN接続のトンネル情報を送信し、第2の制御プレーン機能ネットワーク要素は、PDN接続のトンネル情報に基づいて、モビリティ管理ネットワーク要素が少なくとも1つのベアラの各々にベアラ識別子を割り当てるように要求される必要があるかどうかを判定し、モビリティ管理ネットワーク要素が少なくとも1つのベアラの各々にベアラ識別子を割り当てるように要求される必要があるとき、モビリティ管理ネットワーク要素にベアラ識別子要求を送信する。
【００４１】
具体的には、第1の制御プレーン機能ネットワーク要素は、最初に、各ベアラに対応するユーザプレーントンネル情報に関連付けられたベアラ識別子がPDN接続の取得されたトンネル情報に存在するかどうかを確認し、少なくとも1つのベアラのいくつかにベアラ識別子が割り当てられていない場合、第1の制御プレーン機能ネットワーク要素は、ベアラにベアラ識別子を割り当てるようにモビリティ管理ネットワーク要素に要求する。
【００４２】
第2の制御プレーン機能ネットワーク要素は、PDN接続のベアラコンテキストに、少なくとも1つのベアラの各々に対応するユーザプレーントンネル情報、各ベアラに対応するベアラ識別子、およびPDN接続に対応する制御プレーントンネル情報を格納することができることに留意されたい。
【００４３】
第2の制御プレーン機能ネットワーク要素によって格納されたPDN接続に対応するベアラコンテキストは、少なくとも1つのベアラの各々に対応するユーザプレーントンネル情報、各ベアラに対応するベアラ識別子、およびPDN接続に対応する制御プレーントンネル情報を含むので、モビリティ管理ネットワーク要素は、ハンドオーバ準備中に第2の制御プレーン機能ネットワーク要素からPDN接続に対応するベアラコンテキストを取得し、PDN接続に対応するベアラコンテキストに基づいて、第2のネットワーク内のサービングゲートウェイSGWからPDUセッションに対応するユーザプレーン機能ネットワーク要素へのアップリンクトンネルを確立することができる。
【００４４】
本出願のこの実施形態において提供されるハンドオーバ方法によれば、第2の制御プレーン機能ネットワーク要素は、PDUセッションに対応する訪問先制御プレーンネットワーク要素なので、第1の制御プレーン機能ネットワーク要素からPDN接続に対応するベアラコンテキストを取得することと比較して、モビリティ管理ネットワーク要素により、第2の制御プレーン機能ネットワーク要素からPDN接続に対応するベアラコンテキストを取得することは、ハンドオーバプロセス内で発生する遅延を削減することができる。
【００４５】
第1の態様を参照して、いくつかの可能な実装形態では、方法は、第1の制御プレーン機能ネットワーク要素により、PDN接続のトンネル情報および少なくとも1つのベアラの各々に対応するベアラ識別子を第2の制御プレーン機能ネットワーク要素に送信するステップをさらに含む。
【００４６】
第1の態様を参照して、いくつかの可能な実装形態では、方法は、第1の制御プレーン機能ネットワーク要素により、第2の制御プレーン機能ネットワーク要素にPDN接続のトンネル情報を送信するステップであって、第2の制御プレーン機能ネットワーク要素が、PDUセッションに対応する訪問先制御プレーンネットワーク要素であり、第1の制御プレーン機能ネットワーク要素が、PDUセッションに対応するホーム制御プレーンネットワーク要素である、ステップと、第1の制御プレーン機能ネットワーク要素により、第2の制御プレーン機能ネットワーク要素から少なくとも1つのベアラの各々に対応するベアラ識別子を受信するステップとをさらに含む。
【００４７】
本出願のこの実施形態において提供されるハンドオーバ方法によれば、第2の制御プレーン機能ネットワーク要素によって格納されたPDN接続に対応するベアラコンテキストは、PDN接続のトンネル情報および少なくとも1つのベアラの各々に対応するベアラ識別子を含み、その結果、モビリティ管理ネットワーク要素は、ハンドオーバ準備中に第2の制御プレーン機能ネットワーク要素からPDN接続に対応するベアラコンテキストを直接取得し、PDN接続に対応するベアラコンテキストに基づいて、第2のネットワーク内のサービングゲートウェイSGWからPDUに対応するユーザプレーン機能ネットワーク要素へのアップリンクトンネルを確立することができる。
【００４８】
第1の態様を参照して、いくつかの可能な実装形態では、第1の制御プレーン機能ネットワーク要素により、PDN接続のトンネル情報を取得するステップは、第1の制御プレーン機能ネットワーク要素により、端末のPDUセッションが第1のネットワーク内で確立される必要があるか、または第1のネットワーク内のPDUセッションが修正される必要があると判断すると、PDN接続のトンネル情報を取得するステップを含む。
【００４９】
場合によっては、第1の制御プレーン機能ネットワーク要素は、セッションの確立／修正中にPDN接続のトンネル情報を取得することができるか、または第1の制御プレーン機能ネットワーク要素は、ハンドオーバ準備中にPDN接続のトンネル情報を取得することができる。
【００５０】
本出願のこの実施形態において提供されるハンドオーバ方法によれば、第1の制御プレーン機能ネットワーク要素は、PDUセッションの確立もしくは修正中またはハンドオーバ準備中に、PDN接続のトンネル情報を取得し、その結果、第1の制御プレーン機能ネットワーク要素は、ハンドオーバ実行前に、PDN接続内のベアラに対応するユーザプレーントンネルおよびPDN接続に対応する制御プレーントンネルを確立し、それにより、ハンドオーバプロセス内の遅延が削減される。
【００５１】
第1の態様を参照して、いくつかの可能な実装形態では、方法は、第1の制御プレーン機能ネットワーク要素により、PDUセッションに対応するユーザプレーン機能ネットワーク要素に、PDN接続に対応するダウンリンクデータ送信規則を送信するステップであって、ダウンリンクデータ送信規則が、対応するユーザプレーントンネルを介して受信されたダウンリンクデータを転送するように、PDUセッションに対応するユーザプレーン機能ネットワーク要素に示すために使用される、ステップをさらに含む。
【００５２】
場合によっては、第1の制御プレーン機能ネットワーク要素は、PDUセッションに対応するユーザプレーン機能ネットワーク要素に、PDN接続に対応するダウンリンクデータ送信規則を送信する場合があり、ダウンリンクデータ送信規則は、対応するユーザプレーントンネルを介して受信されたダウンリンクデータを転送するように、PDUセッションに対応するユーザプレーン機能ネットワーク要素に示すために使用される。
【００５３】
可能な実装形態では、第1の制御プレーン機能ネットワーク要素は、ハンドオーバ実行中にPDUセッションに対応するユーザプレーン機能ネットワーク要素に第3のセッション管理要求を送信する場合があり、第3のセッション管理要求は、少なくとも1つのベアラの各々に対応するダウンリンクユーザプレーントンネルを確立または修正するように要求するために使用され、第3のセッション管理要求はダウンリンクデータ送信規則を搬送する。
【００５４】
別の可能な実装形態では、第1の制御プレーン機能ネットワーク要素は、PDUセッションの要求／修正中に、ダウンリンクデータ送信規則および第1の規則指示情報を第1のセッション管理要求に追加することができ、第1の規則指示情報は、ダウンリンクデータ送信規則を有効にしないように示すために使用される。それに対応して、第1の制御プレーン機能ネットワーク要素は、ハンドオーバ実行中にPDUセッションに対応するユーザプレーン機能ネットワーク要素に第3のセッション管理要求を送信し、第3のセッション管理要求は第2の規則指示情報を搬送し、第2の規則指示情報は、ダウンリンクデータ送信規則を有効にするように示すために使用される。
【００５５】
本出願のこの実施形態において提供されるハンドオーバ方法によれば、第1の制御プレーン機能ネットワーク要素は、ハンドオーバ実行フェーズ内でPDUセッションに対応するユーザプレーン機能ネットワーク要素にダウンリンクデータ送信規則を示し、その結果、PDUセッションに対応するユーザプレーン機能ネットワーク要素は、ダウンリンクデータ送信規則に従って、受信されたダウンリンクデータを対応するダウンリンクトンネルと照合し、ダウンリンクトンネルを介して第2のネットワーク内のサービングゲートウェイに受信されたダウンリンクデータを送信する。
【００５６】
第2の態様によれば、本出願はハンドオーバ方法を提供する。方法は、第1の制御プレーン機能ネットワーク要素から第2の制御プレーン機能ネットワーク要素により、第1の制御プレーン機能ネットワーク要素からパケットデータネットワークPDN接続のトンネル情報を受信するステップであって、PDN接続のトンネル情報が、少なくとも1つのベアラの各々に対応するユーザプレーントンネル情報を含み、第2の制御プレーン機能ネットワーク要素が、PDN接続に対応する訪問先制御プレーンネットワーク要素であり、第1の制御プレーン機能ネットワーク要素が、PDN接続に対応するホーム制御プレーンネットワーク要素である、ステップと、第2の制御プレーン機能ネットワーク要素により、モビリティ管理ネットワーク要素にPDN接続のトンネル情報を送信するステップとを含む。
【００５７】
本出願のこの実施形態において提供されるハンドオーバ方法によれば、第2の制御プレーン機能ネットワーク要素によって格納されたPDN接続に対応するベアラコンテキストは、PDN接続のトンネル情報および少なくとも1つのベアラの各々に対応するベアラ識別子を含み、その結果、モビリティ管理ネットワーク要素は、ハンドオーバ準備中に第2の制御プレーン機能ネットワーク要素からPDN接続に対応するベアラコンテキストを直接取得し、PDN接続に対応するベアラコンテキストに基づいて、第2のネットワーク内のサービングゲートウェイSGWからPDUに対応するユーザプレーン機能ネットワーク要素へのアップリンクトンネルを確立することができる。
【００５８】
加えて、第2の制御プレーン機能ネットワーク要素は、PDUセッションに対応する訪問先制御プレーンネットワーク要素なので、第1の制御プレーン機能ネットワーク要素からPDN接続に対応するベアラコンテキストを取得することと比較して、モビリティ管理ネットワーク要素により、第2の制御プレーン機能ネットワーク要素からPDN接続に対応するベアラコンテキストを取得することは、ハンドオーバプロセス内で発生する遅延を削減することができる。
【００５９】
第1の制御プレーン機能ネットワーク要素は、たとえば、SMF−PGW−Cであってよく、第2の制御プレーン機能ネットワーク要素は、たとえば、v−SMFであってよいことを理解されたい。
【００６０】
第2の態様を参照して、いくつかの可能な実装形態では、PDN接続のトンネル情報は、PDN接続に対応する制御プレーントンネル情報をさらに含む。
【００６１】
本願のこの実施形態において提供されるハンドオーバ方法によれば、PDN接続に対応するトンネル情報は、PDN接続に対応する制御プレーントンネル情報をさらに含み、その結果、第1の制御プレーン機能ネットワーク要素は、PDUセッションに対応するPDN接続に対応する制御プレーントンネルを確立する。これは、ネットワークハンドオーバプロセスにおいてPDN接続の制御シグナリングの損失を防止するのに役立ち、それにより、制御シグナリングの正常な送信が保証される。
【００６２】
第2の態様を参照して、いくつかの可能な実装形態では、方法は、第2の制御プレーン機能ネットワーク要素により、モビリティ管理ネットワーク要素に、第1の制御プレーン機能ネットワーク要素によってモビリティ管理ネットワーク要素に送信されたベアラ識別子要求を転送するステップであって、ベアラ識別子要求が、少なくとも1つのベアラの各々にベアラ識別子を割り当てるように要求するために使用される、ステップと、第2の制御プレーン機能ネットワーク要素により、第1の制御プレーン機能ネットワーク要素に、少なくとも1つのベアラの各々に対応し、モビリティ管理ネットワーク要素によって第1の制御プレーン機能ネットワーク要素に送信されたベアラ識別子を転送するステップとをさらに含む。
【００６３】
言い換えれば、第2の制御プレーン機能ネットワーク要素は、第1の制御プレーン機能ネットワーク要素とPDUセッションに対応するユーザプレーン機能ネットワーク要素との間で送信されるメッセージを透過的に送信する機能を有する。
【００６４】
第2の態様を参照して、いくつかの可能な実装形態では、方法は、第2の制御プレーン機能ネットワーク要素により、第1の制御プレーン機能ネットワーク要素から少なくとも1つのベアラの各々に対応するベアラ識別子を受信するステップをさらに含む。
【００６５】
第2の態様を参照して、いくつかの可能な実装形態では、方法は、第2の制御プレーン機能ネットワーク要素により、PDN接続のトンネル情報に基づいてモビリティ管理ネットワーク要素にベアラ識別子要求を送信するステップであって、ベアラ識別子要求が、少なくとも1つのベアラの各々にベアラ識別子を割り当てるように要求するために使用される、ステップと、第2の制御プレーン機能ネットワーク要素により、モビリティ管理ネットワーク要素から少なくとも1つのベアラの各々に対応するベアラ識別子を受信するステップとをさらに含む。
【００６６】
具体的には、第2の制御プレーンネットワーク要素は、各ベアラに対応するユーザプレーントンネル情報に関連付けられたベアラ識別子がPDN接続内のトンネル情報に存在するかどうかを確認し、少なくとも1つのベアラにベアラ識別子が割り当てられていない場合、第2の制御プレーン機能ネットワーク要素は、ベアラ識別子が割り当てられていない少なくとも1つのベアラの各々にベアラ識別子を割り当てるようにモビリティ管理ネットワーク要素に要求する。
【００６７】
言い換えれば、第2の制御プレーン機能ネットワーク要素は、処理機能を有することができる。
【００６８】
第2の態様を参照して、いくつかの可能な実装形態では、方法は、第2の制御プレーン機能ネットワーク要素により、少なくとも1つのベアラの各々に対応するベアラ識別子を格納し、第1の制御プレーン機能ネットワーク要素に少なくとも1つのベアラの各々に対応するベアラ識別子を送信するステップをさらに含む。
【００６９】
第3の態様によれば、本出願はハンドオーバ方法を提供する。方法は、第1の制御プレーン機能ネットワーク要素により、第2のネットワーク内の端末のパケットデータネットワークPDN接続が、第1のネットワーク内のプロトコルデータユニットPDUセッションに切り替えられる必要があると判断するステップと、第1の制御プレーン機能ネットワーク要素により、PDUセッションに対応するユーザプレーントンネル情報を取得するステップとを含む。
【００７０】
本出願のこの実施形態において提供されるハンドオーバ方法によれば、第1の制御プレーン機能ネットワーク要素は、第2のネットワーク内の端末のPDN接続が第1のネットワーク内のPDUセッションに切り替えられる必要があると判断し、PDUセッションに対応するユーザプレーントンネル情報を取得し、その結果、第1の制御プレーン機能ネットワーク要素は、PDN接続がPDUセッションに切り替えられるべきときにPDUセッションに対応するユーザプレーントンネルを確立する。これは、ネットワークハンドオーバプロセスにおいてPDUセッション内のデータパケットの損失を防止するのに役立ち、それにより、データパケットの正常な送信が保証される。
【００７１】
第1の制御プレーン機能ネットワーク要素は、たとえば、SMF−PGW−Cであってよいことを理解されたい。
【００７２】
第1のネットワーク内のPDUセッションは第2のネットワーク内のPDN接続に相当することをさらに理解されたい。
【００７３】
可能な実装形態では、第1の制御プレーン機能ネットワーク要素は第3の要求メッセージを受信する場合があり、第3の要求メッセージは、第2のネットワーク内のPDN接続を確立するように要求するために使用され、第1の制御プレーン機能ネットワーク要素は、第3の要求メッセージに基づいて、第2のネットワーク内の端末のPDN接続が第1のネットワーク内のPDUセッションに切り替えられる必要があると判断する。
【００７４】
可能な実装形態では、第1の制御プレーン機能ネットワーク要素は第2のセッション管理要求を受信する場合があり、第2のセッション管理要求は第1の指示情報を搬送し、第1の指示情報は、第2のネットワークから第1のネットワークに端末をハンドオーバするための準備をするように示すために使用され、第1の制御プレーン機能ネットワーク要素は、第1の指示情報に基づいて、第2のネットワーク内のPDN接続が第1のネットワーク内のPDUセッションに切り替えられる必要があると判断することができる。
【００７５】
第3の態様を参照して、いくつかの可能な実装形態では、第1の制御プレーン機能ネットワーク要素により、PDUセッションに対応するユーザプレーントンネル情報を取得するステップは、第1の制御プレーン機能ネットワーク要素により、PDUセッションに対応するユーザプレーントンネル情報をPDUセッションに割り当てるステップ、または第1の制御プレーン機能ネットワーク要素により、PDUセッションに対応するユーザプレーントンネル情報を割り当てるように、PDN接続に対応するユーザプレーン機能ネットワーク要素に要求し、PDN接続に対応するユーザプレーン機能ネットワーク要素からPDUセッションに対応するユーザプレーントンネル情報を取得するステップを含む。
【００７６】
場合によっては、第1の制御プレーン機能ネットワーク要素は、複数の方式で、PDUセッションに対応するユーザプレーントンネル情報を取得することができる。このことは、本出願のこの実施形態では限定されない。
【００７７】
可能な実装形態では、第1の制御プレーン機能ネットワーク要素自体が、PDUセッションに対応するユーザプレーントンネル情報をPDUセッションに割り当てることができる。
【００７８】
別の可能な実装形態では、第1の制御プレーン機能ネットワーク要素は、PDUセッションに対応するユーザプレーントンネル情報を割り当てるように、PDN接続に対応するユーザプレーン機能ネットワーク要素に要求し、PDN接続に対応するユーザプレーン機能ネットワーク要素から、PDUセッションに対応するユーザプレーントンネル情報を取得する。
【００７９】
第3の態様を参照して、いくつかの可能な実装形態では、方法は、第1の制御プレーン機能ネットワーク要素により、PDN接続に対応するユーザプレーン機能ネットワーク要素に第1のセッション管理要求を送信するステップをさらに含み、第1のセッション管理要求は、PDUセッションに対応するユーザプレーントンネルを確立または修正するように要求するために使用され、第1のセッション管理要求はアップリンクデータ送信規則を搬送し、アップリンクデータ送信規則は、PDUセッションに対応するユーザプレーントンネルを介して受信されたアップリンクデータを転送する方法を、PDN接続に対応するユーザプレーン機能ネットワーク要素に示すために使用される。
【００８０】
場合によっては、第1の制御プレーンネットワーク要素自体がPDUセッションにユーザプレーントンネル情報を割り当てるとき、第1の制御プレーン機能ネットワーク要素は、PDUセッションに対応するユーザプレーントンネル情報を第1のセッション管理要求に追加することができ、第1の制御プレーン機能ネットワーク要素が、PDUセッションにユーザプレーントンネル情報を割り当てるように、PDN接続に対応するユーザプレーン機能ネットワーク要素に要求するとき、PDN接続に対応するユーザプレーン機能ネットワーク要素は、PDUセッションに対応するユーザプレーントンネル情報を第1のセッション管理応答に追加することができる。
【００８１】
場合によっては、セッションの修正中に、第2のネットワーク内のPDN接続が更新される場合があり、たとえば、いくつかのベアラが新しく確立される。したがって、これらのベアラに対応するデータフローをPDUセッションに対応するユーザプレーントンネルと関連付けるために、PDN接続に対応するユーザプレーン機能ネットワーク要素は、更新されたアップリンクデータ送信規則を知る必要がある。
【００８２】
第3の態様を参照して、いくつかの可能な実装形態では、方法は、アップリンクデータ送信規則が変わったと判断すると、第1の制御プレーン機能ネットワーク要素により、PDN接続に対応するユーザプレーン機能ネットワーク要素に更新されたアップリンクデータ送信規則を送信するステップをさらに含む。
【００８３】
場合によっては、第1の制御プレーン機能ネットワーク要素自体が、PDUセッションにユーザプレーントンネル情報を割り当てるとき、第1の制御プレーン機能ネットワーク要素は、PDUセッションに対応するユーザプレーントンネル情報を取得し、PDN接続に対応するユーザプレーン機能ネットワーク要素に、同じフェーズのPDUセッションに対応するユーザプレーントンネル情報を送信するか、またはPDUセッションに対応するユーザプレーントンネル情報を取得し、PDN接続に対応するユーザプレーン機能ネットワーク要素に、異なるフェーズのPDUセッションに対応するユーザプレーントンネル情報を送信することができる。このことは、本出願のこの実施形態では限定されない。
【００８４】
可能な実装形態では、第1の制御プレーン機能ネットワーク要素は、セッションの確立／修正中に、PDUセッションに対応するユーザプレーントンネル情報およびアップリンクデータ送信規則を取得し、セッションの確立／修正中に、PDN接続に対応するユーザプレーン機能ネットワーク要素に、PDUセッションに対応するユーザプレーントンネル情報およびアップリンクデータ送信規則を送信することができる。
【００８５】
別の可能な実装形態では、第1の制御プレーン機能ネットワーク要素は、ネットワークハンドオーバ準備中に、PDUセッションに対応するユーザプレーントンネル情報およびアップリンクデータ送信規則を取得し、ネットワークハンドオーバ準備中に、PDN接続に対応するユーザプレーン機能ネットワーク要素に、PDUセッションに対応するユーザプレーントンネル情報およびアップリンクデータ送信規則を送信することができる。
【００８６】
さらに別の可能な実装形態では、第1の制御プレーン機能ネットワーク要素は、セッションの確立／修正中に、PDUセッションに対応するユーザプレーントンネル情報およびアップリンクデータ送信規則を取得し、ネットワークハンドオーバ準備中に、PDN接続に対応するユーザプレーン機能ネットワーク要素に、PDUセッションに対応するユーザプレーントンネル情報およびアップリンクデータ送信規則を送信することができる。
【００８７】
本出願のこの実施形態において提供されるハンドオーバ方法によれば、ハンドオーバ準備フェーズ内で、第1の制御プレーン機能ネットワーク要素は、PDUセッションに対応するユーザプレーントンネル情報を決定し、PDN接続に対応するユーザプレーン機能ネットワーク要素に、PDUセッションに対応するユーザプレーントンネル情報を送信し、その結果、セッションの確立／修正中に新しく追加されたベアラに起因するアップリンクデータ送信規則の更新を防止することができる。
【００８８】
第3の態様を参照して、いくつかの可能な実装形態では、第1の制御プレーン機能ネットワーク要素により、PDN接続に対応するユーザプレーン機能ネットワーク要素に第1のセッション管理要求を送信するステップの前に、方法は、第1の制御プレーン機能ネットワーク要素により、第2のセッション管理要求を受信するステップであって、第2のセッション管理要求が第1の指示情報を搬送し、第1の指示情報が、第2のネットワークから第1のネットワークに端末をハンドオーバするための準備をするように示すために使用される、ステップをさらに含む。
【００８９】
第3の態様を参照して、いくつかの可能な実装形態では、方法は、第1の制御プレーン機能ネットワーク要素により、PDN接続に対応するユーザプレーン機能ネットワーク要素に、PDUセッションに対応するダウンリンクデータ送信規則を送信するステップであって、ダウンリンクデータ送信規則が、PDUセッションに対応するユーザプレーントンネルを介して、PDN接続に対応するユーザプレーン機能ネットワーク要素によって受信されたダウンリンクデータパケットを送信するように示すために使用される、ステップをさらに含む。
【００９０】
可能な実装形態では、第1の制御プレーン機能ネットワーク要素は、ハンドオーバ実行中にPDN接続に対応するユーザプレーン機能ネットワーク要素に第3のセッション管理要求を送信する場合があり、第3のセッション管理要求は、PDUセッションに対応するダウンリンクユーザプレーントンネルを修正するように要求するために使用され、第3のセッション管理要求はダウンリンクデータ送信規則を搬送する。
【００９１】
別の可能な実装形態では、第1の制御プレーン機能ネットワーク要素は、セッションの確立／修正中に、ダウンリンクデータ送信規則および第1の規則指示情報を第1のセッション管理要求に追加することができ、第1の規則指示情報は、ダウンリンクデータ送信規則を有効にしないように示すために使用される。それに対応して、第1の制御プレーン機能ネットワーク要素は、ハンドオーバ実行中にPDN接続に対応するユーザプレーン機能ネットワーク要素に第3のセッション管理要求を送信し、第3のセッション管理要求は第2の規則指示情報を搬送し、第2の規則指示情報は、ダウンリンクデータ送信規則を有効にするように示すために使用される。
【００９２】
本出願のこの実施形態において提供されるハンドオーバ方法によれば、第1の制御プレーン機能ネットワーク要素は、ハンドオーバ実行フェーズ内でPDN接続に対応するユーザプレーン機能ネットワーク要素にダウンリンクデータ送信規則を示し、その結果、PDN接続に対応するユーザプレーン機能ネットワーク要素は、ダウンリンクデータ送信規則に従って、受信されたダウンリンクデータを対応するダウンリンクトンネルと照合し、ダウンリンクトンネルを介して第1のネットワーク内の（図1または図2のV−UPFまたはアクセスネットワークなどの）V−UPFまたはアクセスネットワークに受信されたダウンリンクデータを送信する。
【００９３】
第4の態様によれば、本出願は通信システムを提供する。システムは、第1の制御プレーン機能ネットワーク要素およびユーザプレーン機能ネットワーク要素を含む。第1の制御プレーン機能ネットワーク要素は、第1のネットワーク内の端末のプロトコルデータユニットPDUセッションが第2のネットワーク内のパケットデータネットワークPDN接続に切り替えられるべきときに確立される必要がある少なくとも1つのベアラを決定し、PDN接続のトンネル情報を取得し、PDN接続のトンネル情報は少なくとも1つのベアラの各々に対応するユーザプレーントンネル情報を含み、ユーザプレーン機能ネットワーク要素に第1のセッション管理要求を送信するように構成され、第1のセッション管理要求は、少なくとも1つのベアラの各々に対応するユーザプレーントンネルを確立または修正するように要求するために使用され、第1のセッション管理要求はアップリンクデータ送信規則およびPDN接続のトンネル情報を搬送し、アップリンクデータ送信規則は、PDN接続に対応するユーザプレーントンネルを介して受信されたアップリンクデータを転送する方法を、PDUセッションに対応するユーザプレーン機能ネットワーク要素に示すために使用される。ユーザプレーン機能ネットワーク要素は、第1の制御プレーン機能ネットワーク要素から第1のセッション管理要求を受信し、第1のセッション管理要求に基づいて、第1の制御プレーン機能ネットワーク要素に第1のセッション管理応答を送信するように構成される。第1の制御プレーン機能ネットワーク要素は、ユーザプレーン機能ネットワーク要素から第1のセッション管理応答を受信するようにさらに構成される。
【００９４】
第4の態様を参照して、いくつかの可能な実装形態では、第1のセッション管理要求は、ダウンリンク送信規則および第1の規則指示情報をさらに搬送し、ダウンリンクデータ送信規則は、対応するユーザプレーントンネルを介して受信されたダウンリンクデータを転送するように、PDUセッションに対応するユーザプレーン機能ネットワーク要素に示すために使用され、第1の規則指示情報は、ダウンリンクデータ送信規則を有効にしないように示すために使用される。
【００９５】
場合によっては、第1の制御プレーン機能ネットワーク要素は、ユーザプレーン機能ネットワーク要素に第2の規則指示情報を送信するようにさらに構成され、第2の規則指示情報は、ダウンリンクデータ送信規則を有効にするように示すために使用される。
【００９６】
第4の態様を参照して、いくつかの可能な実装形態では、第1の制御プレーン機能ネットワーク要素は、ユーザプレーン機能ネットワーク要素にダウンリンクデータ送信規則を送信するようにさらに構成される。
【００９７】
第5の態様によれば、本出願の一実施形態は通信システムを提供する。システムは、第1の制御プレーン機能ネットワーク要素およびユーザプレーン機能ネットワーク要素を含む。第1の制御プレーン機能ネットワーク要素は、第1のネットワーク内の端末のプロトコルデータユニットPDUセッションが第2のネットワーク内のパケットデータネットワークPDN接続に切り替えられるべきときに確立される必要がある少なくとも1つのベアラを決定し、ユーザプレーン機能ネットワーク要素に第1のセッション管理要求を送信するように構成され、第1のセッション管理要求は、少なくとも1つのベアラの各々に対応するユーザプレーントンネルを確立または修正するように要求するために使用され、第1のセッション管理要求はアップリンクデータ送信規則を搬送し、アップリンクデータ送信規則は、PDN接続に対応するユーザプレーントンネルを介して受信されたアップリンクデータを転送する方法を、PDUセッションに対応するユーザプレーン機能ネットワーク要素に示すために使用される。ユーザプレーン機能ネットワーク要素は、第1の制御プレーン機能ネットワーク要素から第1のセッション管理要求を受信し、第1のセッション管理要求に基づいてPDN接続のトンネル情報を決定し、PDN接続のトンネル情報は少なくとも1つのベアラの各々に対応するユーザプレーントンネル情報を含み、第1の制御プレーン機能ネットワーク要素に第1のセッション管理応答を送信し、第1のセッション管理応答はPDN接続のトンネル情報を搬送する、ように構成される。第1の制御プレーン機能ネットワーク要素は、ユーザプレーン機能ネットワーク要素から第1のセッション管理応答を受信するようにさらに構成される。
【００９８】
第5の態様を参照して、いくつかの可能な実装形態では、第1のセッション管理要求は、ダウンリンク送信規則および第1の規則指示情報をさらに搬送し、ダウンリンクデータ送信規則は、対応するユーザプレーントンネルを介して受信されたダウンリンクデータを転送するように、PDUセッションに対応するユーザプレーン機能ネットワーク要素に示すために使用され、第1の規則指示情報は、ダウンリンクデータ送信規則を有効にしないように示すために使用される。
【００９９】
場合によっては、第1の制御プレーン機能ネットワーク要素は、ユーザプレーン機能ネットワーク要素に第2の規則指示情報を送信するようにさらに構成され、第2の規則指示情報は、ダウンリンクデータ送信規則を有効にするように示すために使用される。
【０１００】
第5の態様を参照して、いくつかの可能な実装形態では、第1の制御プレーン機能ネットワーク要素は、ユーザプレーン機能ネットワーク要素にダウンリンクデータ送信規則をさらに送信する。
【０１０１】
第6の態様によれば、本出願の一実施形態は、第1の態様または第1の態様の実装形態のいずれか1つにおけるハンドオーバ方法のステップを実行するように構成されたユニットを含む、ハンドオーバ装置を提供する。
【０１０２】
第7の態様によれば、本出願の一実施形態は、第2の態様または第2の態様の実装形態のいずれか1つにおけるハンドオーバ方法のステップを実行するように構成されたユニットを含む、ハンドオーバ装置を提供する。
【０１０３】
第8の態様によれば、本出願の一実施形態は、第3の態様または第3の態様の実装形態のいずれか1つにおけるハンドオーバ方法のステップを実行するように構成されたユニットを含む、ハンドオーバ装置を提供する。
【０１０４】
第9の態様によれば、本出願の一実施形態はハンドオーバデバイスを提供する。デバイスは、前述の方法設計におけるハンドオーバ装置、またはハンドオーバ装置内に構成されたチップであってよい。デバイスは、プロセッサ、メモリ、および通信インターフェースを含む。プロセッサ、メモリ、および通信インターフェースは、バスを使用して通信を実装することができるか、またはワイヤレス送信などの別の方式で通信を実装することができる。メモリは命令を記憶するように構成され、プロセッサはメモリに記憶された命令を実行するように構成される。メモリはプログラムコードを記憶し、プロセッサはメモリに記憶されたプログラムコードを呼び出して、第1の態様または第1の態様の可能な実装形態のいずれか1つにおけるハンドオーバ方法を実行することができる。
【０１０５】
第10の態様によれば、本出願の一実施形態はハンドオーバデバイスを提供する。デバイスは、前述の方法設計におけるハンドオーバ装置、またはハンドオーバ装置内に構成されたチップであってよい。デバイスは、プロセッサ、メモリ、通信インターフェース、およびバスを含む。プロセッサ、メモリ、および通信インターフェースは、バスを使用して通信を実装することができるか、またはワイヤレス送信などの別の方式で通信を実装することができる。メモリは命令を記憶するように構成され、プロセッサはメモリに記憶された命令を実行するように構成される。メモリはプログラムコードを記憶し、プロセッサはメモリに記憶されたプログラムコードを呼び出して、第2の態様または第2の態様の可能な実装形態のいずれか1つにおけるハンドオーバ方法を実行することができる。
【０１０６】
第11の態様によれば、本出願の一実施形態はハンドオーバデバイスを提供する。デバイスは、前述の方法設計におけるハンドオーバ装置、またはハンドオーバ装置内に構成されたチップであってよい。デバイスは、プロセッサ、メモリ、および通信インターフェースを含む。プロセッサ、メモリ、および通信インターフェースは、バスを使用して通信を実装することができるか、またはワイヤレス送信などの別の方式で通信を実装することができる。メモリは命令を記憶するように構成され、プロセッサはメモリに記憶された命令を実行するように構成される。メモリはプログラムコードを記憶し、プロセッサはメモリに記憶されたプログラムコードを呼び出して、第3の態様または第3の態様の可能な実装形態のいずれか1つにおけるハンドオーバ方法を実行することができる。
【０１０７】
第12の態様によれば、チップシステムが提供される。チップシステムは、前述の態様に含まれる機能、たとえば、前述の方法に含まれるデータおよび／または情報の生成、受信、送信、または処理を実装するように構成されたプロセッサを含む。可能な設計では、チップシステムはメモリをさらに含む。メモリは、ハンドオーバ装置に必要なプログラム命令およびデータを記憶するように構成される。具体的には、メモリに記憶されたプログラム命令は、第1から第3の態様または第1から第3の態様の可能な実装形態のいずれか1つにおけるハンドオーバ方法を実行するために使用される命令を含む。
【０１０８】
場合によっては、チップシステムはチップを含んでもよく、チップおよび別の個別デバイスを含んでもよい。
【０１０９】
第13の態様によれば、コンピュータプログラム製品が提供される。コンピュータプログラム製品はコンピュータプログラムコードを含む。コンピュータプログラムコードがコンピュータ上で実行されると、コンピュータは、第1から第3の態様または第1から第3の態様の可能な実装形態のいずれか1つにおけるハンドオーバ方法を実行することが可能になる。
【０１１０】
第14の態様によれば、コンピュータ可読媒体が提供される。コンピュータ可読媒体は、ハンドオーバ装置によって実行されるプログラムコードを記憶し、プログラムコードは、第1から第3の態様または第1から第3の態様の可能な実装形態のいずれか1つにおけるハンドオーバ方法を実行するために使用される命令を含む。
【０１１１】
本出願では、前述の態様において提供される実装形態は、より多くの実装形態を提供するためにさらに組み合わせることができる。
【図面の簡単な説明】
【０１１２】
【図１】本出願の一実施形態による、システムアーキテクチャの概略図である。
【図２】本出願の一実施形態による、別のシステムアーキテクチャの概略図である。
【図３】本出願の一実施形態による、ハンドオーバ方法の概略フローチャートである。
【図４】本出願の一実施形態による、別のハンドオーバ方法の概略フローチャートである。
【図５】本出願の一実施形態による、さらに別のハンドオーバ方法の概略フローチャートである。
【図６Ａ】本出願の一実施形態による、さらに別のハンドオーバ方法の概略フローチャートである。
【図６Ｂ】本出願の一実施形態による、さらに別のハンドオーバ方法の概略フローチャートである。
【図６Ｃ】本出願の一実施形態による、さらに別のハンドオーバ方法の概略フローチャートである。
【図７Ａ】本出願の一実施形態による、さらに別のハンドオーバ方法の概略フローチャートである。
【図７Ｂ】本出願の一実施形態による、さらに別のハンドオーバ方法の概略フローチャートである。
【図７Ｃ】本出願の一実施形態による、さらに別のハンドオーバ方法の概略フローチャートである。
【図８Ａ】本出願の一実施形態による、さらに別のハンドオーバ方法の概略フローチャートである。
【図８Ｂ】本出願の一実施形態による、さらに別のハンドオーバ方法の概略フローチャートである。
【図９Ａ】本出願の一実施形態による、さらに別のハンドオーバ方法の概略フローチャートである。
【図９Ｂ】本出願の一実施形態による、さらに別のハンドオーバ方法の概略フローチャートである。
【図９Ｃ】本出願の一実施形態による、さらに別のハンドオーバ方法の概略フローチャートである。
【図１０Ａ】本出願の一実施形態による、さらに別のハンドオーバ方法の概略フローチャートである。
【図１０Ｂ】本出願の一実施形態による、さらに別のハンドオーバ方法の概略フローチャートである。
【図１０Ｃ】本出願の一実施形態による、さらに別のハンドオーバ方法の概略フローチャートである。
【図１１Ａ】本出願の一実施形態による、さらに別のハンドオーバ方法の概略フローチャートである。
【図１１Ｂ】本出願の一実施形態による、さらに別のハンドオーバ方法の概略フローチャートである。
【図１２Ａ】本出願の一実施形態による、さらに別のハンドオーバ方法の概略フローチャートである。
【図１２Ｂ】本出願の一実施形態による、さらに別のハンドオーバ方法の概略フローチャートである。
【図１２Ｃ】本出願の一実施形態による、さらに別のハンドオーバ方法の概略フローチャートである。
【図１３】本出願の一実施形態による、ハンドオーバ装置の概略ブロック図である。
【図１４】本出願の一実施形態による、別のハンドオーバ装置の概略ブロック図である。
【図１５】本出願の一実施形態による、さらに別のハンドオーバ装置の概略ブロック図である。
【図１６】本出願の一実施形態による、さらに別のハンドオーバ装置の概略ブロック図である。
【図１７】本出願の一実施形態による、さらに別のハンドオーバ装置の概略ブロック図である。
【図１８】本出願の一実施形態による、さらに別のハンドオーバ装置の概略ブロック図である。
【発明を実施するための形態】
【０１１３】
以下で、添付図面を参照して本出願の技術的解決策を記載する。
【０１１４】
図1および図2を参照して本出願の実施形態のアプリケーションシナリオが最初に記載される。図1および図2は、それぞれ、本出願の実施形態によるシステムアーキテクチャ100の概略図およびシステムアーキテクチャ200の概略図である。図1は、非ローミングシナリオにおける4Gネットワークおよび5Gネットワークのインターワーキングシステムアーキテクチャ100を示し、図2は、ホームルーテッドローミングシナリオにおける4Gネットワークおよび5Gネットワークのインターワーキングシステムアーキテクチャ200を示す。
【０１１５】
具体的には、システムアーキテクチャ100およびシステムアーキテクチャ200は、4Gネットワーク内のネットワーク要素および5Gネットワーク内のネットワーク要素を含んでよい。システムアーキテクチャ100およびシステムアーキテクチャ200の中のいくつかのモジュールは、4Gネットワーク内のネットワーク要素および5Gネットワーク内のネットワーク要素の機能、たとえば、ユーザプレーン機能（user plane function、UPF）＋PGW−Uモジュール、セッション管理機能（session management function、SMF）＋PDNゲートウェイ制御プレーン機能（PDN gateway control plane function、PGW−C）モジュール、ポリシー制御機能（policy control function、PCF）＋ポリシーおよび課金規則機能（policy and charging rules function、PCRF）モジュール、ならびにホームサブスクライバサーバ（home subscriber server、HSS）＋統合データ管理（unified data management、UDM）モジュールを有する。
【０１１６】
UPF＋PGW−Uモジュールは、ユーザデータ送信管理に使用される。インターワーキングシステムアーキテクチャでは、モジュールは4Gデータ送信に使用できるだけでなく、5Gデータ送信機能も提供することができる。
【０１１７】
SMF＋PGW−Cモジュールは、セッションの確立、削除、および修正管理に使用される。インターワーキングシステムアーキテクチャでは、モジュールは4Gセッション管理機能と5Gセッション管理機能の両方を提供することができる。
【０１１８】
PCF＋PCRFモジュールは、ポリシーおよび課金制御に使用される。インターワーキングシステムアーキテクチャでは、モジュールは4Gポリシーおよび課金制御と5Gポリシーおよび課金制御の両方を端末に提供することができる。
【０１１９】
HSS＋UDMモジュールは、ユーザのサブスクリプションデータを格納するように構成される。インターワーキングシステムアーキテクチャでは、モジュールは端末の4Gサブスクリプション情報と5Gサブスクリプション情報の両方を格納する。
【０１２０】
「＋」は統合構成を示すことを理解されたい。UPFは5Gネットワークのユーザプレーン機能であり、PGW−UはUPFに対応する4Gネットワークのゲートウェイユーザプレーン機能であり、SMFは5Gネットワークのセッション管理機能であり、PGW−CはSMFに対応する4Gネットワーク内にあるゲートウェイ制御プレーン機能であり、PCFは5Gネットワークのポリシー制御機能であり、PCRFはPCFに対応する4Gネットワークのポリシーおよび課金規則機能である。本明細書での「統合構成」は、1つのモジュールが2つのネットワーク機能エンティティの機能を有することができることを意味する。
【０１２１】
本出願の実施形態では、説明を簡単にするために、HSS＋UDMエンティティはユーザデータ管理ネットワーク要素と呼ばれ、SMFHPGW−Cは制御プレーン機能ネットワーク要素と呼ばれ、UPF＋PGW−Uはユーザプレーン機能ネットワーク要素と呼ばれる。これは本明細書で今回に限り記載され、詳細は以下では再び記載されない。確かに、統合構成の前述のネットワークデバイスは、代替として他の名前を有してよい。このことは、本出願の実施形態では特に限定されない。
【０１２２】
加えて、システムアーキテクチャ100およびシステムアーキテクチャ200は、5Gネットワークのアクセスおよびモビリティ管理機能（access and mobility management function、AMF）モジュール、MMEモジュール、ならびにサービングゲートウェイ（serving gateway、SGW）モジュールをさらに含んでよい。
【０１２３】
MMEモジュールは、ユーザのモビリティ管理に使用される。たとえば、ユーザのモビリティ管理には、主に、ユーザのアタッチメント管理、アクセシビリティ管理、モビリティ管理、ページング管理、アクセス認証および認可、ならびに非アクセス層シグナリング暗号化および完全性保護が含まれる。
【０１２４】
SGWモジュールはユーザプレーンゲートウェイであり、発展型ユニバーサル地上無線アクセスネットワーク（evolved universal terrestrial radio access network、E−UTRAN）のユーザプレーン終端点である。SGWモジュールは、データパケットのルーティングおよび送信を管理し、トランスポート層のパケットタグを追加し、などを行う。
【０１２５】
AMFモジュールは、ユーザのアクセスおよびモビリティ管理に使用され、それには、主に、ユーザの登録管理、アクセシビリティ管理、モビリティ管理、ページング管理、アクセス認証および認可、ならびに非アクセス層シグナリング暗号化および完全性保護などが含まれる。
【０１２６】
端末はE−UTRANを使用して4Gネットワークにアクセスし、端末は次世代無線アクセスネットワーク（next generation radio access network、NG−RAN）を使用して5Gネットワークにアクセスする。
【０１２７】
NG−RANは、対応するサービスを取得するために、コアネットワークにアクセスする無線エアインターフェースを端末に提供するために使用される。
【０１２８】
E−UTRANは、無線リソースの管理、端末用のエアインターフェースリソースの確立、修正、または削除、端末へのデータおよびシグナリング送信の提供などに使用される。
【０１２９】
以下は、システムアーキテクチャ100およびシステムアーキテクチャ200の中の前述のモジュール間の通信インターフェースを記載する。
【０１３０】
S1−MMEインターフェースは、MMEとE−UTRANとの間の制御プレーンインターフェースである。
【０１３１】
S1−Uインターフェースは、S−GWとE−UTRANとの間のユーザプレーンインターフェースである。
【０１３２】
S5−Uインターフェースは、SGWとPGW−Uとの間のユーザプレーンインターフェースであり、UEのユーザプレーンデータを送信するように構成される。
【０１３３】
S5−Cインターフェースは、SGWとPGW−Uとの間の制御プレーン管理インターフェースであり、UE向けのSGWおよびPGW−Uのユーザプレーン接続を確立するように構成される。
【０１３４】
S6aインターフェースは、MMEとHSSとの間のインターフェースであり、ユーザのサブスクリプションデータを取得し、UE用の認証および認可機能を実行するように構成される。
【０１３５】
S11インターフェースは、SGWとMMEとの間のインターフェースであり、ユーザプレーンベアラを確立するように構成される。
【０１３６】
N1インターフェースは、UEとAMFとの間のインターフェースであり、非アクセス層シグナリングの管理および送信に使用される。
【０１３７】
N2インターフェースは、NG−RANとAMFとのの間のインターフェースであり、シグナリング送信に使用される。
【０１３８】
N3インターフェースは、UPFとNG−RANとの間のインターフェースであり、ユーザデータを送信するように構成される。
【０１３９】
N4インターフェースは、SMFとUPFとの間のインターフェースであり、ユーザプレーン送信チャネルを確立するように構成される。
【０１４０】
N7インターフェースは、SMFとPCFとの間のインターフェースであり、ポリシー制御および課金情報を考案し配信するように構成される。
【０１４１】
N8インターフェースは、AMFとUDMとの間のインターフェースであり、ユーザのモビリティ関連のサブスクリプション情報などを取得するように構成される。
【０１４２】
N10インターフェースは、SMFとUDMとの間のインターフェースであり、ユーザのセッション管理関連のサブスクリプション情報などを取得するように構成される。
【０１４３】
N11インターフェースは、SMFとAMFとの間のインターフェースであり、セッション管理情報などを送信するように構成される。
【０１４４】
N15インターフェースは、AMFとPCFとの間のインターフェースであり、アクセスおよびモビリティ関連のポリシー情報を取得するように構成される。
【０１４５】
加えて、システムアーキテクチャ200では、HPLMNはローカルネットワークを示し、VPLMNは訪問先ネットワークまたはローミングネットワークを示す。たとえば、HPLMNは（home）パブリックランドモバイルネットワーク（public land mobile network、HPLMN）を示し、VPLMNは訪問先（visit）またはローミングPLMNを示す。具体的には、v−SMFはローミングネットワーク内のSMFを示し、v−UPFはローミングネットワーク内のUPFを示す。
【０１４６】
4Gネットワークおよび5Gネットワークのインターワーキングをサポートするために、システムアーキテクチャ100およびシステムアーキテクチャ200に第1のインターフェースが導入されることを理解されたい。第1のインターフェースは、5Gネットワーク内のAMFと4Gネットワーク内のMMEとの間の通信インターフェースであり、第1のインターフェースはN26インターフェースを使用することによって示されてよい。システムアーキテクチャは、オプションでN26インターフェースをサポートする。ハンドオーバプロセスは、サービスの継続性を保証するために、N26インターフェースをサポートするインターワーキングシステムアーキテクチャにおいてのみ使用することができる。
【０１４７】
本出願の実施形態は、4Gネットワークと5Gネットワークとの間で端末をハンドオーバするプロセスを含むので、システムアーキテクチャ100およびシステムアーキテクチャ200は、N26インターフェースをサポートすることをさらに理解されたい。
【０１４８】
システムアーキテクチャ100およびシステムアーキテクチャ200では、モジュール間のインターフェースの名前は単なる例であり、インターフェースは特定の実装形態では他の名前を有してよいことに留意されたい。このことは、本出願の実施形態では特に限定されない。
【０１４９】
システムアーキテクチャ100およびシステムアーキテクチャ200では、5Gネットワーク内のNG−RANはアクセスデバイスと呼ばれる場合もあることにさらに留意されたい。アクセスデバイスは、コアネットワークにアクセスするためのデバイスであり、たとえば、基地局、ブロードバンドネットワークゲートウェイ（broadband network gateway、BNG）、アグリゲーションスイッチ、または非3GPPアクセスデバイスであってよい。基地局は、様々な形態、たとえば、マクロ基地局、（スモールセルとも呼ばれる）マイクロ基地局、中継局、またはアクセスポイントであってよい。このことは、本出願の実施形態では限定されない。
【０１５０】
確かに、システムアーキテクチャ100およびシステムアーキテクチャ200では、4Gネットワークおよび5Gネットワークは、他のモジュールをさらに含んでよい。たとえば、4Gネットワークは、汎用パケット無線システム（general packet radio system、GPRS）サービングGPRSサポートノード（serving GPRS support node、SGSN）モジュールをさらに含んでよく、5Gネットワークは、認証サーバ機能（authentication server function、AUSF）モジュールおよびネットワークスライス選択機能（network slice selection function、NSSF）モジュールをさらに含んでよい。このことは、本出願の実施形態では限定されない。
【０１５１】
本出願の実施形態における端末（terminal）には、ワイヤレス通信機能を有するハンドヘルドデバイス、車載デバイス、ウェアラブルデバイス、およびコンピューティングデバイス、またはワイヤレスモデムに接続された別の処理デバイスを含んでよく、さらに、加入者ユニット（subscriber unit）、携帯電話（cellular phone）、スマートフォン（smart phone）、ワイヤレスデータカード、携帯情報端末（personal digital assistant、PDA）コンピュータ、タブレットコンピュータ、ワイヤレスモデム（modem）、ハンドヘルドデバイス（handheld）、ラップトップコンピュータ（laptop computer）、コードレス電話（cordless phone）またはワイヤレスローカルループ（wireless local loop、WLL）ステーション、マシンタイプ通信（machine type communication、MTC）端末、ユーザ機器（user equipment、UE）、移動局（mobile station、MS）、端末デバイス（terminal device）などが含まれてよい。説明を簡単にするために、前述のすべてのデバイスは端末と総称される。
【０１５２】
端末は常に移動するので、端末の位置の変化は、異なるネットワーク間の端末のハンドオーバをもたらす可能性があることを理解されたい。たとえば、端末が4Gネットワークから5Gネットワークに移動するとき、4Gネットワーク内のPDN接続は5Gネットワーク内のPDUセッションに切り替えられる必要があり、または端末が5Gネットワークから4Gネットワークにハンドオーバされるとき、5Gネットワーク内のPDUセッションは4Gネットワーク内のPDN接続に切り替えられる必要がある。
【０１５３】
4Gネットワークでは、PDN接続に対応する制御プレーントンネルがPDN接続に割り当てられる。制御プレーントンネルは、PDN接続に対応する制御シグナリングを送信するために使用される。PDN接続は少なくとも1つのベアラを含み、少なくとも1つのベアラの各々に対応するユーザプレーントンネルがベアラに割り当てられる。各ベアラに対応するユーザプレーントンネルは、ベアラに含まれる少なくとも1つのデータフローを送信するために使用される。
【０１５４】
言い換えれば、1つのPDN接続は1つの制御プレーントンネルに対応し、1つのPDN接続内の1つのベアラは1つのユーザプレーントンネルに対応する。
【０１５５】
5Gネットワークでは、PDUセッションは少なくとも1つのデータフローを含む。PDUセッションに対応するユーザプレーントンネルがPDUセッションに割り当てられる。5G内のPDUセッションに対応する制御プレーントンネルは存在しない。
【０１５６】
言い換えれば、制御プレーントンネルはPDUセッションに割り当てられず、1つのPDUセッションは1つのユーザプレーントンネルに対応する。
【０１５７】
したがって、端末が2つのネットワーク間でハンドオーバされるときに以下の問題が存在する。
【０１５８】
（1）端末が4Gネットワークから5Gネットワークにハンドオーバされるとき、PDN接続に対応する少なくとも1つのユーザプレーントンネル（たとえば、複数のユーザプレーントンネル）をPDUセッションに対応する1つのユーザプレーントンネルにどのようにマッピングするかという問題が存在する。
【０１５９】
（2）端末が5Gネットワークから4Gネットワークにハンドオーバされるとき、PDUセッションに対応する1つのユーザプレーントンネルをPDN接続に対応する少なくとも1つのユーザプレーントンネル（たとえば、複数のユーザプレーントンネル）にどのようにマッピングするかという問題が存在する。
【０１６０】
（3）端末が5Gネットワークから4Gネットワークにハンドオーバされるとき、4Gネットワーク内のPDN接続に対応する制御プレーントンネルのをどのように確立するかという問題が存在する。
【０１６１】
前述の問題は、ネットワークハンドオーバプロセスにおけるデータパケットの損失をもたらす可能性があり、その結果、データパケットの正常送信が影響を受ける。
【０１６２】
本出願の実施形態において提供されるハンドオーバ方法および装置は、ネットワークハンドオーバプロセスにおけるデータパケットの損失を防止するのに役立ち、それにより、データパケットの正常送信が保証される。
【０１６３】
図3は、本出願の一実施形態による、ハンドオーバ方法300の概略フローチャートである。方法300は、図1または図2に示されたシステムアーキテクチャに適用されてよく、または方法300は、別の同様のアーキテクチャに適用されてよい。このことは、本出願のこの実施形態では限定されない。
【０１６４】
方法300は、第1の制御プレーン機能ネットワーク要素によって実行されてよいことを理解されたい。第1の制御プレーン機能ネットワーク要素は、たとえば、図1または図2に示されたSMF−PGW−Cであってもよい。
【０１６５】
S310．第1の制御プレーン機能ネットワーク要素が、第1のネットワーク内の端末のPDUセッションが第2のネットワーク内のPDN接続に切り替えられるべきときに確立される必要がある少なくとも1つのベアラを決定する。
【０１６６】
S320．第1の制御プレーン機能ネットワーク要素が、PDN接続のトンネル情報を取得し、PDN接続のトンネル情報は、少なくとも1つのベアラの各々に対応するユーザプレーントンネル情報を含む。
【０１６７】
第1のネットワークは5Gネットワークを含んでよく、第2のネットワークは4Gネットワークを含んでよいことを理解されたい。第1のネットワーク内のPDUセッションは第2のネットワーク内のPDN接続に相当することをさらに理解されたい。
【０１６８】
場合によっては、S310において、第1のネットワーク内のPDUセッションが確立または修正される必要があると判断すると、第1の制御プレーン機能ネットワーク要素は、第1のネットワーク内の端末のPDUセッションが第2のネットワーク内のPDN接続に切り替えられるべきときに確立される必要がある少なくとも1つのベアラを決定することができる。
【０１６９】
場合によっては、S310において、第1の制御プレーン機能ネットワーク要素は、複数の場合において、第1のネットワーク内のPDUセッションが確立または修正される必要があると判断することができる。このことは、本出願のこの実施形態では限定されない。
【０１７０】
可能な実装形態では、第1の制御プレーン機能ネットワーク要素は、AMFから第1の要求メッセージを受信する場合があり、第1の要求メッセージは、第1のネットワーク内のPDUセッションを確立するように要求するために使用され、PDUセッションは少なくとも1つのデータフローを含み、第1の制御プレーン機能ネットワーク要素は、第1の要求メッセージに基づいて、第1のネットワーク内のPDUセッションが確立される必要があると判断する。
【０１７１】
別の可能な実装形態では、第1の制御プレーン機能ネットワーク要素は、別のネットワーク要素から第2の要求メッセージを受信する場合があり、第2の要求メッセージは、第1のネットワーク内のPDUセッションを修正するように第1の制御プレーン機能ネットワーク要素をトリガするために使用され、たとえば、第2の要求メッセージは、少なくとも1つのデータフローをPDUセッションに追加するように第1の制御プレーン機能ネットワーク要素をトリガするために使用される。
【０１７２】
さらに別の可能な実装形態では、第1の制御プレーン機能ネットワーク要素は、第1の制御プレーン機能ネットワーク要素のプロセスにより、第1のネットワーク内のPDUセッションを修正するようにトリガされる場合がある。
【０１７３】
場合によっては、第1の制御プレーン機能ネットワーク要素は、少なくとも1つのデータフローおよび割当てポリシーに基づいて少なくとも1つのベアラを決定することができる。
【０１７４】
場合によっては、少なくとも1つのデータフローは、たとえば、サービス品質（quality of service、QoS）フロー（flow）であってよい。QoSフローは、保証されたビットレート（guaranteed bit rate、GBR）のQoSフローまたは非GBRのQoSフローであってよい。
【０１７５】
場合によっては、割当てポリシーは事前に構成されてもよく、指示情報を使用して別のネットワーク要素によって示されてもよい。このことは、本出願のこの実施形態では限定されない。
【０１７６】
場合によっては、割当てポリシーの具体的な内容は、本出願のこの実施形態では限定されない。たとえば、割当てポリシーは、
（1）1つのPDUセッション内のすべての非GBR QoSフローはデフォルトベアラを共有する、
（2）1つのPDUセッション内の異なるGBR QoSフローは異なる専用ベアラを使用する、または
（3）1つのPDUセッション内のいくつかの異なるGBR QoSフローは専用ベアラを共有する
であってよい。
【０１７７】
たとえば、セッションの確立中に、少なくとも1つのデータフローが5つのGBR QoSフローおよび6つの非GBR QoSフローを含むとき、第1の制御プレーン機能ネットワーク要素は、5つのGBR QoSフローの各々に1つの専用ベアラを確立し、6つの非GBR QoSフローに1つの公共デフォルトベアラを確立する。
【０１７８】
別の例として、セッションの修正中、専用ベアラ1および専用ベアラ2がPDUセッションの確立中にPDUセッション用に確立され、少なくとも1つのデータフローが1つのGBR QoSフローおよび1つの非GBR QoSフローを含む場合、第1の制御プレーン機能ネットワーク要素は、GBR QoSフロー用に専用ベアラ3を確立し、非GBR QoSフロー用に公共デフォルトベアラを確立する。
【０１７９】
別の例として、セッションの修正中に、PDUセッションの確立中に、専用ベアラ1、専用ベアラ2、およびデフォルトベアラがPDUセッション用に確立され、少なくとも1つのデータフローが1つのGBR QoSフローおよび1つの非GBR QoSフローを含む場合、第1の制御プレーン機能ネットワーク要素は、GBR QoSフロー用に専用ベアラ3を確立し、非GBR QoSフローはデフォルトベアラ内の他の非GBR QoSフローとデフォルトベアラを共有する。
【０１８０】
場合によっては、S320において、各ベアラに対応するユーザプレーントンネル情報は、ベアラに対応するユーザプレーントンネルのトンネル識別子、およびトンネルに対応するインターネットプロトコル（Internet Protocol、IP）アドレスなどのユーザプレーントンネルに関する他の情報を含んでよい。このことは、本出願のこの実施形態では限定されない。
【０１８１】
場合によっては、S320において、第1の制御プレーン機能ネットワーク要素は、複数の方式で、少なくとも1つのベアラの各々に対応するユーザプレーントンネル情報を取得することができる。このことは、本出願のこの実施形態では限定されない。
【０１８２】
可能な実装形態では、第1の制御プレーン機能ネットワーク要素自体が、少なくとも1つのベアラの各々にユーザプレーントンネル情報を割り当てることができる。
【０１８３】
別の可能な実装形態では、第1の制御プレーン機能ネットワーク要素は、少なくとも1つのベアラの各々にユーザプレーントンネル情報を割り当てるように、PDUセッションに対応するユーザプレーン機能ネットワーク要素に要求し、PDUセッションに対応するユーザプレーン機能ネットワーク要素から、各ベアラに対応するユーザプレーントンネル情報を取得することができる。
【０１８４】
本出願のこの実施形態において提供されるハンドオーバ方法によれば、第1の制御プレーン機能ネットワーク要素は、第1のネットワーク内の端末のPDUセッションが第2のネットワーク内のPDN接続に切り替えられるべきときに確立される必要がある少なくとも1つのベアラを決定し、少なくとも1つのベアラの各々に対応するユーザプレーントンネル情報を取得し、その結果、第1の制御プレーン機能ネットワーク要素は、PDUセッションがPDN接続に切り替えられるべきときにPDN接続内のベアラに対応するユーザプレーントンネルを確立する。これは、ネットワークハンドオーバプロセスにおいてPDN接続に含まれるベアラ内のデータパケットの損失を防止するのに役立ち、それにより、データパケットの正常な送信が保証される。
【０１８５】
この実施形態における第1の制御プレーン機能ネットワーク要素およびPDUセッションに対応するユーザプレーン機能ネットワーク要素は、それぞれ、図1または図2に示されたシステムアーキテクチャにおけるSMF＋PGW−CおよびUPF＋PGW−Uであってよいことを理解されたい。
【０１８６】
場合によっては、方法300は、第1の制御プレーン機能ネットワーク要素により、PDUセッションに対応するユーザプレーン機能ネットワーク要素にアップリンクデータ送信規則を送信するステップをさらに含み、アップリンクデータ送信規則は、PDN接続に対応するユーザプレーントンネルを介して受信されたアップリンクデータを転送する方法を、PDUセッションに対応するユーザプレーン機能ネットワーク要素に示すために使用され、たとえば、アップリンクデータ送信規則は、指定された転送経路を介して外部データネットワークにアップリンクデータパケットを送信するように、PDUセッションに対応するユーザプレーン機能ネットワーク要素に示すために使用される。
【０１８７】
可能な実装形態では、第1の制御プレーン機能ネットワーク要素は、PDUセッションに対応するユーザプレーン機能ネットワーク要素に第1のセッション管理要求を送信する場合があり、第1のセッション管理要求は、少なくとも1つのベアラの各々に対応するダウンリンクユーザプレーントンネルを確立または修正するように要求するために使用され、第1のセッション管理要求はアップリンクデータ送信規則を搬送する。
【０１８８】
それに対応して、PDUセッションに対応するユーザプレーン機能ネットワーク要素は、第1の制御プレーン機能ネットワーク要素から第1のセッション管理要求を受信し、第1のセッション管理要求に基づいて、第1の制御プレーン機能ネットワーク要素に第1のセッション管理応答を送信することができる。
【０１８９】
場合によっては、第1のセッション管理要求はN4セッション管理要求であってよく、第1のセッション管理応答はN4セッション管理応答であってよい。
【０１９０】
本出願のこの実施形態では、N4セッション管理要求は、第1の制御プレーン機能ネットワーク要素とPDUセッションに対応するユーザプレーン機能ネットワーク要素との間で、N4インターフェースを介して送信されるN4セッション確立要求またはN4セッション修正要求であってよいことを理解されたい。それに対応して、N4セッション管理応答は、第1の制御プレーン機能ネットワーク要素とPDUセッションに対応するユーザプレーン機能ネットワーク要素との間で、N4インターフェースを介して送信されるN4セッション確立応答またはN4セッション修正応答であってよい。
【０１９１】
場合によっては、第1の制御プレーンネットワーク要素自体が、少なくとも1つのベアラの各々にユーザプレーントンネル情報を割り当てるとき、第1の制御プレーン機能ネットワーク要素は、少なくとも1つのベアラの各々に対応するユーザプレーントンネル情報を第1のセッション管理要求に追加することができ、第1の制御プレーン機能ネットワーク要素が、少なくとも1つのベアラの各々にユーザプレーントンネル情報を割り当てるように、PDUセッションに対応するユーザプレーン機能ネットワーク要素に要求するとき、PDUセッションに対応するユーザプレーン機能ネットワーク要素は、少なくとも1つのベアラの各々に対応するユーザプレーントンネル情報を第1のセッション管理応答に追加することができる。
【０１９２】
少なくとも1つのベアラの各々に対応するユーザプレーントンネル情報およびベアラに対応するアップリンクデータ送信規則を知った後、PDUセッションに対応するユーザプレーン機能ネットワーク要素は、PDUセッションに対応するユーザプレーン機能ネットワーク要素上にベアラのアップリンクユーザプレーントンネルを確立することができる。
【０１９３】
場合によっては、S320において、PDN接続のトンネル情報は、PDN接続に対応する制御プレーントンネル情報をさらに含んでよい。
【０１９４】
それに対応して、第1の制御プレーン機能ネットワーク要素はさらに、PDN接続に対応する制御プレーントンネル情報を取得する必要がある。
【０１９５】
PDN接続に対応する制御プレーントンネルは、PDN接続の制御シグナリングを送信するために使用されることを理解されたい。言い換えれば、PDN接続に対応する制御プレーントンネルの粒度は、PDN接続単位である。
【０１９６】
場合によっては、第1の制御プレーン機能ネットワーク要素は、複数の方式で、PDN接続に対応する制御プレーントンネル情報を取得することができる。このことは、本出願のこの実施形態では限定されない。
【０１９７】
可能な実装形態では、第1の制御プレーン機能ネットワーク要素は、PDUセッションの確立中に、PDN接続に制御プレーントンネル情報を割り当てることができる。
【０１９８】
場合によっては、PDN接続に対応する制御プレーントンネル情報は、PDN接続に対応する制御プレーントンネルのトンネル識別子、および制御プレーントンネルに対応するインターネットプロトコル（Internet Protocol、IP）アドレスなどの制御プレーントンネルに関する他の情報を含んでよい。このことは、本出願のこの実施形態では限定されない。
【０１９９】
本出願のこの実施形態において提供されるハンドオーバ方法によれば、PDN接続に対応するトンネル情報は、PDN接続に対応する制御プレーントンネル情報をさらに含み、その結果、第1の制御プレーン機能ネットワーク要素は、PDUセッションに対応するPDN接続に対応する制御プレーントンネルを確立する。これは、ネットワークハンドオーバプロセスにおいてPDN接続の制御シグナリングの損失を防止するのに役立ち、それにより、制御シグナリングの正常な送信が保証される。
【０２００】
場合によっては、S320において、第1の制御プレーン機能ネットワーク要素は、セッションの確立／修正中にPDN接続のトンネル情報を取得することができるか、または第1の制御プレーン機能ネットワーク要素は、ハンドオーバ準備中にPDN接続のトンネル情報を取得することができる。
【０２０１】
本出願のこの実施形態において提供されるハンドオーバ方法によれば、第1の制御プレーン機能ネットワーク要素は、PDUセッションの確立もしくは修正中またはハンドオーバ準備中に、PDN接続のトンネル情報を取得し、その結果、第1の制御プレーン機能ネットワーク要素は、ハンドオーバ実行前に、PDN接続内のベアラに対応するユーザプレーントンネルおよびPDN接続に対応する制御プレーントンネルを確立し、それにより、ハンドオーバプロセス内の遅延が削減される。
【０２０２】
場合によっては、方法300は、第1の制御プレーン機能ネットワーク要素により、少なくとも1つのベアラの各々に対応するベアラ識別子を取得するステップであって、その結果、第1の制御プレーン機能ネットワーク要素が、各ベアラに対応するベアラ識別子を各ベアラに対応するユーザプレーントンネルと関連付ける、ステップをさらに含む。
【０２０３】
少なくとも1つのベアラの各々に対応するベアラ識別子は、モビリティ管理ネットワーク要素によって割り当てられ、その結果、各ベアラに対応するベアラ識別子は、PDUセッション内で一意であり得ることを理解されたい。言い換えれば、各ベアラに対応するベアラ識別子は、ベアラに対応するユーザプレーントンネルを一意に識別することができる。
【０２０４】
加えて、PDN接続に対応する制御プレーントンネル情報は、PDN接続を一意に識別することができる。
【０２０５】
以下で、図1および図2に示されたアプリケーションシナリオを参照して、第1の制御プレーン機能ネットワーク要素が各ベアラに対応するベアラ識別子を取得するプロセスを記載する。
【０２０６】
（1）図1に示されたアプリケーションシナリオにおいて：
【０２０７】
可能な実装形態では、第1の制御プレーン機能ネットワーク要素は、モビリティ管理ネットワーク要素にベアラ識別子要求を送信する場合があり、ベアラ識別子要求は、少なくとも1つのベアラの各々にベアラ識別子を割り当てるために使用される。それに対応して、モビリティ管理ネットワーク要素は、第1の制御プレーン機能ネットワーク要素からベアラ識別子要求を受信し、ベアラ識別子要求に基づいて各ベアラにベアラ識別子を割り当て、少なくとも1つのベアラの各々に対応するベアラ識別子を第1の制御プレーン機能ネットワーク要素に送信する。
【０２０８】
第1の制御プレーン機能ネットワーク要素は、PDN接続に対応するベアラコンテキストに、取得された少なくとも1つのベアラの各々に対応するユーザプレーントンネル情報、各ベアラに対応するベアラ識別子、およびPDN接続に対応する制御プレーントンネル情報を格納し、ハンドオーバ準備中にモビリティ管理ネットワーク要素にベアラコンテキストを送信することができることに留意されたい。
【０２０９】
それに対応して、モビリティ管理ネットワーク要素は、PDN接続に対応するベアラコンテキストに基づいて、第2のネットワーク内の（図1に示されたSGWなどの）サービングゲートウェイからPDUセッションに対応するユーザプレーン機能ネットワーク要素へのアップリンクトンネルを確立することができる。
【０２１０】
（2）図2に示されたアプリケーションシナリオにおいて：
【０２１１】
図2では、第2の制御プレーン機能ネットワーク要素は、PDUセッションに対応する訪問先制御プレーンネットワーク要素であり、第1の制御プレーン機能ネットワーク要素は、PDUセッションに対応するホーム制御プレーンネットワーク要素であることを理解されたい。したがって、第1の制御プレーン機能ネットワーク要素は、第2の制御プレーン機能ネットワーク要素を使用して各ベアラに対応するベアラ識別子を取得する必要があり、第2の制御プレーン機能ネットワーク要素は、端末のネットワークハンドオーバに関与する。
【０２１２】
可能な実装形態では、第1の制御プレーン機能ネットワーク要素は、第2の制御プレーン機能ネットワーク要素を使用してモビリティ管理ネットワーク要素にベアラ識別子要求を送信し、ベアラ識別子要求は、少なくとも1つのベアラの各々にベアラ識別子を割り当てるように要求するために使用され、第1の制御プレーン機能ネットワーク要素は、第2の制御プレーン機能ネットワーク要素を使用してモビリティ管理ネットワーク要素から、少なくとも1つのベアラの各々に対応するベアラ識別子を受信する。
【０２１３】
少なくとも1つのベアラの各々に対応するユーザプレーントンネル情報、各ベアラに対応するベアラ識別子、およびPDN接続に対応する制御プレーントンネル情報を取得した後、第1の制御プレーン機能ネットワーク要素は、PDUセッションの確立／修正中に、少なくとも1つのベアラの各々に対応するユーザプレーントンネル情報、各ベアラに対応するベアラ識別子、およびPDN接続に対応する制御プレーントンネル情報を第2の制御プレーン機能ネットワーク要素に送信することができることに留意されたい。
【０２１４】
それに対応して、第2の制御プレーン機能ネットワーク要素は、PDN接続のベアラコンテキストに、第1の制御プレーン機能ネットワーク要素から取得された少なくとも1つのベアラの各々に対応するユーザプレーントンネル情報、各ベアラに対応するベアラ識別子、およびPDN接続に対応する制御プレーントンネル情報を格納することができる。
【０２１５】
別の可能な実装形態では、第1の制御プレーン機能ネットワーク要素は、第2の制御プレーン機能ネットワーク要素にPDN接続のトンネル情報を送信し、第2の制御プレーン機能ネットワーク要素から少なくとも1つのベアラの各々に対応するベアラ識別子を取得することができる。それに対応して、第2の制御プレーン機能ネットワーク要素は、少なくとも1つのベアラの各々に対応するベアラ識別子を格納することができる。
【０２１６】
言い換えれば、第1の制御プレーン機能ネットワーク要素は、第2の制御プレーン機能ネットワーク要素にPDN接続のトンネル情報を送信し、第2の制御プレーン機能ネットワーク要素は、PDN接続のトンネル情報に基づいて、モビリティ管理ネットワーク要素が少なくとも1つのベアラにベアラ識別子を割り当てるように要求される必要があるかどうかを判定し、モビリティ管理ネットワーク要素が少なくとも1つのベアラにベアラ識別子を割り当てるように要求される必要があるとき、モビリティ管理ネットワーク要素にベアラ識別子要求を送信する。
【０２１７】
具体的には、第1の制御プレーン機能ネットワーク要素は、最初に、各ベアラに対応するユーザプレーントンネル情報に関連付けられたベアラ識別子がPDN接続の取得されたトンネル情報に存在するかどうかを確認し、少なくとも1つのベアラのいくつかにベアラ識別子が割り当てられていない場合、第1の制御プレーン機能ネットワーク要素は、ベアラにベアラ識別子を割り当てるようにモビリティ管理ネットワーク要素に要求する。
【０２１８】
第2の制御プレーン機能ネットワーク要素は、PDN接続のベアラコンテキストに、少なくとも1つのベアラの各々に対応するユーザプレーントンネル情報、各ベアラに対応するベアラ識別子、およびPDN接続に対応する制御プレーントンネル情報を格納することができることに留意されたい。
【０２１９】
図2に示されたアプリケーションシナリオにおける2つの実装形態では、第2の制御プレーン機能ネットワーク要素によって格納されたPDN接続に対応するベアラコンテキストは、少なくとも1つのベアラの各々に対応するユーザプレーントンネル情報、各ベアラに対応するベアラ識別子、およびPDN接続に対応する制御プレーントンネル情報を含むので、モビリティ管理ネットワーク要素は、ハンドオーバ準備中に第2の制御プレーン機能ネットワーク要素からPDN接続に対応するベアラコンテキストを取得し、PDN接続に対応するベアラコンテキストに基づいて、第2のネットワーク内の（図1または図2に示されたSGWなどの）サービングゲートウェイからPDUに対応するユーザプレーン機能ネットワーク要素へのアップリンクトンネルを確立することができる。
【０２２０】
本出願のこの実施形態において提供されるハンドオーバ方法によれば、第2の制御プレーン機能ネットワーク要素は、PDUセッションに対応する訪問先制御プレーンネットワーク要素なので、第1の制御プレーン機能ネットワーク要素からPDN接続に対応するベアラコンテキストを取得することと比較して、モビリティ管理ネットワーク要素により、第2の制御プレーン機能ネットワーク要素からPDN接続に対応するベアラコンテキストを取得することは、ハンドオーバプロセス内で発生する遅延を削減することができる。
【０２２１】
場合によっては、方法300は、第1の制御プレーン機能ネットワーク要素により、PDUセッションに対応するユーザプレーン機能ネットワーク要素に、PDN接続に対応するダウンリンクデータ送信規則を送信するステップであって、ダウンリンクデータ送信規則が、対応するユーザプレーントンネルを介して受信されたダウンリンクデータを転送するように、PDUセッションに対応するユーザプレーン機能ネットワーク要素に示すために使用される、ステップをさらに含む。
【０２２２】
可能な実装形態では、第1の制御プレーン機能ネットワーク要素は、ハンドオーバ実行中にPDUセッションに対応するユーザプレーン機能ネットワーク要素に第3のセッション管理要求を送信する場合があり、第3のセッション管理要求は、少なくとも1つのベアラの各々に対応するダウンリンクユーザプレーントンネルを確立または修正するように要求するために使用され、第3のセッション管理要求はダウンリンクデータ送信規則を搬送する。
【０２２３】
別の可能な実装形態では、第1の制御プレーン機能ネットワーク要素は、PDUセッションの要求／修正中に、ダウンリンクデータ送信規則および第1の規則指示情報を第1のセッション管理要求に追加することができ、第1の規則指示情報は、ダウンリンクデータ送信規則を有効にしないように示すために使用される。それに対応して、第1の制御プレーン機能ネットワーク要素は、ハンドオーバ実行中にPDUセッションに対応するユーザプレーン機能ネットワーク要素に第3のセッション管理要求を送信し、第3のセッション管理要求は第2の規則指示情報を搬送し、第2の規則指示情報は、ダウンリンクデータ送信規則を有効にするように示すために使用される。
【０２２４】
場合によっては、第3のセッション管理要求はN4セッション管理要求であってよく、第3のセッション管理応答はN4セッション管理応答であってよい。
【０２２５】
本出願のこの実施形態において提供されるハンドオーバ方法によれば、第1の制御プレーン機能ネットワーク要素は、ハンドオーバ実行フェーズ内でPDUセッションに対応するユーザプレーン機能ネットワーク要素にダウンリンクデータ送信規則を示し、その結果、PDUセッションに対応するユーザプレーン機能ネットワーク要素は、ダウンリンクデータ送信規則に従って、受信されたダウンリンクデータを対応するダウンリンクトンネルと照合し、ダウンリンクトンネルを介して第2のネットワーク内の（図1または図2に示されたSGWなどの）サービングゲートウェイに受信されたダウンリンクデータを送信する。
【０２２６】
以下で、図4を参照して詳細に、前述の方法300の実施形態における第2の制御プレーン機能ネットワーク要素の機能を記載する。
【０２２７】
図4は、本出願の一実施形態による、ハンドオーバ方法400の概略フローチャートである。方法400は、図2に示されたシステムアーキテクチャに適用されてよく、または方法400は、別の同様のアーキテクチャに適用されてよい。このことは、本出願のこの実施形態では限定されない。
【０２２８】
方法400は、第2の制御プレーン機能ネットワーク要素によって実行されてよく、第2の制御プレーン機能ネットワーク要素は、たとえば、図2に示されたv−SMFであってよいことを理解されたい。
【０２２９】
S410．第2の制御プレーン機能ネットワーク要素が、第1の制御プレーン機能ネットワーク要素からPDN接続のトンネル情報を受信し、PDN接続のトンネル情報は、少なくとも1つのベアラの各々に対応するユーザプレーントンネル情報を含み、第2の制御プレーン機能ネットワーク要素は、PDN接続に対応する訪問先制御プレーンネットワーク要素であり、第1の制御プレーン機能ネットワーク要素は、PDN接続に対応するホーム制御プレーンネットワーク要素である。それに対応して、第1の制御プレーン機能ネットワーク要素は、第2の制御プレーン機能ネットワーク要素にPDN接続のトンネル情報を送信する。
【０２３０】
S420．第2の制御プレーン機能ネットワーク要素が、モビリティ管理ネットワーク要素にPDN接続のトンネル情報を送信する。
【０２３１】
場合によっては、PDN接続のトンネル情報は、PDN接続に対応する制御プレーントンネル情報を含んでよい。
【０２３２】
可能な実装形態では、方法400は、第2の制御プレーン機能ネットワーク要素により、モビリティ管理ネットワーク要素に、第1の制御プレーン機能ネットワーク要素によってモビリティ管理ネットワーク要素に送信されたベアラ識別子要求を転送するステップであって、ベアラ識別子要求が、少なくとも1つのベアラの各々にベアラ識別子を割り当てるように要求するために使用される、ステップと、第1の制御プレーン機能ネットワーク要素に、少なくとも1つのベアラの各々に対応し、モビリティ管理ネットワーク要素によって第1の制御プレーン機能ネットワーク要素に送信されたベアラ識別子を転送するステップとをさらに含む。
【０２３３】
言い換えれば、第2の制御プレーン機能ネットワーク要素は、第1の制御プレーン機能ネットワーク要素とPDUセッションに対応するユーザプレーン機能ネットワーク要素との間で送信されるメッセージを透過的に送信する機能を有する。
【０２３４】
場合によっては、第2の制御プレーン機能ネットワーク要素は、第1の制御プレーン機能ネットワーク要素から少なくとも1つのベアラの各々に対応するベアラ識別子をさらに受信することができる。
【０２３５】
このようにして、第2の制御プレーン機能ネットワーク要素によって格納されたPDN接続に対応するコンテキストは、PDN接続のトンネル情報、および少なくとも1つのベアラの各々に対応するベアラ識別子を含んでよい。
【０２３６】
別の可能な実装形態では、方法400は、第2の制御プレーン機能ネットワーク要素により、PDN接続のトンネル情報に基づいてモビリティ管理ネットワーク要素にベアラ識別子要求を送信するステップであって、ベアラ識別子要求が、PDN接続に含まれる少なくとも1つのベアラの各々にベアラ識別子を割り当てるように要求するために使用される、ステップと、第2の制御プレーン機能ネットワーク要素により、モビリティ管理ネットワーク要素から少なくとも1つのベアラの各々に対応するベアラ識別子を受信するステップとをさらに含む。
【０２３７】
具体的には、第2の制御プレーンネットワーク要素は、各ベアラに対応するユーザプレーントンネル情報に関連付けられたベアラ識別子がPDN接続内のトンネル情報に存在するかどうかを確認し、少なくとも1つのベアラにベアラ識別子が割り当てられていない場合、第2の制御プレーン機能ネットワーク要素は、ベアラ識別子が割り当てられていない少なくとも1つのベアラの各々にベアラ識別子を割り当てるようにモビリティ管理ネットワーク要素に要求する。
【０２３８】
言い換えれば、第2の制御プレーン機能ネットワーク要素は、処理機能を有することができる。
【０２３９】
場合によっては、第2の制御プレーン機能ネットワーク要素は、少なくとも1つのベアラの各々に対応するベアラ識別子を格納し、少なくとも1つのベアラの各々に対応するベアラ識別子を第1の制御プレーン機能ネットワーク要素に送信することができる。
【０２４０】
このようにして、第2の制御プレーン機能ネットワーク要素によって格納されたPDN接続に対応するコンテキストは、PDN接続のトンネル情報、および少なくとも1つのベアラの各々に対応するベアラ識別子を含んでよい。
【０２４１】
本出願のこの実施形態において提供されるハンドオーバ方法によれば、第2の制御プレーン機能ネットワーク要素によって格納されたPDN接続に対応するベアラコンテキストは、PDN接続のトンネル情報および少なくとも1つのベアラの各々に対応するベアラ識別子を含み、その結果、モビリティ管理ネットワーク要素は、ハンドオーバ準備中に第2の制御プレーン機能ネットワーク要素からPDN接続に対応するベアラコンテキストを直接取得し、PDN接続に対応するベアラコンテキストに基づいて、第2のネットワーク内の（図1または図2に示されたSGWなどの）サービングゲートウェイからPDUに対応するユーザプレーン機能ネットワーク要素へのアップリンクトンネルを確立することができる。
【０２４２】
加えて、第2の制御プレーン機能ネットワーク要素は、PDUセッションに対応する訪問先制御プレーンネットワーク要素なので、第1の制御プレーン機能ネットワーク要素からPDN接続に対応するベアラコンテキストを取得することと比較して、モビリティ管理ネットワーク要素により、第2の制御プレーン機能ネットワーク要素からPDN接続に対応するベアラコンテキストを取得することは、ハンドオーバプロセス内で発生する遅延を削減することができる。
【０２４３】
図5は、本出願の一実施形態による、ハンドオーバ方法500の概略フローチャートである。方法500は、図1または図2に示されたシステムアーキテクチャに適用されてよく、または方法500は、別の同様のアーキテクチャに適用されてよい。このことは、本出願のこの実施形態では限定されない。
【０２４４】
方法500は、第1の制御プレーン機能ネットワーク要素によって実行されてよいことを理解されたい。第1の制御プレーン機能ネットワーク要素は、たとえば、図1または図2に示されたSMF−PGW−Cであってもよい。
【０２４５】
S510．第1の制御プレーン機能ネットワーク要素が、第2のネットワーク内の端末のPDN接続が第1のネットワーク内のPDUセッションに切り替えられる必要があると判断する。
【０２４６】
S520．第1の制御プレーン機能ネットワーク要素が、PDUセッションに対応するユーザプレーントンネル情報を取得する。
【０２４７】
第1のネットワークは5Gネットワークを含んでよく、第2のネットワークは4Gネットワークを含んでよいことを理解されたい。第1のネットワーク内のPDUセッションは第2のネットワーク内のPDN接続に相当することをさらに理解されたい。
【０２４８】
場合によっては、S510において、第1の制御プレーン機能ネットワーク要素は、複数の方式で、第2のネットワーク内の端末のPDN接続が第1のネットワーク内のPDUセッションに切り替えられる必要があると判断することができる。このことは、本出願のこの実施形態では限定されない。
【０２４９】
（1）セッションの確立／修正中
【０２５０】
可能な実装形態では、第1の制御プレーン機能ネットワーク要素は第3の要求メッセージを受信する場合があり、第3の要求メッセージは、第2のネットワーク内のPDN接続を確立するように要求するために使用され、第1の制御プレーン機能ネットワーク要素は、第3の要求メッセージに基づいて、第2のネットワーク内の端末のPDN接続が第1のネットワーク内のPDUセッションに切り替えられる必要があると判断する。
【０２５１】
（2）ハンドオーバ準備中
【０２５２】
可能な実装形態では、第1の制御プレーン機能ネットワーク要素は第2のセッション管理要求を受信する場合があり、第2のセッション管理要求は第1の指示情報を搬送し、第1の指示情報は、第2のネットワークから第1のネットワークに端末をハンドオーバするための準備をするように示すために使用され、第1の制御プレーン機能ネットワーク要素は、第1の指示情報に基づいて、第2のネットワーク内のPDN接続が第1のネットワーク内のPDUセッションに切り替えられる必要があると判断することができる。
【０２５３】
場合によっては、第1の制御プレーン機能ネットワーク要素は、AMFから第2のセッション管理要求を受信するか、またはv−SMFから第2のセッション管理要求を受信することができる。
【０２５４】
場合によっては、S520において、第1の制御プレーン機能ネットワーク要素は、複数の方式で、PDUセッションに対応するユーザプレーントンネル情報を取得することができる。このことは、本出願のこの実施形態では限定されない。
【０２５５】
可能な実装形態では、第1の制御プレーン機能ネットワーク要素自体が、PDUセッションに対応するユーザプレーントンネル情報をPDUセッションに割り当てることができる。
【０２５６】
別の可能な実装形態では、第1の制御プレーン機能ネットワーク要素は、PDUセッションに対応するユーザプレーントンネル情報を割り当てるように、PDN接続に対応するユーザプレーン機能ネットワーク要素に要求し、PDN接続に対応するユーザプレーン機能ネットワーク要素から、PDUセッションに対応するユーザプレーントンネル情報を取得する。
【０２５７】
本出願のこの実施形態において提供されるハンドオーバ方法によれば、第1の制御プレーン機能ネットワーク要素は、第2のネットワーク内の端末のPDN接続が第1のネットワーク内のPDUセッションに切り替えられる必要があると判断し、PDUセッションに対応するユーザプレーントンネル情報を取得し、その結果、第1の制御プレーン機能ネットワーク要素は、PDN接続がPDUセッションに切り替えられるべきときにPDUセッションに対応するユーザプレーントンネルを確立する。これは、ネットワークハンドオーバプロセスにおいてPDUセッション内のデータパケットの損失を防止するのに役立ち、それにより、データパケットの正常な送信が保証される。
【０２５８】
PDN接続に対応するユーザプレーン機能ネットワーク要素は、図1または図2に示されたシステムアーキテクチャにおけるUPF＋PGW−Uであってよいことを理解されたい。
【０２５９】
場合によっては、方法500は、第1の制御プレーン機能ネットワーク要素により、PDN接続に対応するユーザプレーン機能ネットワーク要素にアップリンクデータ送信規則を送信するステップをさらに含み、アップリンクデータ送信規則は、PDUセッションに対応するユーザプレーントンネルを介して受信されたアップリンクデータを転送する方法を、PDN接続に対応するユーザプレーン機能ネットワーク要素に示すために使用され、たとえば、指定された転送経路を介して外部データネットワークにアップリンクデータパケットを送信するように、アップリンクデータ送信規則は、PDN接続に対応するユーザプレーン機能ネットワーク要素に示すために使用される。
【０２６０】
可能な実装形態では、第1の制御プレーン機能ネットワーク要素は、PDN接続に対応するユーザプレーン機能ネットワーク要素に第1のセッション管理要求を送信し、第1のセッション管理要求は、PDUセッションに対応するダウンリンクユーザプレーントンネルを確立または修正するように要求するために使用され、第1のセッション管理要求はアップリンクデータ送信規則を搬送する。
【０２６１】
それに対応して、PDN接続に対応するユーザプレーン機能ネットワーク要素は、第1の制御プレーン機能ネットワーク要素から第1のセッション管理要求を受信し、第1のセッション管理要求に基づいて、第1の制御プレーン機能ネットワーク要素に第1のセッション管理応答を送信することができる。
【０２６２】
場合によっては、第1のセッション管理要求はN4セッション管理要求であってよく、第1のセッション管理応答はN4セッション管理応答であってよい。
【０２６３】
本出願のこの実施形態では、N4セッション管理要求は、第1の制御プレーン機能ネットワーク要素とPDN接続に対応するユーザプレーン機能ネットワーク要素との間で、N4インターフェースを介して送信されるN4セッション確立要求またはN4セッション修正要求であってよいことを理解されたい。それに対応して、N4セッション管理応答は、第1の制御プレーン機能ネットワーク要素とPDN接続に対応するユーザプレーン機能ネットワーク要素との間で、N4インターフェースを介して送信されるN4セッション確立応答またはN4セッション修正応答であってよい。
【０２６４】
場合によっては、第1の制御プレーンネットワーク要素自体がPDUセッションにユーザプレーントンネル情報を割り当てるとき、第1の制御プレーン機能ネットワーク要素は、PDUセッションに対応するユーザプレーントンネル情報を第1のセッション管理要求に追加することができ、第1の制御プレーン機能ネットワーク要素が、PDUセッションにユーザプレーントンネル情報を割り当てるように、PDN接続に対応するユーザプレーン機能ネットワーク要素に要求するとき、PDN接続に対応するユーザプレーン機能ネットワーク要素は、PDUセッションに対応するユーザプレーントンネル情報を第1のセッション管理応答に追加することができる。
【０２６５】
場合によっては、セッションの修正中に、第2のネットワーク内のPDN接続が更新される場合があり、たとえば、いくつかのベアラが新しく確立される。したがって、これらのベアラに対応するデータフローをPDUセッションに対応するユーザプレーントンネルと関連付けるために、PDN接続に対応するユーザプレーン機能ネットワーク要素は、更新されたアップリンクデータ送信規則を知る必要がある。
【０２６６】
具体的には、可能な実装形態では、第1の制御プレーン機能ネットワーク要素は別のネットワーク要素から第4の要求メッセージを受信する場合があり、第4の要求メッセージは第2のネットワーク内のPDN接続の修正をトリガする、たとえば、第4の要求メッセージはPDN接続への少なくとも1つのベアラの追加をトリガする。
【０２６７】
さらに別の可能な実装形態では、第1の制御プレーン機能ネットワーク要素は、第1の制御プレーン機能ネットワーク要素のプロセスにより、第2のネットワーク内のPDN接続を修正するようにトリガされる場合がある。
【０２６８】
場合によっては、方法500は、アップリンクデータ送信規則が変わったと判断すると、第1の制御プレーン機能ネットワーク要素により、PDN接続に対応するユーザプレーン機能ネットワーク要素に更新されたアップリンクデータ送信規則を送信するステップをさらに含む。
【０２６９】
場合によっては、第1の制御プレーン機能ネットワーク要素自体が、PDUセッションにユーザプレーントンネル情報を割り当てるとき、第1の制御プレーン機能ネットワーク要素は、PDUセッションに対応するユーザプレーントンネル情報を取得し、PDN接続に対応するユーザプレーン機能ネットワーク要素に、同じフェーズのPDUセッションに対応するユーザプレーントンネル情報を送信するか、またはPDUセッションに対応するユーザプレーントンネル情報を取得し、PDN接続に対応するユーザプレーン機能ネットワーク要素に、異なるフェーズのPDUセッションに対応するユーザプレーントンネル情報を送信することができる。このことは、本出願のこの実施形態では限定されない。
【０２７０】
可能な実装形態では、第1の制御プレーン機能ネットワーク要素は、セッションの確立／修正中に、PDUセッションに対応するユーザプレーントンネル情報およびアップリンクデータ送信規則を取得し、セッションの確立／修正中に、PDN接続に対応するユーザプレーン機能ネットワーク要素に、PDUセッションに対応するユーザプレーントンネル情報およびアップリンクデータ送信規則を送信することができる。
【０２７１】
別の可能な実装形態では、第1の制御プレーン機能ネットワーク要素は、ネットワークハンドオーバ準備中に、PDUセッションに対応するユーザプレーントンネル情報およびアップリンクデータ送信規則を取得し、ネットワークハンドオーバ準備中に、PDN接続に対応するユーザプレーン機能ネットワーク要素に、PDUセッションに対応するユーザプレーントンネル情報およびアップリンクデータ送信規則を送信することができる。
【０２７２】
さらに別の可能な実装形態では、第1の制御プレーン機能ネットワーク要素は、セッションの確立／修正中に、PDUセッションに対応するユーザプレーントンネル情報およびアップリンクデータ送信規則を取得し、ネットワークハンドオーバ準備中に、PDN接続に対応するユーザプレーン機能ネットワーク要素に、PDUセッションに対応するユーザプレーントンネル情報およびアップリンクデータ送信規則を送信することができる。
【０２７３】
本出願のこの実施形態において提供されるハンドオーバ方法によれば、ハンドオーバ準備フェーズ内で、第1の制御プレーン機能ネットワーク要素は、PDUセッションに対応するユーザプレーントンネル情報を決定し、PDN接続に対応するユーザプレーン機能ネットワーク要素に、PDUセッションに対応するユーザプレーントンネル情報を送信し、その結果、セッションの確立／修正中に新しく追加されたベアラに起因するアップリンクデータ送信規則の更新を防止することができる。
【０２７４】
場合によっては、方法500は、第1の制御プレーン機能ネットワーク要素により、PDN接続に対応するユーザプレーン機能ネットワーク要素に、PDUセッションに対応するダウンリンクデータ送信規則を送信するステップであって、ダウンリンクデータ送信規則が、PDUセッションに対応するユーザプレーントンネルを介して、PDN接続に対応するユーザプレーン機能ネットワーク要素によって受信されたダウンリンクデータパケットを送信するように示すために使用される、ステップをさらに含む。
【０２７５】
可能な実装形態では、第1の制御プレーン機能ネットワーク要素は、ハンドオーバ実行中にPDN接続に対応するユーザプレーン機能ネットワーク要素に第3のセッション管理要求を送信する場合があり、第3のセッション管理要求は、PDUセッションに対応するダウンリンクユーザプレーントンネルを修正するように要求するために使用され、第3のセッション管理要求はダウンリンクデータ送信規則を搬送する。
【０２７６】
別の可能な実装形態では、第1の制御プレーン機能ネットワーク要素は、セッションの確立／修正中に、ダウンリンクデータ送信規則および第1の規則指示情報を第1のセッション管理要求に追加することができ、第1の規則指示情報は、ダウンリンクデータ送信規則を有効にしないように示すために使用される。それに対応して、第1の制御プレーン機能ネットワーク要素は、ハンドオーバ実行中にPDN接続に対応するユーザプレーン機能ネットワーク要素に第3のセッション管理要求を送信し、第3のセッション管理要求は第2の規則指示情報を搬送し、第2の規則指示情報は、ダウンリンクデータ送信規則を有効にするように示すために使用される。
【０２７７】
場合によっては、第3のセッション管理要求はN4セッション管理要求であってよく、第3のセッション管理応答はN4セッション管理応答であってよい。
【０２７８】
本出願のこの実施形態において提供されるハンドオーバ方法によれば、第1の制御プレーン機能ネットワーク要素は、ハンドオーバ実行フェーズ内でPDN接続に対応するユーザプレーン機能ネットワーク要素にダウンリンクデータ送信規則を示し、その結果、PDN接続に対応するユーザプレーン機能ネットワーク要素は、ダウンリンクデータ送信規則に従って、受信されたダウンリンクデータを対応するダウンリンクトンネルと照合し、ダウンリンクトンネルを介して第1のネットワーク内の（図1または図2のV−UPFまたはアクセスネットワークなどの）V−UPFまたはアクセスネットワークに受信されたダウンリンクデータを送信する。
【０２７９】
図6A、図6B、および図6Cは、本出願の一実施形態による、ハンドオーバ方法600の概略フローチャートである。方法600は、図1に示された非ローミングシナリオ内のシステムアーキテクチャに適用されてよく、または方法600は、別の同様のアーキテクチャに適用されてよい。
【０２８０】
方法600は、セッション確立／修正フェーズ、ハンドオーバ準備フェーズ、およびハンドオーバ実行フェーズの合計3つのフェーズを含むことを理解されたい。以下で、図6A、図6B、および図6Cを参照して、3つのフェーズを詳細に記載する。
【０２８１】
1．セッション確立／修正フェーズ：
【０２８２】
S601およびS602は、SMF＋PGW−Cが第1のネットワーク内の端末のPDUセッションが第2のネットワーク内のPDN接続に切り替えられるべきときに確立される必要がある少なくとも1つのベアラを決定するプロセスであることに留意されたい。
【０２８３】
S601．SMF＋PGW−CがAMFからセッション確立／修正要求を受信し、セッション確立／修正要求は、第1のネットワーク内の端末のPDUセッションを確立するか、または第1のネットワーク内のPDUセッションの修正をトリガするために使用される。それに対応して、AMFはセッション確立／修正要求をSMF＋PGW−Cに送信する。
【０２８４】
S602．SMF＋PGW−Cが、S601におけるセッション確立／修正要求に基づいて、第1のネットワーク内の端末のPDUセッションが第2のネットワーク内のパケットデータネットワークPDN接続に切り替えられるべきときに確立される必要がある少なくとも1つのベアラを決定する。
【０２８５】
S603a〜S605aまたはS603b〜S605bは、SMF＋PGW−CおよびUPF＋PGW−Uが少なくとも1つのベアラの各々に対応するユーザプレーントンネルを確立するプロセスであることに留意されたい。
【０２８６】
SMF＋PGW−CおよびUPF＋PGW−Uが少なくとも1つのベアラの各々に対応するユーザプレーントンネルを確立することは、SMF＋PGW−CおよびUPF＋PGW−Uにより、各ベアラに対応するユーザプレーントンネル情報およびアップリンクデータパケット送信規則を取得することを含んでよいことを理解されたい。
【０２８７】
場合によっては、少なくとも1つのベアラの各々に対応するユーザプレーントンネル情報は、SMF＋PGW−CまたはUPF＋PGW−Uによって割り当てられてよい。このことは、本出願のこの実施形態では限定されない。
【０２８８】
SMF＋PGW−Cがユーザプレーントンネル情報を割り当てる場合、S603a〜S605aが実行される。UPF＋PGW−Uがユーザプレーントンネル情報を割り当てる場合、S603b〜S605bが実行される。
【０２８９】
（1）SMF＋PGW−Cがユーザプレーントンネル情報を各ベアラに割り当てる。
【０２９０】
S603a．SMF＋PGW−Cがユーザプレーントンネル情報を各ベアラに割り当てる。
【０２９１】
S604a．SMF＋PGW−CがN4セッション確立／修正要求をUPF＋PGW−Uに送信し、N4セッション確立／修正要求は、少なくとも1つのベアラの各々に対応するユーザプレーントンネルを確立するように要求するために使用され、N4セッション確立／修正要求は、各ベアラに対応するユーザプレーントンネル情報およびアップリンクデータパケット送信規則を搬送し、アップリンクデータ送信規則は、PDN接続に対応するユーザプレーントンネルを介して受信されたアップリンクデータを転送する方法を、PDUセッションに対応する（図6A、図6B、および図6CのUPF＋PGW−Uなどの）ユーザプレーン機能ネットワーク要素に示すために使用される。それに対応して、UPF＋PGW−Uは、SMF＋PGW−CからN4セッション確立／修正要求を受信する。
【０２９２】
S605a．UPF＋PGW−Uが、S604aにおいて受信されたN4セッション確立／修正要求に基づいて、SMF＋PGW−CにN4セッション確立／修正応答を送信する。それに対応して、SMF＋PGW−Cは、UPF＋PGW−UからN4セッション確立／修正応答を受信する。
【０２９３】
（2）UPF＋PGW−Uがユーザプレーントンネル情報を各ベアラに割り当てる。
【０２９４】
S603b．SMF＋PGW−CがN4セッション確立／修正要求をUPF＋PGW−Uに送信し、N4セッション確立／修正要求は、少なくとも1つのベアラの各々に対応するユーザプレーントンネルを確立するように要求するために使用され、N4セッション確立／修正要求はアップリンクデータパケット送信規則を搬送し、アップリンクデータ送信規則は、PDN接続に対応するユーザプレーントンネルを介して受信されたアップリンクデータを転送する方法を、PDUセッションに対応する（図6A、図6B、および図6CのUPF＋PGW−Uなどの）ユーザプレーン機能ネットワーク要素に示すために使用される。それに対応して、UPF＋PGW−Uは、SMF−PGW−CからN4セッション確立／修正要求を受信する。
【０２９５】
S604b．UPF＋PGW−Uが、S603bにおいて受信されたN4セッション確立／修正要求に基づいて、各ベアラにユーザプレーントンネル情報を割り当てる。
【０２９６】
S605b．UPF＋PGW−UがSMF＋PGW−CにN4セッション確立／修正応答を送信し、N4セッション確立／修正応答は各ベアラに対応するユーザプレーントンネル情報を搬送する。それに対応して、SMF＋PGW−Cは、UPF＋PGW−UからN4セッション確立／修正応答を受信する。
【０２９７】
S603aまたはS605bの後、SMF−PGW−Cは、少なくとも1つのベアラの各々に対応するユーザプレーントンネル情報およびアップリンクデータ送信規則を、PDN接続に対応するベアラコンテキストに格納する。
【０２９８】
各ベアラに対応するユーザプレーントンネル情報は、各ベアラに対応するユーザプレーントンネルの識別子を含んでよいことをさらに理解されたい。
【０２９９】
場合によっては、各ベアラに対応するユーザプレーントンネル情報は、各ベアラに対応するユーザプレーントンネルのインターネットプロトコル（Internet Protocol、IP）アドレス、または各ベアラに対応するユーザプレーントンネルに関する他の情報をさらに含んでよい。このことは、本出願のこの実施形態では限定されない。
【０３００】
S606は、SMF＋PGW−CがPDN接続用のPDN接続に対応する制御プレーントンネルを確立するプロセスであることに留意されたい。
【０３０１】
SMF＋PGW−CがPDN接続用のPDN接続に対応する制御プレーントンネルを確立することは、SMF＋PGW−CがPDN接続に対応する制御プレーントンネル情報をPDN接続に割り当てることであると理解されてよいことを理解されたい。
【０３０２】
S606．SMF＋PGW−CがPDN接続に対応する制御プレーントンネル情報を取得する。
【０３０３】
S606の後、SMF−PGW−Cは、PDN接続に対応する制御プレーントンネル情報を、PDN接続に対応するベアラコンテキストに格納する。
【０３０４】
PDN接続に対応する制御プレーントンネルは、UPF＋PGW−UにPDN接続の制御シグナリングを送信するために使用されることを理解されたい。言い換えれば、PDN接続に対応する制御プレーントンネルの粒度は、PDN接続単位である。したがって、S606はセッション確立フェーズ内でのみ実行される、すなわち、S606はセッション修正フェーズでは実行されない。
【０３０５】
PDN接続に対応する制御プレーントンネル情報は、PDN接続に対応する制御プレーントンネルの識別子を含んでよいことをさらに理解されたい。
【０３０６】
場合によっては、PDN接続に対応する制御プレーントンネル情報は、PDN接続に対応する制御プレーントンネルのインターネットプロトコル（Internet Protocol、IP）アドレス、またはPDN接続に対応する制御プレーントンネルに関する他の情報をさらに含んでよい。このことは、本出願のこの実施形態では限定されない。
【０３０７】
S607〜S609は、SMF＋PGW−Cが少なくとも1つのベアラの各々に対応するベアラ識別子を取得するプロセスであることに留意されたい。
【０３０８】
S607．SMF＋PGW−CがAMFにベアラ更新要求を送信し、ベアラ更新要求は、少なくとも1つのベアラの各々に対応するベアラ識別子を要求するために使用される。それに対応して、AMFはSMF＋PGW−Cからベアラ更新要求を受信する。
【０３０９】
S608．AMFが、ベアラ更新要求に基づいて、少なくとも1つのベアラの各々にベアラ識別子を割り当てる。
【０３１０】
S609．AMFがSMF＋PGW−Cにベアラ更新応答を送信し、ベアラ更新応答は、少なくとも1つのベアラの各々に対応するベアラ識別子を搬送する。それに対応して、SMF＋PGW−CはAMFからベアラ更新応答を受信する。
【０３１１】
S609の後、SMF−PGW−Cは、少なくとも1つのベアラの各々のベアラ識別子を、PDN接続に対応するベアラコンテキストに格納する。
【０３１２】
各ベアラのベアラ識別子は、ベアラに対応するユーザプレーントンネルを識別することができることを理解されたい。
【０３１３】
場合によっては、S603a〜S605a（またはS603b〜S605b）のプロセス、S606のプロセス、およびS607〜S609のプロセスの間に順番は存在しない。このことは、本出願のこの実施形態では限定されない。
【０３１４】
前述の説明に基づいて、S601a（またはS601b）〜S609の後、SMF＋PGW−Cによって格納されたPDN接続に対応するベアラコンテキストは、PDN接続に対応する制御プレーントンネル情報、少なくとも1つのベアラの各々に対応するユーザプレーントンネル情報、および少なくとも1つのベアラの各々に対応するベアラ識別子を含んでよい。
【０３１５】
場合によっては、PDN接続に対応するベアラコンテキストは、後続のハンドオーバ準備フェーズおよびハンドオーバ実行フェーズにおいて必要な他の情報、たとえば、各ベアラのQoSパラメータをさらに含んでよく、各ベアラのQoSパラメータは、QoSクラス識別子（QoS class identifier、QCI）、割当て保持優先度（allocation retention priority、ARP）、パケットフィルタ、またはパケットフィルタ優先度のうちの少なくとも1つを含む。このことは、本出願のこの実施形態では限定されない。
【０３１６】
2．ハンドオーバ準備フェーズ：
【０３１７】
S610．AMFが、第1のネットワークの（図6A、図6B、および図6CのgNBなどの）ソースアクセスネットワークからハンドオーバ要求を受信し、ハンドオーバ要求は、（図6A、図6B、および図6CのeNBなどの）ターゲットアクセスネットワークに関する情報を搬送する。それに対応して、ソースアクセスネットワークはAMFにハンドオーバ要求を送信する。
【０３１８】
S611．AMFが、ターゲットアクセスネットワークに関する情報に基づいて、端末が第1のネットワークから第2のネットワークにハンドオーバされるべきと判断する。
【０３１９】
S612．AMFがSMF＋PGW−Cにベアラコンテキスト要求を送信し、ベアラコンテキスト要求は、PDN接続に対応するベアラコンテキストを要求するために使用される。それに対応して、SMF＋PGW−CはAMFからベアラコンテキスト要求を受信する。
【０３２０】
S613．SMF＋PGW−Cが、ベアラコンテキスト要求に基づいて、PDN接続に対応するベアラコンテキストをAMFに送信する。それに対応して、AMFは、SMF＋PGW−CからPDN接続に対応するベアラコンテキストを受信する。
【０３２１】
S614．AMFが第2のネットワーク内のMMEにPDN接続に対応するベアラコンテキストを送信する。それに対応して、MMEはAMFからPDN接続に対応するベアラコンテキストを受信する。
【０３２２】
S615．MMEがPDN接続に対応するベアラコンテキストからPDN接続のトンネル情報を取得する。
【０３２３】
S616．MMEが第2のネットワーク内のSGWにPDN接続のトンネル情報を送信する。それに対応して、SGWはMMEからPDN接続のトンネル情報を受信する。
【０３２４】
セッション確立／修正フェーズおよびハンドオーバ準備フェーズにおけるユーザプレーントンネルおよび制御プレーントンネルは、PGW−U＋UPF上のアップリンクユーザプレーントンネルおよびPGW−C＋SMF上のアップリンク制御プレーントンネルであることを理解されたい。
【０３２５】
S610〜S616の後、SGWからUPF＋PGW−Uへのアップリンクトンネルが確立され、端末が第1のネットワーク内のソースアクセスネットワークから第2のネットワーク内のターゲットアクセスネットワークにハンドオーバされると、アップリンクデータは、SGWからUPF＋PGW−Uへのアップリンクトンネルにシームレスに切り替えられ、データネットワークに送信することができることに留意されたい。
【０３２６】
方法600のハンドオーバ準備フェーズは、前述のプロセスのみに限定されず、別のプロセスをさらに含んでよい（たとえば、従来技術のハンドオーバ準備フェーズ内のプロセスが参照されてよい）ことを理解されたい。本出願のこの実施形態はそれに限定されない。
【０３２７】
3．ハンドオーバ実行フェーズ：
【０３２８】
S617．端末がターゲットアクセスネットワークを使用して第2のネットワークにアクセスすると、ターゲットアクセスネットワークがMMEにハンドオーバ通知を送信し、ハンドオーバ通知は、端末が第1のネットワークから第2のネットワークにハンドオーバされたことを通知するために使用される。それに対応して、MMEはハンドオーバ通知を受信する。
【０３２９】
S618．MMEがSGWにベアラ修正要求を送信し、ベアラ修正要求はアクセスネットワークのダウンリンクトンネル情報を搬送し、アクセスネットワークのダウンリンクトンネル情報は、アクセスネットワーク上の少なくとも1つのベアラの各々に対応するダウンリンクユーザプレーントンネル情報を含む。それに対応して、SGWはMMEからベアラ修正要求を受信する。
【０３３０】
S619．SGWが、S618におけるベアラ修正要求に基づいて、PDN接続に対応する制御プレーントンネルを介してSMF＋PGW−Cにベアラ修正要求を送信し、ベアラ修正要求はSGWのダウンリンクトンネル情報を搬送し、SGWのダウンリンクトンネル情報は、SGW上の少なくとも1つのベアラの各々に対応するダウンリンクユーザプレーントンネル情報を含む。それに対応して、SMF＋PGW−Cは、PDN接続に対応する制御プレーントンネルを介してSGWからベアラ修正要求を受信する。
【０３３１】
S620．SMF＋PGW−Cが、SGWによって送信されたメッセージに基づいて、端末が第2のネットワークにハンドオーバされたと判断する。
【０３３２】
S621．SMF＋PGW−CがUPF＋PGW−UにN4セッション確立／修正要求を送信し、N4セッション確立／修正要求は、SGW上のダウンリンクトンネル情報およびダウンリンクデータ送信規則を搬送し、ダウンリンクデータ送信規則は、対応するユーザプレーントンネルを介してSGWに受信されたダウンリンクデータを転送するように、PDUセッションに対応するユーザプレーン機能ネットワーク要素に示すために使用される。それに対応して、UPF＋PGW−Uは、SMF＋PGW−CからN4セッション確立／修正要求を受信する。
【０３３３】
S622．UPF＋PGW−Uが、S621において受信されたN4セッション確立／修正要求に基づいて、SMF＋PGW−CにN4セッション確立／修正応答を送信する。それに対応して、SMF＋PGW−Cは、UPF＋PGW−UからN4セッション確立／修正応答を送信する。
【０３３４】
場合によっては、第3のセッション管理要求は、N4インターフェースを介してSMF＋PGW−CによってUPF＋PGW−Uに送信される第2のN4セッション修正要求内で搬送されてよく、第3のセッション管理応答は、N4インターフェースを介してUPF＋PGW−UによってSMF＋PGW−Cに送信される第2のN4セッション修正応答内で搬送されてよい。このことは、本出願のこの実施形態では限定されない。
【０３３５】
可能な実装形態では、S621におけるN4セッション確立／修正要求はダウンリンクデータ送信規則を搬送しない場合があり、ダウンリンクデータ送信規則はS604aまたはS603bにおけるN4セッション確立／修正要求内で搬送されてよく、S604aまたはS603bにおけるN4セッション確立／修正要求は第1の規則指示情報をさらに搬送することができ、第1の規則指示情報はダウンリンクデータ送信規則を有効にしないように示すために使用される。
【０３３６】
それに対応して、S621におけるN4セッション確立／修正要求は第2の規則指示情報を搬送することができ、第2の規則指示情報は、ダウンリンクデータパケット送信規則を有効にするように示すために使用され、UPF＋PGW−Uは、第2の規則指示情報に従ってダウンリンクデータパケット送信規則を有効にする。
【０３３７】
前述の説明に基づいて、S622の後、UPF＋PGW−UからSGWへのダウンリンクトンネルが確立され、端末が第2のネットワークにハンドオーバされた後、データネットワーク内のダウンリンクデータがUPF＋PGW−UからSGWへのユーザプレーントンネルに切り替えられ、ターゲットアクセスネットワークに送信されてよい。
【０３３８】
図7A、図7B、および図7Cは、本出願の一実施形態による、ハンドオーバ方法700の概略フローチャートである。方法700は、図2に示されたローミングシナリオ内のシステムアーキテクチャに適用されてよく、または方法700は、別の同様のアーキテクチャに適用されてよい。
【０３３９】
方法700は、セッション確立／修正フェーズ、ハンドオーバ準備フェーズ、およびハンドオーバ実行フェーズの合計3つのフェーズを含むことを理解されたい。以下で、図7A、図7B、および図7Cを参照して、3つのフェーズを詳細に記載する。
【０３４０】
1．セッション確立／修正フェーズ：
【０３４１】
S701およびS702は、SMF＋PGW−Cが第1のネットワーク内の端末のPDUセッションが第2のネットワーク内のPDN接続に切り替えられるべきときに確立される必要がある少なくとも1つのベアラを決定するプロセスであることに留意されたい。
【０３４２】
S701およびS702はS601およびS602と同様である。
【０３４３】
S703a〜S705aまたはS703b〜S705bは、SMF＋PGW−CおよびUPF＋PGW−Uが、少なくとも1つのベアラの各々に対応するユーザプレーントンネルを確立するプロセスであることに留意されたい。
【０３４４】
S703a〜S705aはS603a〜S605aと同様である。
【０３４５】
S703b〜S705bはS603b〜S605bと同様である。
【０３４６】
S703aまたはS705bの後、SMF−PGW−Cは、少なくとも1つのベアラの各々に対応するユーザプレーントンネル情報を、PDN接続に対応するベアラコンテキストに格納する。
【０３４７】
S706は、SMF−PGW−CがPDN接続用のPDN接続に対応する制御プレーントンネルを確立するプロセスであることに留意されたい。
【０３４８】
S706はS606と同様である。
【０３４９】
S706の後、SMF−PGW−Cは、PDN接続に対応する制御プレーントンネル情報を、PDN接続に対応するベアラコンテキストに格納する。
【０３５０】
PDN接続に対応する制御プレーントンネルは、UPF＋PGW−UにPDN接続の制御シグナリングを送信するために使用されることを理解されたい。言い換えれば、PDN接続に対応する制御プレーントンネルの粒度は、PDN接続単位である。したがって、S706はセッション確立フェーズ内でのみ実行される、すなわち、S706はセッション修正フェーズでは実行されない。
【０３５１】
S707〜S709は、SMF＋PGW−Cが少なくとも1つのベアラの各々に対応するベアラ識別子を取得するプロセスであることに留意されたい。
【０３５２】
S707．SMF＋PGW−Cがv−SMFを使用してAMFにベアラ更新要求を送信し、ベアラ更新要求は、少なくとも1つのベアラの各々に対応するベアラ識別子を要求するために使用される。それに対応して、AMFはv−SMFを使用してSMF＋PGW−Cからベアラ更新要求を受信する。
【０３５３】
S707において、v−SMFは、メッセージ転送機能のみを提供する、すなわち、SMF＋PGW−CによってAMFに送信されたメッセージをAMFに転送することを理解されたい。
【０３５４】
具体的には、v−SMFは、端末の識別子に基づいて対応するAMFに、SMF＋PGW−CによってAMFに送信されたメッセージを送信し、PDUセッションの識別子および端末の識別子に基づいて対応するSMF＋PGW−Cに、AMFによってSMF＋PGW−Cに送信されたメッセージ送信することができる。
【０３５５】
S708はS608と同様である。
【０３５６】
S709．AMFがv−SMFを使用してSMF＋PGW−Cにベアラ更新応答を送信し、ベアラ更新応答は、少なくとも1つのベアラの各々に対応するベアラ識別子を搬送する。それに対応して、SMF＋PGW−Cは、v−SMFを使用してAMFからベアラ更新応答を受信する。
【０３５７】
S709において、v−SMFは、メッセージ転送機能のみを提供する、すなわち、AMFによってSMF＋PGW−Cに送信されたメッセージをSMF＋PGW−Cに転送することを理解されたい。
【０３５８】
S709の後、SMF＋PGW−Cは、少なくとも1つのベアラの各々のベアラ識別子を、PDN接続に対応するベアラコンテキストに格納する。
【０３５９】
S710．SMF＋PGW−CがPDN接続に対応するベアラコンテキストをv−SMFに送信し、PDN接続に対応するベアラコンテキストは、PDN接続に対応する制御プレーントンネル情報、少なくとも1つのベアラの各々に対応するユーザプレーントンネル情報、および少なくとも1つのベアラの各々に対応するベアラ識別子を含む。
【０３６０】
S710の後、v−SMFはPDN接続に対応するベアラコンテキストを格納する。
【０３６１】
場合によっては、PDN接続に対応する制御プレーントンネルは、UPF＋PGW−UにPDN接続の制御シグナリングを送信するために使用される。言い換えれば、PDN接続に対応する制御プレーントンネルの粒度は、PDN接続単位である。したがって、PDN接続に対応する制御プレーントンネルは、セッション確立フェーズ内のS710におけるPDN接続に対応するベアラコンテキストのみに含まれる。言い換えれば、PDN接続に対応する制御プレーントンネルは、セッション修正フェーズ内のS710においてSMF＋PGW−Cによってv−SMFに送信されるPDN接続に対応するベアラコンテキストに含まれない。実際には、セッション修正フェーズ内のS710は、PDN接続に対応するベアラコンテキストの更新であり、具体的には、PDN接続に対応するベアラコンテキストは、新しく追加されたベアラのベアラ識別子および対応するユーザプレーントンネル情報を含む。
【０３６２】
場合によっては、703a〜705a（または703b〜705b）のプロセス、S706のプロセス、およびS707〜S709のプロセスの間に順番は存在しない。このことは、本出願のこの実施形態では限定されない。
【０３６３】
S707〜S709のプロセスより前に703a〜705a（または703b〜705b）のプロセスが実行された場合、SMF＋PGW−CがS709においてベアラ識別子応答を受信した後、特定のベアラによって要求されたベアラ識別子の割当てが失敗した場合、SMF＋PGW−CはPGW−U＋UPFにメッセージを送信して、ベアラに対応するユーザプレーントンネルを削除することに留意されたい。
【０３６４】
前述の説明に基づいて、S701〜S710の後、v−SMFおよびSMF−PGW−Cによって格納されたPDN接続に対応するベアラコンテキストは、PDN接続に対応する制御プレーントンネル情報、少なくとも1つのベアラの各々に対応するユーザプレーントンネル情報、および少なくとも1つのベアラの各々に対応するベアラ識別子を含んでよい。
【０３６５】
場合によっては、SMF＋PGW−Cは、後続のハンドオーバ準備フェーズおよびハンドオーバ実行フェーズにおいて必要な他の情報、たとえば、各ベアラのQoSパラメータをv−SMFにさらに送信する場合があり、各ベアラのQoSパラメータは、QoSクラス識別子（QoS class identifier、QCI）、割当て保持優先度（allocation retention priority、ARP）、パケットフィルタ、またはパケットフィルタ優先度のうちの少なくとも1つを含む。それに対応して、v−SMFはSMF＋PGW−Cから情報を受信し、PDN接続に対応するベアラコンテキストに情報を格納する。このことは、本出願のこの実施形態では限定されない。
【０３６６】
2．ハンドオーバ準備フェーズ：
【０３６７】
S711およびS712はS610およびS611と同様である。
【０３６８】
S713．AMFがv−SMFにベアラコンテキスト要求を送信し、ベアラコンテキスト要求は、PDN接続に対応するベアラコンテキストを要求するために使用される。それに対応して、v−SMFはAMFからベアラコンテキスト要求を受信する。
【０３６９】
S714．v−SMFが、ベアラコンテキスト要求に基づいて、PDN接続に対応するベアラコンテキストをAMFに送信する。それに対応して、AMFは、v−SMFからPDN接続に対応するベアラコンテキストを受信する。
【０３７０】
S715〜S717はS614〜S616と同様である。
【０３７１】
方法700のハンドオーバ準備フェーズは、前述のプロセスのみに限定されず、別のプロセスをさらに含んでよい（たとえば、従来技術のハンドオーバ準備フェーズ内のプロセスが参照されてよい）ことを理解されたい。本出願のこの実施形態はそれに限定されない。
【０３７２】
3．ハンドオーバ実行フェーズ：このフェーズは方法600のハンドオーバ実行フェーズと同じである。
【０３７３】
方法700におけるv−SMFは、SMF＋PGW−CとAMFとの間でメッセージを透過的に送信する機能を有することに留意されたい。
【０３７４】
図8Aおよび図8Bは、本出願の一実施形態による、ハンドオーバ方法800の概略フローチャートである。方法800は、図2に示されたローミングシナリオ内のシステムアーキテクチャに適用されてよく、または方法800は、別の同様のアーキテクチャに適用されてよい。
【０３７５】
第1のネットワークは5Gネットワークを含んでよく、第2のネットワークは4Gネットワークを含んでよいことを理解されたい。このことは、本出願のこの実施形態では限定されない。
【０３７６】
方法800は、セッション確立／修正フェーズ、ハンドオーバ準備フェーズ、およびハンドオーバ実行フェーズの合計3つのフェーズを含むことをさらに理解されたい。以下で、図8Aおよび図8Bを参照して、3つのフェーズを詳細に記載する。
【０３７７】
1．セッション確立／修正フェーズ：
【０３７８】
S801およびS802は、SMF＋PGW−Cが第1のネットワーク内の端末のPDUセッションが第2のネットワーク内のPDN接続に切り替えられるべきときに確立される必要がある少なくとも1つのベアラを決定するプロセスであることに留意されたい。
【０３７９】
S801およびS802はS601およびS602と同様である。
【０３８０】
S803a〜S805aまたはS803b〜S805bは、SMF＋PGW−CおよびUPF＋PGW−Uが、少なくとも1つのベアラの各々に対応するユーザプレーントンネルを確立するプロセスであることに留意されたい。
【０３８１】
S803a〜S805aはS603a〜S605aと同様である。
【０３８２】
S803b〜8805bはS603b〜S605bと同様である。
【０３８３】
S803aまたはS805bの後、SMF−PGW−Cは、少なくとも1つのベアラの各々に対応するユーザプレーントンネル情報およびアップリンクデータ送信規則を、PDN接続に対応するベアラコンテキストに格納する。
【０３８４】
S806は、SMF−PGW−CがPDN接続用のPDN接続に対応する制御プレーントンネルを確立するプロセスであることに留意されたい。
【０３８５】
S806はS606と同様である。
【０３８６】
S806の後、SMF−PGW−Cは、PDN接続に対応する制御プレーントンネル情報を、PDN接続に対応するベアラコンテキストに格納する。
【０３８７】
PDN接続に対応する制御プレーントンネルは、UPF＋PGW−UにPDN接続の制御シグナリングを送信するために使用されることを理解されたい。言い換えれば、PDN接続に対応する制御プレーントンネルの粒度は、PDN接続単位である。したがって、S806はセッション確立フェーズ内でのみ実行される、すなわち、S806はセッション修正フェーズでは実行されない。
【０３８８】
S807〜S811は、SMF＋PGW−Cが少なくとも1つのベアラの各々に対応するベアラ識別子を取得するプロセスであることに留意されたい。
【０３８９】
S807．SMF＋PGW−Cがv−SMFにPDN接続のトンネル情報を送信し、PDN接続のトンネル情報は、PDN接続に対応する制御プレーントンネル情報および少なくとも1つのベアラの各々に対応するユーザプレーントンネル情報を含む。それに対応して、v−SMFはSMF＋PGW−CからPDN接続のトンネル情報を受信する。
【０３９０】
場合によっては、PDN接続に対応する制御プレーントンネルは、UPF＋PGW−UにPDN接続の制御シグナリングを送信するために使用される。言い換えれば、PDN接続に対応する制御プレーントンネルの粒度は、PDN接続単位である。したがって、PDN接続に対応する制御プレーントンネルは、セッション確立フェーズ内のS807におけるPDN接続に対応するベアラコンテキストに含まれる。言い換えれば、PDN接続に対応する制御プレーントンネルは、セッション修正フェーズ内のS807においてSMF＋PGW−Cによってv−SMFに送信されるPDN接続のトンネル情報に含まれない。実際には、セッション修正フェーズ内のS807は、PDN接続に対応するベアラコンテキストの更新であり、具体的には、PDN接続に対応するトンネル情報は、新しく追加されたベアラのベアラ識別子および対応するユーザプレーントンネル情報を含む。
【０３９１】
S807の後、v−SMFは、各ベアラに対応するユーザプレーントンネル情報およびPDN接続に対応する制御プレーントンネル情報を、PDN接続に対応するベアラコンテキストに格納する。
【０３９２】
S808．v−SMFが、S807において受信されたPDN接続のトンネル情報に基づいて、AMFにベアラ識別子要求を送信し、ベアラ識別子要求は、少なくとも1つのベアラの各々にベアラ識別子を割り当てるように要求するために使用される。それに対応して、AMFはv−SMFからベアラ識別子要求を受信する。
【０３９３】
S809．AMFが、ベアラ識別子要求に基づいて、少なくとも1つのベアラの各々にベアラ識別子を割り当てる。
【０３９４】
S810．AMFがv−SMFにベアラ識別子情報を送信し、ベアラ識別子情報は、少なくとも1つのベアラの各々に対応するベアラ識別子を含む。それに対応して、v−SMFはAMFからベアラ識別子情報を受信する。
【０３９５】
S810の後、v−SMFは、PDN接続に対応するベアラコンテキストに各ベアラのベアラ識別子を格納する。
【０３９６】
S811は、SMF＋PGW−Cが各ベアラのベアラ識別子を取得するプロセスであることに留意されたい。
【０３９７】
S811．v−SMFがSMF−PGW−Cにベアラ識別子情報を送信する。それに対応して、SMF＋PGW−Cはv−SMFからベアラ識別子情報を受信する。
【０３９８】
具体的には、v−SMFは、各ベアラに対応するベアラ識別子と各ベアラに対応するユーザプレーントンネル情報の両方をSMF＋PGW−Cに送信し、その結果、SMF＋PGW−Cは、各ベアラに対応するベアラ識別子をユーザプレーントンネル情報と関連付ける。
【０３９９】
S811の後、SMF−PGW−Cは、少なくとも1つのベアラの各々に対応するベアラ識別子を、PDN接続に対応するベアラコンテキストに格納する。
【０４００】
場合によっては、S803a〜S805a（またはS803b〜S805b）のプロセスとS806のプロセスとの間に順番は存在しない。このことは、本出願のこの実施形態では限定されない。
【０４０１】
前述の説明に基づいて、S801〜S811の後、v−SMFおよびSMF−PGW−Cによって格納されたPDN接続に対応するベアラコンテキストは、PDN接続に対応する制御プレーントンネル情報、各ベアラに対応するユーザプレーントンネル情報、および各ベアラに対応するベアラ識別子を含んでよい。PDN接続に対応するベアラコンテキストは、第1のネットワークから第2のネットワークに端末をハンドオーバするために使用される。
【０４０２】
場合によっては、SMF＋PGW−Cは、後続のハンドオーバ準備フェーズおよびハンドオーバ実行フェーズにおいて必要な他の情報、たとえば、各ベアラのQoSパラメータをv−SMFにさらに送信する場合があり、各ベアラのQoSパラメータは、QoSクラス識別子（QoS class identifier、QCI）、割当て保持優先度（allocation retention priority、ARP）、パケットフィルタ、またはパケットフィルタ優先度のうちの少なくとも1つを含む。それに対応して、v−SMFはSMF＋PGW−Cから情報を受信し、PDN接続に対応するベアラコンテキストに情報を格納する。このことは、本出願のこの実施形態では限定されない。
【０４０３】
2．ハンドオーバ準備フェーズ：このフェーズは方法700のハンドオーバ準備フェーズと同じである。
【０４０４】
3．ハンドオーバ実行フェーズ：このフェーズは、図6A、図6B、および図6Cのハンドオーバ実行フェーズと同じである。
【０４０５】
方法800におけるv−SMFは処理機能を有することに留意されたい。
【０４０６】
具体的には、v−SMFは、各ベアラに対応するユーザプレーントンネル情報と関連付けられたベアラ識別子が、PDN接続のトンネル情報に存在するかどうかを確認し、少なくとも1つのベアラにベアラ識別子が割り当てられていない場合、v−SMFは、少なくとも1つのベアラの各々にベアラ識別子を割り当てるようにAMFに要求する。
【０４０７】
上記は、図6A〜図8Bを参照して、本出願の実施形態において提供されるハンドオーバ方法を記載し、SMF−PGW−Cまたはv−SMFはセッション確立／修正フェーズにおいてPDN接続のトンネル情報を取得する。以下で、図9A〜図11Bを参照して、SMF−PGW−Cまたはv−SMFがハンドオーバ準備フェーズにおいてPDN接続のトンネル情報を取得する場合を記載する。
【０４０８】
図9A、図9B、および図9Cは、本出願の一実施形態による、ハンドオーバ方法900の概略フローチャートである。方法900は、図1に示された非ローミングシナリオ内のシステムアーキテクチャに適用されてよく、または方法900は、別の同様のアーキテクチャに適用されてよい。
【０４０９】
第1のネットワークは5Gネットワークを含んでよく、第2のネットワークは4Gネットワークを含んでよいことを理解されたい。このことは、本出願のこの実施形態では限定されない。
【０４１０】
方法900は、セッション確立／修正フェーズ、ハンドオーバ準備フェーズ、およびハンドオーバ実行フェーズの合計3つのフェーズを含むことをさらに理解されたい。以下で、3つのフェーズを詳しく記載する。
【０４１１】
1．セッション修正フェーズ：
【０４１２】
S901およびS902は、SMF＋PGW−Cが第1のネットワーク内の端末のPDUセッションが第2のネットワーク内のPDN接続に切り替えられるべきときに確立される必要がある少なくとも1つのベアラを決定するプロセスであることに留意されたい。
【０４１３】
S901およびS902はS601およびS602と同様である。
【０４１４】
S903〜S905は、SMF＋PGW−Cが少なくとも1つのベアラの各々に対応するベアラ識別子を取得するプロセスであることに留意されたい。
【０４１５】
S903〜S905はS607〜S609と同様である。
【０４１６】
S905の後、SMF−PGW−Cは、各ベアラに対応するベアラ識別子をPDN接続に対応するベアラコンテキストに格納する。
【０４１７】
前述の説明に基づいて、S905の後、SMF＋PGW−Cによって格納されたPDN接続に対応するベアラコンテキストは、各ベアラに対応するベアラ識別子を含んでよい。
【０４１８】
2．ハンドオーバ準備フェーズ：
【０４１９】
S906〜S908はS610〜S612と同様であることを理解されたい。詳細は本明細書では再び記載されない。
【０４２０】
S909a〜S911aまたはS909b〜S911bは、SMF＋PGW−CおよびUPF＋PGW−Uが各ベアラに対応するユーザプレーントンネルを確立するプロセスであることに留意されたい。
【０４２１】
S909a〜S911aはS603a〜S605aと同様であり、S909b〜S911bはS603b〜S605bと同様であることを理解されたい。詳細は本明細書では再び記載されない。
【０４２２】
S909aまたはS911bの後、SMF−PGW−Cは、各ベアラに対応するユーザプレーントンネル情報をPDN接続に対応するベアラコンテキストに格納する。
【０４２３】
S912は、SMF−PGW−CがPDN接続用のPDN接続に対応する制御プレーントンネルを確立するプロセスであることに留意されたい。
【０４２４】
S912はS606と同じであることを理解されたい。
【０４２５】
S912の後、SMF−PGW−Cは、PDN接続に対応する制御プレーントンネル情報を、PDN接続に対応するベアラコンテキストに格納する。
【０４２６】
後続のS913〜S916はS613〜S616と同様であることを理解されたい。詳細は本明細書では再び記載されない。
【０４２７】
前述の説明に基づいて、S916の後、SGWからUPF＋PGW−Uへのアップリンクトンネルが確立され、端末が第1のネットワーク内のソースアクセスネットワークから第2のネットワーク内のターゲットアクセスネットワークにハンドオーバされると、アップリンクデータは、SGWからUPF＋PGW−Uへのアップリンクトンネルにシームレスに切り替えられ、データネットワークに送信することができる。
【０４２８】
3．ハンドオーバ実行フェーズ：このフェーズは、図6A、図6B、および図6Cのハンドオーバ実行フェーズと同じである。
【０４２９】
図10A、図10B、および図10Cは、本出願の一実施形態による、ハンドオーバ方法1000の概略フローチャートである。方法1000は、図2に示されたローミングシナリオ内のシステムアーキテクチャに適用されてよく、または方法1000は、別の同様のアーキテクチャに適用されてよい。
【０４３０】
第1のネットワークは5Gネットワークを含んでよく、第2のネットワークは4Gネットワークを含んでよいことを理解されたい。このことは、本出願のこの実施形態では限定されない。
【０４３１】
方法1000は、セッション確立／修正フェーズ、ハンドオーバ準備フェーズ、およびハンドオーバ実行フェーズの合計3つのフェーズを含むことをさらに理解されたい。以下で、3つのフェーズを詳しく記載する。
【０４３２】
1．セッション確立／修正フェーズ：
【０４３３】
S1001およびS1002は、SMF＋PGW−Cが第1のネットワーク内の端末のPDUセッションが第2のネットワーク内のPDN接続に切り替えられるべきときに確立される必要がある少なくとも1つのベアラを決定するプロセスであることに留意されたい。
【０４３４】
S1001およびS1002はS601およびS602と同様である。
【０４３５】
S1003〜S1005は、PGW−C＋SMFが各ベアラに対応するベアラ識別子を取得するプロセスであることに留意されたい。
【０４３６】
S1003〜S1005はS707〜S709と同様である。
【０４３７】
S1005の後、SMF−PGW−Cは、各ベアラに対応するベアラ識別子をPDN接続に対応するベアラコンテキストに格納する。
【０４３８】
2．ハンドオーバ準備フェーズ：
【０４３９】
S1006およびS1007はS610およびS611と同様であることを理解されたい。詳細は本明細書では再び記載されない。
【０４４０】
S1008．AMFが、v−SMFを使用してSMF＋PGW−Cにベアラコンテキスト要求を送信し、ベアラコンテキスト要求は、PDN接続に対応するベアラコンテキストを要求するために使用される。それに対応して、SMF＋PGW−Cは、v−SMFを使用してAMFからベアラコンテキスト要求を受信する。
【０４４１】
S1008において、v−SMFは、メッセージ転送機能のみを提供する、すなわち、AMFによってSMF＋PGW−Cに送信されたメッセージをSMF＋PGW−Cに転送することを理解されたい。
【０４４２】
S1009a〜S1011aまたはS1009b〜S1011bは、SMF＋PGW−CおよびUPF＋PGW−Uが各ベアラに対応するユーザプレーントンネルを確立するプロセスであることに留意されたい。
【０４４３】
S1009a〜S1011aはS603a〜S605aと同様であり、S1009b〜S1011bはS603b〜S605bと同様であることを理解されたい。詳細は本明細書では再び記載されない。
【０４４４】
S1009aまたはS10010bの後、SMF−PGW−Cは、各ベアラに対応するユーザプレーントンネル情報をPDN接続に対応するベアラコンテキストに格納する。
【０４４５】
S1012は、SMF−PGW−CがPDN接続用のPDN接続に対応する制御プレーントンネルを確立するプロセスであることに留意されたい。
【０４４６】
S1012の後、SMF−PGW−Cは、PDN接続に対応する制御プレーントンネル情報をPDN接続に対応するベアラコンテキストに格納する。
【０４４７】
S1013．SMF＋PGW−Cが、v−SMFを使用してAMFにPDN接続に対応するベアラコンテキストを送信する。それに対応して、AMFは、SMF＋PGW−CからPDN接続に対応するベアラコンテキストを受信する。S1013において、v−SMFは、メッセージ転送機能のみを提供する、すなわち、SMF＋PGW−CによってAMFに送信されたメッセージをAMFに転送することを理解されたい。
【０４４８】
後続のS1014〜S1016はS614〜S616と同様であることを理解されたい。詳細は本明細書では再び記載されない。
【０４４９】
前述の説明に基づいて、S1016の後、SGWからUPF＋PGW−Uへのアップリンクトンネルが確立され、端末が第1のネットワーク内のソースアクセスネットワークから第2のネットワーク内のターゲットアクセスネットワークにハンドオーバされると、アップリンクデータは、SGWからUPF＋PGW−Uへのアップリンクトンネルにシームレスに切り替えられ、データネットワークに送信することができる。
【０４５０】
3．ハンドオーバ実行フェーズ：このフェーズは、図6A、図6B、および図6Cのハンドオーバ実行フェーズと同じである。
【０４５１】
上記は、図6A〜図10Cを参照して、端末が5Gネットワークから4Gネットワークにハンドオーバされるプロセスを記載し、以下で、図11A、図11B、図12A、図12B、および図12Cを参照して、端末が4Gネットワークから5Gネットワークにハンドオーバされるプロセスを記載する。
【０４５２】
図11Aおよび図11Bは、本出願の一実施形態による、ハンドオーバ方法1100の概略フローチャートである。方法1100は、図1に示された非ローミングシナリオ内のシステムアーキテクチャに適用されてよく、または方法1100は、別の同様のアーキテクチャに適用されてよい。
【０４５３】
第1のネットワークは5Gネットワークを含んでよく、第2のネットワークは4Gネットワークを含んでよいことを理解されたい。このことは、本出願のこの実施形態では限定されない。
【０４５４】
第1のネットワークにはPDUセッションに対応する制御プレーントンネルが存在しないことをさらに理解されたい。したがって、本出願のこの実施形態では、PDUセッションに対応するトンネルは、PDUセッションに対応するユーザプレーントンネルであり、PDUセッションに対応するトンネル情報は、PDUセッションに対応するユーザプレーントンネル情報である。
【０４５５】
S1101．SMF＋PGW−CがAMFからセッション確立／修正要求を受信し、セッション確立／修正要求は、第2のネットワーク内のPDN接続を確立するか、または第2のネットワーク内のPDN接続の修正をトリガするために使用される。それに対応して、AMFはセッション確立／修正要求をSMF＋PGW−Cに送信する。
【０４５６】
S1102．SMF＋PGW−Cが、第1の要求メッセージに基づいて、第2のネットワーク内の端末のPDN接続が第1のネットワーク内のPDUセッションに切り替えられるべきときにPDUセッションのトンネル情報を取得する。
【０４５７】
S1103a〜S1105aまたはS1103b〜S1105bは、SMF＋PGW−CおよびUPF＋PGW−UがPDUセッション用のトンネルを確立するプロセスであることに留意されたい。
【０４５８】
場合によっては、PDUセッションに対応するトンネル情報は、SMF＋PGW−CまたはUPF＋PGW−Uによって割り当てられてよい。このことは、本出願のこの実施形態では限定されない。
【０４５９】
SMF＋PGW−Cがトンネル情報を割り当てる場合、S1103a〜S1105aが実行される。UPF＋PGW−Uがトンネル情報を割り当てる場合、S1103b〜S1105bが実行される。
【０４６０】
（1）SMF＋PGW−Cがトンネル情報をPDUセッションに割り当てる。
【０４６１】
S1103a．SMF＋PGW−Cがユーザプレーントンネル情報をPDUセッションに割り当てる。
【０４６２】
S1104a．SMF＋PGW−CがN4セッション確立／修正要求をUPF＋PGW−Uに送信し、N4セッション確立／修正要求は、PDUセッションに対応するトンネルを確立するように要求するために使用され、N4セッション確立／修正要求は、PDUセッションのトンネル情報およびアップリンクデータ送信規則を搬送し、アップリンクデータ送信規則は、PDUセッションに対応するユーザプレーントンネルを介して受信されたアップリンクデータを転送する方法を、PDN接続に対応するユーザプレーン機能ネットワーク要素に示すために使用される。それに対応して、UPF＋PGW−Uは、SMF＋PGW−CからN4セッション確立／修正要求を受信する。
【０４６３】
S1105a．UPF＋PGW−Uが、S1104aにおいて受信されたN4セッション確立／修正要求に基づいて、SMF＋PGW−CにN4セッション確立／修正応答を送信する。それに対応して、SMF＋PGW−Cは、UPF＋PGW−UからN4セッション確立／修正応答を受信する。
【０４６４】
（2）UPF＋PGW−Uがトンネル情報をPDUセッションに割り当てる。
【０４６５】
S1103b．SMF＋PGW−CがN4セッション確立／修正要求をUPF＋PGW−Uに送信し、N4セッション確立／修正要求は、PDUセッションに対応するトンネルを確立するように要求するために使用され、N4セッション確立／修正要求は、PDUセッションのトンネル情報およびアップリンクデータ送信規則を搬送し、アップリンクデータ送信規則は、PDUセッションに対応するユーザプレーントンネルを介して受信されたアップリンクデータを転送する方法を、PDN接続に対応するユーザプレーン機能ネットワーク要素に示すために使用される。それに対応して、UPF＋PGW−Uは、SMF−PGW−CからN4セッション確立／修正要求を受信する。
【０４６６】
S1104b．UPF＋PGW−Uが、S1103bにおいて受信されたN4セッション確立／修正要求に基づいて、PDUセッションにトンネル情報を割り当てる。
【０４６７】
S1105b．UPF＋PGW−UがSMF＋PGW−CにN4セッション確立／修正応答を送信し、N4セッション確立／修正応答はPDUセッションに対応するトンネル情報を搬送する。それに対応して、SMF＋PGW−CはUPF＋PGW−UからN4セッション確立／修正応答を受信する。
【０４６８】
S1105bの後、SMF＋PGW−CはPDUセッションに対応するトンネル情報を格納する。
【０４６９】
場合によっては、SMF＋PGW−CまたはUPF＋PGW−Uは、第1のネットワーク内のPDUセッションに対応するトンネルとして、第2のネットワーク内の1つのベアラに対応するトンネルを使用する、たとえば、PDUセッションに対応するトンネルとしてデフォルトベアラのトンネルを使用することができる。この場合、SMF＋PGW−CによってPDUセッションに割り当てられたアップリンクトンネル情報は、PGW−U＋UPF上のデフォルトベアラに対応するユーザプレーントンネルのトンネル情報である。あるいは、SMF＋PGW−Cは、第1のネットワーク内のPDUセッションに新しいアップリンクトンネル情報を割り当てることができる。
【０４７０】
本出願のこの実施形態は、以下の可能な実装形態を提供する。
【０４７１】
オプションの方式1では、S1103aのみが実行され、S1104aおよびS1105aは実行されない。
【０４７２】
オプションの方式2では、S1103a〜S1105aが実行される。
【０４７３】
オプションの方式3では、S1103bか〜S1105bが実行される。
【０４７４】
オプションの方式4では、S1103a〜1105aもS1103b〜1105bも実行されない。
【０４７５】
具体的には、SMF＋PGW−Cは、PDN接続の各ベアラのTFT（Traffic Filter Template、トラフィックフィルタテンプレート）情報に基づいてアップリンクデータ送信規則を決定し、TFTはベアラによってサポートされるデータフローのパケットフィルタを含む。
【０４７６】
S1106．第2のネットワーク内の（図11Aおよび図11BのeNBなどの）ソースアクセスネットワークは、第2のネットワーク内のMMEにハンドオーバ要求を送信し、ハンドオーバ要求は、（第1のネットワーク内のgNBなどの）ターゲットアクセスネットワークに関する情報を搬送する。それに対応して、MMEはソースアクセスネットワークからハンドオーバ要求を受信する。
【０４７７】
本出願のこの実施形態におけるアクセスネットワークは、たとえば、基地局であってよいことを理解されたい。
【０４７８】
S1107．MMEが、ターゲットアクセスネットワークに関する情報に基づいてAMFを選択し、AMFにハンドオーバ要求を送信し、ハンドオーバ要求はEPSベアラコンテキストを搬送する。それに対応して、AMFはMMEからハンドオーバ要求を受信する。
【０４７９】
S1108．AMFが、EPSベアラコンテキスト内の各PDN接続に対応するSMF＋PGW−Cにセッション確立要求を送信し、セッション確立要求はPDN接続に対応するデフォルトのベアラ識別子を搬送する。それに対応して、SMF＋PGW−CはAMFからセッション確立要求を受信する。
【０４８０】
可能な実装形態では、S1108におけるセッション確立要求内で搬送されるデフォルトのベアラ識別子は、第2のネットワークから第1のネットワークに端末をハンドオーバするための準備をするように、SMF＋PGW−Cを示すために使用されてよい。
【０４８１】
別の可能な実装形態では、S1108におけるセッション確立要求は、第1の指示情報をさらに搬送することができ、第1の指示情報は、第2のネットワークから第1のネットワークに端末をハンドオーバするための準備をするように、SMF＋PGW−Cを示すために使用され、第1の指示情報は、たとえば、少なくとも1ビットであってよい。
【０４８２】
方式1が使用された場合、S1108の後にS1104aおよびS1105aが実行される。
【０４８３】
方式4が使用された場合、S1108の後に方式2または方式3が実行される。
【０４８４】
S1109．SMF＋PGW−Cが、デフォルトのベアラ識別子に基づいてセッションコンテキストを照会し、セッションコンテキスト内の情報に基づいてN2セッション要求を生成し、N2セッション要求は、PDUセッションの識別子、PDUセッションに対応するS−NSSAI、セッションAMBR、およびPDUセッション内の各QoSフローに関する情報を含む。
【０４８５】
場合によっては、N2セッション要求メッセージは、UPF＋PGW−U上のPDUセッションのアップリンクトンネル情報をさらに含む。
【０４８６】
S1110．SMF＋PGW−CがAMFにN2セッション要求を送信する。それに対応して、AMFはSMF＋PGW−CからN2セッション要求を受信する。
【０４８７】
場合によっては、S1110の後、AMFは、第2のネットワークから第1のネットワークに端末をハンドオーバするための準備をするようにターゲットアクセスネットワークに示し、たとえば、無線リソースを割り当てるようにターゲットアクセスネットワークに示し、（アクセスネットワークのダウンリンクトンネルなどの）アクセスネットワークのトンネル情報を切り替えられるべきセッションに割り当てることができる。
【０４８８】
S1111．端末がターゲットアクセスネットワークにアクセスした後、AMFはSMF＋PGW−Cにセッション更新要求を送信し、セッション更新要求は、アクセスネットワークに対応する受信されたダウンリンクトンネル情報を搬送する。それに対応して、SMF＋PGW−CはAMFからセッション更新要求を受信する。
【０４８９】
場合によっては、セッション更新要求は第3の指示情報を搬送し、第3の指示情報は、第1のネットワークに経路を切り替えるようにSMF＋PGW−Cに示すために使用され、たとえば、PGW−U＋UPFは、第1のネットワーク内のアクセスネットワークを使用してダウンリンクデータを送信するように切り替えられる。
【０４９０】
S1112．SMF＋PGW−CがUPF＋PGW−UにN4セッション更新要求を送信し、N4セッション更新要求は、ダウンリンク転送規則およびターゲットアクセスネットワークのダウンリンクトンネル情報を搬送し、ダウンリンクデータ送信規則は、PDUセッションに対応するユーザプレーントンネルを介して、PDN接続に対応するユーザプレーン機能ネットワーク要素によって受信されたダウンリンクデータパケットを送信するように示すために使用される。それに対応して、UPF＋PGW−UはSMF＋PGW−CからN4セッション更新要求を受信する。
【０４９１】
S1113．UPF＋PGW−UがSMF＋PGW−CにN4セッション更新応答を送信する。
【０４９２】
可能な実装形態では、S1112におけるN4セッション更新要求はダウンリンクデータ送信規則を搬送しなくてよく、ダウンリンクデータ送信規則はS1104aまたはS1103bにおけるN4セッション確立／修正要求内で搬送されてよく、S1104aまたはS1103bにおけるN4セッション確立／修正要求は第1の規則指示情報をさらに搬送し、第1の規則指示情報は、ダウンリンクデータ送信規則を有効にしないように示すために使用される。
【０４９３】
それに対応して、S1112におけるN4セッション更新要求は第2の規則指示情報を搬送することができ、第2の規則指示情報は、ダウンリンクデータパケット送信規則を有効にするように示すために使用され、UPF＋PGW−Uは、第2の規則指示情報に従ってダウンリンクデータパケット送信規則を有効にする。
【０４９４】
図12A、図12B、および図12Cは、本出願の一実施形態による、ハンドオーバ方法1200の概略フローチャートである。方法1200は、図2に示されたローミングシナリオ内のシステムアーキテクチャに適用されてよく、または方法1200は、別の同様のアーキテクチャに適用されてよい。
【０４９５】
第1のネットワークは5Gネットワークを含んでよく、第2のネットワークは4Gネットワークを含んでよいことを理解されたい。このことは、本出願のこの実施形態では限定されない。
【０４９６】
第1のネットワークにはPDUセッションに対応する制御プレーントンネルが存在しないことをさらに理解されたい。したがって、本出願のこの実施形態では、PDUセッションに対応するトンネルは、PDUセッションに対応するユーザプレーントンネルであり、PDUセッションに対応するトンネル情報は、PDUセッションに対応するユーザプレーントンネル情報である。
【０４９７】
S1201およびS1202はS1101およびS1102と同様である。
【０４９８】
S1203a〜S1205aはS1103a〜S1105aと同様である。
【０４９９】
S1203b〜S1205bはS1103b〜S1105bと同様である。
【０５００】
本出願のこの実施形態は、以下の可能な実装形態を提供する。
【０５０１】
オプションの方式1では、S1203aのみが実行され、S1204aおよびS1205aは実行されない。
【０５０２】
オプションの方式2では、S1203a〜S1205aが実行される。
【０５０３】
オプションの方式3では、S1203b〜S1205bが実行される。
【０５０４】
オプションの方式4では、S1203a〜1205aもS1203b〜1205bも実行されない。
【０５０５】
S1206．第2のネットワーク内の（図12A、図12B、および図12CのeNBなどの）ソースアクセスネットワークは、第2のネットワーク内のMMEにハンドオーバ要求を送信し、ハンドオーバ要求は、（第1のネットワーク内のgNBなどの）ターゲットアクセスネットワークに関する情報を搬送する。それに対応して、MMEはソースアクセスネットワークからハンドオーバ要求を受信する。
【０５０６】
本出願のこの実施形態におけるアクセスネットワークは、たとえば、基地局であってよいことを理解されたい。
【０５０７】
S1207はS1107と同様である。
【０５０８】
S1208．AMFがv−SMFを選択し、v−SMFにセッション確立要求を送信し、セッション確立要求は、PDN接続に対応するデフォルトのベアラ識別子、およびEPSベアラコンテキスト内のPDN接続に対応するSMF＋PGW−Cの識別子を搬送する。それに対応して、v−SMFはAMFからセッション確立要求を受信する。
【０５０９】
場合によっては、セッション確立要求は第4の指示情報を搬送し、第4の指示情報は、第2のネットワークから第1のネットワークに端末をハンドオーバするための準備をするように示すために使用される。
【０５１０】
場合によっては、第4の指示情報はデフォルトのベアラ識別子であってよい。
【０５１１】
場合によっては、第4のセッション管理要求は、デフォルトのベアラ識別子および第4の指示情報を搬送し、第4の指示情報は、第2のネットワークから第1のネットワークに端末をハンドオーバするための準備をするように示すために使用され、第4の指示情報は少なくとも1ビットであってよい。
【０５１２】
S1209．v−SMFが、SMF＋PGW−Cの識別子に基づいて、SMF＋PGW−Cにセッション修正要求を送信し、セッション修正要求は、PDN接続に対応するデフォルトのベアラ識別子を搬送する。それに対応して、SMF＋PGW−Cはv−SMFからセッション修正要求を受信する。
【０５１３】
可能な実装形態では、S1209におけるセッション修正要求内で搬送されるデフォルトのベアラ識別子は、第2のネットワークから第1のネットワークに端末をハンドオーバするための準備をするように、SMF＋PGW−Cを示すために使用されてよい。
【０５１４】
別の可能な実装形態では、S1209におけるセッション修正要求は、第1の指示情報をさらに搬送することができ、第1の指示情報は、第2のネットワークから第1のネットワークに端末をハンドオーバするための準備をするように、SMF＋PGW−Cを示すために使用され、第1の指示情報は、たとえば、少なくとも1ビットであってよい。
【０５１５】
方式1が使用された場合、S1209の後にS1204aおよびS1205aが実行される。
【０５１６】
方式4を使用された場合、S1209の後に方式2または方式3が実行される。
【０５１７】
S1210．SMF＋PGW−Cが、デフォルトのベアラ識別子に基づいてセッションコンテキストを照会し、セッションコンテキスト内の情報に基づいてN2セッション要求を生成し、N2セッション要求は、PDUセッションの識別子、PDUセッションに対応するS−NSSAI、セッションAMBR、およびPDUセッション内の各QoSフローに関する情報を含む。
【０５１８】
S1211．SMF＋PGW−Cが、S1210において受信されたN2セッション要求およびUPF＋PGW−U上のPDUセッションのアップリンクトンネル情報をv−SMFに送信する。それに対応して、v−SMFは、SMF＋PGW−Cから、S1210において受信されたN2セッション要求、およびUPF＋PGW−U上のPDUセッションのアップリンクトンネル情報を受信する。
【０５１９】
S1212．v−SMFがv−UPFを割り当て、v−UPFにN4セッション要求を送信し、N4セッション要求は、UPF＋PGW−U上のPDUセッションのアップリンクトンネル情報を搬送する。それに対応して、v−UPFはv−SMFからN4セッション要求を受信する。
【０５２０】
場合によっては、S1212の後、v−UPFからUPF＋PGW−Uへの対応するアップリンクトンネルがPDUセッション用のv−UPF上に確立され、v−UPF上のN3アップリンクトンネル情報が割り当てられる。
【０５２１】
S1213．v−SMFが、S1211において受信されたN2セッション要求にv−UPF上のN3アップリンクトンネル情報を追加する。
【０５２２】
S1214．v−SMFがAMFにセッション確立応答を送信し、AMFにN2セッション要求を送信する。それに対応して、AMFはv−SMFからセッション確立応答およびN2セッション要求を受信する。
【０５２３】
場合によっては、S1214の後、AMFは、第2のネットワークから第1のネットワークに端末をハンドオーバするための準備をするようにターゲット基地局に示し、たとえば、無線リソースを割り当てるようにターゲット基地局に示し、（基地局のダウンリンクトンネルなどの）基地局のトンネル情報を切り替えられるべきセッションに割り当てることができる。
【０５２４】
S1215．UEが（図12A、図12B、および図12CのgNBなどの）ターゲットアクセスネットワークにアクセスした後、ターゲットアクセスネットワークはAMFにハンドオーバ通知メッセージを送信する。それに対応して、AMFはターゲットアクセスネットワークからハンドオーバ通知メッセージを受信する。
【０５２５】
S1216．AMFがv−SMFにセッション更新要求を送信し、セッション更新要求は、アクセスネットワークの受信されたダウンリンクトンネル情報を搬送する。それに対応して、v−SMFはAMFからセッション更新要求を受信する。
【０５２６】
場合によっては、メッセージはハンドオーバ完了指示情報を搬送し、v−SMFは、指示に基づいてハンドオーバが完了したと判断することができる。
【０５２７】
S1217．v−SMFがv−UPFにN4セッション更新要求を送信し、N4セッション更新要求は、ターゲットアクセスネットワークのダウンリンクトンネル情報を搬送する。それに対応して、v−UPFはv−SMFからN4セッション更新要求を受信する。
【０５２８】
S1218．v−SMFがSMF＋PGW−Cにセッション更新要求を送信し、セッション更新要求はv−UPFのダウンリンクトンネル情報を搬送する。それに対応して、SMF＋PGW−Cはv−SMFからセッション更新要求を受信する。
【０５２９】
場合によっては、セッション更新要求はハンドオーバ完了指示情報をさらに搬送し、ハンドオーバ完了指示情報は、ハンドオーバが完了したことを示すために使用される。
【０５３０】
S1219．SMF＋PGW−CがUPF＋PGW−UにN4セッション更新要求を送信し、N4セッション更新要求は、ダウンリンクデータ送信規則およびv−UPFのダウンリンクトンネル情報を搬送し、ダウンリンクデータ送信規則は、PDUセッションに対応するユーザプレーントンネルを介して、PDN接続に対応するユーザプレーン機能ネットワーク要素によって受信されたダウンリンクデータパケットを送信するように示すために使用される。
【０５３１】
S1220．SMF＋PGW−Cがv−SMFにセッション更新応答を送信する。それに対応して、v−SMFはSMF＋PGW−Cからセッション更新応答を受信する。
【０５３２】
S1221．v−SMFがAMFにセッション更新応答を送信する。それに対応して、AMFはv−SMFからセッション更新応答を受信する。
【０５３３】
可能な実装形態では、S1219におけるN4セッション更新要求はダウンリンクデータ送信規則を搬送しなくてよく、ダウンリンクデータ送信規則はS1204aまたはS1203bにおけるN4セッション確立／修正要求内で搬送されてよく、N4セッション確立／修正要求は第1の指示情報をさらに搬送し、第1の指示情報は、ダウンリンクデータ送信規則を有効にしないように示すために使用される。
【０５３４】
それに対応して、S1219における第3のセッション管理要求は第2の指示情報を搬送することができ、第2の指示情報は、ダウンリンクデータパケット送信規則を有効にするように示すために使用され、UPF＋PGW−Uは、第2の指示情報に従ってダウンリンクデータパケット送信規則を有効にする。
【０５３５】
場合によっては、SMF＋PGW−Cは、S1218におけるハンドオーバ完了指示情報に基づいて、ハンドオーバが完了したと判断して、ダウンリンク転送を有効にするようにPGW−U＋UPFに指示するか、またはダウンリンク転送を有効にするためにPGW−U＋UPFにダウンリンクデータ送信規則を送信することができる。
【０５３６】
上記は、図3〜図12Cを参照して、本出願の実施形態において提供されるハンドオーバ方法を記載し、以下で、図13〜図18を参照して、本出願の実施形態において提供されるハンドオーバ装置を記載する。
【０５３７】
図13は、本出願の一実施形態による、ハンドオーバ装置1300の概略ブロック図である。ハンドオーバ装置1300は、決定ユニット1310および取得ユニット1320を含む。
【０５３８】
決定ユニット1310は、第1のネットワーク内の端末のプロトコルデータユニットPDUセッションが第2のネットワーク内のパケットデータネットワークPDN接続に切り替えられるべきときに確立される必要がある少なくとも1つのベアラを決定するように構成される。
【０５３９】
取得ユニット1320は、PDN接続のトンネル情報を取得するように構成され、PDN接続のトンネル情報は、少なくとも1つのベアラの各々に対応するユーザプレーントンネル情報を含む。
【０５４０】
場合によっては、取得ユニット1320は、具体的に、対応するユーザプレーントンネル情報を少なくとも1つのベアラの各々に割り当てるか、または各ベアラに対応するユーザプレーントンネル情報を割り当てるように、PDUセッションに対応するユーザプレーン機能ネットワーク要素に要求し、PDUセッションに対応するユーザプレーン機能ネットワーク要素から、各ベアラに対応するユーザプレーントンネル情報を取得するように構成される。
【０５４１】
場合によっては、PDN接続のトンネル情報は、PDN接続に対応する制御プレーントンネル情報をさらに含み、取得ユニット1320は、PDN接続に対応する制御プレーントンネル情報を取得するようにさらに構成される。
【０５４２】
場合によっては、装置1300は、PDUセッションに対応するユーザプレーン機能ネットワーク要素に第1のセッション管理要求を送信するように構成された第1の送信ユニットをさらに含み、第1のセッション管理要求は、少なくとも1つのベアラの各々に対応するユーザプレーントンネルを確立または修正するように要求するために使用され、第1のセッション管理要求はアップリンクデータ送信規則を搬送し、アップリンクデータ送信規則は、PDN接続に対応するユーザプレーントンネルを介して受信されたアップリンクデータを転送する方法を、PDUセッションに対応するユーザプレーン機能ネットワーク要素に示すために使用される。
【０５４３】
場合によっては、取得ユニット1320は、少なくとも1つのベアラの各々に対応するベアラ識別子を取得するようにさらに構成される。
【０５４４】
場合によっては、取得ユニット1320は、具体的に、第2の制御プレーン機能ネットワーク要素を使用してモビリティ管理ネットワーク要素にベアラ識別子要求を送信し、ベアラ識別子要求は、少なくとも1つのベアラの各々にベアラ識別子を割り当てるように要求するために使用され、第2の制御プレーン機能ネットワーク要素はPDUセッションに対応する訪問先制御プレーンネットワーク要素であり、装置はPDUセッションに対応するホーム制御プレーンネットワーク要素であり、第2の制御プレーン機能ネットワーク要素を使用してモビリティ管理ネットワーク要素から、少なくとも1つのベアラの各々に対応するベアラ識別子を受信するように構成される。
【０５４５】
場合によっては、装置1300は、PDN接続のトンネル情報および少なくとも1つのベアラの各々に対応するベアラ識別子を第2の制御プレーン機能ネットワーク要素に送信するように構成された第2の送信ユニットをさらに含む。
【０５４６】
場合によっては、装置1300は、第2の制御プレーン機能ネットワーク要素にPDN接続のトンネル情報を送信するように構成された第3の送信ユニットをさらに含み、第2の制御プレーン機能ネットワーク要素はPDUセッションに対応する訪問先制御プレーンネットワーク要素であり、装置はPDUセッションに対応するホーム制御プレーンネットワーク要素であり、取得ユニット1320は、第2の制御プレーン機能ネットワーク要素から少なくとも1つのベアラの各々に対応するベアラ識別子を受信するようにさらに構成される。
【０５４７】
場合によっては、取得ユニット1320は、具体的に、端末のPDUセッションが第1のネットワーク内で確立される必要があるか、または第1のネットワーク内のPDUセッションが修正される必要があると判断すると、PDN接続のトンネル情報を取得するように構成される。
【０５４８】
場合によっては、装置1300は、PDUセッションに対応するユーザプレーン機能ネットワーク要素に、PDN接続に対応するダウンリンクデータ送信規則を送信するように構成された第4の送信ユニットをさらに含み、ダウンリンクデータ送信規則は、対応するユーザプレーントンネルを介して受信されたダウンリンクデータを転送するように、PDUセッションに対応するユーザプレーン機能ネットワーク要素に示すために使用される。
【０５４９】
本出願のこの実施形態では、決定ユニット1310はプロセッサを使用して実装されてよく、取得ユニット1320はトランシーバを使用して実装されてよいことに留意されたい。図14に示されたように、ハンドオーバ装置1400は、プロセッサ1410、メモリ1420、およびトランシーバ1430を含んでよい。メモリ1420は、プロセッサ1410などによって実行されるコードを記憶するように構成されてよく、プロセッサ1410は、データまたはプログラムを処理するように構成されてよい。
【０５５０】
一実装プロセスでは、前述の方法のステップは、プロセッサ1410内のハードウェアの集積論理回路を使用することにより、またはソフトウェアの形態の命令を使用することによって実装することができる。本出願の実施形態を参照して開示された方法のステップは、ハードウェアプロセッサによって直接実行されてもよく、プロセッサ内のハードウェアとソフトウェアモジュールの組合せを使用して実行されてもよい。ソフトウェアモジュールは、ランダムアクセスメモリ、フラッシュメモリ、読取り専用メモリ、プログラマブル読取り専用メモリ、電気的消去可能プログラマブルメモリ、またはレジスタなどの、当技術分野の成熟記憶媒体内に配置されてよい。記憶媒体はメモリ1420内に配置され、プロセッサ1410はメモリ1420内の情報を読み取り、プロセッサのハードウェアと組み合わせて前述の方法のステップを完了する。繰返しを避けるために、詳細は本明細書では再び記載されない。
【０５５１】
図13に示されたハンドオーバ装置1300または図14に示されたハンドオーバ装置1400は、前述の方法実施形態における第1の制御プレーン機能ネットワーク要素に対応するプロセスを実装することができる。具体的には、ハンドオーバ装置1300またはハンドオーバ装置1400については、前述の説明が参照されてよい。繰返しを避けるために、詳細は本明細書では再び記載されない。
【０５５２】
図15は、本出願の一実施形態による、別のハンドオーバ装置1500の概略ブロック図である。ハンドオーバ装置は、取得ユニット1510および送信ユニット1520を含む。
【０５５３】
取得ユニット1510は、第1の制御プレーン機能ネットワーク要素からパケットデータネットワークPDN接続のトンネル情報を受信するように構成され、PDN接続のトンネル情報は、少なくとも1つのベアラの各々に対応するユーザプレーントンネル情報を含み、装置はPDN接続に対応する訪問先制御プレーンネットワーク要素であり、第1の制御プレーン機能ネットワーク要素はPDN接続に対応するホーム制御プレーンネットワーク要素である。
【０５５４】
送信ユニット1520は、モビリティ管理ネットワーク要素にPDN接続のトンネル情報を送信するように構成される。
【０５５５】
場合によっては、PDN接続のトンネル情報は、PDN接続に対応する制御プレーントンネル情報をさらに含む。
【０５５６】
場合によっては、送信ユニット1520は、モビリティ管理ネットワーク要素に、第1の制御プレーン機能ネットワーク要素によってモビリティ管理ネットワーク要素に送信されたベアラ識別子要求を転送し、ベアラ識別子要求は、少なくとも1つのベアラの各々にベアラ識別子を割り当てるように要求するために使用され、第1の制御プレーン機能ネットワーク要素に、少なくとも1つのベアラの各々に対応し、モビリティ管理ネットワーク要素によって第1の制御プレーン機能ネットワーク要素に送信されたベアラ識別子を転送するようにさらに構成される。
【０５５７】
場合によっては、取得ユニット1510は、第1の制御プレーン機能ネットワーク要素から少なくとも1つのベアラの各々に対応するベアラ識別子を受信するようにさらに構成される。
【０５５８】
場合によっては、送信ユニット1520は、PDN接続のトンネル情報に基づいてモビリティ管理ネットワーク要素にベアラ識別子要求を送信するようにさらに構成され、ベアラ識別子要求は、少なくとも1つのベアラの各々にベアラ識別子を割り当てるように要求するために使用され、取得ユニット1510は、モビリティ管理ネットワーク要素から少なくとも1つのベアラの各々に対応するベアラ識別子を受信するようにさらに構成される。
【０５５９】
場合によっては、装置は格納ユニットをさらに含み、格納ユニットは、少なくとも1つのベアラの各々に対応するベアラ識別子を格納するように構成され、送信ユニット1520は、少なくとも1つのベアラの各々に対応するベアラ識別子を第1の制御プレーン機能ネットワーク要素に送信するようにさらに構成される。
【０５６０】
本出願のこの実施形態では、取得ユニット1510および送信ユニット1520は、トランシーバを使用して実装されてよいことに留意されたい。図16に示されたように、ハンドオーバ装置1600は、プロセッサ1610、メモリ1620、およびトランシーバ1630を含んでよい。メモリ1620は、プロセッサ1610などによって実行されるコードを記憶するように構成されてよく、プロセッサ1610は、データまたはプログラムを処理するように構成されてよい。
【０５６１】
一実装プロセスでは、前述の方法のステップは、プロセッサ1610内のハードウェアの集積論理回路を使用することにより、またはソフトウェアの形態の命令を使用することによって実装することができる。本出願の実施形態を参照して開示された方法のステップは、ハードウェアプロセッサによって直接実行されてもよく、プロセッサ内のハードウェアとソフトウェアモジュールの組合せを使用して実行されてもよい。ソフトウェアモジュールは、ランダムアクセスメモリ、フラッシュメモリ、読取り専用メモリ、プログラマブル読取り専用メモリ、電気的消去可能プログラマブルメモリ、またはレジスタなどの、当技術分野の成熟記憶媒体内に配置されてよい。記憶媒体はメモリ1620内に配置され、プロセッサ1610はメモリ1620内の情報を読み取り、プロセッサのハードウェアと組み合わせて前述の方法のステップを完了する。繰返しを避けるために、詳細は本明細書では再び記載されない。
【０５６２】
図15に示されたハンドオーバ装置1500または図16に示されたハンドオーバ装置1600は、前述の方法実施形態における第2の制御プレーンネットワーク要素に対応するプロセスを実装することができる。具体的には、ハンドオーバ装置1500またはハンドオーバ装置1600については、前述の説明が参照されてよい。繰返しを避けるために、詳細は本明細書では再び記載されない。
【０５６３】
図17は、本出願の一実施形態による、ハンドオーバ装置1700の概略ブロック図である。ハンドオーバ装置1700は、決定ユニット1710および取得ユニット1720を含む。
【０５６４】
決定ユニット1710は、第2のネットワーク内の端末のパケットデータネットワークPDN接続が、第1のネットワーク内のプロトコルデータユニットPDUセッションに切り替えられる必要があると判断するように構成される。
【０５６５】
取得ユニット1720は、PDUセッションに対応するユーザプレーントンネル情報を取得するように構成される。
【０５６６】
場合によっては、取得ユニット1720は、具体的に、PDUセッションに対応するユーザプレーントンネル情報をPDUセッションに割り当てるか、またはPDUセッションに対応するユーザプレーントンネル情報を割り当てるように、PDN接続に対応するユーザプレーン機能ネットワーク要素に要求し、PDN接続に対応するユーザプレーン機能ネットワーク要素からPDUセッションに対応するユーザプレーントンネル情報を取得するように構成される。
【０５６７】
場合によっては、装置1700は、PDN接続に対応するユーザプレーン機能ネットワーク要素に第1のセッション管理要求を送信するように構成された第1の送信ユニットをさらに含み、第1のセッション管理要求は、PDUセッションに対応するユーザプレーントンネルを確立または修正するように要求するために使用され、第1のセッション管理要求はアップリンクデータ送信規則を搬送し、アップリンクデータ送信規則は、PDUセッションに対応するユーザプレーントンネルを介して受信されたアップリンクデータを転送する方法を、PDN接続に対応するユーザプレーン機能ネットワーク要素に示すために使用される。
【０５６８】
場合によっては、第1の送信ユニットは、アップリンクデータ送信規則が変わったと判断すると、PDN接続に対応するユーザプレーン機能ネットワーク要素に更新されたアップリンクデータ送信規則を送信するようにさらに構成される。
【０５６９】
場合によっては、取得ユニット1720は、第2のセッション管理要求を受信するようにさらに構成され、第2のセッション管理要求は第1の指示情報を搬送し、第1の指示情報は、第2のネットワークから第1のネットワークに端末をハンドオーバするための準備をするように示すために使用される。
【０５７０】
場合によっては、装置1700は、PDN接続に対応するユーザプレーン機能ネットワーク要素に、PDUセッションに対応するダウンリンクデータ送信規則を送信するように構成された第2の送信ユニットをさらに含み、ダウンリンクデータ送信規則は、PDUセッションに対応するユーザプレーントンネルを介して、PDN接続に対応するユーザプレーン機能ネットワーク要素によって受信されたダウンリンクデータパケットを送信するように示すために使用される。
【０５７１】
本出願のこの実施形態では、決定ユニット1710はプロセッサを使用して実装されてよく、取得ユニット1720はトランシーバを使用して実装されてよいことに留意されたい。図18に示されたように、通信装置1800は、プロセッサ1810、メモリ1820、およびトランシーバ1830を含んでよい。メモリ1820は、プロセッサ1810などによって実行されるコードを記憶するように構成されてよく、プロセッサ1810は、データまたはプログラムを処理するように構成されてよい。
【０５７２】
一実装プロセスでは、前述の方法のステップは、プロセッサ1810内のハードウェアの集積論理回路を使用することにより、またはソフトウェアの形態の命令を使用することによって実装することができる。本出願の実施形態を参照して開示された方法のステップは、ハードウェアプロセッサによって直接実行されてもよく、プロセッサ内のハードウェアとソフトウェアモジュールの組合せを使用して実行されてもよい。ソフトウェアモジュールは、ランダムアクセスメモリ、フラッシュメモリ、読取り専用メモリ、プログラマブル読取り専用メモリ、電気的消去可能プログラマブルメモリ、またはレジスタなどの、当技術分野の成熟記憶媒体内に配置されてよい。記憶媒体はメモリ1820内に配置され、プロセッサ1810はメモリ1820内の情報を読み取り、プロセッサのハードウェアと組み合わせて前述の方法のステップを完了する。繰返しを避けるために、詳細は本明細書では再び記載されない。
【０５７３】
図17に示されたハンドオーバ装置1700または図18に示されたハンドオーバ装置1800は、前述の方法実施形態における第1の制御プレーン機能ネットワーク要素に対応するプロセスを実装することができる。具体的には、ハンドオーバ装置1700またはハンドオーバ装置1800については、前述の説明が参照されてよい。繰返しを避けるために、詳細は本明細書では再び記載されない。
【０５７４】
本出願の一実施形態は、コンピュータプログラムを記憶するように構成されたコンピュータ可読媒体をさらに提供する。コンピュータプログラムは、前述の方法実施形態における第1の制御プレーン機能ネットワーク要素または第2の制御プレーン機能ネットワーク要素に対応する方法を実行するために使用される命令を含む。
【０５７５】
本出願の一実施形態は、コンピュータプログラム製品をさらに提供する。コンピュータプログラム製品はコンピュータプログラムコードを含む。コンピュータプログラムコードが通信ユニットおよび処理ユニットまたは（端末デバイスもしくはネットワークデバイスなどの）通信デバイスのトランシーバおよびのプロセッサによって実行されると、通信デバイスは、前述の方法実施形態のいずれか1つにおける第1の制御プレーン機能ネットワーク要素または第2の制御プレーン機能ネットワーク要素に対応する方法を実行することが可能になる。
【０５７６】
本出願の一実施形態は通信チップをさらに提供し、通信チップは命令を記憶する。命令が通信装置上で実行されると、通信チップは、前述の方法実施形態における第1の制御プレーン機能ネットワーク要素または第2の制御プレーン機能ネットワーク要素に対応する方法を実行することが可能になる。
【０５７７】
本出願の実施形態は、別々にまたは一緒に使用されてよい。このことは本明細書では限定されない。
【０５７８】
本出願の実施形態における「第1」および「第2」などの説明は、例としてのみ使用され、対象を区別するために使用されるが、本出願の実施形態における順番を示したり、デバイスの数量に関する具体的な制限を示したりせず、本出願の実施形態に対するいかなる制限も構成することができないことを理解されたい。
【０５７９】
前述のプロセスのシーケンス番号は、本出願の様々な実施形態における実行順序を意味しないことを理解されたい。プロセスの実行順序は、プロセスの機能および内部ロジックに基づいて決定されるべきであり、本出願の実施形態の実装プロセスに対するいかなる制限とも解釈されるべきではない。
【０５８０】
本明細書に開示された実施形態を参照して記載された例におけるユニットおよびアルゴルズムステップは、電子ハードウェアまたはコンピュータソフトウェアと電子ハードウェアの組合せによって実装され得ることを、当業者なら認識されよい。機能がハードウェアによって実行されるか、またはソフトウェアによって実行されるかは、技術的解決策の特定の用途および設計制約に依存する。当業者は、様々な方法を使用して、特定の用途ごとに記載された機能を実装することができるが、その実装形態が本出願の範囲を超えると考えられるべきではない。
【０５８１】
容易かつ簡潔な説明の目的で、上記のシステム、装置、およびユニットの詳細な動作プロセスについては、上記の方法実施形態における対応するプロセスが参照されてよく、詳細は本明細書では再び記載されないことは当業者なら明確に理解されよう
【０５８２】
本出願において提供されたいくつかの実施形態では、開示されたシステム、装置、および方法は他の方式で実装されてよいことを理解されたい。たとえば、記載された装置実施形態は一例にすぎない。たとえば、ユニット分割は論理的な機能分割にすぎず、実際の実装形態では他の分割であってよい。たとえば、複数のユニットまたは構成要素は組み合わされてよく、別のシステムに統合されてよく、または、いくつかの特徴は無視されるか、もしくは実行されなくてよい加えて、表示または説明された相互結合または直接結合または通信接続は、いくつかのインターフェースを使用して実装されてよい。装置間またはユニット間の間接結合または通信接続は、電気、機械、または他の形態で実装されてよい。
【０５８３】
別個の部分として記載されたユニットは、物理的に分かれていてもいなくてもよく、ユニットとして表示された部分は、物理ユニットであってもそうでなくてもよく、1つの場所に配置されてもよく、複数のネットワークユニット上に分散されてもよい。ユニットの一部またはすべては、実施形態の解決策の目的を達成するために、実際の要件に応じて選択されてよい。
【０５８４】
加えて、本出願の実施形態における機能ユニットは1つの処理ユニットに統合されてよく、またはユニットの各々は物理的に単独で存在してよく、または2つ以上のユニットが1つのユニットに統合されてよい。
【０５８５】
機能がソフトウェア機能ユニットの形態で実装され、独立した製品として販売または使用されるとき、機能はコンピュータ可読記憶媒体に記憶されてよい。そのような理解に基づいて、本出願の技術的解決策は本質的に、または従来技術に寄与する部分は、または技術的解決策の一部は、ソフトウェア製品の形態で実装されてよい。コンピュータソフトウェア製品は、記憶媒体に記憶され、本出願の実施形態に記載された方法のステップのうちのすべてまたはいくつかを実行するように、（パーソナルコンピュータ、サーバ、ネットワークデバイスなどであり得る）コンピュータデバイスに命令するためのいくつかの命令を含む。前述の記憶媒体には、USBフラッシュドライブ、リムーバブルハードディスク、読取り専用メモリ（read−only memory、ROM）、ランダムアクセスメモリ（random access memory、RAM）、磁気ディスク、または光ディスクなどの、プログラムコードを記憶することができる任意の媒体が含まれる。
【０５８６】
前述の説明は、本出願の具体的な実装形態にすぎず、本出願の保護範囲を限定するものではない。本出願に開示された技術的範囲内で当業者が容易に考え付くいかなる変形または置換も、本出願の保護範囲内に入るべきである。したがって、本出願の保護範囲は、特許請求の範囲の保護範囲に従うべきである。
【符号の説明】
【０５８７】
100  システムアーキテクチャ
200  システムアーキテクチャ
300  ハンドオーバ方法
400  ハンドオーバ方法
500  ハンドオーバ方法
600  ハンドオーバ方法
700  ハンドオーバ方法
800  ハンドオーバ方法
900  ハンドオーバ方法
1000  ハンドオーバ方法
1100  ハンドオーバ方法
1200  ハンドオーバ方法
1300  ハンドオーバ装置
1310  決定ユニット
1320  取得ユニット
1400  ハンドオーバ装置
1410  プロセッサ
1420  メモリ
1430  トランシーバ
1500  ハンドオーバ装置
1510  取得ユニット
1520  送信ユニット
1600  ハンドオーバ装置
1610  プロセッサ
1620  メモリ
1630  トランシーバ
1700  ハンドオーバ装置
1710  決定ユニット
1720  取得ユニット
1800  ハンドオーバ装置
1810  プロセッサ
1820  メモリ
1830  トランシーバ
【手続補正２】
【補正対象書類名】特許請求の範囲
【補正対象項目名】全文
【補正方法】変更
【補正の内容】
【特許請求の範囲】
【請求項１】
第1の制御プレーン機能ネットワーク要素により、第1のネットワーク内の端末のプロトコルデータユニット（PDU）セッションが第2のネットワーク内のパケットデータネットワーク（PDN）接続に切り替えられるべきときに確立される必要がある少なくとも1つのベアラを決定するステップと、
前記第1の制御プレーン機能ネットワーク要素により、前記PDN接続のトンネル情報を取得するステップであって、前記PDN接続の前記トンネル情報が前記少なくとも1つのベアラの各々に対応するユーザプレーントンネル情報を備える、ステップと
を備える、ハンドオーバ方法。
【請求項２】
前記第1の制御プレーン機能ネットワーク要素により、前記PDN接続のトンネル情報を取得する前記ステップであって、前記PDN接続の前記トンネル情報が前記少なくとも1つのベアラの各々に対応するユーザプレーントンネル情報を備える、前記ステップが、
前記第1の制御プレーン機能ネットワーク要素により、前記対応するユーザプレーントンネル情報を前記少なくとも1つのベアラの各々に割り当てるステップ、または
前記第1の制御プレーン機能ネットワーク要素により、前記各ベアラに対応するユーザプレーントンネル情報を割り当てるように、前記PDUセッションに対応するユーザプレーン機能ネットワーク要素に要求し、前記PDUセッションに対応する前記ユーザプレーン機能ネットワーク要素から前記各ベアラに対応する前記ユーザプレーントンネル情報を取得するステップ
を備える、請求項1に記載の方法。
【請求項３】
前記PDN接続の前記トンネル情報が前記PDN接続に対応する制御プレーントンネル情報をさらに備え、前記第1の制御プレーン機能ネットワーク要素により、前記PDN接続のトンネル情報を取得する前記ステップが、前記第1の制御プレーン機能ネットワーク要素により、前記PDN接続に対応する前記制御プレーントンネル情報を取得するステップ
をさらに備える、請求項1または2に記載の方法。
【請求項４】
前記方法が、
前記第1の制御プレーン機能ネットワーク要素により、前記PDUセッションに対応するユーザプレーン機能ネットワーク要素に第1のセッション管理要求を送信するステップであって、前記第1のセッション管理要求が、前記少なくとも1つのベアラの各々に対応するユーザプレーントンネルを確立または修正するように要求するために使用され、前記第1のセッション管理要求がアップリンクデータ送信規則を搬送し、前記アップリンクデータ送信規則が、前記PDN接続に対応する前記ユーザプレーントンネルを介して受信されたアップリンクデータを転送する方法を、前記PDUセッションに対応する前記ユーザプレーン機能ネットワーク要素に示すために使用される、ステップ
をさらに備える、請求項1から3のいずれか一項に記載の方法。
【請求項５】
前記方法が、前記第1の制御プレーン機能ネットワーク要素により、前記少なくとも1つのベアラの各々に対応するベアラ識別子を取得するステップをさらに備える、請求項1から4のいずれか一項に記載の方法。
【請求項６】
前記少なくとも1つのベアラの各々に対応するベアラ識別子を取得する前記ステップが、
前記第1の制御プレーン機能ネットワーク要素により、第2の制御プレーン機能ネットワーク要素を使用してモビリティ管理ネットワーク要素にベアラ識別子要求を送信するステップであって、前記ベアラ識別子要求が、前記少なくとも1つのベアラの各々にベアラ識別子を割り当てるように要求するために使用され、
前記第2の制御プレーン機能ネットワーク要素が、前記PDUセッションに対応する訪問先制御プレーンネットワーク要素であり、前記第1の制御プレーン機能ネットワーク要素が、前記PDUセッションに対応するホーム制御プレーンネットワーク要素である、ステップと、
前記第1の制御プレーン機能ネットワーク要素により、前記第2の制御プレーン機能ネットワーク要素を使用して前記モビリティ管理ネットワーク要素から、前記少なくとも1つのベアラの各々に対応する前記ベアラ識別子を受信するステップと
を備える、請求項5に記載の方法。
【請求項７】
前記方法が、
前記第1の制御プレーン機能ネットワーク要素により、前記PDN接続の前記トンネル情報および前記少なくとも1つのベアラの各々に対応するベアラ識別子を、第2の制御プレーン機能ネットワーク要素に送信するステップ
をさらに備える、請求項1から6のいずれか一項に記載の方法。
【請求項８】
前記方法が、
前記第1の制御プレーン機能ネットワーク要素により、第2の制御プレーン機能ネットワーク要素に前記PDN接続の前記トンネル情報を送信するステップであって、
前記第2の制御プレーン機能ネットワーク要素が、前記PDUセッションに対応する訪問先制御プレーンネットワーク要素であり、前記第1の制御プレーン機能ネットワーク要素が、前記PDUセッションに対応するホーム制御プレーンネットワーク要素である、ステップと、
前記第1の制御プレーン機能ネットワーク要素により、前記第2の制御プレーン機能ネットワーク要素から前記少なくとも1つのベアラの各々に対応する前記ベアラ識別子を受信するステップと
をさらに備える、請求項5に記載の方法。
【請求項９】
前記第1の制御プレーン機能ネットワーク要素により、前記PDN接続のトンネル情報を取得する前記ステップが、
前記第1の制御プレーン機能ネットワーク要素により、前記端末の前記PDUセッションが前記第1のネットワーク内で確立される必要があるか、または前記第1のネットワーク内の前記PDUセッションが修正される必要があると判断すると、前記PDN接続の前記トンネル情報を取得するステップ
を備える、請求項1から8のいずれか一項に記載の方法。
【請求項１０】
前記方法が、
前記第1の制御プレーン機能ネットワーク要素により、前記PDUセッションに対応する前記ユーザプレーン機能ネットワーク要素に、前記PDN接続に対応するダウンリンクデータ送信規則を送信するステップであって、前記ダウンリンクデータ送信規則が、対応するユーザプレーントンネルを介して受信されたダウンリンクデータを転送するように、前記PDUセッションに対応する前記ユーザプレーン機能ネットワーク要素に示すために使用される、ステップ
をさらに備える、請求項1から9のいずれか一項に記載の方法。
【請求項１１】
第2の制御プレーン機能ネットワーク要素により、第1の制御プレーン機能ネットワーク要素からパケットデータネットワーク（PDN）接続のトンネル情報を受信するステップであって、前記PDN接続の前記トンネル情報が、少なくとも1つのベアラの各々に対応するユーザプレーントンネル情報を備え、前記第2の制御プレーン機能ネットワーク要素が、前記PDN接続に対応する訪問先制御プレーンネットワーク要素であり、前記第1の制御プレーン機能ネットワーク要素が、前記PDN接続に対応するホーム制御プレーンネットワーク要素である、ステップと、
前記第2の制御プレーン機能ネットワーク要素により、モビリティ管理ネットワーク要素に前記PDN接続の前記トンネル情報を送信するステップと
を備える、ハンドオーバ方法。
【請求項１２】
前記PDN接続の前記トンネル情報が、前記PDN接続に対応する制御プレーントンネル情報をさらに備える、請求項11に記載の方法。
【請求項１３】
前記方法が、
前記第2の制御プレーン機能ネットワーク要素により、前記モビリティ管理ネットワーク要素に、前記第1の制御プレーン機能ネットワーク要素によって前記モビリティ管理ネットワーク要素に送信されたベアラ識別子要求を転送するステップであって、前記ベアラ識別子要求が、前記少なくとも1つのベアラの各々にベアラ識別子を割り当てるように要求するために使用される、ステップと、
前記第2の制御プレーン機能ネットワーク要素により、前記第1の制御プレーン機能ネットワーク要素に、前記少なくとも1つのベアラの各々に対応し、前記モビリティ管理ネットワーク要素によって前記第1の制御プレーン機能ネットワーク要素に送信された前記ベアラ識別子を転送するステップと
をさらに備える、請求項11または12に記載の方法。
【請求項１４】
前記方法が、
前記第2の制御プレーン機能ネットワーク要素により、前記第1の制御プレーン機能ネットワーク要素から前記少なくとも1つのベアラの各々に対応する前記ベアラ識別子を受信するステップ
をさらに備える、請求項13に記載の方法。
【請求項１５】
前記方法が、
前記第2の制御プレーン機能ネットワーク要素により、前記PDN接続の前記トンネル情報に基づいて前記モビリティ管理ネットワーク要素にベアラ識別子要求を送信するステップであって、前記ベアラ識別子要求が、前記少なくとも1つのベアラの各々にベアラ識別子を割り当てるように要求するために使用される、ステップと、
前記第2の制御プレーン機能ネットワーク要素により、前記モビリティ管理ネットワーク要素から前記少なくとも1つのベアラの各々に対応する前記ベアラ識別子を受信するステップと
をさらに備える、請求項11または12に記載の方法。
【請求項１６】
前記方法が、
前記第2の制御プレーン機能ネットワーク要素により、前記少なくとも1つのベアラの各々に対応する前記ベアラ識別子を格納し、前記第1の制御プレーン機能ネットワーク要素に前記少なくとも1つのベアラの各々に対応する前記ベアラ識別子を送信するステップ
をさらに備える、請求項15に記載の方法。
【請求項１７】
第1の制御プレーン機能ネットワーク要素により、第2のネットワーク内の端末のパケットデータネットワーク（PDN）接続が、第1のネットワーク内のプロトコルデータユニット（PDU）セッションに切り替えられる必要があると判断するステップと、
前記第1の制御プレーン機能ネットワーク要素により、前記PDUセッションに対応するユーザプレーントンネル情報を取得するステップと
を備える、ハンドオーバ方法。
【請求項１８】
前記第1の制御プレーン機能ネットワーク要素により、前記PDUセッションに対応するユーザプレーントンネル情報を取得する前記ステップが、
前記第1の制御プレーン機能ネットワーク要素により、前記PDUセッションに対応する前記ユーザプレーントンネル情報を前記PDUセッションに割り当てるステップ、または
前記第1の制御プレーン機能ネットワーク要素により、前記PDUセッションに対応するユーザプレーントンネル情報を割り当てるように、前記PDN接続に対応するユーザプレーン機能ネットワーク要素に要求し、前記PDN接続に対応する前記ユーザプレーン機能ネットワーク要素から前記PDUセッションに対応する前記ユーザプレーントンネル情報を取得するステップ
を備える、請求項17に記載の方法。
【請求項１９】
前記方法が、
前記第1の制御プレーン機能ネットワーク要素により、前記PDN接続に対応する前記ユーザプレーン機能ネットワーク要素に第1のセッション管理要求を送信するステップであって、前記第1のセッション管理要求が、前記PDUセッションに対応するユーザプレーントンネルを確立または修正するように要求するために使用され、前記第1のセッション管理要求がアップリンクデータ送信規則を搬送し、前記アップリンクデータ送信規則が、前記PDUセッションに対応する前記ユーザプレーントンネルを介して受信されたアップリンクデータを転送する方法を、前記PDN接続に対応する前記ユーザプレーン機能ネットワーク要素に示すために使用される、ステップ
をさらに備える、請求項17または18に記載の方法。
【請求項２０】
前記方法が、
前記アップリンクデータ送信規則が変わったと判断すると、前記第1の制御プレーン機能ネットワーク要素により、前記PDN接続に対応する前記ユーザプレーン機能ネットワーク要素に更新されたアップリンクデータ送信規則を送信するステップ
をさらに備える、請求項19に記載の方法。
【請求項２１】
前記第1の制御プレーン機能ネットワーク要素により、前記PDN接続に対応する前記ユーザプレーン機能ネットワーク要素に第1のセッション管理要求を送信する前記ステップの前に、前記方法が、
前記第1の制御プレーン機能ネットワーク要素により、第2のセッション管理要求を受信するステップであって、前記第2のセッション管理要求が第1の指示情報を搬送し、前記第1の指示情報が、前記第2のネットワークから前記第1のネットワークに前記端末をハンドオーバするための準備をするように示すために使用される、ステップ
をさらに備える、請求項17から20のいずれか一項に記載の方法。
【請求項２２】
前記方法が、
前記第1の制御プレーン機能ネットワーク要素により、前記PDN接続に対応する前記ユーザプレーン機能ネットワーク要素に、前記PDUセッションに対応するダウンリンクデータ送信規則を送信するステップであって、前記ダウンリンクデータ送信規則が、前記PDUセッションに対応する前記ユーザプレーントンネルを介して、前記PDN接続に対応する前記ユーザプレーン機能ネットワーク要素によって受信されたダウンリンクデータパケットを送信するように示すために使用される、ステップ
をさらに備える、請求項17から21のいずれか一項に記載の方法。
【請求項２３】
第1のネットワーク内の端末のプロトコルデータユニット（PDU）セッションが第2のネットワーク内のパケットデータネットワーク（PDN）接続に切り替えられるべきときに確立される必要がある少なくとも1つのベアラを決定するように構成された決定ユニットと、
前記PDN接続のトンネル情報を取得するように構成された取得ユニットであって、前記PDN接続の前記トンネル情報が前記少なくとも1つのベアラの各々に対応するユーザプレーントンネル情報を備える、取得ユニットと
を備える、ハンドオーバ装置。
【請求項２４】
前記取得ユニットが、具体的に、
前記対応するユーザプレーントンネル情報を前記少なくとも1つのベアラの各々に割り当てるか、または
前記各ベアラに対応するユーザプレーントンネル情報を割り当てるように、前記PDUセッションに対応するユーザプレーン機能ネットワーク要素に要求し、前記PDUセッションに対応する前記ユーザプレーン機能ネットワーク要素から前記各ベアラに対応する前記ユーザプレーントンネル情報を取得する
ように構成される、請求項23に記載の装置。
【請求項２５】
前記PDN接続の前記トンネル情報が前記PDN接続に対応する制御プレーントンネル情報をさらに備え、前記取得ユニットが、
前記PDN接続に対応する前記制御プレーントンネル情報を取得する
ようにさらに構成される、請求項23または24に記載の装置。
【請求項２６】
前記装置が、
前記PDUセッションに対応するユーザプレーン機能ネットワーク要素に第1のセッション管理要求を送信するように構成された第1の送信ユニットであって、前記第1のセッション管理要求が、前記少なくとも1つのベアラの各々に対応するユーザプレーントンネルを確立または修正するように要求するために使用され、前記第1のセッション管理要求がアップリンクデータ送信規則を搬送し、前記アップリンクデータ送信規則が、前記PDN接続に対応する前記ユーザプレーントンネルを介して受信されたアップリンクデータを転送する方法を、前記PDUセッションに対応する前記ユーザプレーン機能ネットワーク要素に示すために使用される、第1の送信ユニット
をさらに備える、請求項23から25のいずれか一項に記載の装置。
【請求項２７】
前記取得ユニットが、前記少なくとも1つのベアラの各々に対応するベアラ識別子を取得するようにさらに構成される、請求項23から26のいずれか一項に記載の装置。
【請求項２８】
前記取得ユニットが、具体的に、
第2の制御プレーン機能ネットワーク要素を使用してモビリティ管理ネットワーク要素にベアラ識別子要求を送信し、前記ベアラ識別子要求が、前記少なくとも1つのベアラの各々にベアラ識別子を割り当てるように要求するために使用され、
前記第2の制御プレーン機能ネットワーク要素が、前記PDUセッションに対応する訪問先制御プレーンネットワーク要素であり、前記装置が前記PDUセッションに対応するホーム制御プレーンネットワーク要素であり、
前記第2の制御プレーン機能ネットワーク要素を使用して前記モビリティ管理ネットワーク要素から、前記少なくとも1つのベアラの各々に対応する前記ベアラ識別子を受信する
ように構成される、請求項27に記載の装置。
【請求項２９】
前記装置が、
前記PDN接続の前記トンネル情報および前記少なくとも1つのベアラの各々に対応するベアラ識別子を、第2の制御プレーン機能ネットワーク要素に送信するように構成された第2の送信ユニット
をさらに備える、請求項23から28のいずれか一項に記載の装置。
【請求項３０】
前記装置が、
第2の制御プレーン機能ネットワーク要素に前記PDN接続の前記トンネル情報を送信するように構成された第3の送信ユニット
をさらに備え、
前記第2の制御プレーン機能ネットワーク要素が、前記PDUセッションに対応する訪問先制御プレーンネットワーク要素であり、前記装置が前記PDUセッションに対応するホーム制御プレーンネットワーク要素であり、
前記取得ユニットが、前記第2の制御プレーン機能ネットワーク要素から前記少なくとも1つのベアラの各々に対応する前記ベアラ識別子を受信するようにさらに構成される、
請求項27に記載の装置。
【請求項３１】
前記取得ユニットが、具体的に、
前記端末の前記PDUセッションが前記第1のネットワーク内で確立される必要があるか、または前記第1のネットワーク内の前記PDUセッションが修正される必要があると判断すると、前記PDN接続の前記トンネル情報を取得する
ように構成される、請求項23から30のいずれか一項に記載の装置。
【請求項３２】
前記装置が、
前記PDUセッションに対応する前記ユーザプレーン機能ネットワーク要素に、前記PDN接続に対応するダウンリンクデータ送信規則を送信するように構成された第4の送信ユニットであって、前記ダウンリンクデータ送信規則が、対応するユーザプレーントンネルを介して受信されたダウンリンクデータを転送するように、前記PDUセッションに対応する前記ユーザプレーン機能ネットワーク要素に示すために使用される、第4の送信ユニット
をさらに備える、請求項23から31のいずれか一項に記載の装置。
【請求項３３】
ハンドオーバ装置であって、
第1の制御プレーン機能ネットワーク要素からパケットデータネットワーク（PDN）接続のトンネル情報を受信するように構成された取得ユニットであって、前記PDN接続の前記トンネル情報が、少なくとも1つのベアラの各々に対応するユーザプレーントンネル情報を備え、前記装置が前記PDN接続に対応する訪問先制御プレーンネットワーク要素であり、前記第1の制御プレーン機能ネットワーク要素が、前記PDN接続に対応するホーム制御プレーンネットワーク要素である、取得ユニットと、
モビリティ管理ネットワーク要素に前記PDN接続の前記トンネル情報を送信するように構成された送信ユニットと
を備える、装置。
【請求項３４】
前記PDN接続の前記トンネル情報が、前記PDN接続に対応する制御プレーントンネル情報をさらに備える、請求項33に記載の装置。
【請求項３５】
前記送信ユニットが、
前記モビリティ管理ネットワーク要素に、前記第1の制御プレーン機能ネットワーク要素によって前記モビリティ管理ネットワーク要素に送信されたベアラ識別子要求を転送し、前記ベアラ識別子要求が、前記少なくとも1つのベアラの各々にベアラ識別子を割り当てるように要求するために使用され、
前記第1の制御プレーン機能ネットワーク要素に、前記少なくとも1つのベアラの各々に対応し、前記モビリティ管理ネットワーク要素によって前記第1の制御プレーン機能ネットワーク要素に送信された前記ベアラ識別子を転送する
ようにさらに構成される、請求項33または34に記載の装置。
【請求項３６】
前記取得ユニットが、
前記第1の制御プレーン機能ネットワーク要素から、前記少なくとも1つのベアラの各々に対応する前記ベアラ識別子を受信する
ようにさらに構成される、請求項35に記載の装置。
【請求項３７】
前記送信ユニットが、
前記PDN接続の前記トンネル情報に基づいて前記モビリティ管理ネットワーク要素にベアラ識別子要求を送信し、前記ベアラ識別子要求が、前記少なくとも1つのベアラの各々にベアラ識別子を割り当てるように要求するために使用される、
ようにさらに構成され、
前記取得ユニットが、前記モビリティ管理ネットワーク要素から前記少なくとも1つのベアラの各々に対応する前記ベアラ識別子を受信するようにさらに構成される、
請求項33または34に記載の装置。
【請求項３８】
前記装置が、
格納ユニットであって、前記格納ユニットが前記少なくとも1つのベアラの各々に対応する前記ベアラ識別子を格納するように構成された、格納ユニット
をさらに備え、
前記送信ユニットが、前記第1の制御プレーン機能ネットワーク要素に前記少なくとも1つのベアラの各々に対応する前記ベアラ識別子を送信するようにさらに構成される、
請求項37に記載の装置。
【請求項３９】
第2のネットワーク内の端末のパケットデータネットワーク（PDN）接続が、第1のネットワーク内のプロトコルデータユニット（PDU）セッションに切り替えられる必要があると判断するように構成された決定ユニットと、
前記PDUセッションに対応するユーザプレーントンネル情報を取得するように構成された取得ユニットと
を備える、ハンドオーバ装置。
【請求項４０】
前記取得ユニットが、具体的に、
前記PDUセッションに対応する前記ユーザプレーントンネル情報を前記PDUセッションに割り当てるか、または
前記PDUセッションに対応するユーザプレーントンネル情報を割り当てるように、前記PDN接続に対応するユーザプレーン機能ネットワーク要素に要求し、前記PDN接続に対応する前記ユーザプレーン機能ネットワーク要素から前記PDUセッションに対応する前記ユーザプレーントンネル情報を取得する
ように構成される、請求項39に記載の装置。
【請求項４１】
前記装置が、
前記PDN接続に対応する前記ユーザプレーン機能ネットワーク要素に第1のセッション管理要求を送信するように構成された第1の送信ユニットであって、前記第1のセッション管理要求が、前記PDUセッションに対応するユーザプレーントンネルを確立または修正するように要求するために使用され、前記第1のセッション管理要求がアップリンクデータ送信規則を搬送し、前記アップリンクデータ送信規則が、前記PDUセッションに対応する前記ユーザプレーントンネルを介して受信されたアップリンクデータを転送する方法を、前記PDN接続に対応する前記ユーザプレーン機能ネットワーク要素に示すために使用される、第1の送信ユニット
をさらに備える、請求項39または40に記載の装置。
【請求項４２】
前記第1の送信ユニットが、
前記アップリンクデータ送信規則が変わったと判断すると、前記PDN接続に対応する前記ユーザプレーン機能ネットワーク要素に更新されたアップリンクデータ送信規則を送信する
ようにさらに構成される、請求項41に記載の装置。
【請求項４３】
前記取得ユニットが、第2のセッション管理要求を受信し、前記第2のセッション管理要求が第1の指示情報を搬送し、前記第1の指示情報が、前記第2のネットワークから前記第1のネットワークに前記端末をハンドオーバするための準備をするように示すために使用される、
ようにさらに構成される、請求項39から42のいずれか一項に記載の装置。
【請求項４４】
前記装置が、
前記PDN接続に対応する前記ユーザプレーン機能ネットワーク要素に、前記PDUセッションに対応するダウンリンクデータ送信規則を送信するように構成された第2の送信ユニットであって、前記ダウンリンクデータ送信規則が、前記PDUセッションに対応する前記ユーザプレーントンネルを介して、前記PDN接続に対応する前記ユーザプレーン機能ネットワーク要素によって受信されたダウンリンクデータパケットを送信するように示すために使用される、第2の送信ユニット
をさらに備える、請求項39から43のいずれか一項に記載の装置。
【請求項４５】
メモリおよび前記メモリに結合されたプロセッサを備える制御プレーン機能ネットワーク要素であって、
前記メモリがプログラム命令を記憶し、前記プロセッサが前記プログラム命令を実行すると、前記制御プレーン機能ネットワーク要素が、請求項1から10のいずれか一項に記載の前記方法を実行することが可能になる、
制御プレーン機能ネットワーク要素。
【請求項４６】
メモリおよび前記メモリに結合されたプロセッサを備える制御プレーン機能ネットワーク要素であって、
前記メモリがプログラム命令を記憶し、前記プロセッサが前記プログラム命令を実行すると、前記制御プレーン機能ネットワーク要素が、請求項11から16のいずれか一項に記載の前記方法を実行することが可能になる、
制御プレーン機能ネットワーク要素。
【請求項４７】
メモリおよび前記メモリに結合されたプロセッサを備える制御プレーン機能ネットワーク要素であって、
前記メモリがプログラム命令を記憶し、前記プロセッサが前記プログラム命令を実行すると、前記制御プレーン機能ネットワーク要素が、請求項17から22のいずれか一項に記載の前記方法を実行することが可能になる、
制御プレーン機能ネットワーク要素。
【請求項４８】
命令を備えるコンピュータ記憶媒体であって、前記命令がコンピュータ上で実行されると、前記コンピュータが請求項1から10のいずれか一項に記載の前記方法を実行することが可能になる、コンピュータ記憶媒体。
【請求項４９】
命令を備えるコンピュータ記憶媒体であって、前記命令がコンピュータ上で実行されると、前記コンピュータが請求項11から16のいずれか一項に記載の前記方法を実行することが可能になる、コンピュータ記憶媒体。
【請求項５０】
命令を備えるコンピュータ記憶媒体であって、前記命令がコンピュータ上で実行されると、前記コンピュータが請求項17から22のいずれか一項に記載の前記方法を実行することが可能になる、コンピュータ記憶媒体。
【請求項５１】
通信システムであって、前記通信システムが第1の制御プレーン機能ネットワーク要素およびユーザプレーン機能ネットワーク要素を備え、
前記第1の制御プレーン機能ネットワーク要素が、第1のネットワーク内の端末のプロトコルデータユニット（PDU）セッションが、第2のネットワーク内のパケットデータネットワーク（PDN）接続に切り替えられるべきときに確立される必要がある少なくとも1つのベアラを決定し、
対応するユーザプレーントンネル情報を前記少なくとも1つのベアラの各々に割り当てるように前記ユーザプレーン機能ネットワーク要素に要求し、前記ユーザプレーン機能ネットワーク要素から前記少なくとも1つのベアラの各々に対応する前記ユーザプレーントンネル情報を受信するように構成され、
前記ユーザプレーン機能ネットワーク要素が、前記第1の制御プレーン機能ネットワーク要素によって送信され、対応するユーザプレーントンネル情報を前記少なくとも1つのベアラの各々に割り当てるように要求するために使用される要求メッセージを受信し、前記対応するユーザプレーントンネル情報を前記少なくとも1つのベアラの各々に割り当て、前記少なくとも1つのベアラの各々に対応する前記割り当てられたユーザプレーントンネル情報を前記第1の制御プレーン機能ネットワーク要素に送信するように構成される、
通信システム。
【請求項５２】
前記第1の制御プレーン機能ネットワーク要素が、前記PDN接続に対応する制御プレーントンネル情報を取得するようにさらに構成される、請求項51に記載の通信システム。
【請求項５３】
前記通信システムがモビリティ管理ネットワーク要素をさらに備え、
前記第1の制御プレーン機能ネットワーク要素が、前記モビリティ管理ネットワーク要素にベアラ識別子要求を送信し、前記ベアラ識別子要求が、前記少なくとも1つのベアラの各々にベアラ識別子を割り当てるために使用され、前記モビリティ管理ネットワーク要素によって送信された前記少なくとも1つのベアラの各々の前記ベアラ識別子を受信するようにさらに構成され、
前記モビリティ管理ネットワーク要素が、前記第1の制御プレーン機能ネットワーク要素から前記ベアラ識別子を受信し、前記少なくとも1つのベアラの各々にベアラ識別子を割り当て、前記少なくとも1つのベアラの各々に対応する前記ベアラ識別子を前記第1の制御プレーン機能ネットワーク要素に送信するように構成される、
請求項51または52に記載の通信システム。
【請求項５４】
前記第1の制御プレーン機能ネットワーク要素が、前記端末の前記PDUセッションが前記第1のネットワーク内で確立される必要があるか、または前記第1のネットワーク内の前記PDUセッションが修正される必要があると判断するようにさらに構成される、請求項51〜53のいずれか一項に記載の通信システム。
【請求項５５】
通信システムであって、前記通信システムが第1の制御プレーン機能ネットワーク要素および第2の制御プレーン機能ネットワーク要素を備え、前記第1の制御プレーン機能ネットワーク要素が、請求項1から10のいずれか一項に記載の方法を行うように構成され、
前記第2の制御プレーン機能ネットワーク要素が、前記PDN接続の前記トンネル情報と前記少なくとも1つのベアラの各々に対応する前記ベアラ識別子を前記第1の制御プレーン機能ネットワーク要素から受信するように構成される、
通信システム。
【手続補正３】
【補正対象書類名】図面
【補正対象項目名】図９Ｃ
【補正方法】変更
【補正の内容】
【図９Ｃ】
2021513814.tif 000033
【国際調査報告】
2021513814.tif 000034
2021513814.tif 000035
2021513814.tif 000036
2021513814.tif 000037